(57)【要約】【課題】確定診断用の医療情報提供に好適となる臨床診断支援システムの提供【解決手段】固有変動表が、各疾患に対して、その疾患自体の発病を確認するための検査項目である固定固有変動型検査の検査項目名と固定固有変動を関連付けて格納することに加え、その疾患の発症条件を確認するための検査項目である随伴固有変動型検査の検査項目名とその随伴固有変動をも当該疾患に関連付けて格納する。検査配列表は、各疾患について当該疾患に関連付けた全ての固定固有変動型検査の検査項目名及び全ての随伴固有変動型検査の検査項目名を当該疾患と対応付けて順に表示すると共に、各固定固有変動型検査の検査項目名にその固定固有変動を関連付けて表示し、かつ、各随伴固有変動型検査の検査項目名にその随伴固有変動を関連付けて表示する。【選択図】図１
2010250780.tif 000002
【特許請求の範囲】
【請求項１】
固定変動表及び検査配列表示手段を備え、
前記固定変動表は、
各疾患に対して、その疾患が発病したときには必ず同一の検査結果となることを利用してその疾患自体の発病を確認するために使用可能な検査項目である固定固有変動型検査の検査項目名と、その疾患が発病したときの当該固定固有型検査の検査結果の変動内容を示す表現である固定固有変動とを当該疾患に関連付けて格納すると共に、
その疾患が発病したときに必ずしも同一の検査結果とはならない一方でその疾患に固有の発症条件が発症したときには必ず同一の検査結果となることを利用してその疾患に固有の発症条件を確認するために使用可能な検査項目である随伴固有変動型検査の検査項目名と、その疾患に固有の発症条件が発症したときの当該随伴固有変動型検査の検査結果の変動内容を示す表現である随伴固有変動とを当該疾患に関連付けて格納し、
前記固定固有変動及び前記随伴固有変動として、いずれも、対応する検査項目の検査結果の変動内容を最小単位となるよう細分化して表現したものを格納すると共に、
前記固定固有変動に対応する疾患の疾患名を当該固定固有変動に関連付けて格納し、かつ、前記随伴固有変動に対応する疾患の疾患名と対応する発症条件の発症条件名とを結合した結合疾患名を当該随伴固有変動に関連付けて格納し、
前記検査配列表示手段は、
各疾患について、前記固有変動表から、その疾患に関連付けた全ての前記固定固有変動型検査の検査項目名とその固定固有変動、並びに、その疾患に関連付けた全ての前記随伴固有変動型検査の検査項目名とその随伴固有変動とを抽出し、各疾患について当該疾患に関連付けた全ての固定固有変動型検査の検査項目名及び全ての随伴固有変動型検査の検査項目名を、当該疾患と対応付けて検査配列表示部に順に列挙表示すると共に、各固定固有変動型検査の検査項目名にはその固定固有変動を対応付けて前記検査配列表示部に表示し、かつ、各随伴固有変動型検査の検査項目名にはその随伴固有変動を対応付けて前記検査配列表示部に表示すると共に、
前記固定固有変動には、当該固定固有変動が関連付けられた疾患名のみを対応付けて表示し、かつ、前記随伴固有変動には、当該随伴固有変動が関連付けられた結合疾患名を対応付けて表示し、
更に、一の疾患について少なくとも２以上の前記固定固有変動を前記固有変動表から抽出して前記検査配列表示部に列挙表示することで、当該一の疾患について前記２以上の固定固有変動を相互に比較検討して診断する複数項目比較検討を可能とする
ことを特徴とする臨床診断支援システム。
【請求項２】
更に、
症候を格納する症候格納手段と、
前記症候格納手段に格納した症候ごとに、その症候が発症したときに発病が疑われる疾患である候補疾患を当該症候に関連付けて格納する疾患群格納手段と、
前記疾患群格納手段に格納した症候のうちの特定の症候を指定する症候指定手段と、
前記症候指定手段により特定の症候が指定されたときに、当該指定された症候に関連付けた前記候補疾患を前記疾患群格納手段から抽出する候補疾患抽出手段と、
前記症候指定手段により特定の症候が指定されたときに、前記候補疾患抽出手段が抽出した候補疾患の各々に関連付けた前記固定変動型検査項目の検査項目名及びその固定固有変動と、当該候補疾患の各々に関連付けた前記随伴固有変動型検査の検査項目名及びその随伴固有変動とを、それぞれ、前記固有変動表から抽出する固有変動抽出手段とを備え、
前記検査配列表示手段は、前記固有変動抽出手段を含み、
前記症候指定手段により特定の症候が指定されたとき、
前記固有変動抽出手段は、前記候補疾患抽出手段が抽出した前記候補疾患の各々について、前記候補疾患の各々に関連付けた前記固定変動型検査項目の検査項目名及びその固定固有変動を少なくとも２以上抽出すると共に、前記候補疾患の各々に関連付けた前記随伴変動型検査項目の検査項目名及びその随伴固有変動を抽出し、
前記検査配列表示手段は、前記検査配列表示部としての検査配列表の左側に、前記固有変動抽出手段が抽出した全ての前記検査項目名を上から下へと順に列挙表示すると共に、前記検査配列表の右側に、前記検査配列表に列挙表示した前記検査項目名の各々に対応して前記固定固有変動及び前記随伴固有変動を上から下へと列挙表示し、
前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する前記結合疾患名を対応付けて表示する
ことを特徴とする請求項１記載の臨床診断支援システム。
【請求項３】
更に、
前記固有変動表に格納した疾患ごとに、当該疾患と鑑別関係にある疾患であり、かつ、前記固有変動表に格納した疾患でもある鑑別疾患を、当該疾患に関連付けて格納する鑑別疾患格納手段と、
前記固有変動表に格納した疾患のうちの特定の疾患を指定する疾患指定手段と、
前記疾患指定手段により特定の疾患が指定されたときに、当該指定された疾患に関連付けた前記鑑別疾患を前記鑑別疾患格納手段から抽出する鑑別疾患抽出手段と、
前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記固有変動表から抽出することに加え、前記鑑別疾患抽出手段が抽出した鑑別疾患の各々に関連付けた前記固定変動型検査項目の検査項目名及びその固定固有変動と、当該鑑別疾患の各々に関連付けた前記随伴固有変動型検査の検査項目名及びその随伴固有変動とを、それぞれ、前記固有変動表から抽出する固有変動抽出手段とを備え、
前記検査配列表示手段は、前記固有変動抽出手段を含み、
前記疾患指定手段により特定の疾患が指定されたとき、
前記固有変動抽出手段は、前記指定された疾患について、当該疾患に関連付けた少なくとも２以上の前記固定変動型検査項目の検査項目名及びその固定固有変動を抽出すると共に、当該指定された疾患に関連付けた前記随伴変動型検査項目の検査項目名及びその随伴固有変動を抽出することに加え、前記鑑別疾患抽出手段が抽出した前記鑑別疾患の各々について、前記鑑別疾患の各々に関連付けた前記固定変動型検査項目の検査項目名及びその固定固有変動を抽出し、
前記検査配列表示手段は、前記検査配列表示部としての検査配列表の左側に、前記固有変動抽出手段が抽出した全ての前記検査項目名を集合化して順に列挙表示すると共に、前記検査配列表の右側に、前記検査配列表に列挙表示した前記検査項目名の各々に対応して前記固定固有変動及び前記随伴固有変動を集合化して列挙表示する一方、前記指定された疾患について抽出した前記固定固有変動を集合化して列挙表示し、かつ、前記指定された疾患について抽出した前記随伴固有変動を集合化して列挙表示すると共に、前記鑑別疾患について抽出した前記固定固有変動を集合化して表示し、
前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する前記結合疾患名を対応付けて表示する
ことを特徴とする請求項１記載の臨床診断支援システム。
【請求項４】
更に、
前記固有変動表に格納した疾患ごとに、前記固定固有変動型検査の検査項目名及びその固定固有変動、並びに、前記随伴固有変動型検査の検査項目名及びその随伴固有変動をそれぞれ関連付けて格納する臨床データ格納手段と、
前記臨床データ格納手段に格納した疾患のうちの特定の疾患を指定する疾患指定手段と、
前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記臨床データ格納手段から抽出する固有変動抽出手段とを備え、
前記臨床データ格納手段は、前記固有変動表において疾患ごとに関連付けられた前記固定固有変動型検査の検査項目名を、その疾患自体の発病を確認するための肯定用検査の検査項目名として当該疾患に関連付けて格納することに加え、前記固有変動表においてその疾患の鑑別疾患となる疾患に関連付けられた前記固定固有変動型検査の検査項目名をも、当該鑑別疾患の発病を確認することで当該疾患自体の発病を否定するための否定用検査として当該疾患に関連付けて格納し、
前記臨床データ格納手段は、更に、前記固有変動表において疾患ごとに関連付けられた前記固定固有変動型検査の固定固有変動であって前記肯定用検査となる検査の固定固有変動を、その疾患の疾患名及び当該肯定用検査の検査項目名にそれぞれ関連付けて格納することに加え、前記固有変動表においてその疾患の鑑別疾患となる疾患に関連付けられた前記固定固有変動型検査の固定固有変動であって前記否定用検査となる検査の固定固有変動をも、その疾患の疾患名及び当該否定用検査の検査項目名及び当該鑑別疾患の疾患名にそれぞれ関連付けて格納し、
前記疾患指定手段により特定の疾患が指定されたとき、
前記固有変動抽出手段は、前期指定された疾患について、当該疾患に関連付けた少なくとも２以上の前記肯定用検査項目の検査項目名及びその固定固有変動を抽出すると共に、当該指定された疾患に関連付けた前記随伴変動型検査項目の検査項目名及びその随伴固有変動を抽出することに加え、当該疾患に関連付けた前記否定用検査項目の検査項目名及びその固定固有変動を抽出し、
前記検査配列表示手段は、前記検査配列表示部としての検査配列表の左側に、前記固有変動抽出手段が抽出した全ての前記検査項目名を上から下へと順に列挙表示すると共に、前記検査配列表の右側に、前記検査配列表に列挙表示した前記検査項目名の各々に対応して前記固定固有変動及び前記随伴固有変動を上から下へと列挙表示する一方、前記指定された疾患について抽出した前記肯定用検査の固定固有変動を集合化して表示し、かつ、前記指定された疾患について抽出した前記随伴固有変動を集合化して表示すると共に、前記指定した疾患について抽出した前記否定用検査を集合化して表示し、
前記検査配列表表示手段は、更に、当該検査配列表において前記肯定用検査の検査項目名には当該肯定用検査であることを示す肯定検査用種別記号を、前記否定用検査には当該否定用検査であることを示す否定検査用種別記号をそれぞれ付して表示することを特徴とする請求項１記載の臨床診断支援システム。
【請求項５】
前記固有変動抽出手段は、指定した疾患が除外診断法により診断されるものである場合は、当該疾患の鑑別疾患の各々に関連付けた前記否定用検査項目とその固定固有変動とを抽出し、
前記検査配列表表示手段は、前記固有変動抽出手段が抽出した前記否定用検査項目を前記検査配列表に列挙して表示することを特徴とする請求項４記載の臨床診断支援システム。
【請求項６】
更に、
症候を格納する症候格納手段と、
前記症候格納手段に格納した症候ごとに、その症候が発症したときに発病が疑われる疾患である候補疾患を当該症候に関連付けて格納する疾患群格納手段と、
前記疾患群格納手段に格納した症候のうちの特定の症候を指定する症候指定手段と、
前記症候指定手段により特定の症候が指定されたときに、当該指定された症候に関連付けた前記候補疾患を前記疾患群格納手段から抽出する候補疾患抽出手段とを備え、
前記臨床データ格納手段は、更に、前記検査項目として、現存する全ての検査項目の項目名と当該検査項目を一意に識別する項目ＩＤとを関連付けて格納すると共に、前記検査項目のうち、生化学検査からなる汎用検査項目を特定の前記項目ＩＤと関連付けて格納する一方、前記汎用検査項目の特定の項目ＩＤを当該汎用検査項目により検出可能な特定の疾患の疾患名と関連付けて格納し、
更に、
前記症候指定手段により特定の症候を指定することにより、当該指定された症候と関連付けた全ての疾患を抽出した後、当該抽出した疾患のうち、前記汎用検査項目の特定の項目ＩＤと関連付けられた前記特定の疾患以外の疾患のみを抽出して当該疾患を前記検査配列表に列挙表示する見逃疾患抽出表示手段を備えることを特徴とする請求項４または５記載の臨床診断支援システム。
【発明の詳細な説明】
【技術分野】
【０００１】
本発明は、医療情報や医学書情報としての疾患情報、症候情報、臨床検査情報を、臨床医師に対して確定診断に必要かつ十分な情報量として体系的に提供する確定診断用の臨床診断支援システムに関する。
【背景技術】
【０００２】
１）診療業務
医療現場における診療業務は、臨床診断業務と治療業務からなる。臨床診断業務では、医師は、疾患を特定するために問診・医療面接、身体診察、臨床検査等を利用して、最終的な疾患を確定診断する。また、治療業務では、医師は、確定診断により特定した疾患に対応して最適な治療方針を設定し、設定した治療方針に沿った治療行為を開始する。したがって、臨床診断で的確な診断を行うことが最適な治療方針選択のために必須である。
【０００３】
２）臨床診断業務
確定診断で的確な診断を行うためには、一般に、患者の症候（主訴、所見）から予想される病名（候補疾患名）を列挙し、候補疾患に対応する生化学検査や画像検査等の複数の臨床検査を組み立てて実行し、それらの検査結果を解読して候補疾患群の中から疾患を特定することが必要となる。即ち、一般的な臨床診断は、（１）病名列挙、（２）検査組立、及び、（３）検査結果の解読という３つの手順からなる。特に、検査結果の解読では、検査結果の変動内容（以下、単に「検査変動」ということがある。）を候補疾患の各々が発病時に呈する固有の検査変動と照合して、検査陰性となった疾患は除外すると共に、検査陽性となった疾患の中から特定の疾患を選出する。したがって、臨床診断では、病名列挙で列挙した候補疾患の全てについて、確定診断に必要となる検査を漏らすことなく把握して検査を組立て、実施した各検査の検査変動を各候補疾患の固有の検査変動と漏れなく照合することが的確な診断につながり、ひいては、最適な治療法選択につながる。
ここで、臨床医師は、臨床診断において、自己が有する医学知識や経験に基づき上記３つの手順を実行するが、一人の医師が多岐にわたる医療分野ごとの知識を全て具有することは困難であるため、必要に応じて、医学書の該当事項を参照し、また、医学書だけで判明しない事項については、医学書の記載等を手がかりに医学専門書等のその他の医学情報源を参照することが必要になる。しかし、医師が、臨床診断業務中の短時間で、医学書から医学専門書等にわたって末広がりとなる情報を的確に取得することは事実上困難である。一方、このような診断業務を自動的に行う自動診断システムが各種提案されているが、いずれも、いまだ実用的なレベルには達していない。
【０００４】
３）従来の臨床診断支援システム
上記診断業務を支援するためのシステムとして、例えば、以下のものが提案されている。
【特許文献１】特開２００１−３３１５８１号公報
【特許文献２】特開２０００−１２３０９６号公報  特許文献１には、専門外の分野であっても高度な診断・治療を実現することができる自動診断システムが開示されている。この自動診断システムは、コンピュータ（クライアントサーバーシステム）を用いて患者の疾患を診断するものであり、患者に発現する複数の症候と、この症候に基づいて可能性があると考えられる複数の疾患とを対応づけて記憶した症候−疾患データベースと、症候−疾患データベースの疾患に対応づけられ、疾患に関連する臨床検査項目が格納された臨床検査データベースとを格納したデータ記憶部を有し、ユーザーから提供された症候を症候−疾患データベースから読み出し、当該読み出された症候に対応づけられた疾患に基づいて、当該疾患に関連する臨床検査項目を読み出し、診断手段による診断結果を表示する。
【０００５】
特許文献２には、「一連の医療行為を構成する検診、検査、診断及び治療を最新の医療技術の成果を取り入れたプロセスに従って誤りなく行われるよう補助支援」する医療診断システムの提供、及び、「データ入力等の操作が簡単且つ容易で、医療現場においてリアルタイムに利用可能なキ−ワード解析に基づく検診支援システム、診断支援システム、診療支援システム」の提供を課題とし（同文献の段落００１３）、「病名と症候との関連データを記憶する第１の記憶手段と、疾患の部位、性別、年齢、病歴等の情報を記憶する第２の記憶手段と、前記病名と対応して病名に関して検査すべき項目、確認すべき所見等の関連データを記憶する第３の記憶手段と、病名と該病名に対する治療方法との関連データを記憶する第４の記憶手段と、１若しくは２以上の症候及び当該症候に関する種々のデータをキーワード入力するための入力手段と、前記入力手段によって入力された入力データに基づいて、前記第１の記憶手段と前記第２の記憶手段にアクセスし、該当する１若しくは２以上の病名を検索すると共に、前記第３の記憶手段にアクセスして当該病気に対する治療方法を検索する検索手段と、前記検索手段によって検索された病名を可能性の高い順に列記し、必要に応じて、検索された各病気に関して検査すべき項目、確認すべき所見等の関連情報を表示すると共に、当該病気に対する前記治療方法を表示する表示手段と、を具備する」システムが記載されている（同段落００１４）。
【０００６】
また、引用文献２には、発明の実施の形態として、「１若しくは複数の症候データが入力手段によって入力されると、症候対応病名のリレーショナル・データベースの共通集合演算をとることにより、それら複数の症候を顕わす病名を検索出力する」点と（同段落００２７）、「病名と症候との関連データのみならず、疾患の部位、所見される事項、性別、年齢、病歴等の個別的入力情報と、病名と対応して病名に関して検査すべき項目、確認すべき所見等の関連データを関係データベースとしてシステム内に予め構築しておき、複数の症候に基づいて検索された病名を、前記個別的入力情報等に基づいて総合的に判断して、個々の患者の症候をベースにして考えられる病名を可能性の高い順に表示出力する」点と（同段落００３１）、「担当の医師が可能性のある病名の中から特定の疾患を最終的に診断するために行わなければならない最低限必要な検査項目、最終的に確認すべき検査試験成績その他の所見等の関連データを、掲げられた病名毎に列記するように構成し、これにより、診断の誤りを防止するとともに、迅速で最新の医療技術等の成果を反映させた検診及び診断行為の側面的支援を実現」する点と（同段落００３２）が記載されている。
【発明の開示】
【発明が解決しようとする課題】
【０００７】
４）従来の臨床診断支援システムの問題点（発症条件及び随伴固有変動の非考慮）
しかし、後述するように、いかなる検査法（いかなる検査変動）を使用しても全疾患の１割前後で確定診断することができないのが現状である。したがって、上記特許文献１及び２を含め、従来の臨床診断支援システムは、既存の全検査項目を網羅する構成であったとしても、やはり、確定診断に適用することは困難であり、特に、自動診断システムにより確定診断を行うことはできない。また、検査変動が固定固有変動と随伴固有変動とに区分可能で、かつ、それらが異なる観点から臨床診断に利用可能である点（固定固有変動は疾患選出・同定に、随伴固有変動は疾患選出・同定に加えて発症条件同定に使用可能である点）は本発明者の知見によるものであり、従来は特に認識されることなく検査が行われていた。特に、臨床検査は、疾患を同定するために固定固有変動型検査に相当する検査項目を利用して行われており、随伴固有変動型検査については、その疾患について固有併発症が発症した場合等、特定の発症条件を確認してから別個の検査として実施されている。したがって、特に随伴固有変動は、現在の医療現場で臨床診断に活用されていないのが現状であり、全固有変動のうち随伴固有変動に相当する８割前後の固有変動が臨床診断で有効に活用されていないことになる。当然、上記特許文献１及び２を含め、従来の臨床診断支援システムも、診断対象の疾患自体については考察しているものの、その発症条件や随伴固有変動については全く考慮しておらず、やはり、全固有変動のうち随伴固有変動に相当する８割前後の固有変動を利用していないことになる。
【０００８】
この点を詳細に説明すると、上記特許文献１及び２を含め、従来の臨床診断支援システムでは、各疾患に１以上の検査項目を対応付け、検査項目の検査結果（本発明の固有変動に対応）に応じて当該疾患の存在を判定するものの、各疾患に対応付けた検査項目の固有変動は、上記のような疾患ごとの発症条件までも考慮したものではない。即ち、特許文献１及び２を含め発明者が知っている過去の文献のいずれにも、臨床検査を特異的検査、非特異的検査及び中間的検査に区別して検査組立すると共に、臨床検査の検査変動を固定固有変動と随伴固有変動とに二分して解読作業を可能にする点については全く開示も示唆もしていない。特許文献１及び２を含めた従来の臨床診断システムが使用する検査項目の検査変動を本発明の固有変動に対応させて解釈した場合でも、従来の臨床診断支援システムでは、本発明者が知見した固有変動中、上記固定固有変動に相当する検査結果のみを疾患に関連付けて自動診断等を行っている可能性が高い。例えば、特許文献２の技術では、複数の症候の各々に重複して関連付けられた病名を抽出し、当該病名を個別的入力情報（疾患部位、所見、性別、年齢、病歴等）に基づき総合的に判断して可能性の高い順に表示出力し、必要に応じて、表示された病名の中から特定の疾患を最終的に診断するために行わなければならない最低限必要な検査項目や最終的に確認すべき検査試験成績その他の所見等の関連データを、表示された病名ごとに列記するシステムを開示しているものの、その開示内容を詳細に見ても、各疾患に関連付けた検査項目の検査結果は、あくまで上記固定固有変動に相当する検査結果に過ぎず、疾患についての発症条件までも考慮した検査結果（上記随伴固有変動に相当するもの）についての示唆は全くない。したがって、特許文献２の技術は、検診（健康診断）のような簡易的な診断に適用する場合はともかく、確定診断で最終的に一つの原因疾患を特定する必要がある臨床診断に適用できる構成、即ち、臨床診断に必要な十分かつ詳細な医療情報を効率的かつ体系的に提供するための構成については、当業者（医療業界及びＩＴ業界の技術者）が発明を特定できる程度に開示または示唆しておらず、実際の臨床診断に適用できるものではない。
【０００９】
そこで、本発明は、特に急激進行疾患や重篤疾患の見逃し防止等のため、臨床診断の確定診断に必要となる全ての症候、全ての疾患、全ての検査項目に関する医療情報を網羅し、臨床診断で症候に応じた候補疾患の情報を網羅的に提供できると共に、候補疾患から原因疾患への絞込んで確定診断を行うために必要となる検査項目の情報を網羅的に提供することできる一方で、検査項目の固有変動情報を候補疾患と関連付けて複数項目比較検討が可能な態様で体系的に提供することにより、専門医以外の医師であっても実際の臨床診断で要求される短時間での検査組立及び検査結果の解読作業を可能にし、実用的な確定診断用の臨床診断支援システムを提供することを課題とする。
【課題を解決するための手段】
【００１０】
請求項１に係る臨床診断支援システムは、固定変動表及び検査配列表示手段を備える。前記固定変動表は、各疾患に対して、その疾患が発病したときには必ず同一の検査結果となることを利用してその疾患自体の発病を確認するために使用可能な検査項目である固定固有変動型検査の検査項目名と、その疾患が発病したときの当該固定固有型検査の検査結果の変動内容を示す表現である固定固有変動とを当該疾患に関連付けて格納すると共に、その疾患が発病したときに必ずしも同一の検査結果とはならない一方でその疾患に固有の発症条件が発症したときには必ず同一の検査結果となることを利用してその疾患に固有の発症条件を確認するために使用可能な検査項目である随伴固有変動型検査の検査項目名と、その疾患に固有の発症条件が発症したときの当該随伴固有変動型検査の検査結果の変動内容を示す表現である随伴固有変動とを当該疾患に関連付けて格納する。また、固有変動表は、前記固定固有変動及び前記随伴固有変動として、いずれも、対応する検査項目の検査結果の変動内容を最小単位となるよう細分化して表現したものを格納すると共に、前記固定固有変動に対応する疾患の疾患名を当該固定固有変動に関連付けて格納し、かつ、前記随伴固有変動に対応する疾患の疾患名と対応する発症条件の発症条件名とを結合した結合疾患名を当該随伴固有変動に関連付けて格納する。一方、前記検査配列表示手段は、各疾患について、前記固有変動表から、その疾患に関連付けた全ての前記固定固有変動型検査の検査項目名とその固定固有変動、並びに、その疾患に関連付けた全ての前記随伴固有変動型検査の検査項目名とその随伴固有変動とを抽出し、各疾患について当該疾患に関連付けた全ての固定固有変動型検査の検査項目名及び全ての随伴固有変動型検査の検査項目名を、当該疾患と対応付けて検査配列表示部に順に列挙表示すると共に、各固定固有変動型検査の検査項目名にはその固定固有変動を対応付けて前記検査配列表示部に表示し、かつ、各随伴固有変動型検査の検査項目名にはその随伴固有変動を対応付けて前記検査配列表示部に表示すると共に、前記固定固有変動には、当該固定固有変動が関連付けられた疾患名のみを対応付けて表示し、かつ、前記随伴固有変動には、当該随伴固有変動が関連付けられた（疾患の疾患名に対して当該随伴固有変動が該当する疾患に固有の発症条件を結合して表す）結合疾患名を対応付けて表示する。検査配列表示手段は、更に、一の疾患について少なくとも２以上の前記固定固有変動を前記固有変動表から抽出して前記検査配列表示部に列挙表示することで、当該一の疾患について前記２以上の固定固有変動を相互に比較検討して診断する複数項目比較検討を可能とする。
【００１１】
なお、本臨床診断支援システムは、病名（疾患名）、対応する検査項目及びその固有変動については、漏れのないよう、あらゆる病名、対応する検査項目及びその固有変動を網羅して格納する（即ち、全ての疾患についての全ての対応する検査項目とその全ての対応する固有変動とを格納する）が、特定分野に限定した病名及び対応する検査項目とその固有変動のみを格納し、特定分野用途とすることは可能である。また、各病名について診断時に使用される可能性のある全ての検査項目の項目名が当該病名に関連付けられて格納されるが、検査項目については、病名との関係で漏れをなくすよう、各病名について頻用でないものや特殊なものでも除外することなく格納する。
【００１２】
また、検査配列表示部は、実施例では、モニタ画面のユーザーインタフェース（ＧＵＩ）上にグラフィック表示され、一の疾患に対して関連する項目名と動向とを対応表示する表形式の検査配列表として具体化されているが、表形式以外の形式として具体化することも可能である。
【００１３】
また、検査配列表示部における固定固有変動型検査の検査項目及び対応する固定固有変動の表示は、好ましくは、複数項目比較検討しやすい順にそれらが表示されるよう構成される。即ち、例えば、各疾患に関連付けた固定固有変動型検査には、それぞれ、複数項目比較検討業務において関連度の高い順番（複数項目比較検討しやすい順番）である表示順位を表す順位ＩＤを関連付け、当該順位ＩＤを参照して、検査配列表に、一の疾患について、固定固有変動型検査を上から表示順位の高い順番で表示することができる。
【００１４】
請求項２に係る臨床診断支援システムは、請求項１の構成において、更に、症候を格納する症候格納手段と、前記症候格納手段に格納した症候ごとに、その症候が発症したときに発病が疑われる疾患である候補疾患を当該症候に関連付けて格納する疾患群格納手段と、前記疾患群格納手段に格納した症候のうちの特定の症候を指定する症候指定手段と、前記症候指定手段により特定の症候が指定されたときに、当該指定された症候に関連付けた前記候補疾患を前記疾患群格納手段から抽出する候補疾患抽出手段と、前記症候指定手段により特定の症候が指定されたときに、前記候補疾患抽出手段が抽出した候補疾患の各々に関連付けた前記固定変動型検査項目の検査項目名及びその固定固有変動と、当該候補疾患の各々に関連付けた前記随伴固有変動型検査の検査項目名及びその随伴固有変動とを、それぞれ、前記固有変動表から抽出する固有変動抽出手段とを備える。そして、前記検査配列表示手段は、前記固有変動抽出手段を含み、前記症候指定手段により特定の症候が指定されたとき、前記固有変動抽出手段は、前記候補疾患抽出手段が抽出した前記候補疾患の各々について、前記候補疾患の各々に関連付けた前記固定変動型検査項目の検査項目名及びその固定固有変動を少なくとも２以上抽出すると共に、前記候補疾患の各々に関連付けた前記随伴変動型検査項目の検査項目名及びその随伴固有変動を抽出し、前記検査配列表示手段は、前記検査配列表示部としての検査配列表の左側（実施の形態における検査項目欄）に、前記固有変動抽出手段が抽出した全ての前記検査項目名を上から下へと順に列挙表示すると共に、前記検査配列表の右側（実施の形態における検査動向欄）に、前記検査配列表に列挙表示した前記検査項目名の各々に対応して前記固定固有変動及び前記随伴固有変動を上から下へと列挙表示し、前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する（当該疾患の疾患名に当該随伴固有変動の発症条件を結合して表す）前記結合疾患名を対応付けて表示する。
【００１５】
請求項３に係る臨床診断支援システムは、請求項１の構成において、更に、前記固有変動表に格納した疾患ごとに、当該疾患と鑑別関係にある疾患であり、かつ、前記固有変動表に格納した疾患でもある鑑別疾患を、当該疾患に関連付けて格納する鑑別疾患格納手段と、前記固有変動表に格納した疾患のうちの特定の疾患を指定する疾患指定手段と、前記疾患指定手段により特定の疾患が指定されたときに、当該指定された疾患に関連付けた前記鑑別疾患を前記鑑別疾患格納手段から抽出する鑑別疾患抽出手段と、前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記固有変動表から抽出することに加え、前記鑑別疾患抽出手段が抽出した鑑別疾患の各々に関連付けた前記固定変動型検査項目の検査項目名及びその固定固有変動と、当該鑑別疾患の各々に関連付けた前記随伴固有変動型検査の検査項目名及びその随伴固有変動とを、それぞれ、前記固有変動表から抽出する固有変動抽出手段とを備える。そして、前記検査配列表示手段は、前記固有変動抽出手段を含み、前記疾患指定手段により特定の疾患が指定されたとき、前記固有変動抽出手段は、前記指定された疾患について、当該疾患に関連付けた少なくとも２以上の前記固定変動型検査項目の検査項目名及びその固定固有変動を抽出すると共に、当該指定された疾患に関連付けた前記随伴変動型検査項目の検査項目名及びその随伴固有変動を抽出することに加え、前記鑑別疾患抽出手段が抽出した前記鑑別疾患の各々について、前記鑑別疾患の各々に関連付けた前記固定変動型検査項目の検査項目名及びその固定固有変動を（１以上）抽出し（このとき、好ましくは、前記鑑別疾患の各々に関連付けた前記随伴変動型検査項目の検査項目名及びその随伴固有変動は抽出しない）、前記検査配列表示手段は、前記検査配列表示部としての検査配列表の左側（実施の形態の検査項目欄）に、前記固有変動抽出手段が抽出した全ての前記検査項目名を集合化して（実施の形態では上から下へと）順に列挙表示すると共に、前記検査配列表の右側（実施の形態の検査動向欄）に、前記検査配列表に列挙表示した前記検査項目名の各々に対応して前記固定固有変動及び前記随伴固有変動を集合化して（実施の形態では上から下へと）列挙表示する一方、前記指定された疾患について抽出した前記固定固有変動（通常は、そのうちの代表的なもの、即ち、定型検査乃至初動検査に関する固定固有変動のうちの特に肯定用検査）を集合化して（好ましくは最上段に）列挙表示し、かつ、前記指定された疾患について抽出した前記随伴固有変動（好ましくは、上記同様、代表的なもの）を（好ましくは前記固定固有変動の次段に）集合化して列挙表示すると共に、前記鑑別疾患について抽出した前記固定固有変動（実施の形態の否定用検査）を（好ましくは前記指定された疾患について表示した随伴固有変動の次段に）集合化して表示する。前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する（当該疾患の疾患名に当該随伴固有変動の発症条件を結合して表す）前記結合疾患名を対応付けて表示する。
【００１６】
請求項４に係る臨床診断支援システムは、請求項１の構成において、更に、前記固有変動表に格納した疾患ごとに、前記固定固有変動型検査の検査項目名及びその固定固有変動、並びに、前記随伴固有変動型検査の検査項目名及びその随伴固有変動をそれぞれ関連付けて格納する臨床データ格納手段と、前記臨床データ格納手段に格納した疾患のうちの特定の疾患を指定する疾患指定手段と、前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記臨床データ格納手段から抽出する固有変動抽出手段とを備える。そして前記臨床データ格納手段は、前記固有変動表において疾患ごとに関連付けられた前記固定固有変動型検査の検査項目名を、その疾患自体の発病を確認するための肯定用検査の検査項目名として当該疾患に関連付けて格納することに加え、前記固有変動表においてその疾患の鑑別疾患となる疾患に関連付けられた前記固定固有変動型検査の検査項目名をも、当該鑑別疾患の発病を確認することで当該疾患自体の発病を否定するための否定用検査として当該疾患に関連付けて格納する。前記臨床データ格納手段は、更に、前記固有変動表において疾患ごとに関連付けられた前記固定固有変動型検査の固定固有変動であって前記肯定用検査となる検査の固定固有変動を、その疾患の疾患名及び当該肯定用検査の検査項目名にそれぞれ関連付けて格納することに加え、前記固有変動表においてその疾患の鑑別疾患となる疾患に関連付けられた前記固定固有変動型検査の固定固有変動であって前記否定用検査となる検査の固定固有変動をも、その疾患の疾患名及び当該否定用検査の検査項目名及び当該鑑別疾患の疾患名にそれぞれ関連付けて格納する。前記疾患指定手段により特定の疾患が指定されたとき、前記固有変動抽出手段は、前期指定された疾患について、当該疾患に関連付けた少なくとも２以上の前記肯定用検査項目の検査項目名及びその固定固有変動を抽出すると共に、当該指定された疾患に関連付けた前記随伴変動型検査項目の検査項目名及びその随伴固有変動を抽出することに加え、当該疾患に関連付けた前記否定用検査項目（通常はこれらに加えて全身用検査項目）の検査項目名及びその固定固有変動を抽出し、前記検査配列表示手段は、前記検査配列表示部としての検査配列表の左側（実施の形態の検査項目欄）に、前記固有変動抽出手段が抽出した全ての前記検査項目名を上から下へと順に列挙表示すると共に、前記検査配列表の右側（実施の形態の検査動向欄）に、前記検査配列表に列挙表示した前記検査項目名の各々に対応して前記固定固有変動及び前記随伴固有変動を上から下へと列挙表示する一方、前記指定された疾患について抽出した前記肯定用検査の固定固有変動（通常は、そのうちの代表的なもの、即ち、定型検査乃至初動検査に関する固定固有変動のうちの特に肯定用検査）を（好ましくは最上段に）集合化して表示し、かつ、前記指定された疾患について抽出した前記随伴固有変動（好ましくは、上記同様、代表的なもの）を（好ましくは前記最上段の固定固有変動の次段に）集合化して表示すると共に、前記指定した疾患について抽出した前記否定用検査を（好ましくは前記指定された疾患について表示した随伴固有変動の次段に）集合化して表示する。前記検査配列表表示手段は、更に、当該検査配列表において前記肯定用検査の検査項目名には当該肯定用検査であることを示す肯定検査用種別記号を、前記否定用検査には当該否定用検査であることを示す否定検査用種別記号をそれぞれ付して表示する。
【００１７】
好ましくは、臨床データ格納手段は、格納する検査として、指定疾患に関連付けた当該指定疾患自体の発病を確認するための固定固有変動型検査からなる肯定用検査、指定疾患の鑑別疾患に関連付けた当該鑑別疾患自体の固定固有変動型検査からなる否定用検査に加え、当該肯定用検査及び否定用検査項目以外の検査項目を全身用検査項目として格納している。即ち、全身用検査の検査項目名を対応する疾患に関連付けて格納し、また、その固有変動を当該検査項目及び当該疾患にそれぞれ関連付けて格納している。また、前記臨床データ格納手段は、更に、前記固有変動表において疾患ごとに関連付けられた前記固定固有変動型検査の固定固有変動であって前記肯定用検査となる検査の固定固有変動に関連付けた当該疾患の疾患名を、その疾患の疾患名及び当該肯定用検査の検査項目名にそれぞれ関連付けて格納することに加え、前記固有変動表においてその疾患の鑑別疾患となる疾患に関連付けられた前記固定固有変動型検査の固定固有変動であって前記否定用検査となる検査の固定固有変動をも、その疾患の疾患名及び当該否定用検査の検査項目名にそれぞれ関連付けて格納している。そして、検査配列表示手段が、臨床データ格納手段から、指定疾患に関連付けた検査項目及び固有変動を抽出し、そのまま検査配列表に表示する。
【００１８】
請求項５に係る臨床診断支援システムは、請求項４の構成において、前記固有変動抽出手段は、指定した疾患が除外診断法により診断されるものである場合は、当該疾患の鑑別疾患の各々に関連付けた前記否定用検査項目とその固定固有変動（通常は、これに加えて全身用検査項目とその固有変動）とを抽出し、前記検査配列表表示手段は、前記固有変動抽出手段が抽出した前記否定用検査項目を前記検査配列表に列挙して表示する。即ち、この場合、好ましくは、前記固有変動抽出手段は、指定した疾患が除外診断法により診断されるものである場合は、当該疾患の鑑別疾患の各々に関連付けた前記否定用検査項目及び全身用検査項目とそれらの各々の固定固有変動のみを抽出し、前記検査配列表表示手段は、前記固有変動抽出手段が抽出した検査項目のみを前記検査配列表に列挙して表示する。即ち、疾患について肯定用検査項目がない場合は、除外診断法によりその疾患を診断するが、このとき、前記肯定用検査項目以外の検査項目である否定用検査項目及び／または全身用検査項目を使用する。なお、このときの検査項目としては、否定用検査項目としての生化学検査を多用してできるだけ全疾患の否定を網羅できるようにすることが好ましいが、生化学検査だけで全疾患の否定を網羅することは困難であるため、不足分については全身用検査で補うようにする。ここで、ユーザーは、否定用検査項目及び／または全身用検査項目の全てが陰性となり、当該否定用検査項目及び／または全身用検査項目が陽性となった場合に診断される疾患（候補疾患の鑑別疾患）を全て否定することで、残った唯一の疾患の存在を推定する（除外診断法）。
【００１９】
請求項６に係る臨床診断支援システムでは、請求項４または５の構成において、更に、症候を格納する症候格納手段と、前記症候格納手段に格納した症候ごとに、その症候が発症したときに発病が疑われる疾患である候補疾患を当該症候に関連付けて格納する疾患群格納手段と、前記疾患群格納手段に格納した症候のうちの特定の症候を指定する症候指定手段と、前記症候指定手段により特定の症候が指定されたときに、当該指定された症候に関連付けた前記候補疾患を前記疾患群格納手段から抽出する候補疾患抽出手段とを備える。そして、前記臨床データ格納手段は、更に、前記検査項目として、現存する全ての検査項目の項目名と当該検査項目を一意に識別する項目ＩＤとを関連付けて格納すると共に、前記検査項目のうち、生化学検査からなる（特定の生化学検査を主要構成検査とする）汎用検査項目を特定の前記項目ＩＤと関連付けて格納する一方、前記汎用検査項目の特定の項目ＩＤを当該汎用検査項目により検出可能な特定の疾患の疾患名と関連付けて格納する。更に、前記症候指定手段により特定の症候を指定することにより、当該指定された症候と関連付けた全ての疾患を抽出した後、当該抽出した疾患のうち、前記汎用検査項目の特定の項目ＩＤと関連付けられた前記特定の疾患以外の疾患のみを抽出して当該疾患を前記検査配列表に列挙表示する見逃疾患抽出表示手段が設けられる。即ち、前記臨床データ格納手段は、更に、現存する全ての検査項目の項目名と当該検査項目を一意に識別する項目ＩＤとを関連付けて格納すると共に、前記検査項目の一部を構成する特定の生化学検査を中心とする汎用検査項目を特定の前記項目ＩＤと関連付けて格納する一方、前記汎用検査項目の特定の項目ＩＤを当該汎用検査項目により検出可能な特定の疾患と関連付けて格納する。更に、見逃疾患抽出表示手段は、特定の症候を指定することにより、当該症候と関連付けた全ての疾患を抽出すると共に、当該抽出した疾患のうち前記汎用検査項目の特定の項目ＩＤと関連付けられた疾患以外の疾患を抽出して列挙表示する。なお、汎用検査項目とは、特有疾患だけで陽性化する（異常値となる）特異的検査以外の検査であって、主に、安価で頻用される生化学検査からなる全身状態把握用の検査のことをいう。そして、臨床診断支援システムは、症候を指定することにより、見逃疾患抽出手段により、当該症候と関連付けた全ての候補疾患（当該症候が発生したときに存在が推定される全ての疾患）を抽出すると共に、当該抽出した疾患のうち前記汎用検査項目と関連付けられた疾患以外の疾患を抽出して列挙して出力する。
【００２０】
ここで、検査配列表示部としての検査配列表では、疾患と共に発症条件を表現する結合疾患名を使用して、疾患ごと及びその発症条件ごとの検査変動を表現する検査動向が、疾患ごとの各検査項目に関連付けて表示される。このとき、好ましくは、発症条件に関する詳細情報を提供して利用者の理解を補完するために、疾患概要表示手段が、検査配列表に表示する疾患の固有併発症や当該疾患に固有の罹患臓器の種類や発症時点から末期までの経緯等の発症条件の具体的記載（医学書や専門書に記載された程度の記載）を、検査配列表の表示のために指定した症候（症候検査）や疾患（一般検査）ごとに、その症候ＩＤや疾患ＩＤを参照して図示しない疾患テーブル（疾患ごと及び症候ごとに、その疾患概要説明文を関連付けて格納するテーブル）から抽出し、検査配列表の近傍（上方位置等）に疾患概要として表示する。
【００２１】
なお、本発明は、上記各格納手段として、病名マスタファイル、臨床マスタファイル、疾患群マスタファイル等のマスタファイルを備え、これらは、後述する実施の形態の（リレーショナルデータベースにおける）病名マスタテーブル、臨床マスタテーブル、疾患群マスタテーブ等に対応するものではあるが、リレーショナルデータベースに限定することなく、階層データベース、ネットワークデータベース等の他の形式のデータベースに具体化することも無論可能である。
【発明の効果】
【００２２】
請求項１に係る臨床診断支援システムは、疾患自体の確認用としては従来は使用されていない（疾患に関連した合併症や罹患臓器の確認等に使用されている）随伴固有変動型検査を、その検査変動である随伴固有変動と共に疾患に関連付けて抽出・表示することができる。その結果、固定固有変動型検査及び随伴固有変動型検査の固定固有変動により疾患名を確定診断することができることに加え、随伴固有変動型検査の随伴固有変動を確認することにより当該疾患の発症条件を確認することができ、確認した発症条件に基づいて当該疾患についての有効な治療法を選択することができる。特に、上記１−３）の構成により、検査項目・疾患名・発症条件の３要素からなる三次元構造のデータを、疾患名及び発症条件の２要素を一次元化することで二次元構造（表形式）のデータとして固有変動表に格納し、かつ、検査配列表に表示することができる。また、検査項目ごとに、各疾患の固定固有変動のみならず随伴固有変動まで関連付けて格納し、指定された症候に属する候補疾患群の全ての疾患についてそれらの固定固有変動及び随伴固有変動を候補疾患に関連付けて列挙表示するため、特に急激進行疾患や重篤疾患の見逃し防止等のため、臨床診断の確定診断に必要となる全ての症候、全ての疾患、全ての検査項目に関する医療情報を詳細な単位で網羅し、臨床診断で症候に応じた候補疾患の情報を詳細な単位で網羅的に提供できる。また、候補疾患から原因疾患への絞込んで確定診断を行うために必要となる検査項目の情報を網羅的に提供することできる一方で、検査項目の固有変動情報を候補疾患と関連付けて複数項目比較検討が可能な態様で体系的に提供することができ、専門医以外の医師であっても実際の臨床診断で要求される短時間での検査組立及び検査結果の解読作業を可能にし、実用的な確定診断用の臨床診断支援システムとなる。即ち、厳格かつ緻密な思考判断過程を要する臨床診断の手順において、患者の生命にかかわる急激進行疾患や重篤疾患の可能性が考えられる場合等においてその見逃しを防止するために、一般医でも、各症候について考えうる全ての候補疾患を可能性の低いものも含めて漏らすことなく全て想定することができ、かつ、それら全ての候補疾患の各々の当否を判断するために使用可能な検査項目を使用頻度の低いものも含めて漏らすことなく全て想定することができるよう、臨床診断における医師の確定診断用の医療情報となる症候情報や疾患情報や検査項目情報を、理解容易な態様で効率的かつ体系的に提供することができる。
【００２３】
ここで、本発明の中心的特徴の一つである随伴固有変動の活用に関する理解を補充するため、発症条件について追加的に説明する。
【００２４】
まず、発症条件について、同じ一つの疾患でありながら、障害を受ける主臓器が患者ごとに異なり、病気の時期によって検査結果が変化し、患者の年齢によって発病してくる主症状自体も変動する、等々、発症条件によって必要な検査項目が大きく異なると共に、検査結果も異なった動向となる。一疾患の一検査項目だけでも複数の発症条件が存在することが多い。結果的に、極めて多数の発症条件が存在することになってこのままではシステムが複雑化し、疾患名と検査名とをＩＤとして使用しただけでは、必要な情報を取得するシステムを構築することが困難である。しかし、疾患ごとの最小単位の発症条件と疾患名とを結合した結合疾患名を基本単位（最大限細分化した表現単位）として各検査変動を作成・表現して固有変動表に格納したため、随伴固有変動を含めると膨大な数となる疾患ごとの検査変動を、容易に固有変動表から抽出して加工・表示等の電算操作を行うことができる。
【００２５】
また、発症条件について、疾患の発症条件としては、その疾患が併発しやすい臓器を表す発症臓器名（固有併発症）が過半を占める。発症臓器名については、疾患ごとに併発しやすい臓器名が医学書に明記されており、これに基づき、疾患と発症臓器名との関係を調査して漏らすことなく網羅することができる。また、臓器ごとに必要な検査項目も臨床で既定されている。したがって、これら疾患ごとの発症臓器名（固有併発症）とその発症臓器名が発症したことを検査するための検査項目（随伴固有変動型検査）との関係も、医学書や専門書等を調査して漏らすことなく網羅することができる。同様に、他の発症条件についても、当該発症条件自体を医学書や専門書等で調査して漏らすことなく網羅することができる。ただし、それらの検査項目が当該疾患の検査項目として使用可能である点は従来の知見ではなく、発明者独自の知見であり、当該発症条件と疾患名から結合疾患名を作成し、当該結合疾患名により当該発症条件が発症したときの当該疾患の検査結果の変動内容である随伴固有変動を当該疾患に関連付けて、当該疾患の発症条件の特定に使用することも、従来の知見ではなく、発明者独自の知見である。即ち、従来の医療界には、結合疾患名ごとに検査変動（随伴固有変動）を関連付けるという発想乃至知見は全くなく、よって、固有変動表に格納されて検査配列表に表示可能な固有変動の数は、そのうちの主要割合を占めることになる随伴固有変動の追加により、従来の医学書及び専門書等の従来の医学情報源には見られない桁違いの数となっている。
【００２６】
また、発症条件について、例えば、関節リウマチの場合、関節（関節痛）、筋（こわばり）、肺（呼吸困難）、心（胸部苦悶）、腎（慢性腎炎）、頚椎（項部痛）、皮膚（潰瘍）、皮下（腫瘤）、脊椎（直腸膀胱麻痺）、その他種々の臓器で発病する。また、それぞれが全て出現するのではなく、単独でも発症するため、同一疾患でも症例によって検査動向が多様な結果となる。更に、特に併発しやすい固有併発症でも検査動向が容易に変化するなど、種々の発症条件で疾患ごとの検査動向は容易に変動する。このように、同一疾患でも、症例によって種々の病状として発症するのが臨床医療の一般的な病像であるため、従来のように、疾患名を単位として（疾患名のみに基づき）必要な検査項目を選定し、その検査結果を確認しただけでは、診断名の特定はできるものの、その疾患の発症条件についてはまったく特定することができず、治療に必要となる発症条件ごとの治療方針の決定を行うことができない。従来は、固有併発症等の発症条件が発症したとき、例えば、固有の臓器に固有併発症が発症したときに、初めて、その固有併発症（その病名）にもとづいてその発症条件を確認するための検査項目を選定している。これに対し、本発明は、各疾患についてそれ自体の発病を確認する（診断名を特定する）ための固定固有変動が関連付けられることに加え、その疾患の発症条件を確認する（固有併発症等も特定できる）ための随伴固有変動が関連付けられて、同一の検査配列中に表示されるため、その検査配列表から診断名及び発症条件を一度に確認できる検査を組み立てることが可能となり、一度の検査で、診断名と発症条件とを特定して有効な治療方針の決定を行うことができる。
【００２７】
また、発症条件について、同じ一疾患でも、病期で変動（例：検査値が初期で上昇、進行期で下降等）、特異的な固有併発症の発病で変動（例：心炎・肝炎・腎炎・溶血等）、多臓器に発症し、臓器ごとに変動（例：肺結核・結核性胸膜炎・腎結核・腸結核等）、病因によって変動（例：菌の種類により種々の肺炎等）、病型（亜型）によって変動（例：欠損酵素の種類によって種々の先天性酵素欠損症）、経由してきた原疾患の種類で変動（例：過粘稠度症候群等、２段、３段の疾患を発病することで発症する疾患）等、一つの疾患でも、発症条件によって固有変動が容易に変動する。しかも、単なる臓器等の特定だけでは不十分で、多くの場合、更なる細分化が必要となる。例えば、同じ心臓の炎症でも、心臓外面の膜、内面の膜、筋肉、それらの複数等、炎症部位の差だけで検査法も治療法も全く異なるため、心外膜炎・心内膜炎・心筋炎・心炎等、一の疾患を発症条件ごとに作成した結合疾患名で最小単位まで細分化して特定し、固有変動表に格納している。
【００２８】
また、発症条件を疾患名と結合してなる結合疾患名について、本発明では、発症条件・疾患名・検査項目の３種類のデータ項目を常に関連付けながら検査動向を表現するため、発症条件と疾患名とを結合した前記結合疾患名を使用して全体のシステム構成を簡略化している。そして、固有変動表に格納し、また、検査配列表に表示する「検査動向」の表現としては、「"結合疾患名"が"＊＊の固有変動"」といった表現を使用している。即ち、「"結合疾患名"が"＊＊の固有変動"」といった文章表現を１つのデータ（１つのフィールド）として、固有変動表の「検査動向」の欄（データ項目）に対応する疾患名及び検査項目とそれぞれ関連付けて格納している。この場合、疾患名＋検査項目名＋検査動向が１レコードとなる。そして、検査動向を、そのままの形で、検査配列表の検査動向欄に表示するようにしている。しかし、検査動向の"結合疾患名"と"＊＊の固有変動"とを分割したデータとしてもよい。即ち、"結合疾患名"部分を１つのデータ（１つのフィールド）とすると共に、"＊＊の固有変動"（検査変動乃至固有変動）部分を1つのデータ（1つのフィールド）とし、それぞれに一意の識別子（結合疾患名ＩＤ及び固有変動ＩＤ）を付与して、対応する疾患名及び検査項目にそれぞれ関連付けて格納することもできる。
【００２９】
また、結合疾患名について、結合疾患名の表現は、例えば、疾患名を「＊＊」とすると、発症条件がない（無条件の）場合は単なる「＊＊」とし、固有併発症を介する（発症条件のある）疾患の場合は、＊＊心炎、＊＊腎不全、＊＊胆道炎等、病名「＊＊」の後に固有併発症を併記し、多臓器に発症する結核等の疾患の場合は、「肺結核」、「結核性胸膜炎」、「腎結核」等、病名「＊＊」の前後に臓器名を付記し、病因によって検査変動が異なる肺炎等の疾患の場合は、「肺炎球菌性肺炎」、「黄色ブドウ球菌性肺炎」等のように起炎菌名と病名「＊＊」とを「性」という語で連結して表現し、病型によって検査変動が異なる先天性酵素欠損症等の疾患の場合は、「糖原病（全型）」、「糖原病（筋型）」、「糖原病（肝、全身型）」等、病名「＊＊」の後に病型を連結して型別に分けて表現し、経由原疾患が複数段にわたる過粘稠度症候群等の疾患の場合は、「クリオグロブリン血症（肝炎ウイルス・伝染性単核球症肝炎・肝炎ウイルス性急速進行性腎炎・肺腎梗塞併発感染性心内膜炎性）」等、病名「＊＊」の後に括弧書き「（・・・性）」を介して経由疾患の病名を連結して表現する。この経由原疾患が複数段にわたる疾患の場合、「（・・・性）」の後の病名が２段となる場合もあり、この場合は３段の疾患を介して発症していることを表す。
【００３０】
請求項２に係る臨床診断支援システムは、請求項１の効果に加え、各疾患が２以上の検査項目に関連付けて表示されるため、各疾患に関連付けた固有変動も対応する２以上の検査項目に関連付けて表示されることになり、結果として、各疾患とその固有変動とが、２以上の検査項目に関連付けて表示されることになる。したがって、表示された２以上の検査項目について各疾患の固有変動を確認することができ、各疾患について複数項目比較検討を容易に行うことができる。詳細には、請求項２の構成により、候補疾患の各々について、その疾患に関連付けた固定変動型検査項目の検査項目名及びその固定固有変動が少なくとも２以上抽出されて、当該２以上の固定変動型検査項目の検査項目名及びその固定固有変動が検査配列表に表示されることになる。また、このとき、各固定固有変動に対して当該候補疾患の疾患名が対応付けて表示される。したがって、同一の候補疾患の疾患名が、検査配列表の固定固有変動の表示部分において、少なくとも２箇所以上で当該固定固有変動に対応付けて表示されることになる。加えて、候補疾患の各々について、その疾患に関連付けた随伴変動型検査項目の検査項目名及びその固定固有変動も抽出されて、当該随伴固有変動型検査項目の検査項目名及びその随伴固有変動も検査配列表に表示されることになる。また、このとき、当該候補疾患の疾患名と当該随伴固有変動の発症条件とを結合した結合疾患名が各随伴固有変動に対応付けて表示される。したがって、同一の候補疾患の疾患名が、検査配列表の随伴固有変動の表示部分においても当該随伴固有変動に対応付けて表示されることになる。したがって、検査配列表の２箇所以上で、同一の疾患について、当該疾患の固定固有変動に対応付けて表示した疾患名を確認することができ、複数項目比較検討を確実に行うことができること加え、同一の疾患について、一般に固定固有変動より多数となる随伴固有変動に対応付けて表示した結合疾患名中の疾患名部分を確認することができ、当該疾患の見逃しを確実に防止することができる。
【００３１】
請求項３に係る臨床診断支援システムは、請求項１または２の効果に加え、上記検査配列表表示手段により表示された固有変動を参照して指定症候についての候補疾患を絞り込んだ後に、更に、発病の可能性が高いと判断した特定の疾患を指定することにより、その間別疾患が抽出して表示されると共に、指定疾患及びその鑑別疾患の各々についても、検査項目ごとに、固定固有変動及び随伴固有変動が、前記指定疾患と鑑別疾患とを対比する表示態様で表示される。したがって、指定疾患の固有変動と鑑別疾患の固有変動との対比が容易となり、症候から絞り込んだ複数の疾患から最終的に原疾患を確定診断することが容易となる。詳細には、請求項３の構成により、指定疾患について、その疾患に関連付けた固定変動型検査項目の検査項目名及びその固定固有変動が少なくとも２以上抽出されて、当該２以上の固定変動型検査項目の検査項目名及びその固定固有変動が検査配列表に表示されることになる。また、このとき、各固定固有変動に対して当該疾患の疾患名が対応付けて表示される。したがって、指定疾患の疾患名が、検査配列表の固定固有変動の表示部分において、少なくとも２箇所以上で当該固定固有変動に対応付けて表示されることになる。加えて、指定疾患について、その疾患に関連付けた随伴変動型検査項目の検査項目名及びその固定固有変動も抽出されて、当該随伴固有変動型検査項目の検査項目名及びその随伴固有変動も検査配列表に表示されることになる。また、このとき、当該疾患の疾患名と当該随伴固有変動の発症条件とを結合した結合疾患名が各随伴固有変動に対応付けて表示される。したがって、同一の指定疾患の疾患名が、検査配列表の随伴固有変動の表示部分においても当該随伴固有変動に対応付けて表示されることになる。したがって、検査配列表の２箇所以上で、同一の疾患について、当該疾患の固定固有変動に対応付けて表示した疾患名を確認することができ、複数項目比較検討を確実に行うことができること加え、同一の疾患について、一般に固定固有変動より多数となる随伴固有変動に対応付けて表示した結合疾患名中の疾患名部分を確認することができ、当該疾患の見逃しを確実に防止することができる。更に、検査配列表には、指定疾患の鑑別疾患についての固定固有変動が表示されるため、指定疾患の固定固有変動についての検査結果が陰性となった場合に当該指定疾患を診断名とすることができない場合でも、各鑑別疾患の固定固有変動についての検査結果を確認することで、検査結果が陽性となった鑑別疾患を診断名として即座に診断を是正することができる。
【００３２】
なお、前記指定された疾患について抽出した前記固定固有変動（通常は、そのうちの代表的なもの、即ち、定型検査乃至初動検査に関する固定固有変動のうちの特に肯定用検査）を最上段に表示し、かつ、前記指定された疾患について抽出した前記随伴固有変動（上記同様、代表的なもの）を前記最上段の固定固有変動の次段に表示すると共に、前記鑑別疾患について抽出した前記固定固有変動（否定用検査）を前記指定された疾患について表示した随伴固有変動の次段に表示することが視覚的・体系的な把握を容易にする等の観点から好ましい。
【００３３】
請求項４に係る臨床診断支援システムは、請求項３の効果に加え、確認したい疾患について肯定用検査項目がある場合は、その肯定用検査項目の固有変動を確認することで、当該疾患の存在を容易に確認することができる。また、確認したい疾患について、否定用検査項目がある場合は、否定用検査項目の固有変動により他の疾患の存在を肯定することで、当該疾患の存在を否定することができる。更に、これらの確認に加え、性作用検査項目の固有変動をも確認することで、更に確度の高い診断を行うことができる。
【００３４】
請求項５に係る臨床診断支援システムは、請求項４の効果に加え、表示する検査項目ごとの固有変動情報を、除外診断法による診断に適した臨床診断情報として体系的に列挙表示することができる。
【００３５】
請求項６に係る臨床診断支援システムは、請求項４または５の効果に加え、安価な汎用検査では見逃す可能性のある疾患を列挙表示して、確度の高い診断を行うことができる。
【発明を実施するための最良の形態】
【００３６】
以下、本発明を実施するための最良の形態（以下、実施の形態という）を説明する。なお、各実施の形態を通じ、同一の部材、要素または部分には同一の符号を付して、その説明を省略する。
【００３７】
１．臨床診断に関する発明者の独自の知見
本発明者は、臨床診断について鋭意研究を重ねた結果、以下の知見を獲得し、この知見に基づいて本発明の臨床診断支援システムを完成した。
１）検査変動の把握・細分化・活用
本発明者は、上記診断業務における３つの手順（病名列挙、検査組立、検査結果解読）を臨床診断における短時間で医師が円滑かつ的確に進めることができるよう、医学書に記載の医学情報を網羅的かつ体系的に臨床現場の医師に提供できる電算システム（即ち、臨床診断支援システム）を開発すべく、疾患と症候との関係や疾患と検査項目との関係等について鋭意調査研究した。特に、上記のとおり、臨床診断において各検査の検査変動を各候補疾患の固有の検査変動と照合することが的確な診断につながることから、本発明者は、かかる検査変動の重要性に着目し、現在の臨床医学で知られている疾患ごとの全検査項目について、それぞれ、疾患ごとに検査項目の検査結果がどのように変動するか（どのような検査変動を呈するか）を網羅的かつ個別的に調査・検証し、疾患ごと及び検査項目ごとに検査変動がどのような動向を有するか（以下、この検査変動の動向を単に「検査動向」ということがある。）を特定することにより、診断・疾患の特定を向上させることを可能にした。
【００３８】
この検証過程で、本発明者は、医学書に記載の臨床検査の内容を電算処理できるようにするためには、分担執筆のために大半で抽象的表現からなっている現在の医学書の記載表現（例えば、腎障害・心不全・肝機能異常等の用語）を、重複なくかつ漏れもない最小単位の検査項目ごとに検査変動を特定し、疾患ごとの検査動向として表現しなおす必要があることに想到した。また、この検証過程で、本発明者は、検査変動として２種類の検査変動が存在することを発見した。即ち、検査変動には、ある疾患に対して使用可能な検査項目について、当該疾患が発病した場合は必ず同一かつ固有の変動内容となる検査変動（以下、単に「固定固有変動」ということがある。）が存在する一方、当該疾患が発病した場合に常には同一かつ固有の変動内容とはならず、当該疾患の固有併発症の発症や病期等の当該疾患の発病に付随する条件（以下、単に「発症条件」ということがある。）に応じて同一かつ固有の変動内容となる検査変動（以下、単に「随伴固有変動」ということがある。）が存在する点に着目した。そして、本発明者は、これらの知見に基づき、既存の全ての疾患（病名）の検査変動を固定固有変動と随伴固有変動とに区分し、更に、随伴固有変動を疾患の発症条件ごとに最小単位となるよう細分化して特定した。その結果、本発明者は、発病時の検査変動は、約１７０００種類以上も存在することが判明した。これら最小単位の検査変動を格納したものが後述する固有変動表である。
【００３９】
したがって、検査変動を実際の臨床診断の現場で活用することが重要であるが、本発明者の知見によれば、これら膨大な数の検査変動を全て利用したとしても、全く確定診断のできない疾患が全体の疾患数の約１割前後もあるため、かかる現状に鑑みれば、従来の自動診断システムのように自動診断で確定診断を行うことは実際上不可能である。
【００４０】
そこで、本発明者は、最初から自動診断を図るのではなく、上記膨大な数の検査変動を電算処理により有効に活用し、臨床現場の医師が列挙した候補疾患の各々についての検査変動に関する情報を、漏れがなくかつ重複がないよう、体系的かつ視覚的に医師に提示することができる臨床診断支援システムを開発した。こうして、最終判断は体系的かつ視覚的に提示した各種検査変動に基づいて医師が判断できるようにすることで、本件臨床診断支援システムによる診断率の格段の向上が期待でき、また、本件臨床診断支援システムを臨床診断業務の簡略化にも応用できる可能性がある。
【００４１】
２）固有変動の数及び種類
２−１）固有変動の数（最小単位の検査変動）
現在、全疾患について使用可能な臨床検査の検査項目数は約１０００項目あることが確認されている。また、各検査項目の検査結果の変動内容（検査変動）は、疾患ごとに固有の変動を呈する固有変動となるが、１個の検査項目の検査結果が複数の疾患で種々の変動を呈する（同様の変動内容を呈したり異なる変動内容を呈したりする）ため、全疾患に対する全検査項目の全固有変動数は、上記のとおり、合計で約１７０００個あることを本発明者は確認している。即ち、臨床診断で使用する検査項目の検査変動は、全体で約１７０００個の最小単位に区分することができる点を本発明者は想到した。
【００４２】
２−２）固有変動の種類
更に、検査項目の固有変動は、上記のとおり、「固定固有変動」と「随伴固有変動」とに二分することができることに本発明者は想到した。このうち、固定固有変動は、ある検査項目について、特定の疾患が発病したときにはその疾患の発症条件とは無関係に常に固有の（同一の）変動内容となる固有変動であり、その疾患自体によってその変動内容を解釈することができるものである。一方、随伴固有変動は、ある検査項目について、特定の疾患が発病しても固有の（同一の）変動内容となることなく、その疾患について固有のある発症条件が発生したときにはじめて（その発症条件に随伴して）固有の（同一の）変動内容となる固有変動である。したがって、固定固有変動は、対応する疾患が発病したときは常に同一の変動内容となることから、検査結果が変動したことを確認することで直ちに当該疾患の同定に使用することができる。一方、随伴固有変動は、対応する疾患が発病したときに常に同一の変動内容となることがない（発症条件が発現して初めて同一の変動内容となる）ものの、変動することに変わりはことから、やはり、検査結果の変動したことを確認することで対応する疾患の同定に使用することができる。
【００４３】
なお、疾患の発症条件は、ある疾患についての病期、固有併発症、発症臓器、発症部位、病因、病型、経由原疾患、絶食、医薬の内服中断、低免疫能等からなる。例えば、ある疾患について、病期が初期又は進行期の場合にのみある検査項目について随伴固有変動が発現したり、固有併発症が発生した場合にのみある検査項目について随伴固有変動が発現したり、発症臓器が特定の臓器である場合にのみある検査項目について随伴固有変動が発現したり、発症部位が特定の部位である場合にのみある検査項目について随伴固有変動が発現したり、疾患の原因菌（病因）ごとに異なる変動内容の随伴固有変動が発現したり、病型がある亜型の場合にのみある検査項目について随伴固有変動が発現したり、特定の原疾患を経由してきた場合にのみある検査項目について随伴固有変動が発現したり、患者が絶食している場合にのみある検査項目について随伴固有変動が発現したり、患者が医薬を内服中断している場合にのみある検査項目について随伴固有変動が発現したり、患者が低免疫能の場合にのみある検査項目について随伴固有変動が発現したりすることが確認されている。
【００４４】
２−３）固定固有変動と随伴固有変動の割合
また、本発明者が全検査項目の全固有変動について上記固定固有変動と随伴固有変動のいずれに該当するかを確認したところ、全検査項目の全固有変動中、随伴固有変動が約３／４〜４／５（全固有変動数の約７７％）を占めることを確認している。
【００４５】
３）臨床診断における全ての固有変動の活用
３−１）発症条件の考察
臨床診断の特徴として、確定診断で診断名を１疾患名（正式病名）に絞るだけでは有効な治療法を選択することができないことが多い。即ち、同じ１疾患でも、発症条件により治療法が異なる。例えば、ある原因疾患について、症例により腎炎・肝炎・心不全・肺炎・髄膜炎・貧血等、その原因疾患に特有で異なった種々の臓器障害のいずれかを主症状として発症してくるのが一般的な発病経過となる。また、そのうち、どの臓器疾患を主症状として発症するかは症例ごとの発症条件によって異なる。しかも、複数の障害臓器が合併して発症する例が多いのみならず、１臓器といっても、例えば血液では赤血球・白血球・血小板・蛋白成分等、障害臓器が更に部位ごとに細分化される。このように、これら疾患に固有の臓器障害や固有併発症等、上記した発症条件は、疾患ごとに異なるが、障害を受ける臓器や部位等によって治療法が大きく異なるため、疾患名よりも臓器障害名や固有併発症等の発症条件の方が治療法選択のためには重要な場合が多い。したがって、実際は、診断名と各種発症条件の双方を同時に確定しない限り十分な臨床診断になりえない。加えて、通常は、１つの原因疾患に対して複数の鑑別疾患が存在し、これら鑑別疾患群の中から原因疾患以外の疾患を除外し、最終的に１つの原因疾患に絞り込むのが確定診断であるが、これら鑑別疾患も、疾患ごとに原因疾患と似た複数の臓器障害や固有併発症等の発症条件を呈してくるのが一般的である。したがって、臨床診断では、鑑別疾患自体の考察も不可避であるのに加え、鑑別疾患の発症条件についての考察も不可避となる。
【００４６】
３−２）随伴固有変動の活用
このように、臨床診断では疾患ごとに各種発症条件を考慮した考察が必須となるため、検査組立においても、固定固有変動のみならず随伴固有変動も含めた検査組立を行うことが必須となる。即ち、検査組立において、病名列挙した候補疾患の各々について、その固定固有変動のみならず随伴固有変動も確認できる検査項目を選定する必要がある。また、検査結果解読においても、選定した検査項目の固定固有変動と随伴固有変動とを、明確に区別した形で体系的・視覚的に情報提供する必要がある。前記固有変動表に格納した固定固有変動及び随伴固有変動に基づき、かかる体系的・視覚的な情報提供を行うのが後述する検査配列表である。
【００４７】
４）複数項目比較検討
臨床診断においては、単一の検査結果の変動内容を確認するだけで目的の疾患を確定診断できることは少なく、一つの疾患の発病を確認するためには複数の検査項目についての検査変動を比較検討すること（以下、この複数の検査変動の比較検討を単に「複数項目比較検討」ということがある。）が有用であり、それら複数の検査結果がそれぞれ特有の変動内容となったときにその疾患が発病したと判断することができる。現在の医療現場でも、かかる複数項目比較検討が漠然と使用されてはいるが、意図して使用されることはなく、また、「複数項目比較検討」という用語すらない。即ち、現在の医療現場では、複数項目比較検討について体系的に複数項目比較検討できる体制は整っておらず、確実性の点で満足できる仕組みが提供されていない。そこで、本発明者は、本件臨床診断支援システムに複数項目比較検討を意図的に導入し、固有変動表の固定固有変動を電算処理して前記検査配列表に複数項目比較検討可能な態様で表示できるような構成としている（詳細は後述）。
【００４８】
５）臨床検査の種類
後に詳述するように、前記固有変動表には正式病名（疾患名）、検査項目及び検査動向を互いに関連付けて格納するが、このうち、検査項目（臨床検査）は、一定数の検査で陽性化する高価な特異的検査と、多数の検査で陽性化する安価な非特異的検査（生化学検査が大半）と、それら特異的検査及び非特異的検査のどちらとも決めがたい中間型検査の３種類に三大分類することができる。
【００４９】
５−１）特異的検査
特異的検査は、一定数の検査変動が臨床所見と合致すれば確定診断することができる有用な検査である。即ち、特異的検査は、一定数の検査項目で診断名の特定（確定診断）が可能となる有用な検査である。一方、特異的検査は、高価なため、予想した疾患が間違っていた場合に高額な費用が無駄になることが多いため、検査組立の際には厳選して使用する必要がある。また、本発明者の知見によれば、特異的検査のある疾患の割合は全体の約２０％程度であり、特に、成人では有用性のある検査項目が半減する（疾患全体の約１０％程度となる）ため、殆どの場合、特異的検査だけを使用した検査組立は困難である。なお、特異的検査は、対応する疾患について常に固有の（同一の）検査変動（即ち、固定固有変動）を呈する固定固有変動型の特異的検査と、対応する疾患について特定の発症条件が発現したときにのみ固有の（同一の）検査変動を呈する随伴固有変動型の特異的検査とに二分することができる。
【００５０】
５−２）非特異的検査
非特異的検査は、短時間で結果が判明する安価な生化学検査が大半を占めることから、初回の検査組立で多くの数を使用することができる。一方、非特異的検査（特に生化学検査）は、多数の疾患で陽性化する検査が多いことから、非特異的検査は、該当疾患を漏らすことなく拾い上げるのには有用である。また、非特異的検査の場合、多数の疾患で陽性化する検査が多いため、複数の検査項目の検査変動を比較検討すること（固定固有変動の複数項目比較検討）により、拾い上げた多数の疾患数から少数の候補疾患へと絞り込むことが必須となる。即ち、非特異的検査は、特定の疾患について特異的な検査変動を呈するものではないため、複数項目比較検討を使用しない限り、疾患の特定には限界がある。更に、非特異的検査が呈する検査変動は、特異的検査と同様、対応する疾患について常に固有の（同一の）検査変動（即ち、固定固有変動）を呈する固定固有変動型の特異的検査と、対応する疾患について特定の発症条件が発現したときにのみ固有の（同一の）検査変動を呈する随伴固有変動型の特異的検査とに二分することができるが、前記固定固有変動型の非特異的検査よりも、前記随伴固有変動型の非特異的検査の方が遥かに数が多い。このうち、随伴固有変動型の非特異的検査は、対応する疾患の発症条件が多種多様となるため、複数項目比較検討には適さない。したがって、特異的検査を併用せずに非特異的検査だけで実用性のある検査組立を行うことは不可能に近い。
【００５１】
ここで、特異的検査及び非特異的検査のいずれも、随伴固有変動型の非特異的検査は、固有併発症や罹患臓器等の発症条件の同定に使用されるが、更に、固定固有変動の非特異的検査と同様、対応する疾患名の同定や選出にも使用される。特に、患者は、固定固有変動が変化する比較的早期では受診せず、随伴固有変動が変化する進行期で初めて受診する例が多いため、実際に随伴固有変動型の検査が変化して初めて疾患名が同定されることが少なくない。なお、随伴固有変動型の非特異的検査は、上記のとおり、対応する疾患の発症条件が多種多様となるため、複数項目比較検討による疾患名の同定には適さない。
【００５２】
５−３）中間的検査
中間的検査は、患者の全身状態や特定の臓器の状態について所見を得るのに有用な検査である。肺炎、尿路感染症、糖尿病、腎炎等、中間的検査だけで確定診断できる疾患もある。これらの中間的検査は、対応する疾患についての特異的検査ということができる。また、中間的検査は、特異的検査や非特異的検査と同様、対応する疾患について常に固有の（同一の）検査変動（即ち、固定固有変動）を呈する固定固有変動型の中間的検査と、対応する疾患について特定の発症条件が発現したときにのみ固有の（同一の）検査変動を呈する随伴固有変動型の中間的検査とに二分することができる。中間的検査の例としては、画像診断（レントゲン、ＣＴ等）、赤沈（血沈とも呼び、単に赤血球が沈みこむ速度のことをいう。慢性の重症炎症性疾患で亢進するが、疾患特異性は皆無に近い）、検尿（尿のテープ検査や顕微鏡検査）、心電図等が代表的なものである。
特異的検査のない疾患の同定については、固定固有変動型の非特異的検査の複数項目比較検討や中間的検査の複数項目比較検討による診断が必要となる。
【００５３】
５−４）随伴固有変動の割合
前記特異的検査の固有変動、中間的検査のいずれも固定固有変動型の検査と随伴固有変動型の検査とに二分することができるが、随伴固有変動型の検査が大半を占めている。
【００５４】
５−５）随伴固有変動の割合
現状では、前記特異的検査により検査可能な疾患の数は全疾患中の約２０％程度であり、多くの疾患では単一の特異的検査による確定診断をすることができない。
【００５５】
６）臨床検査の検査組立
上記のとおり、特異的検査は、一定数の疾患でのみ陽性化するため、少数の特異的検査を使用するだけで特定の疾患の確定診断が可能となる。したがって、全ての疾患について特異的検査が存在すれば、少数の特異的検査の各検査変動から検査結果を解読することにより診断名の特定が可能となる。しかし、現状では、特異的検査が網羅する疾患は、全疾患中の約２０％程度であり、全疾患について特異的検査のみで検査組立を行うことはできない。即ち、現状では、非特異的検査を活用しない限り臨床診断を行うことができない。一方、非特異的検査の多くは、多数の疾患で陽性化するため、疾患の特定のためには、ある程度の数の固定固有変動型の非特異的検査の検査変動を相互に比較して検討すること（複数項目比較検討）が必要となる。例えば、検査項目をＡ，Ｂ，Ｃとし、診断名を甲、乙、丙とすると、「Ａ低下・Ｂ正常・Ｃ増加なら甲」、「Ａ陽性・Ｂ増加・Ｃ低下なら乙」、「Ａ低下・Ｂ増加・Ｃ正常なら丙」というように複数の検査項目の検査変動を相互に比較して検討し、検査結果を解読して疾患を特定する必要がある。この場合、有用な検査結果を得るためには、疾患に応じた十分な数（通常、２０個以上）の非特異的検査を使用する必要がある。同時に、有用な検査結果を得るためには、疾患に応じて必要な数の中間的検査も使用する必要がある。即ち、特異的検査の数が十分でない現状の臨床診断では、有用な検査結果を得るためには、できる限り少数の特異的検査、十分な数の非特異的検査及び中間的検査を使用して検査を組み立てる必要がある。
【００５６】
７）臨床診断法
臨床診断法としては、臨床所見から診断名の見当をつけた上で、当該疾患と当該疾患の類似疾患（鑑別疾患）について確認する検査を行い、その検査結果から鑑別疾患を除外していく「鑑別検査」による診断法と、一定の症候（症状・徴候）を呈する疾患群を網羅する検査を一括して行い、その検査結果から該当疾患を探し出す「症候検査」による診断法とがある。鑑別検査は、心筋梗塞や肺炎等の急速発症する疾患で頻用されることが多く、症候検査は、緩徐発症する一般疾患で頻用されることが多いが、双方を併用することも少なくない。即ち、鑑別検査による診断法及び症候検査による診断法の双方とも、臨床診断の正確性を高め、疾患の見逃しを予防するために不可欠の臨床診断法である。
【００５７】
８）臨床診断法における検査組立
８−１）生化学検査
上記のように、前記特異的検査は、１個または数個の検査項目のみで診断名の特定が可能な有用な検査であるが、前記非特異的検査としての生化学検査は、非常に多くの疾患で陽性化することもあって、鑑別診断の一部を除き、特異的検査と同様にして少数の検査項目で疾患を特定することは困難である。しかしながら、生化学検査は、多数の検査項目の固有変動を複数項目比較検討することにより、疾患の鑑別や絞込みが可能となる有用な検査である（固定固有変動型の場合）。また、生化学検査は、安価で患者への侵襲度（患者に苦痛を与える程度）が低いため、鑑別検査及び症候検査のいずれの検査組立でも、安価な生化学検査が日常検査の７０％以上を占めるほど頻用される。よって、生化学検査は、非特異的検査として、考えうる疾患名の選出（同定）に有用であると共に、複数項目比較検討による疾患の絞込みにも好適な検査となる。
【００５８】
８−２）生化学検査による疾患の絞り込み・鑑別
一方、生化学検査による複数項目比較検討により検査結果を解読する場合、生化学検査の検査結果の固定固有変動を複数項目比較検討して疾患の鑑別や絞込みをすることになる。即ち、この場合、複数の生化学検査の検査結果がある疾患に特有の固定固有変動を呈する場合（例えば、上記説明の検査変動「Ａ低下・Ｂ正常・Ｃ増加」の場合）、その固定固有変動を呈する疾患（上記説明の疾患「甲」）の存在を推定できる。このように、固定固有変動確認用の生化学検査の検査結果を複数項目比較検討することにより疾患の鑑別・絞込みを行うことができる。そして、絞り込んだ各疾患の発症条件の発現を確認するために随伴固有変動確認用の検査項目（主に生化学検査）の検査結果を解読することにより各疾患についての固有併発症や臓器障害等を確認することができる。ここで、上記のように、生化学検査の固有変動は、前記随伴固有変動が約７０％を占め、やはり、固定固有変動の割合が少ないことが確認されている。しかし、生化学検査自体の数が非常に多く、また、生化学検査は各々が数十個以上の疾患で陽性化する検査であるため、その固定固有変動数も相当なものとなり、複数項目比較検討による疾患の鑑別・絞込みに十分な数の固定固有変動が存在する。その一方、生化学検査を含む非特異的検査の随伴固有変動を使用して複数項目比較検討して疾患を絞り込んだり鑑別したりすることは、一部の非特異的検査の場合は可能であるが、上記のとおり、大部分の非特異的検査の場合は逆に煩雑な解読作業となる。したがって、非特異的検査の複数項目比較検討は、主に、その固定固有変動によって（即ち、非特異的検査のうちの固定固有変動型検査によって）疾患自体の発病を確認するため（疾患名を選出または同定するため）に使用し、疾患の発症条件の確認は、特異的検査や非特異的検査や中間的検査のそれぞれの随伴固有変動を個別に確認して（即ち、随伴固有変動型の特異的検査、非特異的検査及び必要な中間的検査によって）行うことが必要となる。
【００５９】
８−３）検査組立
このことから、鑑別検査及び症候検査のいずれの検査組立においても、数個の特異的検査と一定数の非特異的検査と必要な中間的検査とを組み合わせて、できる限り目的疾患の全体を選出した上で、それらのうちの固定固有変動型検査の固定固有変動を複数項目比較検討することにより、それぞれの疾患を鑑別することが有用である。
【００６０】
具体的には、症候検査（症候に基づく臨床診断）の場合、特異的検査及び非特異的検査を使用して、病名列挙では、１つの症侯に対し一般的に１０〜３０前後の疾患を候補疾患として列挙する。次に、検査組立では、列挙した全ての候補疾患の各々について、その存在の有無を判断できる検査項目を選択する。次に、検査結果の解読では、各検査項目の検査結果の変動（検査変動）を複数項目比較検討によって解読し、候補疾患を数疾患に絞り込む。通常は、この初回の検査組立及び検査結果解読により、候補疾患を数疾患まで絞り込むことができ、臨書所見の差だけで診断確定できることが多い。
【００６１】
一方、鑑別検査（鑑別に基づく臨床診断）の場合、病名列挙では５個前後の疾患を候補疾患として列挙する（予想した疾患の病名（診断名）及びその鑑別疾患の病名（鑑別病名）を列挙）。次に、検査組立では、列挙した全ての候補疾患の各々について、その存在の有無を判断できる検査項目を選択する。次に、検査結果の解読では、各検査項目の検査変動を複数項目比較検討によって解読し、予想した診断名が正しい場合はその診断名で診断確定し、予想した診断名が間違っている場合（予想した疾患の検査変動が陰性となった場合）でも、いずれかの鑑別疾患についての検査変動が必ず陽性となることから当該疾患が目的疾患であるとしてその場で是正することができる。即ち、鑑別検査では、１回の検査組立及び検査結果解読で確定診断または診断名の是正が可能となる。
【００６２】
本発明のシステムにおいて、症候検査では、症候ごとの疾患数によっても異なるが、多くの場合、５個以上の特異的検査を含むよう検査が組み立てられる。これにより、一回の症候検査で少なくとも数個の疾患数まで疾患を絞り込むことができる。一方、鑑別検査では、やはり疾患ごとの疾患数によって異なるが、多くの場合、数個の特異的検査を含むよう検査が組み立てられる。これにより、上記のとおり、一回の鑑別検査で予想した疾患名（診断名）の確定診断または診断名の是正が可能となる。
【００６３】
２．発明の特徴
上記の知見に基づき、本発明者は以下の構成Ａ〜Ｄを備える臨床診断支援システムを発明した。
Ａ：固有変動格納手段（固有変動表）
Ａａ：固定固有変動・随伴固有変動・結合疾患名
Ａａ−１）固有変動の区分格納
固有変動格納手段（固有変動表）は、正式病名からなる疾患名と、臨床検査の検査項目と、検査項目の検査結果の変動内容を示す検査変動とを、それぞれ、互いに関連付けて格納する。また、固有変動格納手段は、全検査項目の各々について、対応する１以上の疾患が発病した場合にその検査項目が呈する１以上の検査変動を、固定固有変動と随伴固有変動とに区分してその検査項目に関連付けて格納する。
【００６４】
Ａａ−２）固定固有変動
検査項目の固定固有変動は、当該検査項目について、特定の疾患が発病したときにはその疾患の発症条件とは無関係に常に同一の変動内容となる固有変動である。
したがって、当該検査項目は、対応する疾患自体の発病を確認するための検査、即ち、固定固有変動を呈する検査（固定固有変動型検査）として使用される。
【００６５】
Ａａ−３）随伴固有変動
検査項目の随伴固有変動は、当該検査項目について、特定の疾患が発病しても固有の変動内容となることなく、当該疾患について特有の発症条件が１つまたは複数発生したときにはじめて固有の変動内容となる固有変動、即ち、当該疾患について特有の発症条件が１つまたは複数発生するまでは変動内容が一定とならない固有変動である。
検査項目が随伴固有変動を呈する疾患の発症条件としては、疾患の病期、疾患の合併症（固有併発症）、疾患の発症臓器（罹患臓器）、疾患の発症部位、疾患の病因、疾患の病型、疾患の経由原疾患、絶食、内服中断、低免疫能等がある。
したがって、当該検査項目は、対応する疾患の発症条件を確認するための検査、即ち、随伴固有変動を呈する検査（随伴固有変動型検査）として使用される。
【００６６】
Ａａ−４）随伴固有変動による発症条件を考慮した臨床診断の実現
前記随伴固有変動型検査は、その疾患自体の発病を確認する検査項目ではないため、従来、臨床診断において当該疾患用の検査として使用されるものではなく、本発明者の上記の知見に基づきその疾患に関連付けられた検査である。
【００６７】
したがって、本発明では、１疾患に対し、当該疾患用の検査項目である固定固有変動を呈する検査（固定固有変動型検査）に加えて、別個の疾患用の検査項目であるが当該疾患の発症条件に対応して使用すべき検査項目である随伴固有変動を呈する検査（随伴固有変動型検査）が関連付けられて固有変動表に格納され、必要時に後述する検査配列表に表示されることになる。
【００６８】
その結果、臨床診断時の短時間であっても、臨床医師は、固定固有変動型検査により該当疾患の発病を判断することができることに加え、随伴固有変動型検査により発病した疾患の発症条件までも判断することができ、その場で有効な治療法を選択することが可能となる。
【００６９】
Ａａ−５）結合疾患名による三次元データ構造の二次元化
固有変動表では、一つの疾患に対して、前記固定固有変動型検査の検査項目名とその固定固有変動とがそれぞれ関連付けて格納されることに加え、前記随伴固有変動型検査の検査項目名とその随伴固有変動とがそれぞれ関連付けて格納される。
【００７０】
この随伴固有変動は、対応する疾患名とその１以上の発症条件とを表す造語である結合疾患名を、その発症条件が発現したときにその検査項目が呈する固有の検査変動の内容に関連付けたものである（即ち、結合疾患名＋検査変動内容からなる説明文形式となっている）。また、結合疾患名は、疾患名及び発症条件の２つの要素（データ項目）を１つの要素（データ項目）として一体化したものである。
【００７１】
ここで、随伴固有変動型検査の随伴固有変動は、検査項目（検査項目名）、疾患名及び発症条件の３種類の要素（データ項目）からなる三次元構造のデータであるが、随伴固有変動に結合疾患名を使用することで、疾患名（病名）及び発症条件の２種類の要素（データ項目）からなる二次元構造のデータを一次元化することにより（即ち、病名と発症条件とを一体化・結合して結合疾患名とすることにより）、上記三次元データ構造の随伴固有変動を二次元構造（表形式）のデータとして固有変動表に格納し、かつ、検査配列表に表形式で表示することができる。
【００７２】
更に、発症条件を別の観点から考察すると、病期、食事の有無（食事歴）、誘発疾患、年齢、運動の有無（運動歴）、罹患臓器名、起炎菌名等、相互に関連性の低い諸条件から発症条件がなっている。しかも、複数の発症条件をａｎｄ表現またはｏｒ表現で結合して一つの発症条件として表現することが多く、疾患名や検査項目名と異なり、発症条件は系統的分類が困難であり、特定の識別子によりデータベース化して系統的に抽出する構成とすることは不可能に近い。即ち、発症条件は、経時的変動（病期等の時間軸での変動）やその他の諸条件でも変動するため、疾患名、検査項目名及び発症条件の３項目を単純な三次元構造として電算処理することはできず、電算処理のためには種々の条件式の追加・導入が必要となる。しかし、発症条件の多様性から、必要な全ての条件を事前に選択して条件式を事前に設定することは困難であり、条件式を設定したとしても、発症条件の抽出漏れを生じ易くなる。一方、本発明のように結合疾患名を使用して発症条件を予め疾患名と結合しておくことで、疾患名、検査項目名及び発症条件の３項目を画一的に二次元化して処理することができ、条件式設定の場合のような発症条件の抽出漏れを防止することができる。また、検査配列表では、特定の検査項目から対応する疾患の検査変動を任意に抽出することができることに加え、結合疾患名が疾患名（正式病名）を含む構成のため、疾患名からも当該疾患の検査変動を任意に抽出することができる。即ち、検査配列表では、臨床診断に必要となる疾患名または検査項目名のいずれからも、漏れなく目的項目（臨床診断用で使用した任意の検査変動）を抽出することができる。
【００７３】
即ち、疾患名と発症条件を結合した結合疾患名を使って、３次元構造の内容を保ったまま、２次元処理の出来るようになったのが、本件の固有変動表の特徴である。これにより、（Ａ）三次元データ構造である、疾患名ＩＤ（ａ１・ａ２・）・疾患名＋発症条件ＩＤ（ｂ１・ｂ２・）・発症条件＋検査項目ＩＤ（ｃ１・ｃ２・）・検査項目名を、（Ｂ）二次元データ構造である、疾患名ＩＤ（ａ１・ａ２・）・結合疾患名＋検査項目ＩＤ（ｂ１・ｂ２・）・検査項目名に変更できた。疾患名が結合疾患名に変っただけで、ａ，ｂ，ｃの３つのＩＤを要していた（Ａ）のデータ構造（三次元データ構造）から、ａ，ｂの２つのＩＤのみを必要とする（Ｂ）のデータ構造（二次元データ構造）として、同じ３次元業務を行うことが可能となった。３次元データ形式のままでは必要な発症条件ごとに抽出操作を更に追加する必要があるが、発症条件のデータベース化が困難のため、漏れの少ない抽出操作が困難であった。これで各段の簡略化が図れるようになった。なお、この場合、結合疾患名（発症条件がないものは単なる疾患名のみ）には一意の疾患名ＩＤ（病名ＩＤ）が識別子として関連付けられるが、（発症条件がある場合は）発症条件は結合疾患名に含まれるため、検査項目ごとの疾患の発症条件である当該疾患の固有変動（検査変動）は、病名ＩＤと対応する検査項目の項目ＩＤとの複合ＩＤにより一意に識別可能である。
【００７４】
Ａａ−６）二次元データ構造の固定固有変動
固定固有変動型検査について、固定固有変動は、対応する疾患名のみ（発症条件のない疾患名）を、当該疾患が発病したときにその検査項目が常に呈する固有の検査変動の内容に関連付けたものである（即ち、疾患名＋検査変動内容からなる表現（説明文形式）となっている）。
【００７５】
Ａｂ：随伴固有変動と結合疾患名
Ａｂ−１）臨床診断における疾患の発症条件情報の取得困難性
上述したように、臨床診断では、疾患名を確定する必要に加え、確定した疾患の発症条件を確認しないと、有効な治療法を選択することができないという特有の事情がある。即ち、１疾患に特異的な固有病状だけで全経過を経緯する疾患は少なく、同一疾患でありながら、発症する主臓器が症例ごとに異なったり、その疾患に頻発する特有な種々の合併症（固有併発症）も症例ごとに異なることが多い。従って、１疾患でありながら、症例ごとに状況に応じて多彩な病像となるため、必要検査や検査動向も大きく変動してくる。この点は、発症条件および随伴固有変動に関して説明したとおりである。
【００７６】
一方、臨床診断の根拠となる知識を提供するものとして、一般に医学書が使用される。この医学書では、疾患に特異的な固有病状や検査結果が詳細に記載されている。即ち、医学書には、疾患自体の発現を確認するための検査とその検査変動（上記固定固有変動に相当する検査変動）のみが記載されている。しかし、症例ごとに異なる臓器名や固有併発症については、そのまま臓器名や固有併発症名を使って記載され、検査動向も"腎障害"や"肝機能異常"などの抽象的表現で表現されることが多い。即ち、ある疾患の罹患臓器名や固有併発症等の発症条件に関して、臨床診断で必要となる検査項目や検査動向を具体的に知るには、それらが記載されている専門書を探し、其々専門の記載分野に幾段も戻って調べ直す孫引き操作が必要となり、これらの情報を体系的に取得することは非常に困難であった。特に、臨床診断は非常に短時間で各種の業務を遂行する必要があるため、臨床医師が該当疾患を特定したとしても、その発症条件に関して臨床に必要な情報を短時間で取得することは事実上不可能であった。
【００７７】
Ａｂ−２）結合疾患名を利用した固有変動表・検査配列表
ここで、疾患ごとの固有併発症や臓器名の種類は、その疾患の既定の病態であり、関与する検査項目や検査動向も、孫引き操作が必要であるものの既定項目として医学的に既に決定されている。
【００７８】
そこで、本発明は、疾患ごとの病態のうち、疾患の本来の病態を確認するための検査項目（即ち、発症条件に左右されることなくその疾患が発病したときには常に同一の検査変動を呈する検査項目）、及び、当該疾患が発病したときのその検査項目の検査変動については、当該疾患の固定固有変動として、その検査項目名と共に当該疾患に関連付けて固有変動表に格納する。即ち、一つの疾患名に対して、全ての固有変動型検査の検査項目名と固定固有変動とが関連付けて格納される。
【００７９】
加えて、本発明は、疾患の固有併発症や臓器名等の発症条件を最小単位まで細分化して特定すると共に、当該疾患について各発症条件が発現したときに固有の（常に同一の）検査変動を呈する検査項目を全て特定する一方、その検査変動を随伴固有変動として検査項目名に関連付ける。このとき、随伴固有変動は、発症条件を疾患名と結合して作成した結合疾患名を当該検査項目が呈する検査変動と関連付けた説明文として作成される。そして、各疾患に対して、全ての随伴固有変動をその検査項目名と共に関連付けて固有変動表に格納する。即ち、一つの疾患に対して、その結合疾患名の数と同一数の検査項目名と随伴固有変動とが関連付けて格納される。
【００８０】
このように、本発明は、各疾患の病態説明または病像説明を、疾患自体の確認用の固定固有変動及び発症条件確認用の随意固有変動からなる２種類の固有変動として、同一の固有変動表に格納している。
【００８１】
Ａｂ−３）最小単位の検査変動の格納
固定変動表に格納する検査項目名は、全科的に共通して使用でき、重複することなく、しかもそれ以上細分化する必要のない最小単位の項目からなっている。医学書で多く見られる専門的特殊用語を避け、基礎医学用語などを使って全科的に応用可能な用語で統一されるよう配慮され、若しくは、統一性に疑問がある場合は注釈が挿入されている。
【００８２】
また、各疾患に関連付けた検査項目名は医学的に決定されて変動しない（常に同一の検査項目名である）が、その検査変動は、疾患ごと及び疾患の発症条件ごと（結合疾患名ごと）に異なった内容からなる。即ち、各検査項目の検査変動は、ある疾患では固定固有変動となり、別の疾患では当該疾患のある発症条件（ある結合疾患名）に対応した随伴固有変動となり、更に、当該疾患についても発症条件が異なる場合はその発症条件（別の結合疾患名）に対応した随伴固有変動となる。
【００８３】
更に、随伴固有変動型検査の随伴固有変動において、各疾患の発症条件は最小単位に細分化したものが使用され、かかる最小単位の１以上の発症条件が疾患名と結合されて結合疾患名を構成している。即ち、疾患の発症条件は１つのみならず複数が相伴って発現することもあるため、結合疾患名は１つの発症条件を結合したもの（疾患名＋発症条件）、２つの発症条件を結合したもの（疾患名＋発症条件＋発症条件）、３つの発症条件を結合したもの（疾患名＋発症条件＋発症条件＋発症条件）という構成となる。このとき、結合疾患名は、単に疾患名と発症条件を順に結合したものではなく、発症条件に応じて最適な形態となるよう作成されている。
【００８４】
即ち、固有変動表では、同一の検査項目が複数の疾患の固定固有変動型検査として格納されることに加え、結合疾患名に対応する数の随伴固有変動型検査として格納されている。即ち、検査項目名が同一であっても、その検査変動は、固定固有変動と随伴固有変動とに区分されて別個格納されると共に、疾患の最小単位の発症条件（結合疾患名）に対応して細分化されて格納される。その結果、検査配列表では一つの検査項目に対応して複数の検査変動が表示されることになり、また、固有変動表でも一つの検査項目に対応して複数の検査変動が格納されることになる。なお、検査配列表では、発症条件の有無やその数にかかわらず、１疾患に対応して１つの検査項目が表示される。例えば、検査変動中の結合疾患名の表現について、「コクサッキー心炎，肝炎で上昇」（コクサッキー感染症で心炎や肝炎を併発するときに検査値が上昇することを表す表現）中の「コクサッキー心炎，肝炎」、「熱中症，ＭＯＦで↑」（熱中症だけでも検査値が上昇することを表す表現）中の「熱中症，ＭＯＦ」、「熱中症ＭＯＦで上昇」（熱中症だけでは検査値が上昇しないが、ＭＯＦを合併すると検査値が上昇することを表す表現）中の「熱中症ＭＯＦ」、「ＴＳＨ欠乏シモンズで上昇」（ＴＳＨホルモン不足によるシモンズ病で検査値が上昇することを表す表現）中の「ＴＳＦ欠乏シモンズ」、「心不全（心炎・心筋梗塞）で上昇」（心炎や心筋梗塞による心不全で上昇することを表す表現）中の「心不全（心炎・心筋梗塞）」等、種々の型で結合疾患名が作成され、全ての発症条件で結合疾患名が作成されている。また、複数段の発症条件では、「ＰＨＴｒＰ産生異所性ホルモン産生腫瘍性Ｃａ血症膵炎で上昇」（ＰＨＴｒＰを産生する異所性ホルモン産生腫瘍で、高Ｃａ血症による膵炎を発症すると上昇することを表す表現）中の「ＰＨＴｒＰ産生異所性ホルモン産生腫瘍性Ｃａ血症膵炎」のように発症条件が表現される場合もある。
【００８５】
結合疾患名の具体例としては、コクサッキー心炎，肝炎で上昇（上向き矢印のマーク）（コクサッキー感染症で心炎や肝炎を併発すると上昇、の意味）、熱中症，ＭＯＦで上昇（上向き矢印のマーク）（熱中症だけでも上昇するが、ＭＯＦを合併すると更に上昇する、の意味）、熱中症ＭＯＦで上昇（上向き矢印のマーク）（熱中症だけでは上昇しないが、ＭＯＦを合併すると上昇する、の意味）、（このように、「，」の有無で内容が全く異なる）、ＴＳＨ欠乏シモンズで上昇（上向き矢印のマーク）（ＴＳＨホルモン不足によるシモンズ病で上昇、の意味）、心不全（心炎・心筋梗塞性）で上昇（上向き矢印のマーク）（心炎や心筋梗塞による心不全で上昇、の意味）等、諸発症条件を３６０度可変のジョイントのように使って色々な形式で簡略に連結する。複数段の発症条件となる例も多く、ＰＴＨｒＰ産生異所性ホルモン産生腫瘍性高Ｃａ血症膵炎で上昇（上向き矢印のマーク）（ＰＴＨｒＰを産生する異所性ホルモン産生腫瘍で、高Ｃａ血症による膵炎を発症すると上昇，の意味）等もある。
【００８６】
Ａｂ−４）固定固有変動内の疾患名
固有変動表では、各疾患の固定固有変動型検査については、一つの疾患に対して、固定固有変動型検査の検査項目名とその固定固有変動とがそれぞれ関連付けて格納されるが、この固定固有変動は、対応する疾患名のみ（発症条件のない疾患名）を、当該疾患が発病したときにその検査項目が常に呈する固有の検査変動の内容に関連付けたものである（即ち、疾患名＋検査変動内容からなる説明文形式となっている）。即ち、固定固有変動型検査の場合も、その検査変動で使用する疾患名は、発症条件をゼロとした結合疾患名と考えることができる。
【００８７】
Ａｂ−５）あらゆる固有変動の格納
上記のように、固有変動表では、随意の１疾患の病態・病像説明に関して、固有併発症など発現率の低い随伴固有変動も固定固有変動と同格の因子として格納されている。即ち、固有変動表は、ありうる全ての最小単位の検査項目を格納すると共に、其々の具体的な検査動向（検査変動）も（発症条件のない）疾患名及び結合疾患名に対応して格納している。結果的に、医学書でみられる総ての固有変動が、極めて稀な事項まで固有変動表に含まれている。
【００８８】
１疾患に特異的に陽性化する特殊検査（陽性ならその疾患であると診断可能）が全疾患の２割にも満たず、検査項目を全て使っても確診法のない疾患が１割前後存在する現状（本件では特殊な除外診断法で診断可能）では、あらゆる随伴固有変動も活用できる機構が臨床診断で不可欠である。本件では如何なる些細な随意固有変動でも、全て同格の固有変動として活用できる機構になっている。
【００８９】
固有変動表は各疾患で関与しうる全ての検査項目を含むが、全科に共通する検査項目名と用語で表現されていること以外に、結合疾患名を導入したことで、複雑な発症条件を考慮することなく種々の抽出や集約などの電算操作が可能となった。即ち、複数の疾患であっても、一回の操作であらゆる検査項目名や検査動向を比較検討することが可能となった。１疾患で関与しうる全ての検査動向を具体的に表現している医学書すら存在しない現状で、複数疾患について抽出・集約などの電算操作が簡単に出来ることは、極めて画期的な業績である（鑑別疾患マスターファイルを使った鑑別検査や、症候群マスターファイルを使った症候検査など）。なお、検査動向が３次元構造からなるため、結合疾患名に相当する機構を導入しないまま２次元的操作で随意固有変動を比較検討することは不可能である。発症条件を使って３次元操作で追加抽出するのも困難であることを前述した。
【００９０】
Ａｂ−６）一元的データ処理
随伴固有変動は、固有変動表中の全固有変動の７７％を占めることを発明者は確認している。即ち、随伴固有変動型検査が固有変動表中の検査の７７％を占めている。したがって、上記の通り、随伴固有変動を活用しない限り効果的な臨床診断を行うことができない。
【００９１】
一方、随伴固有変動は、検査項目・疾患名・発症条件の３因子で変動する（いずれかの因子が異なれば別個の変動となる）三次元データ構造を有している。したがって、三次元データ構造のままで随伴固有変動を電算表示しようとすれば、三次元構造の表示形態が必要となる。
【００９２】
また、固定固有変動は、検査項目・疾患名の２因子で変動する（いずれかの因子が異なれば別個の変動となる）二次元データ構造を有しているが、随伴固有変動とあわせた全固有変動を一元的に固有変動表に格納し、かつ、検査配列表に表示するには、固定固有変動も上記のように発症条件なしとして同じ３次元構造で扱うことが必要となる。即ち、随伴固有変動の「特定の検査項目・特定の疾患名・特定の発症条件」という三次元データ構造と同様、固定固有変動も「検査項目・特定の疾患名・発症条件なし」という三次元データ構造として処理する必要がある。
【００９３】
そこで、固有変動表では、検査動向に格納する検査変動に疾患名と発症条件を結合した結合疾患名を導入することで、３次元データ構造の内容を保ったまま、２次元的データ処理が出来るようにしている。
【００９４】
これにより、随伴固有変動に関しては疾患名を（発症条件を結合して）結合疾患名に変更するだけで、検査項目ＩＤ、（疾患名のみに対応する）疾患名ＩＤ、発症条件ＩＤの３個のＩＤを要する三次元データ構造から、検査項目ＩＤ及び（発症条件付疾患名である結合疾患名に対応する）疾患名ＩＤの２個のＩＤを要する二次元データ構造へとデータ構造を変更して、三次元データ構造の場合と同様のデータ処理を行うことが可能となる。
【００９５】
なお、固定固有変動に関しても、検査項目ＩＤ及び（発症条件なしとした疾患名に対応する）疾患名ＩＤの２個のＩＤを要する二次元データ構造として一元的なデータ処理を行うことが可能となる。
【００９６】
Ａｂ−７）発症条件に基づくデータ抽出処理の困難性
ここで、発症条件は分類法によっても大きく異なるが、種類が少なくとも数百を超えて、疾患数や検査項目数よりはるかに多い。しかも病期・誘発疾患名・罹患臓器名・食事摂取時間など、検査項目と違って、無数に近い無関係な異種要素からなり、また、相互に重複することも多いため、電算化用にデータベース化するのが極めて困難な因子である。即ち、単に発症条件を画一的に格納しても有効な検索を行うことができず、また、有効な検索を行うための識別子（ＩＤ）等を付与しようとしても、数百以上の識別子が必要となり現実的なデータベースを構成することができない。
【００９７】
また、上記のように、随伴固有変動に関しては、検査項目・疾患名・発症条件の３因子で変動する三次元データ構造を有しているため、かかる三次元データ構造のままで二次元配列の検査配列表に疾患名と検査項目名と検査変動とを関連付けてデータ表示するには、必要な発症条件ごとのデータ抽出処理を追加し、抽出した発症条件を疾患名と関連付けて表示する必要がある。
【００９８】
しかし、上記のように発症条件のデータベース化が困難であるため、漏れの少ない抽出操作は困難である。
【００９９】
なお、全疾患・全検査項目に通用する結合疾患名の作成は、臓器名や固有併発症ごとの詳細な検査変動などに精通した医師が行わない限り不可能であり、人工知能等によって電算的に作成することは非常に困難である。
【０１００】
本発明では、かかる特質を有する発症条件については、医師が予め疾患ごとの発症条件を把握して結合疾患名を作成し、その結合疾患名を固有変動表に格納している。
【０１０１】
Ａｂ−８）結合疾患名による発症条件抽出処理の省略
これに対して、本発明は、上記のように本来は三次元構造であるデータを、結合疾患名を導入することで二次元データ構造として固有変動表に予め格納するようにしたため、三次元データ構造の場合のような発症条件に応じた抽出処理を行う必要がなく、必要な疾患ごとの検査項目と検査変動を１回の抽出処理で固有変動表から抽出して検査配列表に表示することができ、疾患ごとに目的とする検査項目の全てを漏らすことなく抽出することが可能である。
【０１０２】
これにより、検査項目・疾患名・発症条件からなる三次元データ構造のままで疾患ごとの必要な検査項目及び検査変動を抽出する場合と比較して、システム構成を各段に簡略化することができると共に、後述するように、従来にない極めて有用な効果を種々発揮することができる。
【０１０３】
Ａｃ：鑑別検査用の検査種別（肯定用検査・否定用検査・全身用検査）
固有変動表には、疾患ごとの各検査項目に対して、その検査が当該疾患を肯定できる肯定用検査であることを示す識別子（例えば、「肯定」または「１」等）と、その検査が当該疾患の鑑別疾患を肯定することにより当該疾患を否定できる否定用検査であることを示す識別子（例えば、「否定」または「３」等）と、その検査が肯定用検査でも否定用検査でもない（主に当該疾患の発症条件に応じた随伴固有変動を確認するための検査である）ことを示す識別子（例えば、「全身」または「２」等）とが関連付けて格納されている。
【０１０４】
ここで、肯定用検査は、その検査動向に対応する疾患（例えば、疾患Ａ）の固定固有変動が格納されており、その固定固有変動を確認することにより疾患Ａの存在を肯定できる検査である。
【０１０５】
一方、否定用検査は、その検査動向に対応する疾患の鑑別疾患（例えば、疾患Ａの鑑別疾患Ｂ）の固定固有変動が格納されており、その固定固有変動を確認することにより鑑別疾患Ｂの存在を肯定することで、疾患Ａの存在を否定できる検査である。
【０１０６】
また、全身用検査は、肯定用検査にも否定用検査にも分類できない検査で、その検査動向に格納されるのは、疾患の随伴固有変動が大半であり、その随伴固有変動を確認することにより疾患の発症条件を特定して治療法の選択に寄与することができる検査である。なお、全身用検査の検査動向には固定固有変動も格納されることがあるが、全身用検査は主に随伴固有変動型検査からなる。また、実施の問題の多い遺伝子検査、侵襲性の高い検査、その検査を実施しなくても他の検査で確定診断できる検査等を、通常時の実施を避ける目的で全身用検査として格納している。したがって、全身用検査は、他の検査で確定診断できないときに限り使用することになる検査である。
【０１０７】
即ち、本発明の固有変動表では、各疾患に対して、これらの肯定用検査、全身用検査及び否定用検査が関連付けて格納されている。
【０１０８】
これらの肯定用検査、全身用検査及び否定用検査からなる検査種別は、後述する鑑別検査処理で検査項目に関連付けて抽出され、検査配列表に表示される。
【０１０９】
一方、後述する症候検査処理では、検査種別は必要ないため、抽出されない。
【０１１０】
Ａｄ：固有変動表（固有変動マスタファイル）の代表例
上記で説明した固有変動表の代表例を図１に示す。固定変動表中、「疾患」の項目欄（データ列）には、全ての疾患（正式病名）が格納され、各疾患に対応する全ての検査項目が「検査項目」の項目欄（データ列）に関連付けて格納され、各行の疾患及び検査項目の対に対応する検査動向が「検査動向」の項目欄（データ列）に関連付けて格納されている。下記の固定変動表は、説明の便宜上、そのうちの一部（疾患Ａ及び疾患Ｂに相当する部分）のみを表示している。また、説明の便宜上、疾患Ａの後に疾患Ａの鑑別疾患である疾患Ｂを表示しているが、固有変動表はリレーショナルデータベースのテーブルとして実現可能であるため、通常のリレーショナルデータベースにおけるテーブル（表）と同様、疾患の並び順は任意である。また、「種別」の項目欄（データ列）には、前記鑑別検査で検査配列表に指定した疾患（想定した診断名）に対応して表示する検査項目を前記肯定用検査、否定用検査及び全身用検査のいずれかに区別及び整列すると共に、肯定用検査、否定用検査及び全身用検査のそれぞれを表す記号を付して表示するためのデータ（以下、「検査種類データ」ということがある。）が、疾患と検査項目との各対に対応して格納されている。また、「検査動向」の項目欄（データ列）には、疾患と検査項目との各対に対応する検査変動の内容が説明文形式で格納されている。なお、下記固有変動表の例では、説明の便宜上、括弧書き部分（「本疾患」、「（疾患Ａの固定固有変動の説明文）」等の注記）を記載しているが、実際の固有変動表ではこれらの注記はなく、また、疾患Ｂの検査動向中の「（疾患Ａの鑑別疾患）」）といった注記も、疾患Ｂが疾患Ａの鑑別疾患であることを説明するために記載したものであり、実際の固有変動表ではこれらの注記はない。各疾患についての鑑別疾患については後記鑑別疾患マスタファイルを使用して一連の鑑別疾患群を抽出・整列できるため、このような注記は必要ない。
【０１１１】
なお、同一の検査項目（下記固有変動表中の検査１、検査７）が複数の疾患（疾患Ａ、疾患Ｂ）の検査として使用されるが、例えば、診断名として疾患Ａを想定して鑑別検査をする場合、検査１〜３の肯定用検査の検査結果を複数項目比較検討し、それらが陽性となれば当初の診断名（疾患Ａ）を肯定することになり、それらの検査結果が陰性となれば当初の診断名（疾患Ａ）を否定することになる。この場合、検査７が陽性となれば疾患Ｂが目的疾患、検査８が陽性となれば疾患Ｃが目的疾患、検査９が陽性となれば疾患Ｄが目的疾患であるとして診断名を是正することができる。（ｃより修正後移動）
【０１１２】
また、各疾患の否定用検査の検査動向には、鑑別疾患の固定固有変動の説明文が格納されることに加え、「本疾患及び他の鑑別疾患では特異的変動なし」のように、当該疾患及び他の鑑別疾患で特異的に変動しないことを説明する説明文が格納される。これにより、その否定用検査の検査動向を確認して、該当する鑑別疾患を肯定すると共に、本疾患及び他の鑑別疾患の存在を明確に否定することができる。（ｃより移動）
【０１１３】
更に、固有変動表には、各疾患の全検査項目中で初回から実施することが望ましい検査項目（以下、「初動検査」ということがある。）に対して、初動検査であることを表すデータを関連付けて格納し、それらの検査項目については初動検査であることを示す記号を付して検査配列表に表示するようにしてもよい（例えば、「初動検査」の項目欄（データ列）を追加して「１（初動検査）」、「０（初動検査以外）」といったデータを格納することができる）。
【０１１４】
Ａｅ：定型検査
症候検査では、後述する症候群マスタファイルを使用して症候ごとにその症候を呈する全ての疾患（疾患群）を収集すると共に、収集した疾患ごとに対応する検査項目を固有変動表から収集し、これらの検査項目を定型検査として使用する。なお、症候検査では、鑑別検査のように、検査項目を肯定用検査等に区分して抽出することはない。また、固有変動表から収集した疾患ごとの検査項目についての検査動向は、そのままでは１症候について相当の数となり、検査配列表にそのまま表示すると逆に確認が煩雑となるため、後述する臨床マスタファイルにおいて検査項目ごとに集約して表現し直した後、対応する疾患に関連付けて格納している。
【０１１５】
更に、症候検査では、症候ごとに収集した疾患群（ある症候を呈する疾患群）について、上述した少数の特異的検査、十分な数の非特異的検査、及び中間的検査を予め特定し、初回から実施することが望ましい検査（初動検査）として選別しておき、検査配列表では初動検査であることを表す記号を付して表示する。初動検査は、生化学検査を中心とする安価で侵襲性の低い検査項目が主体となる。したがって、症候検査時の検査配列表では、指定した症候に属する疾患を診断するための全検査項目のうち、初動検査となる検査項目に対応する記号が付して表示され、それらの検査を実施しておけば、初回検査で１〜数疾患に絞り込むことが安価にできるようになっている。また、検査配列表には初動検査以外の検査項目も全て表示されるが、これらの検査は、再確認したり１疾患に絞り込む場合等、必要性に応じて２回目以降の検査で使用する検査項目に相当し、高価な検査項目や侵襲性の高い検査項目が主体となっている。
【０１１６】
なお、鑑別検査においても、症候検査と同様、鑑別疾患群（診断名及びその鑑別疾患）ごとに、少数の特異的検査、十分な数の非特異的検査、及び中間的検査を予め特定し、初回から実施することが望ましい検査（初動検査）として選別しておき、検査配列表では初動検査であることを表す記号を付して表示する。したがって、鑑別検査時の検査配列表でも、指定した症候に属する疾患を診断するための全検査項目のうち、初動検査となる検査項目に対応する記号が付して表示されるようになっている。
【０１１７】
Ｂ：症候対応疾患群格納手段（症候群マスタファイルに相当）
Ｂ−１）症候ごとの疾患群の格納
症候対応疾患群格納手段は、ある症候が発症したときに発病が想定される全ての疾患を当該症候対応の疾患群として当該症候に関連付けて格納する。
【０１１８】
症候群マスタファイルは、症候ごとにその症候を呈する全ての疾患を関連付けて格納するが、症候ごとに、更に、「疾患概要」として当該症候に属する疾患ごとの発症条件を中心とした説明文（従来の医学書において当該症候及び疾患群について記載されているものと同様の説明文）が関連付けて明記して格納される。また、症候検査において指定した症候の全疾患の検査項目及び検査変動を検査配列表に表示するときに、検査配列表の近傍に、当該症候の疾患概要を表示する疾患概要表示欄が合わせて表示される。同時に、検査配列表の検査動向の欄にも、各検査項目ごとの検査変動が結合疾患名を使用して表示されるため、利用者である医師等が、検査配列表の検査変動の説明文と疾患概要表示欄の疾患概要の説明文とを合せて確認することで、診断時の理解を助けるようになっている。
【０１１９】
即ち、本発明では、症候群マスタファイルの各症候に関連付けて当該症候の疾患概要を格納するようになっている。（例えば、症候群マスタファイルに「疾患概要」の項目欄（データ列）を設ける。）
【０１２０】
Ｂ−２）症候対応疾患群格納手段の例
症候対応疾患群格納手段としての症候群マスタファイルの代表例を図２に示す。なお、上記のとおり、本発明では、通常は１疾患が複数の症候に属する構成としているため、下記症候群マスタファイルのように、例えば、疾患Ａ及び疾患Ｂが症候イ及び症候ロに関連付けて格納されることになる。
【０１２１】
Ｃ：鑑別疾患格納手段（鑑別疾患マスタファイルに相当）
Ｃ−１）疾患ごとの鑑別疾患の格納
鑑別疾患格納手段は、各疾患についての鑑別疾患を当該疾患対応の鑑別疾患群として当該疾患に関連付けて格納する。
【０１２２】
Ｃ−２）鑑別疾患格納手段の例
鑑別疾患格納手段としての鑑別疾患マスタファイルの代表例を図３に示す。
【０１２３】
Ｄ：臨床マスタファイル
Ｄ−１）検査変動の整理・統合
本発明では、上記のように、症候検査及び鑑別検査のいずれでも、固有変動表の検査動向データをそのまま抽出して検査配列表に表示するのではなく、固有変動表の検査動向データを整理統合して臨床マスタファイルに格納している。即ち、症候検査において、各症候には同一の検査項目であっても疾患ごとに異なる検査変動（「検査動向」欄の説明文）が関連付けて格納されているため、このまま固有変動から症候に関連付けられる検査変動を抽出すると、上記のとおり、１症候について相当数の検査変動が検査配列表に表示されて逆に煩雑となるため、１検査項目に属する全ての検査変動を当該検査項目に関連付けて臨床マスタテーブルの「検査動向」の項目欄（データ列）に当該症候と関連付けて１データとして格納している。また、鑑別検査においても、肺炎のような複合疾患（複数の原疾患が発症する疾患）は、同一の検査項目であっても原疾患ごとに異なる検査変動が関連付けて格納されているため、このまま固有変動から症候に関連付けられる検査変動を抽出すると、上記のとおり、１症候について相当数の検査変動が検査配列表に表示されて逆に煩雑となるため、やはり、１検査項目に属する全ての検査変動を当該検査項目に関連付けて臨床マスタテーブルの「検査動向」の項目欄（データ列）に当該疾患（複合疾患）と関連付けて１データとして格納している。そして、症候検査で指定した症候の疾患群または鑑別検査で指定した疾患の鑑別疾患群に関するデータ（検査項目名、検査動向等）を臨床マスタファイルから抽出して、それらを検査配列表に列挙表示するようにしている。
【０１２４】
これにより、検査配列表に表示した１検査項目の検査動向欄中に複数の検査変動が一連に表示されることになり、それらの検査変動を比較検討（複数項目比較検討）することが容易となる。
【０１２５】
Ｄ−２）臨床マスタファイルの代表例
臨床マスタファイルの代表例を図４に示す。なお、下記の臨床マスタファイル中、「疾患（症候）」の項目欄（データ列）には、全ての疾患（正式病名）または症候（症候名）が格納され、各疾患に対応する全ての検査項目または各症候に属する全ての検査項目が「検査項目」の項目欄（データ列）に関連付けて格納され、各行の疾患（症候）及び検査項目の対に対応する検査動向が「検査動向」の項目欄（データ列）に関連付けて格納されている。下記の固定変動表は、説明の便宜上、そのうちの一部（疾患Ａ、疾患（複合疾患）Ｘ、症候イに相当する部分）のみを表示している。また、説明の便宜上、疾患Ａの後に疾患（複合疾患）Ｘ、症候イを表示しているが、上記のとおり、疾患や症候の並び順は任意である。また、鑑別検査用の検査項目には、「種別」の項目欄（データ列）に、前記肯定用検査、否定用検査及び全身用検査のいずれかの検査種類データが、疾患と検査項目との各対に対応して格納されている。なお、症候検査また、「検査動向」の項目欄（データ列）には、疾患または症候と検査項目との各対に対応する検査変動の内容が説明文形式で格納されているが、この検査変動の内容は、上記のとおり、症候については１検査項目に属する複数の検査変動を整理統合した説明文形式であり、複合疾患についても１検査項目に属する複数の検査変動を整理統合した説明文形式である。なお、下記固有変動表の例では、説明の便宜上、括弧書き部分（「（原疾患）」、「（疾患Ａの固定固有変動の説明文）」等の注記）を記載しているが、実際の固有変動表ではこれらの注記はない。
【０１２６】
Ｅ：検査項目別固有変動抽出表示手段（検査配列表に相当）
Ｅａ：表形式による病態説明
医学書で最も主要な部分に当る疾患の病態説明を、医学書が一般的な説明文形式で表現するのに対して、本発明は、固有変動表を利用して、下記の検査配列表による検査変動（検査動向）の一覧表として表現する。
【０１２７】
検査配列表は、抽出した疾患用の検査項目について、その検査項目名を表示する「項目名」の表示欄と、その検査変動を表示する「検査動向」の表示欄とを備えている。
【０１２８】
なお、上記のとおり、随伴固有変動が固定固有変動の数倍の数（約３倍以上）存在し、実際に検査配列表にもその割合で表示されている。したがって、随伴固有変動は本システムで非常に重要な役割を担い、特に、入院検査や重症疾患の臨床業務では、詳細な鑑別検査や確認検査が主目的のため、実際に随伴固有変動を活用することが多い。しかし、以下の説明における鑑別検査や症候検査では、単なる診断を目的としているので、固定固有変動の比較検討で間に合う場合が多い。したがって、定型検査では主に固定固有変動だけで説明されている。
【０１２９】
Ｅｂ：症候検査と鑑別検査
Ｅｂ１）症候検査の場合
Ｅｂ１−１）検査変動（固定固有変動及び随伴固有変動）の抽出
検査項目別固有変動抽出表示手段は、前記症候対応疾患群格納手段に格納した症候のいずれかが指定されたときは、前記症候対応疾患群格納手段から当該指定に係る症候に関連付けた前記症候関連の疾患群（全ての病名）を抽出する。また、抽出した疾患群の各疾患名に基づき、前記固有変動格納手段から、当該疾患群の各疾患に関連付けた検査項目（全ての検査項目名）を抽出し、かつ、抽出した検査項目の各々に関連付けた検査変動としての固定固有変動及び随伴固有変動（各固有変動の説明文）を抽出する。
【０１３０】
Ｅｂ１−２）検査項目に対応付けた検査変動（固定固有変動・随伴固有変動）の一括表示
そして、検査項目別固有変動抽出表示手段は、抽出した検査項目を列挙表示すると共に、列挙表示した各検査項目に対応付けて、当該各検査項目について抽出した全ての前記固定固有変動及び前記随伴固有変動を一括表示する。
【０１３１】
このとき、各検査項目について抽出した１以上の固定固有変動は、それぞれ、当該検査項目が各固定固有変動を発現したときに発病が推定される１つの疾患名（前記疾患群中の疾患名）と対応付けて当該疾患名と共に「検査動向」欄に表示される。
【０１３２】
これに加え、各検査項目について抽出した各随伴固有変動が、当該検査項目が各随伴固有変動を発現したときに発生が推定される１つの疾患名の１つ以上の発症条件（前記疾患群中の疾患の発症条件）と対応付けて当該疾患名及び当該発症条件と共に「検査動向」欄に表示される。
【０１３３】
これにより、列挙表示した各検査項目の固定固有変動を確認することにより、指定した症候に係る疾患群から発病が想定される疾患名を特定することができることに加え、列挙表示した各検査項目の随伴固有変動を確認することにより、発病が想定された疾患名についての発症条件をも同時に特定することができ、発症条件に応じた治療法の選択が可能となる。
【０１３４】
Ｅｂ１−３）同一疾患名の複数の検査項目での表示
更に、症候検査で一つの症候を指定すると当該症候に関連付けた全ての疾患が抽出される一方、抽出した疾患の各々について、当該疾患に関連付けた２個以上の定型検査としての固定固有変動型検査が抽出され、これら２個以上の定型検査としての固定固有変動型検査が検査配列表に一覧表示される。即ち、指定した症候に属する疾患の各々について、当該疾患に関連付けた検査項目名と検査変動とが検査配列表に列挙表示される（検査項目名が「項目名」欄に、検査変動が「検査動向」欄にそれぞれ表示される）。
【０１３５】
このとき、各疾患について２個以上の検査項目が抽出されることになるため、検査配列表では、２個以上の検査項目の検査変動中に同一の疾患名がその検査変動（固定固有変動）と共に表示されることになる。
【０１３６】
これにより、症候検査で定型検査のみを検査実施した場合であっても、指定した症候に属する疾患の各々について、複数の固定固有変動型検査の検査変動（固定固有変動）を確認して当該疾患の発病を判断することができ、検査変動により発見すべき疾患の見落としを効果的に防止することができる。また、同一疾患について複数の検査項目（固定固有変動型検査）の検査変動を比較検討することができ、疾患によってはその場でその疾患であるかどうか確定診断することも可能となる。
【０１３７】
Ｅｂ１−４）同一検査項目での複数疾患（鑑別疾患）の異なる検査変動の表示
また、症候検査で一つの症候を指定すると当該症候に関連付けた全ての疾患が抽出される一方、抽出した疾患において、同一の検査項目によって鑑別可能な全ての疾患（鑑別疾患群）とその検査変動とが当該検査項目に関連付けて表示される（検査項目名が「項目名」欄に、検査変動が「検査動向」欄にそれぞれ表示される）。即ち、検査配列表の一つの検査項目の「検査動向」欄中に、当該検査によって相互に鑑別可能な複数の疾患の検査変動が表示される。
【０１３８】
換言すれば、一つの検査項目において、特定の検査変動を呈する一つ以上の疾患の疾患名が当該検査変動に関連付けて「検査動向」欄に表示される一方、当該特定の検査変動と異なる検査変動を呈する他の疾患の疾患名が当該異なる検査変動と関連付けて「検査動向」欄に表示される。
【０１３９】
これにより、前記特定の検査変動に関連付けて表示される疾患と、前記異なる検査変動と関連付けて表示される疾患とは、その検査項目の検査結果を「検査動向」欄の検査変動と比較することによって鑑別可能となる。
【０１４０】
例えば、同一検査項目で、１以上の疾患（第１の疾患または第１の疾患群）が第１の検査変動（検査値上昇等）を呈する一方、他の１以上の疾患（第２の疾患または第２の疾患群）が第１の検査変動と異なる第２の検査変動（検査値下降等）を呈する場合、それら２種類の検査変動が同一検査項目の検査変動として表示される。例えば、「疾患Ａは＊＊＊の検査変動（検査値上昇等）、疾患Ｂ，Ｃは＊＊＊の検査変動（検査値下降等）」との表示が検査動向の欄になされる。この場合、その検査項目の検査結果が第１の検査変動となるか第２の検査変動となるかを確認することにより、該当疾患が第１の疾患（第１の疾患群）に属するか第２の疾患（第２の疾患群）に属するかを鑑別することができる。
【０１４１】
したがって、同一検査項目の検査変動を確認することで、似て間違いやすい複数の疾患をそれぞれの検査変動により鑑別して絞込むことができる。また、同一疾患名が複数の検査項目の検査変動中に表示されることとあいまって、複数の検査項目にわたって似て間違いやすい複数の疾患間での鑑別作業を行うことができ、鑑別の精度を高めることができる。
【０１４２】
また、このとき、複数の疾患が同一の検査変動を呈するときは、これら複数の疾患については、同一の検査変動が関連付けて表示される。例えば、「疾患Ａ，Ｂ，Ｃは＊＊＊の検査変動（検査値上昇等）」との表示が検査動向の欄になされる。
【０１４３】
更に、このとき、同一検査項目で、１以上の疾患（第１の疾患または第１の疾患群）が第１の検査変動（検査値上昇等）を呈する一方、他の１以上の疾患（第２の疾患または第２の疾患群）が特有の検査変動を呈しない場合（即ち、特異的な検査変動がない場合）、前記第１の検査変動に加えて、他の疾患が特異的な検査変動を呈しない点も表示される。例えば、「疾患Ａ，Ｂ，Ｃは＊＊＊の検査変動（検査値上昇等）、疾患Ｄ，Ｅ，Ｆには特異的変動なし。」、または、「疾患Ａ，Ｂ，Ｃは＊＊＊の検査変動（検査値上昇等）、その他の疾患（疾患Ａ，Ｂ，Ｃ以外の全ての疾患）には特異的変動なし。」との表示が検査動向の欄になされる。
【０１４４】
このように、第１の疾患または第１の疾患群については特異的な第１の検査変動を呈するとの表示をする一方で、第２の疾患または第２の疾患群（或いは、その他の全ての疾患）については特異的な変動がないことを表示することで、前記第１の疾患または第１の疾患群が発病に係る疾患であることを即座に特定することができる。
【０１４５】
Ｅｂ１−５）検査変動（固有変動）の種別に応じた表示配置
症候検査では、検査配列表に表示される症候対応の検査項目は、その検査変動の種別に応じて、検査配列表の上から下へと、固定固有変動型検査及び随伴固有変動型検査の順に並ぶように表示される。
【０１４６】
Ｅｂ１−５−１）固定固有変動型検査
まず、検査配列表の一番上から下へと、抽出疾患の固定固有変動を確認してその発病を判断するための一連の固定固有変動型検査が表示される。この最初に表示される一連の固定固有変動型検査は、抽出した各疾患についての固定固有変動を複数項目比較検討できるよう表示される。即ち、抽出した疾患の一つ（例えば、疾患Ａ）についての一連の検査項目名とその固定固有変動とが、検査配列表の上から下へと連続的に列挙表示される。
【０１４７】
したがって、集合化して列挙表示された一連の検査項目の検査変動（固定固有変動）を複数項目比較検討して、疾患Ａについて診断を行うことができる。
【０１４８】
また、このとき、上記のように、一つの検査項目について複数の疾患が同一の検査変動を呈するときは、当該検査項目については、当該複数の疾患が同一の検査変動を呈するものとして検査動向欄に表示される（例えば、「疾患Ａ，Ｂ，Ｃは検査値上昇」との表示がされる）。
【０１４９】
更に、このとき、同一の検査項目について複数の疾患が異なる検査変動を呈するときは、当該検査項目については、当該複数の疾患が異なる検査変動を呈するものとして検査動向欄に表示される（例えば、「疾患Ａ，Ｂ，Ｃは検査値上昇、疾患Ｄ，Ｅ，Ｆは検査値下降」との表示がされる）。
【０１５０】
更にまた、このとき、同一の検査項目について第１の疾患が特異的な検査変動を呈する一方で、その他の疾患が特異的な検査変動を呈しないときは、その他の疾患が特異的な変動を呈しないとの表示がされる（例えば、「疾患Ａ，Ｂ，Ｃは検査値上昇、その他の疾患では特異的な変動なし」との表示がされる）。
【０１５１】
したがって、集合化して列挙表示された一連の検査項目の検査変動を複数項目比較検討して、各疾患について判断することができる。
【０１５２】
Ｅｂ１−５−２）随伴固有変動型検査
また、一連の固定固有変動型検査に続いて、抽出疾患の随伴固有変動を確認してその発症条件を判断するための一連の随伴固有変動型検査が上から下へと表示される。この随伴固有変動型用検査については、抽出疾患についての一連の検査項目名とその随伴固有変動とが、検査配列表の上から下へと連続的に列挙表示される。
【０１５３】
したがって、集合化して列挙表示された一連の検査項目の検査変動（抽出疾患の随伴固有変動）を確認して、抽出疾患の発症条件（罹患臓器、固有併発症等）について判断を行うことができる。
【０１５４】
Ｅｂ１−６）検査配列表の例
上記で説明した症候検査で表示する検査配列表の代表例を図５に示す。
なお、該当疾患が固定固有変動型検査、随伴固有変動型検査のいずれであるかを示す識別子（「固定」、「随伴」または「１」、「２」等）を設けて「種別」の欄に表示してもよいが、実際のシステムでは係る識別子は設けていない（検査配列表への表示もされない）。これは、随伴固有変動は発症条件を付した結合疾患名として表示されるため、固定固有変動と簡単に区別することができ、あえて固定固有変動と随伴固有変動を区別して格納する必要がないためである。ただし、固定固有変動と随伴固有変動を識別してデータ抽出する等の必要性が生じれば、それらに識別子を付して区別して格納することも可能である。
【０１５５】
Ｅｂ２）鑑別検査の場合
Ｅｂ２−１）検査変動（固定固有変動及び随伴固有変動）の抽出
一方、検査項目別固有変動抽出手段は、前記固有変動格納手段に格納した疾患のいずれかが指定されたときは、前記鑑別疾患格納手段から当該指定に係る疾患に関連付けた当該疾患関連の鑑別疾患群を抽出すると共に、前記固有変動格納手段から、前記指定に係る疾患に関連付けた検査項目を抽出し、かつ、抽出した検査項目の各々に関連付けた検査変動としての固定固有変動及び随伴固有変動を抽出する一方で、前記鑑別疾患群の各疾患に関連付けた検査項目を抽出し、かつ、抽出した検査項目の各々に関連付けた検査変動としての固定固有変動及び随伴固有変動を抽出する。
【０１５６】
Ｅｂ２−２）検査項目に対応付けた検査変動の一括表示
そして、検査項目別固有変動抽出手段は、抽出した検査項目を列挙表示すると共に、列挙表示した各検査項目に対応付けて、当該各検査項目について抽出した全ての前記固定固有変動及び前記随伴固有変動を一括表示する。
【０１５７】
このとき、抽出した検査項目のうち、前記指定に係る疾患名に関連付けた各検査項目の固定固有変動は、当該検査項目がその固定固有変動を発現したときに当該指定に係る疾患の発病が推定されるとして、当該指定に係る疾患名と対応付けて当該疾患名と共に表示される。また、前記指定に係る疾患名に関連付けた各検査項目の随伴固有変動は、当該検査項目が各随伴固有変動を発現したときに当該指定に係る疾患について対応する発症条件の発生が推定されるとして、当該指定に係る疾患名の当該発症条件と対応付けて当該疾患名及び当該発症条件と共に表示される。
【０１５８】
これにより、列挙表示した各検査項目の固定固有変動のうち前記指定に係る疾患の固定固有変動を確認することにより、指定に係る疾患が発病したか否かを特定することができ、また、列挙表示した各検査項目の随伴固有変動のうち前記指定に係る疾患の随伴固有変動を確認することにより、発病が想定された前記指定に係る疾患名についての発症条件を特定することができ、発症条件に応じた治療法の選択が可能となる。
【０１５９】
また、抽出した検査項目のうち、前記鑑別疾患群の各疾患（指定疾患の鑑別疾患）に関連付けた検査項目の各固定固有変動は、当該検査項目がその固定固有変動を発現したときに当該疾患の発病が推定されるとして、当該鑑別疾患名と対応付けて当該鑑別疾患名と共に表示される。一方、前記鑑別疾患群の各疾患（指定疾患の鑑別疾患）に関連付けた検査項目の各随伴固有変動は、当該検査項目が各随伴固有変動を発現したときに当該疾患について対応する発症条件の発生が推定されるとして、当該鑑別疾患名の当該発症条件と対応付けて当該鑑別疾患名及び当該発症条件と共に表示される。
【０１６０】
そして、列挙表示した各検査項目に対応付けて表示する検査変動には、前記指定に係る疾患名の検査変動とその鑑別疾患の検査変動とを並列表示する。これにより、同一検査項目の検査変動を確認することで、指定した疾患とその鑑別疾患とをそれぞれの検査変動により鑑別して、鑑別診断を除外していくことにより指定した疾患の発病を最終的に確認して確定診断まで進むことが可能となる。
【０１６１】
一方、検査変動の確認により指定した疾患が除外される場合は、その鑑別疾患群の各鑑別疾患の検査変動を確認していくことで、特定の鑑別疾患の発病を最終的に確認してその場で正しい診断名に是正することができる。
【０１６２】
Ｅｂ２−３）同一疾患名の複数の検査項目での表示
更に、鑑別検査で一つの疾患を指定すると当該疾患が抽出されると共に当該疾患に関連付けた全ての鑑別疾患が抽出される一方、抽出した疾患（指定疾患及びその鑑別疾患）の各々について、当該疾患に関連付けた２個以上の定型検査としての固定固有変動型検査が抽出され、これら２個以上の定型検査としての固定固有変動型検査が検査配列表に集合化して表示される（この固定固有変動型検査として、平均すると数個程度の特異的検査と、それより多くの非特異的検査が表示される）。即ち、指定した疾患とその鑑別疾患の各々について、当該疾患に関連付けた検査項目名と検査変動とが検査配列表に列挙表示される（検査項目名が「項目名」欄に、検査変動が「検査動向」欄にそれぞれ表示される）。
【０１６３】
このとき、各疾患について２個以上の検査項目が抽出されることになるため、検査配列表では、２個以上の検査項目の検査変動中に同一の疾患名（指定疾患及びその鑑別疾患）がその検査変動（固定固有変動）と共に表示されることになる。
【０１６４】
これにより、鑑別検査では、指定した疾患について、複数の固定固有変動型検査の検査変動（固定固有変動）を複数項目比較検討により確認して当該疾患の発病を判断することができ、検査変動により発見すべき疾患の見落としを効果的に防止することができる。即ち、指定疾患（診断名）について複数の検査項目（固定固有変動型検査）の検査変動を比較検討することができ、指定疾患が正しいかどうかその場で確定診断することができ、また、指定疾患が間違っている場合は、上記のように、その場で正しい診断名に是正できる。
【０１６５】
Ｅｂ２−４）同一検査項目での鑑別疾患名・検査変動の表示
また、鑑別検査で一つの疾患を指定すると当該疾患が抽出されると共に当該疾患に関連付けた全ての鑑別疾患が抽出される一方、抽出した指定疾患及びその鑑別疾患において、同一の検査項目によって鑑別可能な全ての疾患（鑑別疾患群）とその検査変動とが当該検査項目に関連付けてその検査変動中に表示される（検査項目名が「項目名」欄に、検査変動が「検査動向」欄にそれぞれ表示される）。即ち、検査配列表の一つの検査項目の「検査動向」欄中に、指定疾患と共に当該検査によって鑑別可能な鑑別疾患の検査変動が表示される。
【０１６６】
換言すれば、一つの検査項目において、指定疾患と同一の検査変動を呈する一つ以上の鑑別疾患の疾患名が指定疾患の疾患名と共に当該検査変動に関連付けて「検査動向」欄に表示される一方、当該検査変動と異なる検査変動を呈する他の鑑別疾患の疾患名が当該異なる検査変動と関連付けて「検査動向」欄に表示される。
【０１６７】
これにより、指定疾患とその鑑別疾患とは、その検査項目の検査結果を「検査動向」欄の検査変動と比較することによって鑑別可能となる。
【０１６８】
例えば、同一検査項目で、指定疾患が第１の検査変動（検査値上昇等）を呈する一方、他の１以上の疾患が第１の検査変動と異なる第２の検査変動（検査値下降等）を呈する場合、それら２種類の検査変動が同一検査項目の検査変動として表示される。例えば、「本疾患Ａは＊＊＊の検査変動（検査値上昇等）、疾患Ｂ，Ｃは＊＊＊の検査変動（検査値下降等）」との表示が検査動向の欄になされる。この場合、その検査項目の検査結果が第１の検査変動となるか第２の検査変動となるかを確認することにより、該当疾患が指定疾患であるか鑑別疾患であるかを判断することができる。
【０１６９】
したがって、同一検査項目の検査変動を確認することで、指定疾患と似て間違いやすい鑑別疾患とをそれぞれの検査変動により鑑別することができる。また、指定疾患及びその鑑別疾患の疾患名が、それぞれ、複数の検査項目の検査変動中に表示されることとあいまって、複数の検査項目にわたって指定疾患と似て間違いやすい鑑別疾患との間での鑑別作業を行うことができ、鑑別の精度を高めることができる。
【０１７０】
また、このとき、指定疾患と鑑別疾患とが同一の検査変動を呈するときは、これらの疾患については、同一の検査変動が関連付けて表示される。例えば、「本疾患Ａと疾患Ｂ，Ｃとは＊＊＊の検査変動（検査値上昇等）」との表示が検査動向の欄になされる。
【０１７１】
更に、このとき、同一検査項目で、指定疾患を含む１以上の疾患（第１の疾患または第１の疾患群）が第１の検査変動（検査値上昇等）を呈する一方、他の１以上の疾患（第２の疾患または第２の疾患群）が特有の検査変動を呈しない場合（即ち、特異的な検査変動がない場合）、前記第１の検査変動に加えて、他の疾患が特異的な検査変動を呈しない点も表示される。例えば、「本疾患Ａ及び疾患Ｂ，Ｃは＊＊＊の検査変動（検査値上昇等）、疾患Ｄ，Ｅ，Ｆには特異的変動なし。」、または、「本疾患Ａ及び疾患Ｂ，Ｃは＊＊＊の検査変動（検査値上昇等）、その他の疾患（疾患Ａ，Ｂ，Ｃ以外の全ての疾患）には特異的変動なし。」との表示が検査動向の欄になされる。
【０１７２】
このように、指定疾患を含む第１の疾患または第１の疾患群については特異的な第１の検査変動を呈するとの表示をする一方で、指定疾患を含まない第２の疾患または第２の疾患群（或いは、その他の全ての疾患）については特異的な変動がないことを表示することで、指定疾患を含む第１の疾患または第１の疾患群が発病に係る疾患であることを即座に特定することができる。
【０１７３】
逆に、同一検査項目で、本指定疾患を含まない１以上の疾患（第１の疾患または第１の疾患群）が第１の検査変動（検査値上昇等）を呈する一方、本疾患を含む他の１以上の疾患（第２の疾患または第２の疾患群）が特有の検査変動を呈しない場合（即ち、特異的な検査変動がない場合）、前記第１の検査変動に加えて、他の疾患が特異的な検査変動を呈しない点も表示される。例えば、「疾患Ｄ，Ｅ，Ｆは＊＊＊の検査変動（検査値上昇等）、本疾患Ａ及び疾患Ｂ．Ｃには特異的変動なし。」、または、「疾患Ｄ，Ｅ，Ｆは＊＊＊の検査変動（検査値上昇等）、本疾患Ａ及びその他の疾患（疾患Ｅ，Ｄ，Ｒ以外の全ての鑑別疾患）には特異的変動なし。」との表示が検査動向の欄になされる。
【０１７４】
このように、指定疾患を含まない第１の疾患または第１の疾患群については特異的な第１の検査変動を呈するとの表示をする一方で、指定疾患を含む第２の疾患または第２の疾患群（或いは、その他の全ての疾患）については特異的な変動がないことを表示することで、指定疾患が該当疾患でない（診断が間違っており他の疾患が該当疾患である）と推定することができる。
【０１７５】
Ｅｂ２−５）検査変動（固有変動）の種別に応じた表示配置
鑑別検査では、検査配列表に表示される検査項目は、その検査変動の種別に応じて、検査配列表の上から下へと、肯定用検査、全身用検査及び否定用検査の順に並ぶように表示される。
【０１７６】
Ｅｂ２−５−１）肯定用検査（指定疾患の固定固有変動型検査）
まず、検査配列表の一番上から下へと、指定疾患の固定固有変動を確認してその発病を判断するための一連の肯定用検査が表示される。この最初に表示される一連の肯定用検査は固定固有変動型検査からなり、抽出した指定疾患についての固定固有変動を複数項目比較検討できるよう表示される。即ち、指定した疾患についての一連の検査項目名とその固定固有変動とが、検査配列表の上から下へと連続的に列挙表示される。
【０１７７】
したがって、集合化して列挙表示された一連の検査項目の検査変動（指定疾患の固定固有変動）を複数項目比較検討して、指定疾患について確定診断を行うことができる。
【０１７８】
このとき、一つの検査項目について指定疾患の鑑別疾患が同一の検査変動（固定固有変動）を呈するときは、当該検査項目については、当該鑑別疾患が同一の検査変動を呈するものとして検査動向欄に表示される（例えば、「本疾患Ａ及び疾患Ｂ，Ｃは検査値上昇」との表示がされる）。
【０１７９】
また、このとき、同一の検査項目について指定疾患と鑑別疾患とが異なる検査変動（固定固有変動）を呈するときは、当該検査項目については、指定疾患と鑑別疾患とが異なる検査変動を呈するものとして検査動向欄に表示される（例えば、「本疾患Ａは検査値上昇、疾患Ｂ，Ｃ，Ｄ，Ｅは検査値下降」との表示がされる）。
【０１８０】
更に、このとき、同一の検査項目について指定疾患が特異的な検査変動（固定固有変動）を呈する一方で、鑑別疾患が特異的な検査変動（固定固有変動）を呈しないときは、鑑別疾患が特異的な変動を呈しないとの表示がされる（例えば、「本疾患Ａは検査値上昇、その他の疾患では特異的な変動なし」との表示がされる）。
【０１８１】
したがって、集合化して列挙表示された一連の検査項目の検査変動を複数項目比較検討して、本疾患と鑑別疾患とについての鑑別を行うことができる。
【０１８２】
Ｅｂ２−５−２）全身用検査（指定疾患の随伴固有変動型検査）
また、一連の肯定用検査に続いて、指定疾患の随伴固有変動を確認してその発症条件を判断するための一連の全身用検査が上から下へと表示される。この全身用検査は随伴固有変動型検査からなり、指定した疾患についての一連の検査項目名とその随伴固有変動とが、検査配列表の上から下へと連続的に列挙表示される。なお、上記のように、全身用検査には一部固定固有変動型検査もある。
【０１８３】
したがって、集合化して列挙表示された一連の検査項目の検査変動（指定疾患の随伴固有変動）を確認して、指定疾患の発症条件（罹患臓器、固有併発症等）について判断を行うことができる。
【０１８４】
ただし、全身用検査は、上記のように、遺伝子検査や侵襲性の高い検査等が主体となるため、必要性ある場合のみ使用することになる。
【０１８５】
Ｅｂ２−５−３）否定用検査（鑑別疾患の固定固有変動型検査）
更に、一連の全身用検査に続いて、鑑別疾患の固定固有変動を確認してその発病を判断することにより、指定疾患の非発病を判断するための一連の否定用検査が表示される。この一連の否定用検査は固定固有変動型検査からなる。即ち、各鑑別疾患についての検査項目名とその固定固有変動とが、検査配列表の上から下へと連続的に列挙表示される。
【０１８６】
したがって、列挙表示された一連の検査項目の検査変動（鑑別疾患の固定固有変動）を検討して、各鑑別疾患について発病しているか否かを即座に判断することができる（発病している場合は、診断名を是正）。
【０１８７】
このとき、一つの検査項目について複数の鑑別疾患が同一の検査変動（固定固有変動）を呈するときは、当該検査項目については、当該複数の鑑別疾患が同一の検査変動を呈するものとして検査動向欄に表示される（例えば、「疾患Ｂ，Ｃは検査値上昇」との表示がされる）。
【０１８８】
また、このとき、同一の検査項目について複数の鑑別疾患が異なる検査変動（固定固有変動）を呈するときは、当該検査項目については、複数の鑑別疾患が異なる検査変動を呈するものとして検査動向欄に表示される（例えば、「疾患Ｂは検査値上昇、疾患Ｃ，Ｄ，Ｅは検査値下降」との表示がされる）。
【０１８９】
更に、このとき、同一の検査項目について特定の鑑別疾患が特異的な検査変動（固定固有変動）を呈する一方で、指定疾患及び他の鑑別疾患が特異的な検査変動（固定固有変動）を呈しないときは、指定疾患及び他の鑑別疾患が特異的な変動を呈しないとの表示がされる（例えば、「疾患Ｂは検査値上昇、本疾患Ａ及びその他の疾患では特異的な変動なし」との表示がされる）。
【０１９０】
Ｅｂ２−６）検査配列表の例
上記で説明した鑑別検査で表示する検査配列表の代表例を図６に示す。
【０１９１】
なお、上記固有変動表を「検査項目」と「疾患名」と「発症条件」との対比付けで説明すると、図７に示すように、各検査項目について対応する疾患名ごと及び各疾患の発症条件ごとに、それぞれ、特有の固有変動がデータとして存在する三次元構造の表になる。なお、発症条件は、疾患ごとに無数に存在するわけではなく、疾患に応じた種類の（各疾患に固有の）発症条件が存在し、固有の疾患に特異的に近いほど発症しやすい（固有の疾患に特異的に近いほど発症条件の症状が出現しやすい）という性質がある。このように、本固有変動格納手段では、各検査動向について常に疾患ごとの発症条件を考慮して操作するために、「固有変動」を「固定固有変動」と「随伴固有変動」とに区分（二分）して、各検査動向に対応する疾患ごとに関連付けて表現して格納している。即ち、「固定固有変動」とは、原疾患（一疾患名）で特異的に変動する（常に変動する）固有変動のことをいう。「随伴固有変動」とは、原疾患の発症条件に応じて、即ち、発症条件が発生してはじめて変動する固有変動のことをいう。このように、本システムは、固有変動表を応用することで、各種症候検査・鑑別検査として関連しうる全ての検査動向の表示（立方体のデータ構造）が可能となり、従来の医学書等を参照した孫引き操作が不要となり、また、複数項目比較検討項目の表示も可能となる（関与する固定固有変動にチェックを入れて検査配列表の先頭に表示する）。更に、定型検査の組立、統括表を使った７種検索（全疾患・全検査項目に関する固定固有変動の検索）等の電算処理が可能となる。
【０１９２】
３．発明の要旨
１）発明の特徴及び特有の作用効果
上記のように、本件発明に係る臨床診断支援システムは、従来の臨床診断支援システムでは疾患ごとの診断が主目的であるのに対して、随伴固有変動、発症条件、結合疾患名、固有変動表、検査配列表、複数項目比較検討、症候検査、鑑別検査、定型検査、症候群マスタファイル、臨床マスタファイル等、過去の臨床診断支援システムに使用されたことのない数々の新規な構成を採用している。要するに、本発明に係る臨床診断支援システムは、その要旨として、下記の特徴Ａ〜Ｄを備え、これにより、特有の効果Ｅを発揮する。
【０１９３】
Ａ：固有変動表
固有変動表は、各疾患に対して、その疾患自体の発病を確認するための検査項目である固定固有変動型検査の検査項目名とその検査変動（検査結果の変動内容）である固定固有変動を関連付けて格納することに加え、その疾患の発症条件を確認するための検査項目である（従来はその疾患自体の同定用には使用されていない）随伴固有変動型検査の検査項目名とその検査変動である随伴固有変動をも当該疾患に関連付けて格納する。なお、固定固有変動及び随伴固有変動は、いずれも、対応する検査項目の検査結果の変動内容を最小単位となるよう細分化して表現したものである。
【０１９４】
Ｂ：検査配列表
検査配列表は、各疾患について当該疾患に関連付けた全ての固定固有変動型検査の検査項目名及び全ての随伴固有変動型検査の検査項目名を当該疾患と対応付けて順に表示すると共に、各固定固有変動型検査の検査項目名にその固定固有変動を関連付けて表示し、かつ、各随伴固有変動型検査の検査項目名にその随伴固有変動を関連付けて表示する。なお、検査配列表は、当該疾患に関連付けた固有変動表の固有変動をそのまま抽出して表示するのではなく、当該疾患に関連付けた固有変動表の固有変動を集約して表現した一連の固有変動（集約化固有変動）を格納する臨床マスタから当該疾患の集約化固有変動を抽出して表示する。
【０１９５】
Ｃ：結合疾患名による検査・疾患・発症条件の三次元データ構造の二次元化
このとき、検査配列表は、随伴固有変動には該当する疾患名とその発症条件とを表す結合疾患名を関連付けて表示し、固定固有変動には該当する疾患名のみ（発症条件のない結合疾患名）を関連付けて表示する。
【０１９６】
Ｄ：複数項目比較検討
また、このとき、検査配列表は、一疾患について少なくとも２以上の固定固有変動を抽出して表示することで、一疾患について２以上の固定固有変動を相互に比較検討して診断すること（複数項目比較検討）を可能とする。
【０１９７】
Ｅ：特有の効果
上記Ａ〜Ｄの構成により、疾患自体の確認用としては従来は使用されていない（疾患に関連した合併症や罹患臓器の確認等に使用されている）随伴固有変動型検査を、その検査変動である随伴固有変動と共に疾患に関連付けて抽出・表示することができる。その結果、固定固有変動型検査及び随伴固有変動型検査の固定固有変動により疾患名を確定診断することができることに加え、随伴固有変動型検査の随伴固有変動を確認することにより当該疾患の発症条件を確認することができ、確認した発症条件に基づいて当該疾患についての有効な治療法を選択することができる。
特に、上記Ｃの構成により、検査項目・疾患名・発症条件の３要素からなる三次元構造のデータを、疾患名及び発症条件の２要素を一次元化することで二次元構造（表形式）のデータとして固有変動表に格納し、かつ、検査配列表に表示することができる。
【０１９８】
２）特徴のまとめ
従来の臨床検査システムの大半が当初から自動診断を目的としてきたのに対し、本発明では、種々の変動因子をそれ以上分類できない単位まで細分化・単一化したまま、それを再び臨床に合うよう再構築して、医学業務に基本的な電算化応用を導入したものである（保険業務などを含まない）。細分化した変動因子（ＩＤ項目）は、主単位である疾患名（病名ＩＤで一意に識別される）、検査項目（項目ＩＤで一意に識別される）、検査動向乃至固有変動（疾患ごとに異なる変動内容であって、病名ＩＤと項目ＩＤの複合ＩＤで識別される）の３種である。病状変化や検査変化が発症条件ごとに異なるため、発症条件を単位として再分化しており、前記固有変動表による立方体のデータ構造に基づいている。他に、臨床医学で症候検査や鑑別検査など、避けられない診断手法が種々ある症候マスタファイルに症候ＩＤと、後述する統括表の検索用に上下ＩＤ（異常値ＩＤ）を追加している。これら発症条件や固有変動の表現としては、現医療界の記述をそのまま使っているため、本発明は即座に臨床応用可能であるとともに、電算化が望まれる臨床医学の大半が本発明により実現可能となった。電算機械が計算してくるデータの多さと発症条件の細分化・精度などについて誰も経験しておらず、本発明で１０個を超える業務（一般検査、症候検査、見逃検索等）がすべて新規と言っても過言ではない。なお、疾患名が決まることで、望ましい検査組立を診察前から元来決められるため、複数疾患からなる鑑別検査、症候検査でも定型検査の設定が事前に可能であり、本件で初めて定型検査を組むことが出来た。結果的に、臨床業務の極めて広い分野で即座の本件応用が可能であり、予想されなかった価値高い新業務も沢山生まれて、其々が数秒で完了できるなど、医療電算化に広く応用できる新技術に該当する。
【０１９９】
なお、本発明では、後述する統括表の「一般検査ボタン」で扱うのが鑑別検査、「症候検査ボタン」で扱うのが症候検査となっているが、症候検査、鑑別検査ともに、本発明に特異的な定型検査の使用を勧めている。ここで、定型検査とは、其々の検査配列表で「チェック」マークが表示されてくる検査項目に相当する。定型検査だけを実施しておけば、鑑別検査の初回検査でほぼ診断確定、若しくは診断名が修正されて確定する。また、症候検査の定型検査をしておけば、数十疾患もの膨大な候補疾患の中から大半で数疾患に絞ってきて、臨床所見も参考にすれば、診断近い例も少なくない。
【０２００】
また、検査配列表は、随意の疾患・症候に関して、総ての検査項目・該当疾患・発症条件・検査動向が、結合疾患名を使って３次元の内容を保ったまま表現されており、非常に多くの業務を担っている。検査配列表は、図７の立方体（三次元）データ構造の内容をそのまま表化しているため、これまで専門分野の記載に移っては臨床医学に関する追加調査・勉学を行ってきた扇型かつ無限に近い孫引き操作の対象項目が全てこの中に含まれている。従って、孫引き操作が不要となり、代ってひとつの検査配列表内を種々用語で電算検索するだけで直ちに孫引き操作を解決出来ることが可能となった。極めて大きな時間の節約に繋がる。更に、デフォルトで各項目の先頭にチェックマークが表示されている定型検査を行っておけば、一般医・専門医にかかわらず専門医に近い精度で検査がなされ（現医療界を考えると避けられない重要な事項）、５日前後で揃ってくる検査結果の異常値検査動向をみるだけで、その検査動向の欄に診断名と罹患臓器や合併併発症など発症条件まで表示されてくる。即ち、自動診断に近い、若しくはそれ以上の機能を発揮する。また、検査配列表では、肯定検査、否定検査、全身検査の分類が明記され、「肯定」検査が先頭に並んで表示されるので、一般的に「肯定」検査を使って行う複数項目比較検討が容易に可能となり、著名な診断精度や診断速度の向上が期待される。なお、検査変動に「肯定」検査のリストすらないのが医学界の現状である。そして、複数項目比較検討こそ、除外診断も活用することで、現在の非常に少ない特異的検査数に拘わらず全疾患を診断可能にしている根源となっている。なお、診断名の決定だけなら上記肯定検査だけで可能だが、検査配列表内の診断名を検索するだけで、該当疾患のみならず鑑別疾患も含めて固有併発症や罹患臓器名など臨床診断に必要な各種発症条件も同時に判断出来る。以上、検査配列表は過去に全く見られなかった有用な業務の集合からなっている。
【０２０１】
更に、本発明は、統括表による３項目検索、症候検索（見逃検索）、症候検索（複合検索）等の特徴も備えている。即ち、３項目検索では、固定固有変動のうち頻用する検査項目だけでＩＤ（上下ＩＤ）を使って該当疾患の抽出を行う。固定固有変動だけを扱うため、発症条件で出現するような疾患を含まず、曖昧検出としての診断名検出がないのを特徴とする。臨床で渇望される検索であるとともに、固定固有変動を使って初めて可能となる機構のため、類比をみない厳密な機構になっている。なお、単疾患、関連疾患、限定疾患は、それぞれ３条件のうち、１、２、３条件を満たす疾患を対象とする。また、統括表による症候検索（見逃検索、統括表の上段欄のみ使用）では、本発明で使う症候のうち、生化学検査だけでは検出できず、結果的に簡単な検査だけでは見落とし易くなる疾患を検出する（当初から種々条件を考え十分な内容で開始すべき検査）。更に、統括表による症候検索（実施検索、統括表の上段欄・下段欄使用）では、本発明で使う症候のうち、上記３項目検索で使った上下ＩＤが異常値をとる疾患を検出する（主症状の主な異常検査値から診断名を予想するのは臨床で渇望されるが、それを可能とする検索）。以上、統括表の表示は、本件で二次的に新しく発生した極めて有用な業務。本件の電算化の利点を活用できる業務であり、後記する実施例の説明で詳述する。
【０２０２】
４．具体的構成
次に、上記の特徴を有する本システムの具体的構成について説明する。
［全体構成］
本臨床診断支援システムでは、上記のように、全ての固有変動を格納した固有変動表に基づき臨床マスタファイルを作成し、この臨床マスタファイルを基幹ファイルとして、更に、検査項目マスタファイル、症候マスタファイル、病名マスタファイル、疾患群マスタファイル、鑑別疾患マスタファイルを使用し、後述するコンピュータによる処理手順により、最終的に、臨床診断に必要かつ十分な医療情報としての固有変動情報を体型的に表示する検査配列表を加工して画面表示する。かかる臨床診断支援システムの概略的な全体構成を、図4及び図５に基づいて説明する。図４は本臨床診断支援システムによる症候検査処理用の各機能実現手段の全体構成を示し、図５は本臨床診断支援システムによる一般検査処理用の各機能実現手段の全体構成を示す。なお、下記各手段（機能実現手段）は、パーソナルコンピュータ（ＰＣ）等のコンピュータ装置のハードウエア（ＣＰＵ，ＲＯＭ，ＲＡＭ，ＨＤＤ等）を使用してその機能を実現し、各種処理（手順）をコンピュータに実行させる。
【０２０３】
図８及び図９に示すように、臨床診断支援システムは、医療情報管理手段１０を備えている。医療情報管理手段１０は、前記固有変動表に対応する固有変動マスタファイル１１、前記臨床マスタファイルに対応する臨床マスタファイル１２、前記検査項目マスタファイルに対応する検査項目マスタファイル１３、前記症候マスタファイルに対応する症候マスタファイル１４、前記病名マスタファイルに対応する病名マスタファイル１５、前記疾患群マスタファイルに対応する疾患群マスタファイル１６、前記鑑別疾患マスタファイルに対応する鑑別疾患マスタファイル１７を備えている。固有変動マスタファイル１１及び／または臨床マスタファイル１２は本発明の固有変動格納手段を構成し、検査項目マスタファイル１３は本発明の検査項目格納手段を構成し、症候マスタファイル１４は本発明の症候格納手段を構成し、病名マスタファイル１５は本発明の病名格納手段を構成し、疾患群マスタファイル１６はホン発明の疾患群格納手段を構成し、鑑別疾患マスタファイル１７は本発明の鑑別疾患格納手段を構成する。臨床診断支援システムは、更に、固有変動マスタファイル１１に各検査項目について疾患ごと及びその発症条件ごとに固有変動を登録・編集・削除するための機能を実現する固有変動登録・編集手段２１を備えている。固有変動マスタファイル１１に対して、特定の検査項目について追加・削除・修正すべき固定固有変動や随伴固有変動がある場合、固有変動登録・編集手段２１により、対応する検査項目の固有変動データを追加登録・削除・修正することができる。また、臨床診断支援システムは、更に、医療情報登録・編集手段２２を備えている。前記検査項目マスタファイル１３、症候マスタファイル１４、病名マスタファイル１５、疾患群マスタファイル１６及び鑑別疾患マスタファイル１７の各々について、追加・削除・修正すべきデータ（検査項目、症候、病名等）がある場合、医療情報登録・編集手段２２により、対応するデータを追加登録・削除・修正することができる。ここで、臨床マスタファイル１２の各データは、固有変動マスタファイル１１の対応するデータを参照して抽出・格納されるが、このとき、検査項目や病名に追加・削除・修正があった場合、検査項目マスタファイル１３や病名マスタファイル１５を参照して、対応する検査項目や病名を自動的に追加・削除・修正するプログラムを追加してもよい。こうすると、各マスタファイル間でのデータの整合性をとることができる。
【０２０４】
更に、臨床診断支援システムは、症候検査用の症候対応候補疾患抽出手段３１、症候検査用の症候概要説明抽出手段３２、症候検査及び一般検査用の検査動向抽出手段３３を備えている。症候対応候補疾患抽出手段３１は、操作画面に表示した図示しない症候指定手段により、ある症候が指定されたときに、疾患群マスタファイル１６を参照し、指定された症候に関連付けた全ての候補疾患を前記疾患群マスタファイル１６（または病名マスタファイル１５）から抽出して取得し、候補疾患ファイル３１ａに格納する。このとき、症候概要説明抽出手段３２が、症候マスタファイル１４（または疾患群マスタファイル１６）を参照し、指定された症候に関連付けた症候概要説明を症候マスタファイル１４（または疾患群マスタファイル１６）から抽出して取得し、疾患概要説明ファイル３２ａに格納する。また、このとき、検査動向抽出手段３３が、臨床マスタファイル１２を参照し、候補疾患の各々が関連付けられた全ての検査項目の検査動向（固定固有変動及び随伴固有変動）を臨床マスタファイル１２から抽出して取得し、検査動向ファイル３３ａに格納する。なお、このとき、検査動向抽出手段３３が、固有変動マスタファイル１１を参照し、候補疾患の各々が関連付けられた全ての検査項目の検査動向（固定固有変動及び随伴固有変動）を固有変動マスタファイル１１から抽出して取得し、検査動向ファイル３３ａに格納するようにすることも可能である。なお、このとき、指定された症候の症候ＩＤ及び候補疾患の病名ＩＤに基づき、抽出した候補疾患と症候概要説明と検査動向との間で照合処理を行ない、エラーチェックを行うこともできる。
【０２０５】
また、臨床診断支援システムは、検査格納手段としての検査保管表４１及び病名格納手段としての病名保管表４２を備えている。操作画面に表示した図示しない保管検査指定手段により、前記検査動向ファイル３３ａに格納した検査項目のうち、保管対象として１以上の検査項目が指定されたときに、検査動向抽出手段３３が指定された検査項目を検査保管表４１に出力して格納する。また、操作画面に表示した図示しない保管病名指定手段により、前記候補疾患ファイル３１ａに格納した候補疾患のうち、保管対象として１以上の病名が指定されたときに、症候対応候補疾患抽出手段３１が指定された病名を病名保管表４２に出力して格納する。
【０２０６】
また、臨床診断支援システムは、医療情報画面加工表示手段５０を備えている。医療情報画面加工表示手段５０は、症候検査用に、候補疾患リスト加工表示手段５１、症候概要説明加工表示手段５２、検査配列表加工表示手段５３を備えている。候補疾患リスト加工表示手段５１は、ある症候が指定されたときに、前記候補疾患ファイル３１ａに格納された候補疾患を全て取得し、リスト表示形式に加工して、その候補疾患リストをモニタ画面６０の所定領域に候補疾患リスト６１として表示する。また、症候概要説明加工表示手段５２は、ある症候が指定されたときに、前記疾患概要説明ファイル３２ａに格納された疾患概要説明を取得し、モニタ画面６０の所定領域に疾患概要説明６２として表示する。検査配列表加工表示手段５３は、ある症候が指定されたときに、前記検査動向ファイル３３ａに格納された検査項目と対応する疾患及び発症条件ごとの固有変動とを取得し、モニタ画面６０の所定領域に症候検査用の検査配列表６３として表示する。
【０２０７】
また、臨床診断支援システムは、前記検査動向抽出手段３３に加え、一般検査用の疾患対応鑑別疾患抽出手段３４、一般検査用の疾患概要説明抽出手段３５を備えている。疾患対応鑑別疾患抽出手段３４は、操作画面に表示した図示しない疾患指定手段により、ある疾患が指定されたときに、鑑別疾患マスタファイル１７を参照し、指定された疾患に関連付けた全ての鑑別疾患を前記鑑別疾患マスタファイル１７から抽出して取得し、鑑別疾患ファイル３４ａに格納する。このとき、疾患概要説明抽出手段３２が、病名マスタファイル１５を参照し、指定された疾患に関連付けた疾患概要説明を病名マスタファイル１５から抽出して取得し、疾患概要説明ファイル３５ａに格納する。また、このとき、検査動向抽出手段３３が、臨床マスタファイル１２を参照し、指定した疾患及び抽出した鑑別疾患の各々（鑑別疾患群の各疾患）が関連付けられた全ての検査項目の検査動向（固定固有変動及び随伴固有変動）を臨床マスタファイル１２から抽出して取得し、検査動向ファイル３３ａに格納する。なお、上記症候検査の場合と同様、固有変動マスタファイル１１を参照してデータを取得し、検査動向ファイル３３ａに格納するようにすることも可能である。なお、このとき、指定された疾患の病名ＩＤ及び鑑別疾患の病名ＩＤに基づき、指定疾患及び抽出した鑑別疾患と疾患概要説明と検査動向との間で照合処理を行ない、エラーチェックを行うこともできる。また、このとき、上記症候検査の場合と同様、指定された検査項目を検査保管表４１に出力して格納したり指定された病名を病名保管表４２に出力して格納することもできる。
【０２０８】
また、医療情報画面加工表示手段５０は、一般検査用に、前記検査配列表加工表示手段５３に加え、鑑別疾患リスト加工表示手段５４及び疾患概要説明加工表示手段５５を備えている。鑑別疾患リスト加工表示手段５４は、ある疾患が指定されたときに、前記鑑別疾患ファイル３４ａに格納された鑑別疾患を全て取得し、指定疾患と対比する形式でリスト表示形式に加工して、その鑑別疾患リストをモニタ画面６０の所定領域に鑑別疾患リスト６４として表示する。また、疾患概要説明加工表示手段５５は、ある疾患が指定されたときに、前記疾患概要説明ファイル３２ａに格納された疾患概要説明を取得し、モニタ画面６０の所定領域に疾患概要説明６５として表示する。検査配列表加工表示手段５３は、ある疾患が指定されたときに、前記検査動向ファイル３３ａに格納された検査項目と対応する疾患（指定疾患及び鑑別疾患）及び発症条件ごとの固有変動とを取得し、モニタ画面６０の所定領域に一般検査用の検査配列表６３として表示する。
【０２０９】
［症候検査］
症候検査の場合、上記のように、固有変動マスタファイル１１または臨床マスタファイル１２から、指定された症候に関連付けた全ての候補疾患ごとに、関連付けた各検査項目の固定固有変動及び随伴固有変動を全て抽出するが、このとき、当該一群の候補疾患群のについての固有変動表が（上記したとおり図７に示すような立方体のデータ構造で）作成され、検査動向ファイル３３ａに格納されることになる。そして、この検査動向ファイル３３ａに基づき作成した検査配列表６３は、検査動向抽出手段３３が臨床マスタファイル１２から固有変動データを取得する場合は、図５に示すようなものとなる。
【０２１０】
［一般検査］
一般検査の場合、上記のように、固有変動マスタファイル１１または臨床マスタファイル１２から、指定された疾患及び同疾患に関連付けた全ての鑑別疾患ごとに、関連付けた各検査項目の固定固有変動及び随伴固有変動を全て抽出するが、このとき、当該一群の鑑別疾患群についての固有変動表が作成され、検査動向ファイル３３ａに格納されることになる。そして、この検査動向ファイル３３ａに基づき作成した検査配列表６３は、検査動向抽出手段３３が臨床マスタファイル１２から固有変動データを取得する場合は、図６に示すようなものとなる。ここで、この検査配列表６３に表示されるデータ項目「種類」（「肯定用」、「否定用」、「全身用」）は、固有変動マスタファイル１１及び臨床マスタファイル１２に追加のデータ項目として各検査項目に関連付けて格納することにより、検査配列表６３に各検査に対応付けて表示することができる。なお、「肯定用」とは、当該検査項目の固有変動が確認できれば当該固有変動に対応する疾患や発症条件の存在が肯定できるものをいい、「否定用」とは、当該検査項目の固有変動が確認できれば当該固有変動に対応する疾患の存在が否定できるものをいう。また、「全身用」とは、前記肯定用検査項目及び否定用検査項目以外の検査項目であり、患者の全身状態を観察（チェック）するための検査項目である。また、該当する全ての疾患の動向を表示する建前から、「本症に特異的事項なし」や「その他の鑑別疾患に特異的事項なし」等の内容が原則的に全ての項目に記載されている。なお、「特異的事項なし」とは、検査結果がほぼ変動しないことをいう。
【０２１１】
上記のように、検査配列表６３によれば、一般検査の場合には、指定疾患とその鑑別疾患群についての固有変動を、指定疾患を中心として、検査項目及び同じタイプ（発症条件等）の固有変動ごとにまとめて体系的に一覧表示する。特に、一般検査の場合、指定疾患と鑑別疾患とが、検査項目ごとに、互いの固有変動（固定固有変動及び随伴固有変動）を対比する表示態様で、検査配列表６３に表示される。
【０２１２】
［検索手段］
本臨床診断支援システムは、更に、図示しない検索手段を備えている。上記症候検査及び一般検査のいずれでも、検索手段によって所望の疾患名を指定することにより、検査配列表６３内の所望の疾患及びその固有変動を検索して抽出・表示することができる。これにより、複数項目比較検討を行う際に、検索手段により検査配列表６３中の特定の疾患名を指定して検索することで、関連する全ての疾患名や検査項目の内容（固有変動等）を短時間で確認したり、指定した疾患に関連する複数の固有変動を一覧表示等によりまとめて確認することができ、特定の疾患を診断するための検査配列表６３を利用した複数項目比較検討を簡単に行うことができる。
【０２１３】
［検査配列表と症候・疾患概要説明］
また、検査配列表６３は、検査項目ごとに発症条件別の結合疾患名や其の固有変動を表示して、複数項目比較検討等による確定診断に必要な情報を表示するが、ユーザーが確認したい疾患情報について、ユーザーに対してより詳細で理解容易な情報を提供すべく、固有併発症、固有の罹患臓器の種類、発症時点から末期までの経緯等の情報を、疾患や症候ごとに検査配列表６３の近傍（上方位置等）に疾患概要説明６５または症候概要説明６２として表示する。これにより、ユーザーが、確認したい疾患について、検査配列表６３による検査項目の種類や検査動向（疾患の固有変動）と共に、同疾患概要説明６５または症候概要説明６２による追加情報を合わせて確認することができ、当該疾患についての医療情報の全容を容易に想定することができる。
【実施例】
【０２１４】
次に、上記構成を備える臨床診断支援システムをより具体的に構成して実施する場合の一実施例について説明する。
１．ユーザーインターフェース（ＧＵＩ）を参照した処理の説明
図１０乃至図１３は、本発明の一実施例に係る臨床診断支援システムのユーザインタフェースを使用して、各種検査及び各種検索を行った場合の画面構成を示す。図１０〜図１３に示すように、本実施例の臨床診断支援システムとしての医療情報データベース装置（以下、単に「医療情報ＤＢ」と表記することがある。）は、ユーザーが、グラフィカルユーザインタフェース（ＧＵＩ）を使用して、必要な項目を段階的に選択するだけで、コンピュータに所望の医療情報の提供処理を実行させるようになっている。ここで、本医療情報ＤＢは、図示はしないが、通常のコンピュータ用アプリケーションシステムやデータベースシステムと同様、パーソナルコンピュータ等のコンピュータ装置のハードウエア（ＣＰＵ，ＲＯＭ，ＲＡＭ，ＨＤＤ等）を各種機能実現手段（ウインドウ内のイベント駆動ボタン等に対応するロジック事項手段等）として各種機能を実現させ、後述する各種処理（処理）をコンピュータに実行させる。即ち、医療情報ＤＢは、通常は、後述する処理用のソフトウエアプログラム（アプリケーションプログラム）を実装したデータベースシステムとして、コンピュータ装置のハードディスク（ＨＤＤ）等の外部記憶装置に格納され、使用時に外部記憶装置から呼出すことにより、ＣＰＵ，ＲＡＭ等のハードウエアを利用して各種機能実現手段により対応する各種機能を実現する。無論、本医療情報ＤＢの機能の一部を、ソフトウエアプログラムとしてではなくハードウエアロジックにより実現することも可能である。
【０２１５】
１）統括表
詳細には、本医療情報ＤＢを起動した操作画面では、まず、図１０に示す各種ウインドウのうち、統括表ウインドウ１１０のみが最初に画面表示される。統括表ウインドウ１１０は、一般検査ボタン１１１、症候検査ボタン１１２、上下３段に配置されたプルダウンメニューからなる第１乃至第３の異常値選択ボックス１１３〜１１５、単疾患ボタン１１６、関連疾患ボタン１１７、限定疾患ボタン１１８、プルダウンメニューからなる症候選択ボックス１１９、プルダウンメニューからなる異常値選択ボックス１２０、実施ボタン１２１、見逃ボタン１２２、用語入力ボックス１２３、実施ボタン１２４、病名入力ボックス１２５、検索ボタン１２６、消去ボタン１２７及び中止ボタン１２８を上から順に配置している。統括表ウインドウ１１０は、以下に述べるように、病名分類や症候分類からの病名や検査項目の検査、異常値（＝異常検査値）や症侯からの病名や検査項目の検索等、種々の検査や検索に使用され、常時画面表示されている。
【０２１６】
２）一般検査処理時ウインドウ（画面構成）
図１０は本実施例の医療情報ＤＢによる一般検査処理時の画面構成を示す。なお、以降で述べる各処理の詳細については、フローチャート及びデータ構造と共に後述する。まず、図１０に示すように、統括表ウインドウ１１０の一般検査ボタン１１１をクリック等して選択実行することにより、一般検査処理（上記鑑別検査の処理）が実行される。なお、図１０は、一般検査ボタン１１１をクリックした状態を示す。一般検査処理では、まず、病名分類情報提供処理が実行され、病名分類ウインドウ１３０が画面表示される。病名分類ウインドウ１３０は、病名分類の全てを（固有変動表、臨床マスタファイル等の対応マスタファイルから）データ抽出して病名分類表１３１内に列挙してリスト表示するものである。病名分類とは、病名の大まかな分類をいい、例えば、呼吸器、循環器、血液疾患等の分類がある。次に、病名分類ウインドウ１３０の病名分類表１３１内の各行はクリック等により選択実行自在となっており、選択実行自在であることを示すために特定の異色（例えば黄色）で塗りつぶし表示されている（図中では斜線表示）。そして、病名分類ウインドウ１３０の病名分類表１３１内のいずれかの行（いずれかの病名分類）をクリック等して選択実行することにより、病名目次情報提供処理が実行され、病名目次ウインドウ１４０が画面表示される。なお、図１０では、病名分類表１３１の特定の病名分類である「全身」をクリックした状態を示す。病名目次ウインドウ１４０は、病名分類表１３１で選択した病名分類に属する全ての病名を（固有変動表、臨床マスタファイル等の対応マスタファイルから）データ抽出して病名目次としての病名一覧表１４１内に列挙してリスト表示するものである。図１０は、病名分類表１３１で「全身」を選択した場合に、病名一覧表１４１に対応する病名（「糖原病」等）がリスト表示された状態を示す。
【０２１７】
次に、病名目次ウインドウ１４０の病名一覧表１４１内の各行はクリック等により選択実行自在となっており、選択実行自在であることを示すために特定の異色（例えば黄色）で塗りつぶし表示されている（図中では斜線表示）。そして、病名目次ウインドウ１４０の病名一覧表１４１内のいずれかの行（いずれかの病名）をクリック等して選択実行することにより、検査項目情報の提供処理（検査目次情報の提供処理及び検査概要情報の提供処理）、疾患概要情報の提供処理及び鑑別疾患情報の提供処理（鑑別病名目次情報の提供処理及び鑑別疾患概要情報の提供処理）が実行される。即ち、図１０に示すように、病名目次ウインドウ１４０の病名一覧表１４１内のいずれかの病名を選択実行することにより、検査配列表ウインドウ１５０、疾患概要ウインドウ１６０及び鑑別疾患目次ウインドウ１７０が同時に画面表示される。検査配列表ウインドウ１５０は、検査項目欄１５１、検査動向表示欄１５２及びチェック欄１５３を表形式で表示するものである。検査項目欄１５１は、病名一覧表１４１で選択した病名に対応する（当該病名の疾患について使用される全ての）検査項目を（固有変動表、臨床マスタファイル等の対応マスタファイルから）データ抽出して列挙してリスト表示する。また、検査動向表示欄１５２は、左欄の検査項目欄１５１の検査項目に対応して、その検査動向の説明文をそれぞれ（固有変動表、臨床マスタファイル等の対応マスタファイルから）データ抽出して列挙してリスト表示する。即ち、検査配列表ウインドウ１５０は、１疾患ごとに有意義な検査の種類とその検査動向を、検査項目ごとの表にしたものである。そして、検査配列表ウインドウ１５０は、基本的に、疾患を鑑別疾患（≒相似疾患）と対比しながら記載しており、後述する対応データ構造とともに、本医療情報ＤＢにおける基幹的構成要素である。なお、図１０では、病名一覧表１４１の特定の病名である「糖原病」をクリックした状態を示す。チェック欄１５４には、それぞれ、チェックボックスが配置され、チェックボックスにチェックを入れたり外したりすることにより、右欄の検査項目欄１５１の対応する検査項目について後述する保存処理の対象とするか否かを選択できるようになっている。なお、初期設定（デフォルト）では、検査項目欄１５１には、病名ウインドウ１４０から選択した病名ごとに、固有の複数の検査項目がリスト表示され、当該検査項目のうち後述する初動検査項目（前述の定型検査に相当）となる検査項目について、チェック欄１５３のチェックボックスに予めチェックが入れられている。また、ユーザーは、チェック欄１５３のチェックボックスのチェックを、初動検査項目のチェックを含めて自由に入れたり外したりすることができるようになっている。図１０は、病名一覧表１４１で「糖原病」を選択した場合に、検査項目欄１５１に、当該「糖原病」の検査で使用可能な全ての検査項目（「＊ＣＢＣ」等）をリスト表示し、検査動向表示欄１５２には、それらの検査動向の説明文をそれぞれ表示した状態を示す。このとき、初動検査項目（＊ＣＢＣ」等）に対応するチェック欄１５３のチェックボックスは予めチェックされている。
【０２１８】
ここで、検査配列表ウインドウ１５０の検査項目欄１５１には、前記検査項目のほか、当該検査項目の先頭（左側）に、検査種別を示す３種類の種別記号のいずれかが付加して表示される。即ち、本医療情報ＤＢは、検査項目を、肯定用検査項目、否定用検査項目及び精査用検査項目（前述の全身用検査に相当）の３種類の検査項目に分類して格納している。肯定用検査項目は、当該検査項目が陽性となったときに、対応する疾患（病名目次ウインドウ１４０で選択した病名の疾患）の存在が肯定される検査項目である。一方、否定用検査項目は、当該検査項目が陽性となったときに、当該検査項目により肯定される疾患の存在が推定され、その結果、検査前の候補疾患（病名目次ウインドウ１４０で選択した病名の疾患）の存在が否定される検査項目である。なお、精査用検査項目は、前記肯定用検査項目及び否定用検査項目以外の検査項目であり、患者の全身状態を観察（チェック）するための検査項目である。この精査用検査は、全ての検査項目の中でも非常に重要な検査項目を含んでいる。即ち、精査用検査項目には、候補疾患を主に各鑑別疾患と区別するために汎用されて、高額かつ検査価値の高い検査が多く含まれている。例えば、前記特異的検査としての特異的血液検査以外に、画像検査、生理学的検査、病理学的検査、細菌検査、内視鏡検査、アイソトープ検査等が精査用検査に相当する。また、同一疾患でも、亜型や状況によって検査値が種々に変動するため、病状に応じての必要検査も精査用検査に含まれている。そして、本医療情報ＤＢは、検査項目の種別記号として、図１０に示すように、肯定用検査項目には「＊（花丸印状の記号）」を、否定用検査項目には「−（太字のマイナス記号）」を付加すると共に、精査用検査項目には空白（スペース）記号を付加している（即ち、表示上は何も付加しない）。なお、検査配列表ウインドウ１５０の検査項目欄１５１等の上端には、当該マークの説明文（・・・「＊」は肯定用、「−」は否定用、「  」は本疾患による精査用・・・）を表示する表示欄が配置されている。
【０２１９】
検査配列表ウインドウ１５０の下端部には、チェック解除ボタン１５４及び保存ボタン１５５が配置されている。チェック解除ボタン１５４をクリック等して選択実行することにより、チェック欄１５３内のチェックボックスのチェックが全て解除される（外される）ようになっている。また、チェック欄１５３の各チェックボックスのマウス等により選択して個別にチェックを入れたり外したりすることもできるようになっている。
【０２２０】
疾患概要ウインドウ１６０は、前記疾患概要情報の提供処理が実行されたときに、病名目次ウインドウ１４０の近傍の側方（右側等）に画面表示され、病名表示欄１６１及び疾患概要表示欄１６２を上下に配置して表示するものである。このとき、病名表示欄１６１は、選択された病名を（固有変動表、臨床マスタファイル、病名マスタファイル（図示略）等の対応マスタファイルから）データ抽出して表示する。また、疾患概要表示欄１６２は、病名表示欄１６１に表示した病名の疾患概要を（病名マスタファイル（図示略）等、疾患にその疾患固有の医学書記載事項（疾患概要）を関連付けて格納した対応マスタファイルから）データ抽出して表示するようになっている。疾患概要は、疾患の病状を説明したもので、一般の医学書に記載される疾患概要に相当する。図１０は、病名一覧表１４１で「糖原病」を選択した場合に、病名表示欄１６１に同病名が、疾患概要表示欄１６２にその疾患概要の説明文が表示された状態を示す。更に、疾患概要ウインドウ１６０の上端部には、病名メモボタン１６３が配置されている。鑑別疾患目次ウインドウ１７０は、前記病名目次ウインドウ１５０の病名一覧表１５１で任意の病名を選択したときに、前記鑑別疾患情報の提供処理が実行されて、病名目次ウインドウ１４０の近傍下方に画面表示されるものである。このとき、鑑別疾患目次ウインドウ１７０は、病名一覧表１４１で選択した病名に関連する（同一鑑別疾患群に属する）全ての鑑別病名を（鑑別マスタファイル等の対応マスタファイルから）データ抽出して鑑別病名一覧表１７１内に列挙してリスト表示する。即ち、鑑別疾患目次ウインドウ１７０は、病名目次ウインドウ１４０で１疾患を選択するたびに、似て間違いやすい疾患を一覧表として表示する。図１０は、病名一覧表１４１で「糖原病」を選択した場合に、鑑別病名一覧表１７１内に当該疾患の鑑別疾患（「インスリン産生腫瘍」等）が表示された状態を示す。
【０２２１】
次に、検査配列表ウインドウ１５０の検査項目欄１５１内の各行はクリック等により選択実行自在となっており、選択実行自在であることを示すために特定の異色（例えば黄色）で塗りつぶし表示されている（図中では斜線表示）。そして、図１０に示すように、検査配列表ウインドウ１５０の検査項目欄１５１のいずれかの行（いずれかの検査項目）をクリック等して選択実行することにより、前記検査概要情報の提供処理が実行されて、検査配列表ウインドウ１５０の近傍（例えば右側）に検査概要ウインドウ１８０が画面表示される。検査概要ウインドウ１８０は、検査項目表示欄１８１及び検査概要表示欄１８２を上下に配置して表示するものである。このとき、検査項目表示欄１８１は、（検査マスタファイル（図示略）等、検査項目にその検査項目固有の医学書記載事項（検査概要）を関連付けて格納した対応マスタファイルから、）検査項目欄１５１で選択された検査項目名をデータ抽出して表示すると共に、検査概要表示欄１８２は、当該検査項目表示欄１８１の検査項目名の検査内容の概要（説明文）をデータ抽出して表示するようになっている。即ち、検査概要ウインドウ１８０は、検査配列表ウインドウ１５０のいずれかの検査項目（検査名）をクリック等すると、その検査の目的や対象疾患、検査値の動向等を説明文として表示するものであり、主に、血液検査が対象となる。図１０は、検査項目欄１５１で「Ｃａ」をクリックした状態を示し、検査項目表示欄１８１内に当該検査項目名が、検査概要表示欄１８２にその検査概要の説明文が表示されている。
【０２２２】
また、鑑別疾患目次ウインドウ１７０の鑑別病名一覧表１７１内の各行はクリック等により選択実行自在となっており、選択実行自在であることを示すために特定の異色（例えば黄色）で塗りつぶし表示されている（図中では斜線表示）。そして、図１０に示すように、鑑別疾患目次ウインドウ１７０の鑑別病名一覧表１７１内のいずれかの行（いずれかの鑑別病名）をクリック等して選択実行することにより、鑑別疾患概要ウインドウ１９０が画面表示される。鑑別疾患概要ウインドウ１９０は、前記鑑別疾患概要情報提供処理が実行されたときに、鑑別病名表示欄１９１及び鑑別疾患概要表示欄１９２を上下に配置して表示するものである。このとき、鑑別病名表示欄１９１は、（病名マスタファイル（図示略）等、疾患にその疾患固有の医学書記載事項（疾患概要）を関連付けて格納した対応マスタファイルから、）当該選択に係る鑑別病名（即ち、マスタファイル中の病名）をデータ抽出して表示すると共に、鑑別疾患概要表示欄１９２は、当該鑑別病名表示欄１９１の鑑別病名の鑑別疾患概要（即ち、マスタファイル中の対応する疾患概要）をデータ抽出して表示するようになっている。図１０は、鑑別病名一覧表１９１で「インスリン産生腫瘍」を選択した場合に、鑑別病名表示欄１９１に同病名が、鑑別疾患概要表示欄１９２にその疾患概要の説明文が表示された状態を示す。更に、鑑別疾患概要ウインドウ１９０の上端部には、病名メモボタン１９３が配置されている。このように、鑑別疾患概要ウインドウ１９０は疾患概要ウインドウ１６０と同様の構成である。
【０２２３】
次に、上記のように、前記検査配列表ウインドウ１５０のチェック欄１５３のいずれか１以上のチェックボックスにチェックを入れた図１０の状態で、前記保存ボタン１５５をクリック等して選択実行することにより、検査項目の一時保管処理（検査項目保管処理）が実行され、チェックした検査項目が一時的に対応メモリにデータ保存されると共に、検査保管表ウインドウ２００が画面表示される。このとき、検査保管表ウインドウ２００は、保存された全ての検査項目を対応メモリからデータ抽出し、保管検査項目一覧表２０１に列挙してリスト表示する。また、検査保管表ウインドウ２００は、下端部に消去ボタン２０２を配置している。消去ボタン２０２をクリック等して選択実行することにより、保存検査項目が全てデータ消去されると共に、検査保管表ウインドウ２００が閉じられる。図１０は、「糖原病」についての検査項目のうち、チェック欄５３にチェックが付いている検査項目（通常は初動検査項目）を一時保管し、保管検査項目一覧表２０１に一覧表示した状態を示す。
【０２２４】
一方、図１０に示すように、前記疾患概要ウインドウ１６０の病名メモボタン１６３をクリック等して選択実行することにより、病名の一時保管処理（病名保管処理）が実行され、当該病名が対応メモリにデータ保存されると共に、病名保管表ウインドウ２１０が画面表示される。このとき、病名保管表ウインドウ２１０は、保存された全ての病名を対応メモリからデータ抽出し、保管病名一覧表２１１に列挙してリスト表示する。また、病名保管表ウインドウ２１０は、下端部に消去ウインドウ２１２を配置している。消去ウインドウ２１２をクリック等して選択実行することにより、保存病名が全てデータ消去されると共に、病名保管表ウインドウ２１０が閉じられる。図１０は、疾患概要ウインドウ１６０の「糖原病」及び鑑別疾患概要ウインドウ１９０の「インスリン産生腫瘍」を一時保管し、保管病名一覧表２１１に一覧表示した状態を示す。更に、病名保管表ウインドウ２１０の保管病名一覧表２１１内の各行はクリック等により選択実行自在となっており、選択実行自在であることを示すために特定の異色（例えば黄色）で塗りつぶし表示されている（図中では斜線表示）。そして、病名保管表ウインドウ２１０の保管病名一覧表２１１内のいずれかの行（いずれかの病名）をクリック等して選択実行することにより、前記病名分類ウインドウ１３０、病名目次ウインドウ１４０、検査配列表ウインドウ１５０、疾患概要ウインドウ１６０、鑑別疾患目次ウインドウ１７０、検査概要ウインドウ１８０及び鑑別疾患概要ウインドウ１９０が全て閉じられてそれらの内容がデータ消去され、保管病名一覧表２１１内で選択された病名に対応して、新たに、前記検査項目情報の提供処理、疾患概要情報の提供処理及び鑑別疾患情報の提供処理が実行され、新たに選択した病名に対応した検査配列表ウインドウ１５０、疾患概要ウインドウ１６０及び鑑別疾患目次ウインドウ１７０が同時に画面表示される。
【０２２５】
なお、図１０は、上記各ウインドウを全て画面に表示しているが、上記のとおり、初期画面では統括表１１０のみが表示され、その他のウインドウは上記操作（処理）に応じてその都度表示される。
【０２２６】
一方、図１０の状態から、病名分類表１３０の別の病名分類をクリック等して選択実行すると、それまで表示されていた病名目次ウインドウ１４０以降の全てのウインドウが閉じられる。例えば、図１０の場合、病名分類「全身」について表示された病名目次ウインドウ１４０、検査配列表ウインドウ１５０、疾患概要ウインドウ１６０、鑑別疾患目次ウインドウ１７０、検査概要ウインドウ１８０及び鑑別疾患概要ウインドウ１９０が全て閉じられる。なお、検査保管表ウインドウ２００及び病名保管表ウインドウ２１０は閉じられず、表示継続される。そして、新たに選択した病名分類について、上記と同様の処理により、新たな病名目次ウインドウ１４０が画面表示される。病名分類として新たに「内分泌」をクリックした場合、病名目次ウインドウ１４０には、病名分類「内分泌」に属する全ての病名が一覧表示される。また、病名目次ウインドウ１４０の任意の病名をクリック等して選択実行すると、上記と同様の処理により、選択した病名について、検査配列表ウインドウ１５０、疾患概要ウインドウ１６０及び鑑別疾患目次ウインドウ１７０が同時に画面表示される。例えば、病名目次ウインドウ１４０で病名「成長ホルモン分泌不全症」をクリックした場合、各ウインドウ１５０，１６０，１７０にはその病名に固有の内容が表示される。次に、疾患概要ウインドウ１６０の病名メモボタン１６３を押すと、病名保管表ウインドウ２１０に、新たに、その病名が追加される。
【０２２７】
次に、病名保管表ウインドウ２１０の任意の病名をクリック等して選択実行すると、上記病名目次ウインドウ１４０の病名をクリックしたときと同様の処理により、検査配列表ウインドウ１５０、疾患概要ウインドウ１６０及び鑑別疾患目次ウインドウ１７０が同時に画面表示される。例えば、病名保管表ウインドウ２１０で病名「インスリン産生腫瘍」をクリックした場合、各ウインドウ１５０，１６０，１７０にはその病名に固有の内容が表示される。更に、検査配列表１５０の保存ボタン１５５を押すと、検査保管表ウインドウ２００には、その状態で検査配列表１５０に表示された全検査項目が追加される。更に、検査保管表ウインドウ２００の消去ボタン２０２を押すと、それまでの検査保管表ウインドウ２００の保管内容（保管検査項目）が全て消去され、検査保管表ウインドウ２００も閉じられる。同様に、病名保管表ウインドウ２１０の消去ボタン２１２を押すと、それまでの病名保管表ウインドウ２１０の保管内容（保管病名）が全て消去され、病名保管表ウインドウ２１０も閉じられる。
【０２２８】
３）症候検査処理時ウインドウ（画面構成）
図１１は本実施例の医療情報ＤＢによる症候検査処理時の画面構成を示す。図１１に示すように、統括表ウインドウ１１０の症候検査ボタン１１２をクリック等して選択実行することにより、症候検査処理が実行される。この症候検査処理は、画面に統括表ウインドウ１１０のみが表示される初期状態、前記一般検査処理の各種ウインドウが表示された状態等、任意のタイミングで実行可能である。例えば、図１１に示すように、統括表ウインドウ１１０の症候検査ボタン１１２を選択実行すると、症候検査処理において、まず、症候分類情報提供処理が実行され、統括表ウインドウ１１０を除いて、それまでに表示されていた全てのウインドウ（病名目次ウインドウ１４０、検査保管表ウインドウ１５０等）が閉じられ、図１１に示すように、新たに症候分類ウインドウ２３０が画面表示される。なお、検査保管表ウインドウ２００または病名保管表ウインドウ２１０が表示されている場合は、当該検査保管表ウインドウ２００及び病名保管表ウインドウ２１０は、閉じられることなく表示継続される。症候分類ウインドウ２３０は、症候分類の全てを（症候マスタファイル等の対応マスタファイルから）データ抽出して症候分類表２３１内に列挙して階層的にリスト表示するものである。症候分類は、症候の大まかな分類であり、例えば、意識障害、肝機能異常、貧血等である。また、症候分類ウインドウ２３０は、症候分類として、通常の症候以外に、異常値（特定の検査項目の異常値であって、検査値が上下（上昇または下降）した場合に陽性となるもの）も、対応マスタファイルから抽出して、症候の一つとして列挙して症候分類表２３１にリスト表示する。即ち、本医療情報ＤＢは、異常値も重要な症侯の一つとして、症侯と同様に検査できるようしている。
【０２２９】
次に、症候分類ウインドウ２３０の症候分類表２３１内の各行はクリック等により選択実行自在となっており、選択実行自在であることを示すために特定の異色（例えば黄色）で塗りつぶし表示されている（図中では斜線表示）。そして、図１１に示すように、症候分類ウインドウ２３０の症候分類表２３１内のいずれかの行（いずれかの分類項目）をクリック等して選択実行することにより、症候目次ウインドウ２４０が画面表示される。症候目次ウインドウ２４０は、症候分類一覧表２３１で選択した症候分類の症候が該当する全ての疾患（病名）を（症候群マスタファイル等の対応マスタファイルから）データ抽出して症候病名一覧表２４１内に列挙してリスト表示するものである。ここで、症候病名一覧表２４１は、選択された症候が該当する全ての病名を病名目次としてリスト表示すると共に、それらの病名群の上側（最上行）に当該病名群が属する症候を「［基］症候」として表示する。同様に、症候病名一覧表２４１は、異常値（異常に係る検査項目）についても、選択された異常値が該当する全ての病名を病名目次としてリスト表示すると共に、それらの病名群の上側（最上行）に当該病名群が属する異常値を「［基］異常値」として表示する。即ち、病名一覧表２４１では、１症侯または１異常値を来す病名が一覧表となっており、１症候について平均で数十疾患程度がリスト表示され、１異常値についてはこれよりも多い疾患数がリスト表示される場合も多い。なお、図１１は、症候分類表２３１で「眩暈」を選択した場合に、症候病名一覧表２４１に、選択された症候（［基］症候としての「［基］眩暈」）と当該症候に属する病名群、及び、選択された症候（「眩暈」）の下位の症候（［基］症候としての「［基］低血糖」、「［基］貧血」等）と当該症候に属する病名群とがリスト表示された状態を示す。
【０２３０】
次に、症候目次ウインドウ２４０の症候病名一覧表２４１内の各行はクリック等により選択実行自在となっており、選択実行自在であることを示すために特定の異色（例えば黄色）で塗りつぶし表示されている（図中では斜線表示）。そして、症候目次ウインドウ２４０の症候病名一覧表２４１内のいずれかの行（［基］症候または病名）をクリック等して選択実行することにより、前記病名目次ウインドウ１４０の場合と同様の検査項目情報の提供処理、症候・疾患概要情報の提供処理及び（病名目次ウインドウ１４０の場合と若干異なる）鑑別疾患情報の提供処理が実行され、図１１に示すように、前記検査配列表ウインドウ１５０、疾患概要ウインドウ１６０及び鑑別疾患目次ウインドウ１７０が同時に画面表示される。ここで、症候・疾患概要情報の提供処理は、上記一般検査処理の疾患概要情報の提供処理に対応する処理であり（詳細は後述）、疾患概要ウインドウ１６０を症候目次ウインドウ２４０の近傍の側方（右側等）に画面表示するものである。このとき、症候目次ウインドウ２４０の症候病名一覧表２４１において先頭に［基］の付いた項目である症候または異常値（最上位位置）をクリック等すると、疾患概要ウインドウ１６０の疾患概要表示欄１６２には、当該症候または異常値に関する全疾患（当該症候または異常値の下位に列挙した病名の疾患）の概要や検査注意事項が、（病名マスタファイル、症候マスタファイル等、症候にその症候やその症候に属する疾患群固有の医学書記載事項（疾患概要）を関連付けて格納した対応マスタファイルからデータ抽出して）表示される。また、このとき同時に、疾患概要ウインドウ１６０の下方には、検査配列表ウインドウ１５０が表示されるが、この検査配列表ウインドウ１５０の検査項目欄１５１等には、当該全疾患を考慮した検査項目等が、（臨床マスタファイル等の対応マスタファイルから抽出して）列挙してリスト表示される。また、症候目次ウインドウ２４０の症候病名一覧表２４１において（症候または異常値の下位に列挙した）いずれかの病名をクリックすると、一般検査処理の疾患概要情報の提供処理と同様にして、当該病名用の検査項目が検査配列表ウインドウ１５０に表示され、当該病名の疾患概要が疾患概要ウインドウ１６０に表示され、当該病名の鑑別疾患が鑑別疾患目次ウインドウ１７０に表示される。
【０２３１】
図１１は、症候病名一覧表２４１で「［基］眩暈」を選択した場合に、検査配列表ウインドウ１５０の検査項目欄１５１に対応する検査項目（「ＣＢＣ」等）がリスト表示され、検査動向表示欄１５２に対応する検査動向の説明文が表示された状態を示す。このとき、初動検査項目（「ＣＢＣ」等）に対応するチェック欄１５３のチェックボックスは予めチェックされている。また、図１１は、症候病名一覧表２４１で「［基］眩暈」を選択した場合に、疾患概要ウインドウ１６０の病名表示欄１６１に同症候名が、疾患概要表示欄１６２にその症候についての疾患概要説明が表示された状態を示す。なお、図１１に示すように、症候病名一覧表２４１で「［基］眩暈」等の症候を選択した場合、当該症候「［基］眩暈」の後に列挙される疾患が鑑別疾患に相当するため、鑑別疾患目次ウインドウ１７０には選択肢が表示されず、「上記疾患群」の表示がなされる。次に、上記一般検査処理の場合と同様、前記検査配列表ウインドウ１５０のチェック欄１５３のいずれか１以上のチェックボックスにチェックを入れた状態で、図１１に示すように、保存ボタン１５５をクリック等して選択実行することにより、検査項目の一時保管処理（検査項目保管処理）が実行され、チェックした検査項目が一時的にデータ保存されると共に、検査保管表ウインドウ２００が画面表示される。なお、この他の処理としては、上記一般検査処理の項で説明したように、検査概要ウインドウ１８０の表示処理、病名保管表ウインドウ２１０の表示処理等を実行自在である。
【０２３２】
一方、図１１の状態で、症候分類表２３０の別の症候分類をクリック等して選択実行すると、それまで表示されていた症候目次ウインドウ２４０以降の全てのウインドウが閉じられる。例えば、病名分類「眩暈」について表示された図１１の症候目次ウインドウ２４０、検査配列表ウインドウ１５０、疾患概要ウインドウ１６０及び鑑別疾患目次ウインドウ１７０が全て閉じられる。なお、このとき、検査保管表ウインドウ２００が表示されている場合は、一般検査処理の場合と同様、検査保管表ウインドウ２００は閉じられず、表示継続される。また、病名保管表ウインドウ２１０が表示されている場合も、病名保管表ウインドウ２１０は表示継続される。そして、新たに選択した症候分類について、上記と同様の処理により、新たな症候目次ウインドウ２４０が画面表示される。
【０２３３】
４）３項目検索処理の単疾患検索処理時ウインドウ（画面構成）
本実施例の医療情報ＤＢによる３項目検索処理について説明する。図１２に示すように、第１〜第３の異常値選択ボックス１１３〜１１５で所定の異常値項目をリスト表示（プルダウン表示）されたものからそれぞれ選択し、単疾患ボタン１１６、関連疾患ボタン１１７または限定疾患ボタン１１８のいずれかをクリック等して選択実行することにより、３項目検索処理の単疾患検索処理、関連疾患検索処理または限定疾患検索処理が実行される。この３項目検索処理は、画面に統括表ウインドウ１１０のみが表示される初期状態、前記一般検査処理、症候検査処理等の各種ウインドウが表示された状態であっても、任意のタイミングで実行可能である。なお、第１〜第３の異常値選択ボックス１１３〜１１５に表示される異常値は、所定の検査項目で正常値（または正常値範囲）を超える異常値（上向き矢印「↑」で示す）、正常値（または正常値範囲）未満の異常値（下向き矢印「↓」で示す）、または陽性（プラスマーク「＋」で示す）等の検査異常が確認された検査項目である。そして、３項目検索処理では、一般検査処理、症候検査処理等の各種ウインドウが表示された状態で単疾患ボタン１１６等を選択実行すると、統括表ウインドウ１１０、検査保管表ウインドウ２００及び病名保管表ウインドウ２１０を除き、それまで表示されていた病名目次ウインドウ１４０等が全て閉じられ、新たな病名目次ウインドウ１４０が画面表示される。この新たに表示された病名目次ウインドウ１４０は、選択した３項目の異常値（単疾患検索では３つの異常値のうちの１つ、関連疾患検索では２つ、限定疾患検索では３つ）が該当したときに存在が推定される全ての病名を（臨床マスタファイル等の対応マスタファイルから）データ抽出して病名一覧表１４１内に列挙してリスト表示するものである。図１２は、統括表ウインドウ１１０の第１〜第３の異常値選択ボックス１１３〜１１５で、それぞれ、「ＥＳＲ↑」、「ＴＰ↑」、「Ｃｒ↑」を選択して限定疾患ボタン１１６を押した場合に、これら３項目の全てが該当する場合に存在が推定される疾患（病名）が全て抽出され、病名目次ウインドウ１４０の病名一覧表１４１に、それらの疾患の病名がリスト表示された状態を示す。
【０２３４】
次に、３項目検索処理による病名目次ウインドウ１４０の表示状態、例えば、単疾患検索処理、関連疾患検索処理または限定疾患検索処理の状態で、病名目次ウインドウ１４０の病名一覧表１４１内のいずれかの行（いずれかの病名）をクリック等して選択実行することにより、上記と同様にして、前記検査項目の情報提供処理、疾患概要情報の提供処理及び鑑別疾患情報の提供処理が実行される。例えば、限定疾患検索処理の状態で、病名目次ウインドウ１４０の任意の病名をクリックすると、当該病名に対応する固有内容の前記検査配列表ウインドウ１５０、疾患概要ウインドウ１６０及び鑑別疾患目次ウインドウ１７０が同時に画面表示される。図１２は、限定疾患検索処理の状態で、病名目次ウインドウ１４０の病名一覧表１４１で「多発性骨髄腫（ＭＭ）」を選択した場合に、検査配列表ウインドウ１５０の検査項目欄１５１に対応する検査項目（「＊ＣＢＣ」等）がリスト表示され、検査動向表示欄１５２に対応する検査動向の説明文が表示され、チェック欄１５３に初動検査項目用のチェックが入れられた状態を示す。同様に、図１２は、病名一覧表１４１で「多発性骨髄腫（ＭＭ）」を選択した場合に、疾患概要ウインドウ１６０の病名表示欄１６１に同病名が、疾患概要表示欄１６２にその疾患概要説明が表示された状態を示す。同様に、図１２は、病名一覧表１４１で「多発性骨髄腫（ＭＭ）」を選択した場合に、鑑別疾患目次ウインドウ１７０の鑑別病名一覧表１７１内に当該疾患の鑑別疾患（「悪性腫瘍性高Ｃａ血症」等）が表示された状態を示す。
【０２３５】
なお、上記の例のように、通常、第１〜第３の異常値選択ボックス１１３〜１１５の３項目の異常値を選択し、各ボタン１１６〜１１８を押して３項目検索処理（単疾患検索処理、関連疾患検索処理、限定疾患検索処理）のそれぞれの処理を実行することが好ましいが、１異常値のみ選択して処理を実行してもよく（この場合、単疾患検索処理が可能）、２異常値のみ選択して処理を実行してもよい（この場合、単疾患検索処理及び関連疾患検索処理が可能）。また、第１〜第３の異常値選択ボックス１１３〜１１５の選択肢（異常値）は、全て同一のものである。
【０２３６】
５）用語検索処理時ウインドウ（画面構成）
図１２に示すように、統括表ウインドウ１１０の用語入力ボックス１２３に任意の用語（医学用語）を入力し、実施ボタン１２４をクリック等して選択実行することにより、用語検索処理が実行される。用語検索処理では、用語検索票ウインドウ２５０が新たに画面表示される。用語検索票ウインドウ２５０は、入力した用語を含む疾患概要とその疾患概要を有する病名との組を対応するマスタファイル（病名マスタファイル等）からデータ抽出し、用語欄２５１にその病名を、用語説明欄２５２にその疾患概要を表示するものである。入力した用語を含む疾患概要とその病名との組（レコード）が複数ある場合、全ての組の疾患概要及び病名がデータ抽出される。即ち、用語検索票ウインドウ２５０は、下端部に改ページ部２５３を配置し、改ページ部２５３の次へボタン、戻るボタン、最終ページボタン、トップページボタンのいずれかをクリックすることにより、次ページや前ページを開いたり、最終ページやトップページにジャンプしたりできるようになっている。このように、用語検索処理は、診断業務中に、内容の分らない医学用語の説明を検索する処理である。また、用語検索処理は、上記各処理の途中にかかわらず、任意のタイミングで実行可能な処理である。また、用語検索処理では、用語入力ボックス１２３に入力した用語を含む全疾患の「疾患概要」が用語検索票ウインドウ２５０に表示されるので、同用語検索ウインドウ２５０に対する用語検索を行うことで、当該用語の記載部分を簡単に検索可能である。例えば、図１２の状態では、候補疾患として「多発性骨髄腫（ＭＭ）」を疾患概要ウインドウ１６０に表示して内容を確認しているが、この場合において、使用者が、当該疾患に関連する用語として、「Ｔ細胞」の内容を確認したい場合、統括表ウインドウ１１０の用語入力ボックスに「Ｔ細胞」と入力して実施ボタン１２４を押す。これにより、「Ｔ細胞」という用語を文章中に含む全ての疾患概要とその病名がデータ抽出され、改ページ部２５３を操作することで用語検索票ウインドウ２５０に順次表示される。
【０２３７】
６）症候検索処理の複合検索処理時ウインドウ（画面構成）
本実施例の医療情報ＤＢによる症候検索処理の複合検索処理について説明する。図１３に示すように、統括表ウインドウ１１０の症候選択ボックス１１９で所定の症候（症候分類２３０と同一項目がリスト表示される）を選択すると共に異常値選択ボックス１２０で異常検査項目（３項目検索の異常値と同一項目がリスト表示される）を選択し、実施ボタン１２１をクリック等して選択実行することにより、症候検索処理のうちの一つである複合検索処理が実行される。この複合検索処理は、画面に統括表ウインドウ１１０のみが表示される初期状態、前記一般検査処理、症候検査処理、３項目検索処理等の各種ウインドウが表示された状態であっても、任意のタイミングで実行可能である。そして、複合検索処理では、一般検査処理、症候検査処理、３項目検索処理等の各種ウインドウが表示された状態で実施ボタン１２１を選択実行すると、統括表ウインドウ１１０、検査保管表ウインドウ２００及び病名保管表ウインドウ２１０を除き、それまで表示されていた病名目次ウインドウ１４０等が全て閉じられる。例えば、図１２の状態から、症候選択ボックス１１９で所定の症候を選択すると共に異常値選択ボックス１２０で異常検査項目を選択して実施ボタン１２１を選択実行すると、図１３に示すように、それまで表示されていた病名目次ウインドウ１４０等が全て閉じられ、新たな病名目次ウインドウ１４０が画面表示される。この新たに表示された病名目次ウインドウ１４０は、選択した症候及び異常値の両者（両条件）が該当したときに存在が推定される全ての病名を（臨床マスタファイル等の対応マスタファイルから）データ抽出して病名一覧表１４１内に列挙してリスト表示するものである。図１３は、統括表ウインドウ１１０の症候選択ボックス１１９及び異常値選択ボックス１２０で、それぞれ、「口渇感」及び「Ｋ↓」を選択して実施ボタン１２１を押した場合に、両条件が該当したときに存在が推定される疾患（病名）が全て抽出され、病名目次ウインドウ１４０の病名一覧表１４１に、それらの疾患の病名（「尿細管アシドーシス（ＲＴＡ）」等）がリスト表示された状態を示す。
【０２３８】
次に、複合検索処理による病名目次ウインドウ１４０の表示状態、例えば、図１３の状態で、病名目次ウインドウ１４０の病名一覧表１４１内のいずれかの行（いずれかの病名）をクリック等して選択実行することにより、前記検査項目情報の提供処理、疾患概要情報の提供処理及び鑑別疾患情報の提供処理が実行される。例えば、図１３に示すように、病名目次ウインドウ１４０の任意の病名をクリックすると、当該病名に対応する固有内容の前記検査配列表ウインドウ１５０、疾患概要ウインドウ１６０及び鑑別疾患目次ウインドウ１７０が同時に画面表示される。図１３は、病名目次ウインドウ１４０の病名一覧表１４１で「Ｂａｒｔｔｅｒ症候群」を選択した場合に、検査配列表ウインドウ１５０の検査項目欄１５１に対応する検査項目（「＊Ｎａ・Ｋ」等）がリスト表示され、検査動向表示欄１５２に対応する検査動向の説明文が表示され、チェック欄１５３に初動検査項目用のチェックが入れられた状態を示す。同様に、図１３は、病名一覧表１４１で「Ｂａｒｔｔｅｒ症候群」を選択した場合に、疾患概要ウインドウ１６０の病名表示欄１６１に同病名が、疾患概要表示欄１６２にその疾患概要説明が表示された状態を示す。同様に、図１３は、病名一覧表１４１で「Ｂａｒｔｔｅｒ症候群」を選択した場合に、鑑別疾患目次ウインドウ１７０の鑑別病名一覧表１７１内に当該疾患の鑑別疾患（「原発性アルドステロン症」等）が表示された状態を示す。
【０２３９】
７）症候検索処理の見逃検査処理時ウインドウ（画面構成）
本実施例の医療情報ＤＢによる症候検索処理の見逃検索処理について説明する。統括表ウインドウ１１０の症候選択ボックス１１９で所定の症候を選択し、見逃ボタン１２２をクリック等して選択実行することにより、症候検索処理のうちの一つである見逃検査処理が実行される。なお、見逃検査処理では、異常値選択ボックス１２０での選択は不要である。この見逃検索処理は、画面に統括表ウインドウ１１０のみが表示される初期状態、前記一般検査処理、症候検査処理、３項目検索処理等の各種ウインドウが表示された状態であっても、任意のタイミングで実行可能である。そして、見逃検索処理では、一般検査処理、症候検査処理、３項目検索処理等の各種ウインドウが表示された状態で実施ボタン１２１を選択実行すると、統括表ウインドウ１１０、検査保管表ウインドウ２００及び病名保管表ウインドウ２１０を除き、それまで表示されていた病名目次ウインドウ１４０等が全て閉じられる。例えば、図１３の状態から、症候選択ボックス１１９で所定の症候を選択して見逃ボタン１２２を選択実行すると、それまで表示されていた病名目次ウインドウ１４０等が全て閉じられ、新たな病名目次ウインドウ１４０が画面表示される。この新たに表示された病名目次ウインドウ１４０は、選択した症候が該当した場合において生化学検査に異常を認めないときに「異常なし」と判断されやすい（見逃されやすい）全ての疾患（病名）を（臨床マスタファイル等の対応マスタファイルから）データ抽出して病名一覧表１４１内に列挙してリスト表示するものである。例えば、統括表ウインドウ１１０の症候選択ボックス１１９で「口渇感」を選択して見逃ボタン１２１を押した場合に、当該症候に該当し、かつ、当該症候に関して汎用される検査（本書類中では「汎用検査」と称するが、詳細は見逃検索処理の項で詳述）で異常値が出ない場合に存在が推測される（見逃す可能性がある）疾患（病名）が全て抽出され、病名目次ウインドウ１４０の病名一覧表１４１に、それらの疾患の病名（「唾液腺腫大疾患」等）がリスト表示される。
【０２４０】
次に、この状態から、病名目次ウインドウ１４０の病名一覧表１４１内のいずれかの行（いずれかの病名）をクリック等して選択実行することにより、前記検査項目情報の提供処理、疾患概要情報の提供処理及び鑑別疾患情報の提供処理が実行され、複合検索処理の場合と同様にして、前記検査配列表ウインドウ１５０、疾患概要ウインドウ１６０及び鑑別疾患目次ウインドウ１７０が同時に画面表示される。例えば、病名目次ウインドウ１４０の病名一覧表１４１で「尿崩症」を選択した場合に、検査配列表ウインドウ１５０の検査項目欄１５１に対応する検査項目（「＊Ｎａ・Ｋ」等）がリスト表示され、検査動向表示欄１５２に対応する検査動向の説明文が表示され、チェック欄１５３に初動検査項目用のチェックが入れられる。同様に、例えば、病名一覧表１４１で「尿崩症」を選択した場合に、疾患概要ウインドウ１６０の病名表示欄１６１に同病名が、疾患概要表示欄１６２にその疾患概要説明が表示される。同様に、例えば、病名一覧表１４１で「尿崩症」を選択した場合に、鑑別疾患目次ウインドウ１７０の鑑別病名一覧表１７１内に当該疾患の鑑別疾患（「尿細管間質性腎炎（ＴＩＮ）」等）が表示される。
【０２４１】
前記一般検査処理、症候検査処理、３項目検索処理の各処理（単疾患検索処理、関連疾患検索処理、限定疾患検索処理）、症候検索処理の各処理（複合検索処理、見逃検索処理）は、いずれも、上記のように、任意のタイミングで実行可能な処理であり、当該処理用のボタンを押すことにより、それ以前の表示ウインドウが閉じられ、当該処理固有のウインドウが新たに表示される。なお、用語検索処理も、上記のように、任意のタイミングで実行可能な処理であるが、この場合、それ以前の表示ウインドウは閉じられることなく、用語検索票ウインドウ２５０が追加表示される。
【０２４２】
次に、上記のように、統括表ウインドウ１１０の第１乃至第３の異常値選択ボックス１１３〜１１５、症候選択ボックス１１９、異常値選択ボックス１２０、用語入力ボックス１２３、病名入力ボックス１２５のいずれか１以上に、対応するデータを選択または入力して表示した場合において（例えば、図１２及び図１３参照）、統括表ウインドウ１１０の消去ボタン１２７をクリック等して選択実行することにより、当該選択内容及び入力内容の全消去処理が実行される。
【０２４３】
ここで、本医療情報ＤＢでは、検査保管表ウインドウ２００の消去ボタン２０２を押す（選択実行する）までは、一般検査処理に引き続いて症候検査処理や３項目検索処理等を実行することにより、以前の検査配列表ウインドウ１５０等を閉じたとしても、検査保管表ウインドウ２００は表示継続され、その保管内容（保存検査項目）は格納保持されて、消去されることはない。一方、前記統括表ウインドウ１１０の中止ボタン１２８を押したり、本医療情報ＤＢを終了したりすることにより、検査保管表ウインドウ２００の保管内容（保存検査項目）は消去される。よって、検査保管表ウインドウ２００の消去ボタン２０２を押すか、統括表ウインドウ１１０の中止ボタン１２８を押すか、或いは、本医療情報ＤＢを終了するまでは、検査配列表ウインドウ１５０の保存ボタン１５５を押すことにより、検査項目を随時自由に追加して累積的に格納することができる。同様に、本医療情報ＤＢでは、病名保管表ウインドウ２１０の消去ボタン２１２を押す（選択実行する）までは、一般検査処理に引き続いて症候検査処理や単疾患検索処理等を実行することにより、以前の疾患概要ウインドウ１６０等を閉じたとしても、病名保管表ウインドウ２１０は表示継続され、その保管内容（保存病名）は格納保持されて、消去されることはない。一方、前記統括表ウインドウ１１０の中止ボタン１２８を押したり、本医療情報ＤＢを終了したりすることにより、病名保管表ウインドウ２１０の保管内容（保存病名）は消去される。よって、検査保管表ウインドウ２００の消去ボタン２０２を押すか、統括表ウインドウ１１０の中止ボタン１２８を押すか、或いは、本医療情報ＤＥＢを終了するまでは、疾患概要ウインドウ１６０の病名メモボタン１６３を押すことにより、病名を随時自由に追加して累積的に格納することができる。
２．本医療情報ＤＢのデータ構造・動作・処理
以下、本実施例の医療情報ＤＢの動作（各処理）について、図１４〜図２１のフローチャート、及び、図２２〜図２５のテーブルを参照しながら説明する。まず、本実施例の医療情報ＤＢのデータ構造（テーブル構造）について説明する。
【０２４４】
１）医療情報ＤＢのデータ構造
本実施例の医療情報ＤＢは、マスタテーブル（マスタファイル）として、前記検査マスタファイルとしての検査マスタテーブル（検査ＭＴ）（図示略）、前記病名マスタファイルとしての病名マスタテーブル（病名ＭＴ）（図示略）、前記症候マスタファイルとしての図２２の症候マスタテーブル（症候ＭＴ）、前記疾患群マスタファイルとしての疾患群マスタテーブル（疾患群ＭＴ）、前記臨床マスタファイルとしての臨床マスタテーブル（臨床ＭＴ）、前記鑑別マスタファイルとしての鑑別マスタテーブル（鑑別ＭＴ）及び図２３の異常値マスタテーブル（異常値ＭＴ）を備えている。
【０２４５】
１−１）検査マスター
検査マスタテーブルは、マスタデータとして、前記検査配列表ウインドウ１５０の検査項目欄５１や検査概要ウインドウ１８０に表示する検査項目関連データ（レコード）を定義して格納する。検査マスタテーブルは、データ項目（カラム）として、「大分類」、「項目名」、「項目ＩＤ」、「検査概要」、「表示順序」等を有し、これらのデータ項目に対応する個々のデータ要素（フィールド）を関連付けて（テーブルの各行に一レコードとして）格納する。このうち、「項目名」は、診断で使用される全ての検査項目名を格納し、「項目ＩＤ」は、検査項目を一意に識別する検査項目ＩＤを検査項目名に関連付けて格納する。また、「検査概要」は、各検査項目の検査時の使用目的、注意事項、動向等を説明するための参考文を、各検査項目ＩＤや各検査項目名に関連付けて格納する。そして、前記検査配列表ウインドウ１５０の検査項目欄１５１の特定の検査項目をクリックしたときに、当該検査項目について関連付けした「検査概要」の参考文が検査マスタテーブルから抽出され、検査概要ウインドウ１８０の検査概要表示欄１８２に表示される。更に、「表示順序」は、検査配列表ウインドウ１５０における検査項目の表示順序を定義する英数字を検査項目名や項目ＩＤに関連付けて格納し、抽出した検査項目が、この順番にしたがって昇順（降順でも可能）に並べられ、検査配列表ウインドウ１５０にリスト表示される。検査マスタテーブルには、存在する全ての検査項目についての情報が格納されている。
【０２４６】
１−２）病名マスター
病名マスタテーブルは、マスタデータとして、前記病名分類ウインドウ１３０の病名分類表１３１に表示する病名分類、病名目次ウインドウ１４０の病名一覧表１４１や疾患概要ウインドウ１６０の病名表示欄１６１に表示する病名、同疾患概要ウインドウ１６０の疾患概要表示欄１６２に表示する疾患概要等の病名関連データ（レコード）を定義して格納する。病名マスタテーブルは、データ項目（カラム）として、「分類ＩＤ」、「分類（分類名）」、「疾患順」、「病名ＩＤ」、「病名」、「疾患概要」等を有し、これらのデータ項目に対応する個々のデータ要素（フィールド）を関連付けて（テーブルの各行に一レコードとして）格納する。そして、統括表ウインドウ１１０の一般検査ボタン１１１をクリックしたときに、この分類ＩＤの順序にしたがって病名分類が昇順（降順でも可能）に並べられ、病名分類ウインドウ１３０の病名分類表１３１に全て表示される。更に、「病名」は、診断で使用される全病名を格納し、これらの病名のいずれか１以上が、病名目次ウインドウ１４０の病名一覧表１４１等に選択的に表示される。「病名ＩＤ」は、病名を一意に識別する英数字であり、病名ＩＤに関連付けて格納される。ここで、「病名」には、病名以外に、前記症候目次ウインドウ２４０に表示される［基］で始まる症候名、例えば、「［基］貧血」等も格納されている。同様に、「病名」には、病名以外に、前記症候目次ウインドウ２４０に表示される［基］で始まる異常値、例えば、「［基］ＷＢＣ↓」等も格納されている。この場合、「病名」に格納する症候名（［基］貧血」等）または異常値（「［基］ＷＢＣ↓」等）には、症候及び異常値用に特に用意した病名ＩＤが関連付けて格納される。即ち、症候及び異常値用の病名ＩＤは、病名用の病名ＩＤと明確に区別した番号（英数字）から開始するよう付番することが好ましい。具体的には、病名の病名ＩＤは、病名数に応じて例えば「１〜３０００」の番台とし、［基］症候及び［基］異常値の病名ＩＤは、「６０００〜」の番台とする。また、「疾患概要」は、病名の概略を説明する概略文（症候の場合は当該症候と当該症候に属する疾患の概要説目文）を病名ＩＤや病名に関連付けて格納する。そして、前記病名目次ウインドウ１４０で特定の病名をクリックしたときに、当該病名について関連付けした概略文が病名マスタテーブルから抽出され、前記疾患概要ウインドウ１６０の疾患概要表示欄１６２に表示される。同様に、前記鑑別疾患目次ウインドウ１７０で特定の鑑別病名をクリックしたときにも、当該鑑別病名（即ち、病名）について関連付けした概略文が病名マスタテーブルから抽出され、前記鑑別疾患概要ウインドウ１９０の鑑別疾患概要表示欄１９２に表示される。「疾患順」は、「病名」から病名を抽出して病名目次ウインドウ１４０に表示する際に、その表示順序を定義する英数字であり、この疾患順にしたがって病名が病名目次ウインドウ１４０に昇順（降順でも可能）に並べてリスト表示される。病名マスタテーブルには、存在する全ての病名についての情報が格納されている。
【０２４７】
１−３）症候マスター
図２２の症候マスタテーブルは、マスタデータとして、前記症候分類ウインドウ２３０の症候分類表２３１等に表示する症候関連データ（レコード）を定義して格納するものである。症候マスタテーブルは、データ項目（カラム）として、「症候ＩＤ」、「症候」、「順」を有し、これらのデータ項目に対応する個々のデータ要素（フィールド）を関連付けて（テーブルの各行に一レコードとして）格納する。このうち、「症候」は、診断で使用する全ての症候についての分類であり、「症候」は、上記のように、症候以外に異常値も症候と同様にして検索処理に活用すべく格納する。この症候及び異常値が、症候分類ウインドウ２３０の症候分類表２３１に表示される。また、「症候ＩＤ」は、症候（症候や異常値）を一意に識別する英数字であり、症候及び異常値に関連付けて格納される。更に、「順」は、前記症候分類ウインドウ２３０における症候及び異常値の表示順序を定義する英数字を症候及び異常値や症候ＩＤに関連付けて格納する。そして、統括表ウインドウ１１０の症候検査ボタン１１２をクリックしたときに、症候マスタテーブルの「順」の表示順序にしたがって「症候」の症候及び異常値が昇順（降順でも可能）に並べられ、前記症候分類ウインドウ２３０の症候分類表１３１に全て表示される。症候マスタテーブルには、使用する全ての症候についての情報が格納され、また、異常値については、代表的な検査項目（主に生化学検査）に係る異常値が格納されている。
【０２４８】
１−４）疾患群マスター
疾患群マスタテーブルは、マスタデータとして、病名マスタテーブルの病名と図２２の症候マスタテーブルの症候または異常値とを互いに関連付けて格納するものであり、病名マスタテーブルの病名関連データと症候マスタテーブルの症候関連データとの関係を定義する。疾患群マスタテーブルは、データ項目（カラム）として、「症候ＩＤ」、「症候」、「内順」、「病名ＩＤ」及び「病名」を有し、これらのデータ項目に対応する個々のデータ要素（フィールド）を関連付けて（テーブルの各行に一レコードとして）格納する。このうち、「症候ＩＤ」及び「症候」は、症候マスタテーブルの「症候ＩＤ」及び「症候」に対応し、疾患群マスタテーブルは、症候マスタテーブルの全ての症候及び異常値を症候ＩＤと共に格納する。また、「病名ＩＤ」及び「病名」は、病名マスタテーブルの「病名ＩＤ」及び「病名」に対応し、疾患群マスタテーブルは、病名マスタテーブルの全ての病名を病名ＩＤと共に格納する。ここで、病名マスタテーブルの項で説明したように、「病名」には、病名以外に、症候及び異常値（前記症候目次ウインドウ２４０に表示される［基］症候や［基］異常値、例えば、［基］「貧血」や［基］Ｆｅ↓等）も格納され、当該症候及び異常値に関連付けて症候及び異常値用の病名ＩＤが格納される。このように、疾患群マスタテーブルは、各症候及び各異常値について、当該症候または異常値が該当したとき、即ち、当該症候や異常値が発生したときに存在が推定される全ての病名関連データ（病名ＩＤ、病名）を、当該症候または異常値に関連付けて格納する。そして、前記症候分類ウインドウ２３０で特定の症候または異常値をクリックしたときに、当該症候または異常値について関連付けて格納した一連の病名（当該症候及び異常値を含む）が、疾患群マスタテーブルの「病名」から抽出され、当該症候（［基］症候）または異常値（［基］異常値）を先頭として、症候目次ウインドウ２４０の症候病名一覧表２４１にリスト表示される。また、「内順」は、同一症候ＩＤを有する症候または異常値の中での病名の表示順序を定義する英数字であり、この内順にしたがって、同一症候または同一異常値について複数の病名（［基］症候・［基］異常値及び病名）が症候目次ウインドウ２４０に昇順（降順でも可能）に並べてリスト表示される。疾患群マスタテーブルには、前記病名マスタテーブルの全病名（［基]疾患・［基］異常値を含む）と前記症候マスタテーブルの全ての症候及び異常値との間で考えうる全ての組合せについての情報が格納されている。
【０２４９】
１−５）臨床マスター
臨床マスタテーブルは、マスタデータとして、検査マスタテーブルの検査項目関連データと病名マスタテーブルの病名関連データとを互いに関連付けて格納するものであり、検査マスタテーブルの検査項目関連データと病名マスタテーブルの病名関連データとの関係を定義する。臨床マスタテーブルは、データ項目（カラム）として、「病名ＩＤ」、「病名」、「級」、「要」、「項目ＩＤ」、「項目名」、「検査動向」、「異常値ＩＤ」を有し、これらのデータ項目に対応する個々のデータ要素（フィールド）を関連付けて（テーブルの各行に一レコードとして）格納する。このうち、「病名ＩＤ」及び「病名」は、病名マスタテーブルの「病名ＩＤ」及び「病名」に対応し、臨床マスタテーブルは、病名マスタテーブルの全病名を病名ＩＤと共に格納する。ここで、病名マスタテーブルの項で説明したように、「病名」には、病名以外に、症候及び異常値も格納され、当該症候または異常値に関連付けて症候用の病名ＩＤが格納される。また、「項目ＩＤ」及び「項目名」は、検査マスタテーブルの「項目ＩＤ」及び「項目名」に対応し、臨床マスタテーブルは、検査マスタテーブルの全検査項目の項目名について、各病名に該当する項目名を全て関連付けて、即ち、各病名の病名ＩＤに該当する項目名の項目ＩＤを全て関連付けて格納する。即ち、臨床マスタテーブルは、各病名について、当該病名に該当する（当該病名の疾患の診断について使用される）全ての項目名や項目ＩＤを、当該病名や病名ＩＤに関連付けて格納する。
【０２５０】
また、「級」は、検査配列表ウインドウ１５０の検査項目欄１５１において検査項目の左側に付加する種別記号に対応する英数字を、検査項目の項目名や項目ＩＤに関連付けて格納している。即ち、前記肯定検査項目の種別記号（花丸印状の記号「＊」）には英数字の「１」を、否定検査項目の種別記号（太字マイナス記号「−」）には英数字の「３」を、精査用検査項目の種別記号（スペース記号「  」）には英数字の「２」を、それぞれ割り当てて格納している。また、「要」は、検査配列表ウインドウ１５０のチェック欄１５３のチェックボックスに基本設定状態でチェックを入れるか否か（即ち、対応する検査項目を初動検査項目として設定するか否か）を定義するフラグとしての英数字からなるチェック有無情報を、検査項目の項目名や項目ＩＤに関連付けて格納している。即ち、チェック欄１５３のチェックボックスにチェックを入れる場合（対応する検査項目のチェックをＯＮする場合）は、英数字の「−１」（ＴＲＵＥ）を、チェック欄１５３のチェックボックスにチェックを入れない場合（対応する検査項目のチェックをＯＦＦとする場合）は、英数字の「０」（ＦＡＬＳＥ）を、それぞれ割り当てて格納している。また、「検査動向」は、検査配列表ウインドウ１５０の検査動向表示欄１５２に表示される検査動向説明文（結合疾患名を使用した固定固有変動または随伴固有変動の説明文）を、病名・病名ＩＤ及び検査項目名・項目ＩＤに関連付けて格納している。そして、病名目次ウインドウ１４０の病名や症候目次ウインドウ２４０の症候または病名がクリックされたときに、当該病名または症候について関連付けて格納した一連の検査項目名が、臨床マスタテーブルの「項目名」から抽出され、前記検査配列表ウインドウ１５０の検査項目欄１５１に表示される。このとき、当該検査項目に関連付けした「級」の定義（「１」、「２」、「３」）に応じて、検査配列表ウインドウ１５０の検査項目欄１５１の検査項目名の先頭に、対応する種別記号（花丸印状の記号、スペース（空白）、マイナス記号）が付加して表示される。また、このとき、当該検査項目に関連付けした検査動向説明文が、臨床マスタテーブルの「検査動向」から抽出され、検査配列表ウインドウ１５０の検査動向表示欄１５２に表示される。更に、このとき、当該検査項目のうち「要」の定義（フラグ）が「０」の検査項目（初動検査項目）については、検査配列表ウインドウ１５０のチェックボックス１５３のチェックボックスにチェックマークが表示される。
【０２５１】
また、臨床マスタテーブルの「異常値ＩＤ」は、後述する異常値マスタテーブルの「異常値ＩＤ」に対応し、臨床マスタテーブルは、異常値マスタテーブルの異常値ＩＤを検査項目の項目名や項目ＩＤに関連付けて格納する。そして、上記３項目検索処理や症候検索処理で説明したように、前記統括表ウインドウ１１０のボタン１１６〜１１８，１２１，１２２のいずれかが押されたときに、異常値選択ボックス１１３〜１１５，１２０で選択した異常値（異常に係る検査項目）に対応して、臨床マスタテーブルにおいて当該選択した異常値の異常値ＩＤを有する検査項目を介して、当該検査項目と関連付けた病名が抽出され、当該抽出された病名が病名目次ウインドウ１４０にリスト表示される。臨床マスタテーブルには、前記病名マスタテーブルの全病名（［基]疾患及び［基］異常値を含む）と前記検査マスタテーブルの全検査項目との間で考えうる全ての組合せについての情報が格納されている。
【０２５２】
１−６）鑑別マスター
鑑別マスタテーブルは、マスタデータとして、病名マスタテーブルの病名と当該病名と同一鑑別疾患群に属する鑑別病名（鑑別疾患名）とを互いに関連付けて格納するものである。鑑別マスタテーブルは、データ項目（カラム）として、「病名ＩＤ」、「病名」、「鑑別ＩＤ」、「鑑別病名」を有し、これらのデータ項目に対応する個々のデータ要素（フィールド）を互いに関連付けて（テーブルの各行に一レコードとして）格納する。このうち、「病名ＩＤ」及び「病名」は、病名マスタテーブルの「病名ＩＤ」及び「病名」に対応し、鑑別マスタテーブルは、病名マスタテーブルの全病名を病名ＩＤと共に格納する。ここで、病名マスタテーブルの項で説明したように、「病名」には、病名以外に、症候及び異常値も格納され、「病名」の症候または異常値に関連付けて当該症候用の病名ＩＤが格納される。「鑑別病名」は、各病名について同一鑑別疾患群に属する全ての病名（鑑別病名）を格納する。また、「鑑別ＩＤ」は、鑑別病名を一意に識別する鑑別ＩＤを鑑別病名に関連付けて格納する。鑑別マスタテーブルは、各病名について、当該病名と同一鑑別疾患群に属する全ての鑑別病名を、当該病名に関連付けて格納する。即ち、鑑別マスタテーブルでは、各病名について、当該病名も含む全ての病名が、鑑別病名として関連付けされている。そして、前記病名目次ウインドウ１４０で特定の病名をクリックしたときに、当該病名と同一の鑑別疾患群に属する鑑別病名の全て（当該病名を除く）が、鑑別疾患目次ウインドウ１７０の鑑別病名一覧表１７１に表示される。鑑別マスタテーブルには、前記病名マスタテーブルの全病名（［基]疾患及び［基］異常値を含む）について存在する全ての鑑別病名との組合せについての情報が格納されている。
【０２５３】
１−７）異常値マスター
図２３の異常値マスタテーブルは、検査マスタテーブルの検査項目名のうち、統括表ウインドウ１１０の異常値選択ボックス１１３〜１１５及び異常値選択ボックス１２０に表示する異常値（異常に係る検査項目）のみを選択的に格納する。異常値マスタテーブルは、データ項目（カラム）として、「順」、「異常値ＩＤ」、「異常値」を有し、これらのデータ項目に対応する個々のデータ要素（フィールド）を互いに関連付けて（テーブルの各行に一レコードとして）格納する。このうち、「異常値」は、検査マスタテーブルに格納した検査項目のうち、異常値選択ボックス１１３〜１１５及び異常値選択ボックス１２０に表示する検査項目を異常値として格納する。また、「異常値ＩＤ」は、異常値を一意に識別する英数字であり、各異常値に関連付けて格納される。更に、「順」は、異常値選択ボックス１１３〜１１５及び異常値選択ボックス１２０における異常値の表示順序を定義する英数字を異常値や異常値ＩＤに関連付けて格納する。そして、異常値が「順」の表示順序どおりに昇順（降順も可能）で並べられ、各異常値選択ボックス１１３〜１１５や異常値選択ボックス１２０にリスト表示される。異常値マスタテーブルには、検査マスタテーブルに格納する検査項目のうちの主なもの（即ち、検査価値が高く臨床で頻用される検査項目）だけが、異常検査項目情報（異常値）として格納されている。なお、前記臨床マスタテーブルに格納する異常値ＩＤは、異常値マスタテーブルに格納する異常値ＩＤに対応しており、臨床マスタテーブルの項目ＩＤに関連付けされている。即ち、関連付けした異常値ＩＤの異常値の検査項目名と項目ＩＤの項目名（検査項目名）は同一となる。
【０２５４】
２）本医療情報ＤＢの動作・処理
本実施例の医療情報ＤＢは、上記のようなデータ構造（検査マスタテーブル、病名マスタテーブル、症候マスタテーブル、疾患群マスタテーブル、臨床マスタテーブル、鑑別マスタテーブル及び異常値マスタテーブル）を使用して、図１４〜図２１に示すような各種処理処理を実行することにより、各種医療情報の提供機能を実現する。詳細には、まず、本医療情報システムでは、コンピュータの電源をオンして、医療情報ＤＢを起動すると、コンピュータの起動画面に統括表ウインドウ１１０が表示される。この状態から、ユーザーは、ＳＴＥＰ１０１以降の一般検査処理、ＳＴＥＰ２０１以降の症候検査処理、３項目検索処理（フローチャートは図示略）、症候検索処理（複合検索処理、フローチャートは図示略）、ＳＴＥＰ４２１以降の症候検索処理（見逃検索処理）、のいずれかを選択して実行可能である。ユーザーがいずれかの処理を選択して実行すると、各処理に対応して各種ウインドウ（病名分類ウインドウ１３０等）がそれぞれ画面表示されて医療情報が提供される。そして、一般検査処理、症候検査処理、３項目検索処理、症候検索処理（複合検索処理または見逃検索処理）の各処理で必要な医療情報を得たら、通常は、ユーザーは、次のＳＴＥＰ３０で統括表ウインドウ１１０の中止ボタン１２８をクリックする（押す）ことなく、本医療システムを終了することになる。一方、これらの処理で必要な医療情報を得ることができずに再度各処理を最初から実行した場合等、何らかの理由により処理を中止したい場合、ユーザーは、ＳＴＥＰ３０で統括表ウインドウ１１０の中止ボタン１２８を押すと、統括表ウインドウ１１０以外の画面展開している全てのウインドウが閉じられる。同時に、検査保管表ウインドウ２００や病名保管表ウインドウ２１０の保存内容が全消去されると共に、検査保管表ウインドウ２００及び病名保管表ウインドウ２１０も閉じられる。また、統括表ウインドウ１１０の入力内容等は全て消去される。この場合、ユーザーは、再度、一般検査処理等を実行することができる。
【０２５５】
２−１）一般検査処理
コンピュータの起動画面において一般検査処理を選択した場合について、図１４にしたがって説明する。図１４に示すように、一般検査処理では、まず、ＳＴＥＰ１０１で統括表ウインドウ１１０の一般検査ボタン１１１がクリックされると、ＳＴＥＰ１０２で、病名マスタテーブルから全ての病名分類情報（分類ＩＤ、分類）が抽出されてグループ化され、ＳＴＥＰ１０３で、全ての分類（＝病名分類）が病名分類ウインドウ１３０にリスト表示される。そして、ＳＴＥＰ１０３で、抽出された分類名が、分類ＩＤの順番で、病名分類ウインドウ１３０の病名分類表１３１にリスト表示される（分類ＩＤは非表示）。次に、ＳＴＥＰ１０４で、病名分類ウインドウ１３０に表示された病名分類のいずれかをクリックして選択すると、ＳＴＥＰ１０５で、選択された分類に対応する全病名情報（病名ＩＤ、病名、疾患順）が病名マスタテーブルから抽出され、ＳＴＥＰ１０６で、病名目次ウインドウ１４０にリスト表示される。そして、ＳＴＥＰ１０６で、抽出された病名が、所定の順序（疾患順の順番）で、病名目次ウインドウ１４０の病名一覧表１４１にリスト表示される。なお、このとき、病名マスタテーブルの「病名」において当該分類ＩＤに関連付けられた症候（［基］症候）及び異常値（［基］異常値）は、抽出対象から除外される。即ち、病名マスタテーブルにおいて、症候及び異常値は、病名の病名ＩＤと明確に区分した病名ＩＤを有し、例えば、６０００番台から病名ＩＤが開始するため、ＳＴＥＰ１０５では、かかる６０００番未満の病名ＩＤの病名のみを抽出している。
【０２５６】
次に、ＳＴＥＰ１０７で、病名目次ウインドウ１４０に表示された病名のいずれかをクリックして選択すると、ＳＴＥＰ１０８で、選択した病名に対応する検査項目情報として、当該病名の検査で使用可能な全ての検査項目の項目ＩＤ、項目名、表示順序、検査動向等が、検査マスタテーブル及び臨床マスタテーブルから抽出され、当該病名の病名ＩＤ及び病名と共に、図示しない作業テーブル（一時記憶領域）としての共通テーブル（共通Ｔ）に保存される。その後、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。このとき、まず初めに、疾患概要ウインドウ１６０の表示処理（ＳＴＥＰ１１０の最初の処理）、鑑別疾患目次ウインドウ１７０の表示処理（ＳＴＥＰ１３０の最初の処理）、検査配列表ウインドウ１５０の表示処理（ＳＴＥＰ１５０の最初の処理）が同時に実行される。以下、疾患概要情報の提供処理（ＳＴＥＰ１１０）、鑑別疾患情報の提供処理（ＳＴＥＰ１３０）、検査項目情報の提供処理（ＳＴＥＰ１５０）の各処理の詳細についてそれぞれ説明する。
【０２５７】
２−１−１）疾患概要情報の提供処理（一般検査処理用）
図１４の疾患概要情報の提供処理（ＳＴＥＰ１１０）について、図１５にしたがって説明する。図１５に示すように、疾患概要情報の提供処理（その１）では、図１４のＳＴＥＰ１０７で選択された病名の病名ＩＤに基づき、ＳＴＥＰ１１１において、その病名の疾患概要が病名マスタテーブルの「疾患概要」から抽出される。次に、ＳＴＥＰ１１２で、抽出した病名の疾患概要が疾患概要ウインドウ１６０に表示される。次に、ＳＴＥＰ１１３で、疾患概要ウインドウ１６０に表示した病名を一時保存する場合（ＹＥＳの場合）、ユーザーは、ＳＴＥＰ１１４で疾患概要ウインドウ１６０の病名メモボタン１６３をクリックする。すると、ＳＴＥＰ１１５で、疾患概要ウインドウ１６０の病名ＩＤ及び病名が、病名用一時格納領域としての病名保管テーブル（病名保管Ｔ）に保存され、ＳＴＥＰ１１６で、当該病名用一時格納領域に保存した病名を病名保管表ウインドウ２１０に表示する。なお、疾患概要ウインドウ１６０に表示した病名をＳＴＥＰ１１３で保存しない場合（ＮＯの場合）、ＳＴＥＰ３０の中止・終了処理に移行する。次に、ＳＴＥＰ１１７で、病名目次ウインドウ１４０において選択した前記病名以外に疾患概要を確認したい病名（次候補）がある場合、ユーザーは、ＳＴＥＰ１１８で病名目次ウインドウ１４０の別の病名をクリックする。すると、処理はＳＴＥＰ１１１へ復帰し、ＳＴＥＰ１１２で次候補の病名の疾患概要を新たな疾患概要ウインドウ１６０に表示し、当該次候補の病名を前記病名保管表ウインドウ２１０に更に追加表示することが可能となる（ＳＴＥＰ１１３〜ＳＴＥＰ１１６）。よって、ユーザーは、必要な数の病名を病名目次ウインドウ１４０から選択して、各々の病名の疾患概要を疾患概要ウインドウ１６０で逐次確認し、必要な病名を病名保管表ウインドウ２１０に逐次追加して表示することができる。次に、ＳＴＥＰ１１９で、病名保管表ウインドウ２１０に保管して表示した別の病名について、疾患概要ウインドウ１６０、鑑別疾患目次ウインドウ１７０及び検査配列表ウインドウ１５０を表示して内容を再確認したい場合（ＳＴＥＰ１１９でＹＥＳの場合）、ＳＴＥＰ１２０で、病名保管表ウインドウ２１０から所望の病名をクリックして選択する。すると、処理は、ＳＴＥＰ１１１（疾患概要情報提供処理の最初の処理）、ＳＴＥＰ１２１（鑑別疾患情報提供処理の最初の処理）、ＳＴＥＰ１３１（検査項目情報提供処理の最初の処理）に同時に移行する（図１５のＢ点から同図１５のＢ点、図１６のＢ点、図１７のＢ点へと移行）。一方、ユーザーが、必要な全ての病名を確認及び保存して次候補となる病名がないと判断した場合（ＳＴＥＰ１１９でＮＯの場合）、ＳＴＥＰ３０の中止・終了処理に移行する。
【０２５８】
２−１−２）鑑別疾患情報の提供処理
図１４の鑑別疾患情報の提供処理について、図１６にしたがって説明する。図１６に示すように、鑑別疾患情報の提供処理では、図１４のＳＴＥＰ１０７で選択された病名の病名ＩＤに基づき、ＳＴＥＰ１３１において、その病名と同一疾患群に属する全ての鑑別病名やその鑑別ＩＤ等（鑑別疾患情報）が、鑑別マスタテーブルから抽出される。なお、このとき、選択した病名（「鉄欠乏性貧血（ＩＤＡ）」）自体も鑑別疾患群に属するため、この選択した病名が抽出されないよう、選択した病名の病名ＩＤ（「１」）と同一の鑑別ＩＤ（「１」）を有する鑑別病名は、抽出対象外とされる。即ち、鑑別マスタテーブルに格納した鑑別病名は、病名マスタテーブルに格納した病名と１対１で対応し、同一の鑑別疾患群に属するものが病名マスタテーブルの各病名に関連付けて鑑別マスタテーブルに格納されている。よって、鑑別ＩＤは、鑑別病名が病名と同一の場合、その病名の病名ＩＤと同一の番号となる。
【０２５９】
次に、ＳＴＥＰ１３１で抽出した全ての鑑別病名が、ＳＴＥＰ１３２で、鑑別ＩＤの順で鑑別疾患目次ウインドウ１７０にリスト表示される。次に、ＳＴＥＰ１３３で、鑑別疾患目次ウインドウ１７０のいずれかの鑑別病名がクリックして選択されると、ＳＴＥＰ１３４で、選択された鑑別病名の鑑別ＩＤに基づいて、当該鑑別ＩＤと同一の病名ＩＤを有する病名の疾患概要が病名マスタテーブルの「概略」から抽出される。そして、ＳＴＥＰ１３５で、抽出した鑑別病名の疾患概要が鑑別疾患概要ウインドウ１９０に表示される。即ち、鑑別疾患概要ウインドウ１９０に表示する鑑別病名の疾患概要は、疾患概要ウインドウ１６０に表示する病名の疾患概要と同一内容である。次に、ＳＴＥＰ１３６で、鑑別疾患概要ウインドウ１９０に表示した鑑別病名を一時保存する場合（ＹＥＳの場合）、ユーザーは、ＳＴＥＰ１３７で鑑別疾患概要ウインドウ１９０の病名メモボタン１９３をクリックする。すると、ＳＴＥＰ１３８で、鑑別疾患概要ウインドウ１９０に表示した鑑別病名の鑑別ＩＤ（＝病名ＩＤ）及び鑑別病名（＝病名）が、前記病名用一時格納領域としての病名保管テーブルに保存され、ＳＴＥＰ１３９で、当該病名用一時格納領域に保存した病名を病名保管表ウインドウ２１０に表示する。なお、ＳＴＥＰ１３３〜ＳＴＥＰ１３５の鑑別疾患概要情報の表示処理は、鑑別疾患目次ウインドウ１７０に表示した全ての鑑別病名について逐次実行可能であり、同一鑑別病名についても何回でも実行可能である。また、ＳＴＥＰ１３３〜ＳＴＥＰ１３５の鑑別疾患概要情報の表示処理は、必須の処理ではなく、ユーザーが任意に実行する処理であるため、省略することもできる。更に、ＳＴＥＰ１３６〜ＳＴＥＰ１３９の鑑別病名保存処理は、各回の鑑別疾患概要情報の表示処理（ＳＴＥＰ１３３〜ＳＴＥＰ１３５）ごとに実行可能である。なお、ＳＴＥＰ１３６で鑑別疾患概要ウインドウ１９０に表示した鑑別病名を保存しない場合（ＮＯの場合）、ＳＴＥＰ３０の中止・終了処理に移行する。
【０２６０】
２−１−３）検査項目情報の提供処理
図１４の検査項目情報の提供処理について、図１７にしたがって説明する。図１７に示すように、検査項目情報の提供処理では、図１４のＳＴＥＰ１０８で共通テーブルに保存した全ての検査項目情報が、ＳＴＥＰ１５１において抽出され、ＳＴＥＰ１５２において全ての検査項目情報が、検査配列表ウインドウ１５０に一覧表示される。選択した病名の病名ＩＤに基づき、ＳＴＥＰ１５１において、選択した病名と対応する全ての検査項目情報が、前記共通テーブルから抽出される。即ち、まず、選択した病名の病名ＩＤをキーとして、共通テーブルに保存している検査項目情報（「級」の検査項目の種別記号、「要」のチェック有無情報、「項目名」の検査項目名、「表示順序」の順番、「検査動向」の検査動向説明文等）が、全ての行（レコード）について抽出される。次に、抽出された各行の検査項目情報は、ＳＴＥＰ１５２において、検査配列表ウインドウ１５０の表示に供される。即ち、「項目名」の検査項目名は、その項目ＩＤに対応する「表示順序」の順番（昇順）で検査項目欄１５１に上から順に表示される。また、「級」の検査項目の種別記号（「＊」、「−」、「  」）は、検査項目欄５１に表示した対応する検査項目名の先頭に付加して表示される。また、「要」のチェック有無情報（「０」、「−１」）にしたがって、検査項目欄１５１に表示した検査項目名に対応するチェック欄１５３のチェックマークが表示される（「０」の場合はチェックＯＦＦで「−１」の場合はチェックＯＮ）。また、「検査動向」の検査動向説明文は、検査項目欄１５１に表示した検査項目名に対応して検査動向表示欄１５２に表示される。
【０２６１】
次に、ＳＴＥＰ１５３で、検査配列表ウインドウ１５０の検査項目欄１５１に表示したいずれかの検査項目名がクリックして選択されると、ＳＴＥＰ１５４で、選択された検査項目名の項目ＩＤに基づいて、当該項目ＩＤを有する検査項目の検査概要が検査マスタテーブルの「参考」から抽出される。そして、ＳＴＥＰ１５５で、抽出した検査項目の検査概要が検査概要ウインドウ１８０に表示される。ＳＴＥＰ１５３〜ＳＴＥＰ１５５の検査概要情報の表示処理は、必須の処理ではなく、ユーザーが任意に実行する処理であるため、省略することもできる。一方、ＳＴＥＰ１５６で、検査配列表ウインドウ１８０に表示した検査項目のうち、チェック欄１５３のチェックが入れられた検査項目を一時保存する場合（ＹＥＳの場合）、ユーザーは、ＳＴＥＰ１５７で検査概要ウインドウ１８０の保存ボタン１５５をクリックする。この場合、ＳＴＥＰ１５８で、検査配列表ウインドウ１５０においてチェックの入った検査項目の項目ＩＤ及び項目名が、検査用一時格納領域としての検査保管テーブル（検査保管Ｔ）に保存され、ＳＴＥＰ１５９で、当該検査用一時格納領域に保存した検査項目を検査保管表ウインドウ２００に表示する。なお、ＳＴＥＰ１５６で検査配列表ウインドウ１５０に表示したいずれの検査項目も保存しない場合（ＮＯの場合）、ＳＴＥＰ３０の中止・終了処理に移行する。
【０２６２】
２−２）症候検査処理
コンピュータの起動画面において症候検査処理を選択した場合について、図１８にしたがって説明する。図１８に示すように、症候検査処理では、まず、ＳＴＥＰ２０１で統括表ウインドウ２１０の症候検査ボタン１１２がクリックされると、ＳＴＥＰ２０２で、症候マスタテーブルから全ての症候情報（症候ＩＤ、症候及び異常値）が抽出され、ＳＴＥＰ２０３で、全ての症候が症候分類ウインドウ２３０にリスト表示される。そして、ＳＴＥＰ２０３で、抽出された症候及び異常値が、「順」の番号順で、症候分類ウインドウ２３０の症候分類表２３１にリスト表示される（症候ＩＤは非表示）。次に、ＳＴＥＰ２０４で、症候分類ウインドウ２３０に表示された症候または異常値のいずれかをクリックして選択すると、ＳＴＥＰ２０５で、選択された症候または異常値に対応する全症候・病名情報（症候ＩＤ、症候または異常値、病名ＩＤ、病名、疾患順）が病名マスタテーブル及び疾患群マスタテーブルから抽出され、ＳＴＥＰ２０６で、症候目次ウインドウ２４０にリスト表示される。なお、このときの抽出病名には、当該症候ＩＤの症候（［基］症候）または異常値（［基］異常値）が含まれる。そして、ＳＴＥＰ２０６で、抽出された全病名が、疾患群マスタテーブルの「内順」を参照して、所定の順序（内順の番号順）で、症候目次ウインドウ２４０の症候病名一覧表２４１にリスト表示される。
【０２６３】
次に、ＳＴＥＰ２０７で、症候目次ウインドウ２４０に表示された［基］症候または［基］異常値のいずれかをクリックして選択すると、ＳＴＥＰ２０８で、選択した［基］症候または［基］異常値に対応する検査項目情報として、当該［基］症候または［基］異常値が該当する病名グループ（一連の病名）の検査で使用可能な検査項目のうち、当該［基］症候または［基］異常値用として予め関連付けられた所定の代表的な検査項目の項目ＩＤ、項目名、検査動向等が、検査マスタテーブル及び臨床マスタテーブルから抽出され、当該［基］症候または［基］異常値及びその病名ＩＤと共に、前記共通テーブルに保存される。同様に、症候目次ウインドウ２４０に表示された病名のいずれかをクリックして選択すると、ＳＴＥＰ２０８で、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名及びその病名ＩＤと共に、前記共通テーブルに保存される。
【０２６４】
その後、選択した病名にしたがって、（［基］症候、［基］異常値または病名用の）疾患概要情報の提供処理（ＳＴＥＰ２１０）、前記鑑別疾患情報の提供処理（ＳＴＥＰ１３０）、前記検査項目情報の提供処理（ＳＴＥＰ１５０）が実行される。このとき、まず初めに、疾患概要ウインドウ１６０の表示処理（ＳＴＥＰ２１０の最初の処理）、鑑別疾患目次ウインドウ１７０の表示処理（ＳＴＥＰ１３０の最初の処理）、検査配列表ウインドウ１５０の表示処理（ＳＴＥＰ１５０の最初の処理）が同時に実行される。以下、疾患概要情報の提供処理（ＳＴＥＰ２１０）の詳細について説明する。なお、鑑別疾患情報の提供処理（ＳＴＥＰ１３０）及び検査項目情報の提供処理（ＳＴＥＰ１５０）の各処理は、一般検査処理の場合と同様である。しかし、鑑別疾患情報の提供処理（ＳＴＥＰ１３０）については、症候検査処理では、［基］症候または［基］異常値の全ての鑑別疾患が症候目次ウインドウ２４０に既に表示されているため、［基］症候または［基］異常値を症候目次ウインドウ２４０で選択した場合の当該［基］症候または［基］異常値の鑑別疾患は、鑑別疾患目次ウインドウ１７０に改めて表示されることはなく、例えば、鑑別疾患目次ウインドウ１７０には「上記疾患群」といった表示がなされる。
【０２６５】
２−２−１）疾患概要情報の提供処理その２（症候検査処理用）
図１８の疾患概要情報の提供処理（ＳＴＥＰ２１０）について、図１９にしたがって説明する。図１９に示すように、疾患概要情報の提供処理（その２）では、ＳＴＥＰ２０７で［基］症候が選択された場合を示し、この場合、ＳＴＥＰ２１１からＳＴＥＰ２１２に進み、選択された［基］症候の病名ＩＤに基づき、その［基］症候の疾患概要が病名マスタテーブルの「疾患概要」から抽出される。次に、ＳＴＥＰ２１３で、抽出した［基］症候の疾患概要が疾患概要ウインドウ１６０に表示される。次に、ＳＴＥＰ２１４で、疾患概要ウインドウ１６０に表示した［基］症候を一時保存する場合（ＹＥＳの場合）、ユーザーは、ＳＴＥＰ２１５で疾患概要ウインドウ１６０の病名メモボタン１６３をクリックする。すると、ＳＴＥＰ２１６で、疾患概要ウインドウ１６０の病名ＩＤ及び［基］症候が、病名用一時格納領域としての病名保管テーブル（病名保管Ｔ）に保存され、ＳＴＥＰ２１７で、当該病名用一時格納領域に保存した［基］症候を病名保管表ウインドウ２１０に表示する。即ち、症候検査処理においては、［基］症候が、一般検査処理における病名の場合と同様にして病名用一時格納領域に保存され、病名保管表ウインドウ２１０に表示される。なお、疾患概要ウインドウ１６０に表示した［基］症候をＳＴＥＰ２１４で保存しない場合（ＮＯの場合）、ＳＴＥＰ３０の中止・終了処理に移行する。
【０２６６】
次に、ＳＴＥＰ２１８で、症候目次ウインドウ２４０において選択した前記［基］症候以外に疾患概要を確認したい［基］症候（次候補）がある場合、ユーザーは、ＳＴＥＰ２１９で症候目次ウインドウ２４０の別の［基］症候をクリックする。すると、処理はＳＴＥＰ２１２へ復帰し、ＳＴＥＰ２１３で次候補の［基］症候の疾患概要を新たな疾患概要ウインドウ１６０に表示し、当該次候補の［基］症候を前記病名保管表ウインドウ２１０に更に追加表示することが可能となる（ＳＴＥＰ２１４〜ＳＴＥＰ２１７）。よって、ユーザーは、必要な数の［基］症候を症候目次ウインドウ２４０から選択して、各々の［基］症候の疾患概要を疾患概要ウインドウ１６０で逐次確認し、必要な［基］症候を病名保管表ウインドウ２１０に逐次追加して表示することができる。次に、ＳＴＥＰ２２０で、病名保管表ウインドウ２１０に保管して表示した別の［基］症候について、疾患概要ウインドウ１６０及び検査配列表ウインドウ１５０を表示して内容を再確認したい場合（ＳＴＥＰ２２０でＹＥＳの場合）、ＳＴＥＰ２２１で、病名保管表ウインドウ２１０から所望の［基］症候をクリックして選択する。すると、処理は、ＳＴＥＰ２１２（疾患概要情報提供処理の最初の処理）、ＳＴＥＰ１３１（鑑別疾患情報提供処理の最初の処理）、ＳＴＥＰ１５１（検査項目情報提供処理の最初の処理）に同時に移行する（図１９の下側のＥ点から同図１９の上側のＥ点、図１６のＥ点、図１７のＥ点へと移行）。なお、上記のように、鑑別疾患情報の提供処理（ＳＴＥＰ１３０）においては、［基］症候については鑑別疾患目次ウインドウ１７０には「上記疾患群」といった表示がなされる。よって、鑑別マスタテーブルにおいて、各病名についての「鑑別病名」の欄には当該病名の鑑別病名（当該病名含む）が格納されているが、各［基］症候についての「鑑別病名」の欄には「上記疾患群」といった文章が格納されている。一方、ユーザーが、必要な全ての［基］症候を確認及び保存して次候補となる［基］症候がないと判断した場合（ＳＴＥＰ２２０でＮＯの場合）、ＳＴＥＰ３０の中止・終了処理に移行する。
【０２６７】
一方、図１９のＳＴＥＰ２１１において病名が選択された場合、図１９のＢ点から、図１５のＢ点、図１６のＢ点及び図１７のＢ点を経て、一般検査処理の疾患概要情報の提供処理ＳＴＥＰ１１０と、鑑別疾患情報の提供処理ＳＴＥＰ１３０と、検査項目情報の提供処理ＳＴＥＰ１５０とが実行される。そして、一般検査処理の場合と同様にして、選択した病名について、検査配列表ウインドウ１５０への検査項目情報の表示処理、疾患概要ウインドウ１６０への疾患概要の表示処理、鑑別病名目次ウインドウ１７０への鑑別病名の表示処理が実行され、更に、検査概要ウインドウ１８０への検査概要の表示処理及び鑑別疾患概要ウインドウ１９０への鑑別疾患概要の表示処理が実行可能となると共に、検査保管表ウインドウ２００への検査項目の保管処理及び病名保管ウインドウ２１０への病名の保管処理が実行可能となる。
【０２６８】
疾患概要情報の提供処理では、ＳＴＥＰ２０７で［基］異常値が選択された場合、ＳＴＥＰ２１１から図１９のＤ点及び図２０のＤ点を経てＳＴＥＰ２３１に進み、選択された［基］異常値の病名ＩＤに基づき、その［基］異常値の疾患概要が病名マスタテーブルの「疾患概要」から抽出される。次に、ＳＴＥＰ２３２で、抽出した［基］異常値の疾患概要が疾患概要ウインドウ１６０に表示される。次に、ＳＴＥＰ２３３で、疾患概要ウインドウ１６０に表示した［基］異常値を一時保存する場合（ＹＥＳの場合）、ユーザーは、上述の［基］症候の場合と同様にして、ＳＴＥＰ２３４で疾患概要ウインドウ１６０の病名メモボタン１６３をクリックする。すると、ＳＴＥＰ２３５で、疾患概要ウインドウ１６０の病名ＩＤ及び［基］異常値が、前記病名保管テーブルに保存され、ＳＴＥＰ２３６で、当該病名保管テーブルに保存した［基］異常値を病名保管表ウインドウ２１０に表示する。なお、疾患概要ウインドウ１６０に表示した［基］異常値をＳＴＥＰ２３３で保存しない場合（ＮＯの場合）、ＳＴＥＰ３０の中止・終了処理に移行する。次に、ＳＴＥＰ２３７で、症候目次ウインドウ２４０において選択した前記［基］異常値以外に疾患概要を確認したい［基］異常値（次候補）がある場合、ユーザーは、ＳＴＥＰ２３８で症候目次ウインドウ２４０の別の［基］異常値をクリックする。すると、処理はＳＴＥＰ２３１へ復帰し、ＳＴＥＰ２３２で次候補の［基］異常値の疾患概要を新たな疾患概要ウインドウ１６０に表示し、当該次候補の［基］異常値を前記病名保管表ウインドウ２１０に更に追加表示することが可能となる（ＳＴＥＰ２３３〜ＳＴＥＰ２３６）。よって、ユーザーは、必要な数の［基］異常値を症候目次ウインドウ２４０から選択して、各々の［基］異常値の疾患概要を疾患概要ウインドウ１６０で逐次確認し、必要な［基］異常値を病名保管表ウインドウ２１０に逐次追加して表示することができる。次に、ＳＴＥＰ２３９で、病名保管表ウインドウ２１０に保管して表示した別の［基］異常値について、疾患概要ウインドウ１６０及び検査配列表ウインドウ１５０を表示して内容を再確認したい場合（ＳＴＥＰ２３９でＹＥＳの場合）、ＳＴＥＰ２４０で、病名保管表ウインドウ２１０から所望の［基］異常値をクリックして選択する。すると、処理は、ＳＴＥＰ２３１（疾患概要情報提供処理の最初の処理）、ＳＴＥＰ１３１（鑑別疾患情報提供処理の最初の処理）、ＳＴＥＰ１５１（検査項目情報提供処理の最初の処理）に同時に移行する（図２０の下側のＦ点から同図２０の上側のＦ点、図１６のＦ点、図１７のＦ点へと移行）。なお、上述の［基］症候の場合と同様、鑑別疾患情報の提供処理（ＳＴＥＰ１３０）においては、［基］異常値については鑑別疾患目次ウインドウ１７０には「上記疾患群」といった表示がなされる。一方、ユーザーが、必要な全ての［基］異常値を確認及び保存して次候補となる［基］異常値がないと判断した場合（ＳＴＥＰ２３９でＮＯの場合）、ＳＴＥＰ３０の中止・終了処理に移行する。
【０２６９】
２−３）３項目検索処理
統括表ウインドウ１１０の異常値選択ボックス１１３〜１１５で特定の異常値を選択した状態で、統括表ウインドウ１１０の単疾患ボタン１１６、関連疾患ボタン１１７または限定疾患ボタン１１８のいずれかを押すと、選択した異常値の異常値ＩＤに基づき、選択した異常値が該当する背景疾患の病名ＩＤと病名（単疾患検索の場合は１個の異常値が該当する全ての病名、関連疾患検索の場合は２個の異常値が該当する全ての病名、限定疾患検索の場合は３個の異常値が該当する全ての病名）が、臨床マスタテーブルから全て抽出され、作業テーブル（一時記憶領域）、即ち、３項目検索用格納領域としての３項目検索用病名テーブル（３項目検索用病名Ｔ）に保存される。
【０２７０】
そして、３項目検索用病名テーブルに格納された病名のうち、選択した異常値の１、２または３つが該当する病名、即ち、同一病名が１個、２個または３個格納されたものが、病名目次ウインドウ１４０にリスト表示される。次に、病名目次ウインドウ１４０に表示された病名のいずれかをクリックして選択すると、一般検査処理ＳＴＥＰ１００のＳＴＥＰ１０７以降の処理と同様にして、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名の病名ＩＤ及び病名と共に、前記共通テーブルに保存される。その後、一般検査処理ＳＴＥＰ１００の場合と同様にして、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。
【０２７１】
２−４）複合検索処理
複合検索処理について説明する。統括表ウインドウ１１０の症候選択ボックス１１９の症候を選択すると共に、異常値選択ボックス１２０の異常値を選択した状態で、統括表ウインドウ１１０の実施ボタン１２１を押す。すると、選択した症候の症候ＩＤに基づき、選択した症候が該当する疾患の病名ＩＤと病名の組が、疾患群マスタテーブルから全て抽出されると共に（第１の処理）、選択した異常値の異常値ＩＤに基づき、選択した異常値が該当する疾患の病名ＩＤ、病名、項目ＩＤ及び項目名の組が、臨床マスタテーブルから全て抽出される（第２の処理）。そして、次のＳＴＥＰ４１３で、第１の処理で抽出した病名ＩＤと病名の組と、第２の処理で抽出した病名ＩＤと病名の組とがＡＮＤ条件で比較されて、そのうちの同一の病名ＩＤを有する病名のみが抽出され、選択した症候及び異常値の両者が該当した場合に予想される疾患（候補疾患）として、作業テーブル（一時記憶領域）、即ち、複合検索用格納領域としての複合検索用病名テーブル（複合検索用病名Ｔ）に保存される。
【０２７２】
そして、抽出されて複合検索用病名テーブルに保存された全ての病名が、候補疾患として、病名目次ウインドウ１４０の病名一覧表１４１に所定の順序でリスト表示される（病名ＩＤは非表示）。病名目次ウインドウ１４０に表示された病名のいずれかをクリックして選択すると、一般検査処理ＳＴＥＰ１００のＳＴＥＰ１０７以降の処理と同様にして、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名の病名ＩＤ及び病名と共に、前記共通テーブルに保存される。その後、一般検査処理ＳＴＥＰ１００の場合と同様にして、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。
【０２７３】
２−５）見逃検索処理
見逃検索処理（ＳＴＥＰ４２０）について、図２１のフローチャート、並びに、図２４及び図２５のテーブルにしたがって説明する。図２１に示すように、統括表ウインドウ１１０の症候選択ボックス１１９の症候を選択した状態で、ＳＴＥＰ４２１において、統括表ウインドウ１１０の見逃ボタン１２２を押す。すると、ＳＴＥＰ４２２で、選択した症候の症候ＩＤに基づき、選択した症候が該当する疾患の病名ＩＤと病名の組が、疾患群マスタテーブルから全て抽出される。次に、ＳＴＥＰ４２３において、抽出した病名ＩＤに基づいて、臨床マスタテーブルにおいて当該抽出した病名ＩＤ及び病名の組を参照し、それらの病名（疾患）のうち、特定の安価な生化学検査を中心とする検査（本書類中では「汎用検査」と称している）で診断されるものを選択して抽出する。詳細には、検査マスタテーブルは、検査項目として、血清関連の検査（「血清関連」）、生化学検査Ｉ（生化Ｉ）、生化学検査ＩＩ（生化ＩＩ）、生化学検査ＩＩＩ（生化ＩＩＩ）等、現存する全ての検査項目を格納している。（なお、本明細書中で使用する「生化Ｉ」や「生化ＩＩ」は、保険で扱う生化Ｉや生化ＩＩとは内容が異なる。）しかし、これらは、大きく分けて安価な生化学検査と高価な特異的検査に２分することができる。このうち、生化学検査は、安価であるため、初回から検査範囲に含むことが多い検査項目である。一方、特異的検査は、初回から検査に使われる場合も勿論あるが、高額なこともあって、一般的には主に生化学検査の結果を受けて二次検査に多用される性格の検査である。そして、初回の検査には、前記安価な生化学検査を中心とする汎用検査のみが使用される場合も考えられる。
【０２７４】
そこで、本医療情報ＤＢでは、かかる安価な生化学検査を中心とする汎用検査を予め特定し、それらを見逃検索処理用の特定検査項目として設定している。具体的には、検査マスタテーブルにおいて、あらかじめ特定した項目ＩＤの生化学検査（「ＣＢＣ」、「網赤血球」、「血液像」、「Ｎａ・Ｋ」、「Ｃｌ」、「Ｃａ」、「Ｍｇ」、「Ｆｅ」、「Ｃｕ」、項目ＩＤが「１０６２」の「ＴＰ」、項目ＩＤが「１０６３」の「Ａｌｂ」、「Ｃｒ」、「ＵＡ」、「ＡＳＴ」、「ＡＬＴ」、「ＡＬＰ」、項目ＩＤが「１０６４」の「Ｔ−Ｂｉｌ」、項目ＩＤが「１０６５」の「Ｄ−Ｂｉｌ」、「ＣｈＥ」、「γ−ＧＴＰ」、「ＬＤＨ」、「ＣＰＫ」、「ＡＭＹ」、「Ｔ−Ｃｈｏｌ」、「ＴＧ」、「ＢＳ」、「乳酸」、「ＮＨ３」等を汎用検査として扱っている。
【０２７５】
よって、前記ＳＴＥＰ４２３では、まず、上記特定の項目ＩＤの汎用検査で診断可能な全ての病名（疾患）を選択すべく、ＳＴＥＰ４２２で抽出した病名の病名ＩＤをキーとして、臨床マスタテーブルの病名を参照し、当該病名のうち、上記特定の生化学検査の項目ＩＤを有する病名（及び病名ＩＤ）を抽出する。この抽出結果は、症候選択ボックス１１９で「口渇感（症候ＩＤ＝１９）」を選択した場合、図２４に示す一時記憶領域としての見逃検索削除用テーブルに示すとおりのデータとなる。なお、図２４の見逃検索削除用テーブルは、ＳＴＥＰ４０１で選択した症候ＩＤ及び症候と、ＳＴＥＰ４２３で臨床マスタテーブルから抽出した病名ＩＤ及び病名と、臨床マスタテーブルにおいて当該抽出した病名ＩＤに関連付けられた項目及び項目ＩＤとを、それぞれ、「症候ＩＤ」、「症候」、「病名ＩＤ」、「病名」、「項目名」、「項目ＩＤ」の各カラムに格納するものである。また、この見逃検索削除用テーブルは、更に、「異常値ＩＤ」のカラムを有し、臨床マスタテーブルにおいて前記抽出した病名ＩＤに関連付けられた異常値ＩＤをも格納する。この「異常値ＩＤ」は、本見逃検索処理におけるデータ抽出に利用される。即ち、見逃検索処理では、ＳＴＥＰ４２３の処理に先立ち、異常値ＩＤがゼロ以上（異常値ＩＤ＞０）のレコードが全て臨床マスタテーブルから抽出され、この抽出レコードについて、上記ＳＴＥＰ４２３の処理が実行される。
【０２７６】
そして、本医療情報ＤＢは、次のＳＴＥＰ４２４において、ＳＴＥＰ４２２で疾患群マスタテーブルから抽出した病名について、当該病名の病名ＩＤを参照して、前記見逃検索削除用テーブルに保存した病名と同一の病名を削除し、残りの病名（及び病名ＩＤ）を、図２５に示す見逃検索用格納領域としての見逃検索用病名テーブル（一時記憶領域）に格納する。即ち、ＳＴＥＰ４２４で抽出した病名は、上記特定の生化学検査による診断が不可能であるため、上記特定の生化学検査だけでは見逃す可能性が高いものであり、これらの病名を見逃し検索用病名テーブルに格納して、次のＳＴＥＰ４２５で病名目次ウインドウ１４０に見逃す可能性のある病名一覧として表示する。なお、図２５の見逃検索用病名テーブルは、カラムとして、「病名ＩＤ」、「病名」、「分類ＩＤ」、「疾患順」を有し、「病名ＩＤ」及び「病名」に、ＳＴＥＰ４２４で削除されずに残った病名ＩＤ及び病名を格納している。具体的には、症候選択ボックス１１９で「口渇感（症候ＩＤ＝１９）」を選択した場合、ＳＴＥＰ４２２で抽出する病名ＩＤ及び病名は、疾患群マスタテーブルの症候ＩＤ「１９」部分に示すとおり（病名ＩＤ「１１」の「成人Ｔ細胞白血病（ＡＴＬ）」、病名ＩＤ「１２」の「多発性骨髄腫（ＭＭ）」等）となる。そして、ここから、図２４の見逃検索削除用テーブルに示す病名ＩＤと同一の病名ＩＤ（「１１」、「１２」等）を有する病名（「成人Ｔ細胞白血病（ＡＴＬ）」、「多発性骨髄腫（ＭＭ）」等）を削除すると、図２５に示すように、病名ＩＤが「９０４」の「唾液腺腫大疾患」、病名ＩＤが「１５１」の「シモンズ症候群」、病名ＩＤが「１５４」の「尿崩症」、病名ＩＤが「３００３」の「口腔乾燥症」、病名ＩＤが「３００６」の「口腔カンジダ症」、病名ＩＤが「３００７」の「貧血性舌炎」、病名ＩＤが「３００８」の「ベーチェット性舌炎」、病名ＩＤが「３０１０」の「薬剤性口渇感」、病名ＩＤが「３０１２」の「消化器諸疾患性口渇」、病名ＩＤが「３０１１」の「心因性多飲症」が残る。よって、これらの病名ＩＤ及び病名が、図２５の見逃検索用病名テーブルに格納される。
【０２７７】
次に、ＳＴＥＰ４２６で、病名目次ウインドウ１４０に表示された病名のいずれかをクリックして選択すると、ＳＴＥＰ４２７において、一般検査処理ＳＴＥＰ１００のＳＴＥＰ１０７以降の処理と同様にして、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名の病名ＩＤ及び病名と共に、前記共通テーブルに保存される。その後、一般検査処理ＳＴＥＰ１００の場合と同様にして、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。
【０２７８】
３．固有変動表の作成処理
上記臨床診断支援システムにおける固有変動表の作成処理の一例について、以下に実際の具体的なデータを使用して説明する。
１）関節リウマチ
図２６は疾患として「関節リウマチ」の発症条件「臓器：心臓」を例にとって固有変動マスタファイルの該当データ部分を作成する場合を示すテーブル図である。図２７は疾患として「関節リウマチ」を例にとって全ての固有変動を追加した場合の固有変動マスタファイルの対応部分を示すテーブル図である。
【０２７９】
関節リウマチの場合、常時検査結果が変動する検査項目として、ＲＦ及びＲＡＰＡ（いずれも、関節リウマチ等の慢性炎症性疾患で陽性化する血液検査）、骨ＸＰ（レントゲン）、ＡＬＰ（骨代謝に関する生化学検査）、ＥＳＲ（いわゆる血沈のことで、慢性の炎症性疾患で上昇）、ＣＲＰ（炎症の程度を表す生化学検査）、Ｆｅ（血中鉄濃度）が医学書に記載の一般的な検査項目であり、これらが前記固定固有変動に相当するため、これらを前記固有変動登録・編集手段２１により、関節リウマチに関連付けて固有変動マスタファイル１１に登録して格納する。一方、固定固有変動以外の固有変動については医学書には一般的に記載がないため、関節リウマチに関して個々の臓器に関する検査結果の変動である随伴固有変動については、個々の臓器ごとの固有変動を取得する。例えば、関節リウマチの場合でも、「心臓」等の発症条件については医学書にも具体的な記載がないため、関節リウマチの随伴固有変動型検査の検査項目が固有変動表から格納漏れすることを防止するため、関節リウマチに関して医学的な決定事項である「腎臓」、「ヘモグロビン血症」、「出欠傾向」等の発症条件に関する検査項目の項目名を調査して、固有変動表の検査項目名のデータ項目に格納しておき、当該検査項目名について発症条件ごとに調査した検査結果を当該発症条件の随伴固有変動として、固有変動表の対応する検査動向のデータ項目に格納する。例えば、臓器「心（胸部苦悶）」の場合、心臓に関する基本的検査とされる、胸画像（胸部レントゲンやＣＴ）、ＢＮＰ（心不全の程度を測定する血液検査）、心ＵＳ（新造の超音波検査）、 血ガス（血中の酸素濃度、ｐＨ等）、ＥＣＧ（心電図）の５項目の固有変動（検査動向）を、前記固有変動登録・編集手段２１により、関節リウマチの発症条件「心（胸部苦悶）」に関連付けて固有変動マスタファイル１１に登録して格納する。図２６はこのようにして格納された固有変動データを示す。これにより、これら５つの検査項目についての固有変動が、関節リウマチの随伴固有変動として固有変動マスタファイル１１に追加される。このようにして関節リウマチの各発症条件についての随伴固有変動を格納した状態を図１１に示す（紙面の制約上、一部のみ図示）。なお、図２６及び図２７では、疾患名と発症条件とを結合することにより、随伴固有変動を上記結合疾患名として表現している。
【０２８０】
上記のように、各疾患について、随伴固有変動を呈する検査項目の方が固定固有変動を呈する検査項目より多数となるが、特に、疾患に特異的とされる特異的検査についても、随伴固有変動を呈する検査項目の方が固定固有変動を呈する検査項目より多数となる。例えば、関節リウマチに特異的とされる検査でも、ＲＡＰＡのようにその疾患のみで陽性化する完全に特異的な検査は少なく、全疾患のうちの比較的多数の疾患で陽性化するものが多いため、これらの検査は特異的といっても比較的特異であるに過ぎない。また、関節リウマチに関し、他の血液学的な検査についての固定固有変動は、全疾患のうちの数十から１００前後の疾患で変動するため、これらの検査項目を単独で使用したとしても、関節リウマチと診断する特異性はほとんどない。ただし、これらの検査項目の固定固有変動がいずれも陰性の場合は、少なくとも関節リウマチではないと判断できるため、複数の固有変動がある疾患の検査動向に一致して変動することを、複数項目比較検討により診断することで、これらの検査項目に変動がないとき（陰性のとき）は、関節リウマチを否定する情報として活用することができる。
【０２８１】
固有変動表の作成は、他の疾患についても、上記の関節リウマチの例で示すように、発症条件に関する検査項目を前もって集成した上、固有変動表に追加格納する。即ち、随伴固有変動を全て同じ手法で固有変動表に（対応する結合疾患名及び検査項目名と関連付けて）追加格納して、検査項目の見逃しを予防する。
【０２８２】
２）症候（高血糖）
図２８は症候「高血糖」に関する固有変動を検査項目「ＣＢＣ」について固有変動マスタファイルに格納する場合の処理を説明するテーブル図である。固有変動マスタファイル１１では、上記のように、同一の検査項目であっても疾患ごとに異なる複数の固有変動が格納され、１つの検査項目について複数行の（疾患ごとに異なる）レコードが存在するため、このまま各行のレコードのデータ内容を抽出して検査配列表６３に表示すると、表示行が膨大となってその全容の把握が逆に困難になる可能性がある。したがって、本臨床診断支援システムでは、固有変動マスタファイル１１に基づき、ある症候に属する疾患ごとに同一の検査項目について複数行にわたる固有変動のデータ（同一の検査項目について、当該症候に属する疾患ごとに異なる複数の検査変動の説明）を１つのデータ（当該検査項目について当該症候に属する疾患ごとの検査変動をまとめた説明）として臨床マスタファイル１２に格納し手いる。即ち、同一の症候について、固有変動表では複数行にわたる１つの検査項目に関する複数の固有変動データを１つのデータに結合して単一のデータとして表現し、当該症候が指定されたときは、同一の検査項目についてはこの単一のデータを臨床マスタファイル１２から抽出して検査配列表６３に表示するようにしている。なお、このデータ集約処理は、上記で説明したように、前記検査配列表加工表示手段５３により、複数行にわたる１つの検査項目のデータを１行に結合して複数の固有変動を単一のデータとして表現し、検査配列表６３に表示することができる。
【０２８３】
例えば、疾患群マスタファイルを参照して症候「高血糖」についての全疾患（全病名）を抽出すると共に、抽出した全病名について、固有変動マスタファイルを参照して、当該病名に関連付けられた検査項目「ＣＢＣ」とその固有変動とを抽出すると（これら両ファイルの当該抽出データ部分を結合すると）、図２８に示すように、症候「高血糖」に属する疾患群についての検査項目「ＣＢＣ」に関しては、固有変動マスタファイルには、当該症候「高血糖」に属する疾患群（「褐色細胞種」等）について（合計８個の）個別の固有変動が格納されていることがわかる（図２８の下側のテーブル参照）。したがって、本臨床診断支援システムでは、これらの固有変動データを集約して（当該疾患群についての）単一データの固有変動（検査動向）として臨床マスタファイルの「固有変動（検査動向）」のデータ項目の対応レコード部分に格納し（図２８の上側のテーブル参照）、症候「高血糖」を指定したときの当該疾患群の当該検査項目「ＣＢＣ」に関する固有変動としては、この集約した単一データの固有変動を検査配列表６３の検査動向欄に表示する。したがって、検査配列表６３で単一項目として表示される（本来は８個の固有変動からなる）固有変動データを見るだけで、複数項目比較検討が可能になり、複数行にわたるデータを見て複数項目比較検討をする場合と比較して、作業性が向上する。また、固有変動マスタファイル１１の固有変動の内容をそのまま集約して臨床マスタファイル１２の固有変動の内容とするため、疾患名や固有変動データの漏れがなくなり、また、正確かつ専門的な構文として表示することが可能となる。
【０２８４】
３）肺炎
図２９は肺炎に関する固有変動を検査項目「ＡＳＴ」について固有変動マスタファイルに格納する場合の処理を説明するテーブル図である。
肺炎は、肺に親和性を持つ起炎菌により発症するが、本臨床診断支援システムでは、まず、（別症候とする特殊なウイルス性肺炎は除いて）肺炎の起炎菌として１８種類の起炎菌を使用して、鑑別マスタファイル１７の鑑別病名として格納している。そして、例えば、鑑別マスタファイルを参照して病名「肺炎」についての全鑑別疾患（全鑑別病名）を抽出すると共に、抽出した全病名について、固有変動マスタファイルを参照して、当該病名に関連付けられた検査項目「ＡＳＴ」とその固有変動とを抽出すると（これら両ファイルの当該抽出データ部分を結合すると）、図２９に示すように、病名「肺炎」に属する鑑別病名群についての検査項目「ＡＳＴ」に関しては、固有変動マスタファイルには、当該病名「肺炎」に属する鑑別病名群（「マイコプラズマ症」等）について（合計１４個の）個別の固有変動が格納されていることがわかる（図２９の下側のテーブル参照）。したがって、本臨床診断支援システムでは、これらの固有変動データを集約して（当該鑑別病名群についての）単一データの固有変動（検査動向）として臨床マスタファイルの「固有変動（検査動向）」のデータ項目の対応レコード部分に格納し（図２９の上側のテーブル参照）、病名「肺炎」を指定したときの当該鑑別病名群の当該検査項目「ＡＳＴ」に関する固有変動としては、この集約した単一データの固有変動を検査配列表６３の検査動向欄に表示する。したがって、検査配列表６３で単一項目として表示される（本来は１４個の固有変動からなる）固有変動データを見るだけで、鑑別病名の固有変動の比較検討が可能になり、複数行にわたるデータを見てそれらを比較検討をする場合と比較して、作業性が向上する。また、固有変動マスタファイル１１の固有変動の内容をそのまま集約して臨床マスタファイル１２の固有変動の内容とするため、疾患名や固有変動データの漏れがなくなり、また、正確かつ専門的な構文として表示することが可能となる。
【０２８５】
このように、従来の診断法によれば、至適抗生剤選定用の細菌培養検査を行い、その結果がでるまで通常４〜５日を要するが、病初は起炎菌が不明のため、適当な抗生剤で治療が開始されるのに対し、本臨床診断支援システムによれば、一般検査で肺炎を指定すると、（３０分程度で測定できる）安価な生化学検査だけでも、その検査結果を検査配列表６３の対応する検査項目の固有変動で確認することにより、肺炎を発症する１８起炎菌中の１６起炎菌を区別して検出することができる。また、重症化して緊急性を帯びるほど随伴固有変動が陽性化することから、結果的に、重症肺炎となるほど治療開始前に起炎菌を同定でき、至適な薬剤を選定することができることになり、救命率の向上を期待することができる。更に、生化学検査以外にも、短時間で結果が判明する特異的検査や、画像検査の特徴等も、それぞれの固有変動として検査配列表６３に合わせて表示されるため、初回の簡単な検査を複数項目比較検討するだけで、全疾患を区別して検出することができる。
【図面の簡単な説明】
【０２８６】
【図１】図１は本発明の一実施の形態に係る臨床診断支援システムで使用する固有変動表の一例を概念的に説明するための表である。
【図２】図２は本発明の一実施の形態に係る臨床診断支援システムで使用する疾患群マスタファイルの一例を概念的に説明するための表である。
【図３】図３は本発明の一実施の形態に係る臨床診断支援システムで使用する鑑別疾患マスタファイルの一例を概念的に説明するための表である。
【図４】図４は本発明の一実施の形態に係る臨床診断支援システムで使用する臨床マスタファイルの一例を概念的に説明するための表である。
【図５】図５は本発明の一実施の形態に係る臨床診断支援システムで使用する症候検査時の検査配列表の一例を概念的に説明するための表である。
【図６】図６は本発明の一実施の形態に係る臨床診断支援システムで使用する鑑別検査時の検査配列表の一例を概念的に説明するための表である。
【図７】図７は本発明の一実施の形態に係る臨床診断支援システムで使用する固有変動表の立方体のデータ構造を概念的に説明するための別の説明図である。
【図８】図８は本発明の一実施の形態に係る臨床診断支援システムの全体構成を、症候検査用の機能実現手段として概略的に説明するためのブロック図である。
【図９】図９は本発明の一実施の形態に係る臨床診断支援システムの全体構成を、一般検査用の機能実現手段として概略的に説明するためのブロック図である。
【図１０】図１０は本発明の一実施例に係る臨床診断支援システムにおける一般検査（鑑別検査）処理時の画面構成を示す説明図である。
【図１１】図１１は本発明の一実施例に係る臨床診断支援システムにおける症候検査処理時の画面構成を示す説明図である。
【図１２】図１２は本発明の一実施例に係る臨床診断支援システムにおける３項目検索処理時の画面構成を示す説明図である。
【図１３】図１３は本発明の一実施例に係る臨床診断支援システムにおける複合検索処理時の画面構成を示す説明図である。
【図１４】図１４は本発明の一実施例に係る臨床診断支援システムの一般検査処理を示すフローチャートである。
【図１５】図１５は本発明の一実施例に係る臨床診断支援システムの一般検査処理における疾患概要情報提供処理を示すフローチャートである。
【図１６】図１６は本発明の一実施例に係る臨床診断支援システムの鑑別疾患情報提供処理を示すフローチャートである。
【図１７】図１７は本発明の一実施例に係る臨床診断支援システムの検査項目情報提供処理を示すフローチャートである。
【図１８】図１８は本発明の一実施例に係る臨床診断支援システムの症候検査処理を示すフローチャートである。
【図１９】図１９は本発明の一実施例に係る臨床診断支援システムの症候検査処理における症候概要情報提供処理を示すフローチャートである。
【図２０】図２０は図２１の続きの処理を示すフローチャートである。
【図２１】図２１は本発明の一実施例に係る臨床診断支援システムの症候検索処理における見逃検査処理を示すフローチャートである。
【図２２】図２２は本発明の一実施例に係る臨床診断支援システムの症候マスタファイルとしての症候マスタテーブルを示す。
【図２３】図２３は本発明の一実施例に係る臨床診断支援システムの異常値マスタファイルとしての異常値マスタテーブルを示す。
【図２４】図２４は本発明の一実施例に係る臨床診断支援システムの一時記憶領域としての見逃検索削除用テーブルを示す。
【図２５】図２５は本発明の一実施例に係る臨床診断支援システムの一時記憶領域としての見逃検索用病名テーブルを示す。
【図２６】図２６は疾患として「関節リウマチ」の発症条件「臓器：心臓」を例にとって固有変動マスタファイルの該当データ部分を作成する場合を示すテーブル図である。
【図２７】図２７は疾患として「関節リウマチ」を例にとって全ての固有変動を追加した場合の固有変動マスタファイルの対応部分を示すテーブル図である。
【図２８】図２８は症候「高血糖」に関する固有変動を検査項目「ＣＢＣ」について固有変動マスタファイルに格納する場合の処理を説明するテーブル図である。
【図２９】図２９は肺炎に関する固有変動を検査項目「ＡＳＴ」について固有変動マスタファイルに格納する場合の処理を説明するテーブル図である。
【符号の説明】
【０２８７】
１１０：統括表ウインドウ、１３０：病名分類ウインドウ
１４０：病名目次ウインドウ
１５０：検査配列票ウインドウ、１６０：疾患概要ウインドウ
１７０：鑑別疾患目次ウインドウ、１８０：検査概要ウインドウ
１９０：鑑別疾患概要ウインドウ、２００：検査保管票ウインドウ
２１０：病名保管票ウインドウ、２３０：症候分類ウインドウ
２４０：症候目次ウインドウ、２５０：用語検索票ウインドウ
【図１】
2010250780.tif 000003
【図２】
2010250780.tif 000004
【図３】
2010250780.tif 000005
【図４】
2010250780.tif 000006
【図５】
2010250780.tif 000007
【図６】
2010250780.tif 000008
【図７】
2010250780.tif 000009
【図８】
2010250780.tif 000010
【図９】
2010250780.tif 000011
【図１０】
2010250780.tif 000012
【図１１】
2010250780.tif 000013
【図１２】
2010250780.tif 000014
【図１３】
2010250780.tif 000015
【図１４】
2010250780.tif 000016
【図１５】
2010250780.tif 000017
【図１６】
2010250780.tif 000018
【図１７】
2010250780.tif 000019
【図１８】
2010250780.tif 000020
【図１９】
2010250780.tif 000021
【図２０】
2010250780.tif 000022
【図２１】
2010250780.tif 000023
【図２２】
2010250780.tif 000024
【図２３】
2010250780.tif 000025
【図２４】
2010250780.tif 000026
【図２５】
2010250780.tif 000027
【図２６】
2010250780.tif 000028
【図２７】
2010250780.tif 000029
【図２８】
2010250780.tif 000030
【図２９】
2010250780.tif 000031
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
固定変動表及び検査配列表示手段を備え、
前記固定変動表は、
各疾患に対して、その疾患が発病したときには必ず同一の検査結果となることを利用してその疾患自体の発病を確認するために使用可能な検査項目である固定固有変動型検査の検査項目名と、その疾患が発病したときの当該固定固有変動型検査の検査結果の変動内容を示す表現である固定固有変動とを当該疾患に関連付けて格納すると共に、
その疾患が発病したときに必ずしも同一の検査結果とはならない一方でその疾患に固有の発症条件が発症したときには必ず同一の検査結果となることを利用してその疾患に固有の発症条件を確認するために使用可能な検査項目である随伴固有変動型検査の検査項目名と、その疾患に固有の発症条件が発症したときの当該随伴固有変動型検査の検査結果の変動内容を示す表現である随伴固有変動とを当該疾患に関連付けて格納し、
前記固定固有変動及び前記随伴固有変動として、いずれも、対応する検査項目の検査結果の変動内容を最小単位となるよう細分化して表現したものを格納すると共に、
前記固定固有変動に対応する疾患の疾患名を当該固定固有変動に関連付けて格納し、かつ、前記随伴固有変動に対応する疾患の疾患名と対応する発症条件の発症条件名とを結合した結合疾患名を当該随伴固有変動に関連付けて格納し、
前記検査配列表示手段は、
各疾患について、前記固有変動表から、その疾患に関連付けた全ての前記固定固有変動型検査の検査項目名とその固定固有変動、並びに、その疾患に関連付けた全ての前記随伴固有変動型検査の検査項目名とその随伴固有変動とを抽出し、各疾患について当該疾患に関連付けた全ての固定固有変動型検査の検査項目名及び全ての随伴固有変動型検査の検査項目名を、当該疾患と対応付けて検査配列表示部に順に列挙表示すると共に、各固定固有変動型検査の検査項目名にはその固定固有変動を対応付けて前記検査配列表示部に表示し、かつ、各随伴固有変動型検査の検査項目名にはその随伴固有変動を対応付けて前記検査配列表示部に表示すると共に、
前記固定固有変動には、当該固定固有変動が関連付けられた疾患名のみを対応付けて表示し、かつ、前記随伴固有変動には、当該随伴固有変動が関連付けられた結合疾患名を対応付けて表示し、
更に、一の疾患について少なくとも２以上の前記固定固有変動を前記固有変動表から抽出して前記検査配列表示部に列挙表示することで、当該一の疾患について前記２以上の固定固有変動を相互に比較検討して診断する複数項目比較検討を可能とする
ことを特徴とする臨床診断支援システム。
【請求項２】
更に、
症候を格納する症候格納手段と、
前記症候格納手段に格納した症候ごとに、その症候が発症したときに発病が疑われる疾患である候補疾患を当該症候に関連付けて格納する疾患群格納手段と、
前記疾患群格納手段に格納した症候のうちの特定の症候を指定する症候指定手段と、
前記症候指定手段により特定の症候が指定されたときに、当該指定された症候に関連付けた前記候補疾患を前記疾患群格納手段から抽出する候補疾患抽出手段と、
前記症候指定手段により特定の症候が指定されたときに、前記候補疾患抽出手段が抽出した候補疾患の各々に関連付けた前記固定変動型検査項目の検査項目名及びその固定固有変動と、当該候補疾患の各々に関連付けた前記随伴固有変動型検査の検査項目名及びその随伴固有変動とを、それぞれ、前記固有変動表から抽出する固有変動抽出手段とを備え、
前記検査配列表示手段は、前記固有変動抽出手段を含み、
前記症候指定手段により特定の症候が指定されたとき、
前記固有変動抽出手段は、前記候補疾患抽出手段が抽出した前記候補疾患の各々について、前記候補疾患の各々に関連付けた前記固定変動型検査項目の検査項目名及びその固定固有変動を少なくとも２以上抽出すると共に、前記候補疾患の各々に関連付けた前記随伴変動型検査項目の検査項目名及びその随伴固有変動を抽出し、
前記検査配列表示手段は、前記検査配列表示部としての検査配列表の左側に、前記固有変動抽出手段が抽出した全ての前記検査項目名を上から下へと順に列挙表示すると共に、前記検査配列表の右側に、前記検査配列表に列挙表示した前記検査項目名の各々に対応して前記固定固有変動及び前記随伴固有変動を上から下へと列挙表示し、
前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する前記結合疾患名を対応付けて表示する
ことを特徴とする請求項１記載の臨床診断支援システム。
【請求項３】
更に、
前記固有変動表に格納した疾患ごとに、当該疾患と鑑別関係にある疾患であり、かつ、前記固有変動表に格納した疾患でもある鑑別疾患を、当該疾患に関連付けて格納する鑑別疾患格納手段と、
前記固有変動表に格納した疾患のうちの特定の疾患を指定する疾患指定手段と、
前記疾患指定手段により特定の疾患が指定されたときに、当該指定された疾患に関連付けた前記鑑別疾患を前記鑑別疾患格納手段から抽出する鑑別疾患抽出手段と、
前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記固有変動表から抽出することに加え、前記鑑別疾患抽出手段が抽出した鑑別疾患の各々に関連付けた前記固定変動型検査項目の検査項目名及びその固定固有変動と、当該鑑別疾患の各々に関連付けた前記随伴固有変動型検査の検査項目名及びその随伴固有変動とを、それぞれ、前記固有変動表から抽出する固有変動抽出手段とを備え、
前記検査配列表示手段は、前記固有変動抽出手段を含み、
前記疾患指定手段により特定の疾患が指定されたとき、
前記固有変動抽出手段は、前記指定された疾患について、当該疾患に関連付けた少なくとも２以上の前記固定変動型検査項目の検査項目名及びその固定固有変動を抽出すると共に、当該指定された疾患に関連付けた前記随伴変動型検査項目の検査項目名及びその随伴固有変動を抽出することに加え、前記鑑別疾患抽出手段が抽出した前記鑑別疾患の各々について、前記鑑別疾患の各々に関連付けた前記固定変動型検査項目の検査項目名及びその固定固有変動を抽出し、
前記検査配列表示手段は、前記検査配列表示部としての検査配列表の左側に、前記固有変動抽出手段が抽出した全ての前記検査項目名を集合化して順に列挙表示すると共に、前記検査配列表の右側に、前記検査配列表に列挙表示した前記検査項目名の各々に対応して前記固定固有変動及び前記随伴固有変動を集合化して列挙表示する一方、前記指定された疾患について抽出した前記固定固有変動を集合化して列挙表示し、かつ、前記指定された疾患について抽出した前記随伴固有変動を集合化して列挙表示すると共に、前記鑑別疾患について抽出した前記固定固有変動を集合化して表示し、
前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する前記結合疾患名を対応付けて表示する
ことを特徴とする請求項１記載の臨床診断支援システム。
【請求項４】
更に、
前記固有変動表に格納した疾患ごとに、前記固定固有変動型検査の検査項目名及びその固定固有変動、並びに、前記随伴固有変動型検査の検査項目名及びその随伴固有変動をそれぞれ関連付けて格納する臨床データ格納手段と、
前記臨床データ格納手段に格納した疾患のうちの特定の疾患を指定する疾患指定手段と、
前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記臨床データ格納手段から抽出する固有変動抽出手段とを備え、
前記臨床データ格納手段は、前記固有変動表において疾患ごとに関連付けられた前記固定固有変動型検査の検査項目名を、その疾患自体の発病を確認するための肯定用検査の検査項目名として当該疾患に関連付けて格納することに加え、前記固有変動表においてその疾患の鑑別疾患となる疾患に関連付けられた前記固定固有変動型検査の検査項目名をも、当該鑑別疾患の発病を確認することで当該疾患自体の発病を否定するための否定用検査として当該疾患に関連付けて格納し、
前記臨床データ格納手段は、更に、前記固有変動表において疾患ごとに関連付けられた前記固定固有変動型検査の固定固有変動であって前記肯定用検査となる検査の固定固有変動を、その疾患の疾患名及び当該肯定用検査の検査項目名にそれぞれ関連付けて格納することに加え、前記固有変動表においてその疾患の鑑別疾患となる疾患に関連付けられた前記固定固有変動型検査の固定固有変動であって前記否定用検査となる検査の固定固有変動をも、その疾患の疾患名及び当該否定用検査の検査項目名及び当該鑑別疾患の疾患名にそれぞれ関連付けて格納し、
前記疾患指定手段により特定の疾患が指定されたとき、
前記固有変動抽出手段は、前期指定された疾患について、当該疾患に関連付けた少なくとも２以上の前記肯定用検査項目の検査項目名及びその固定固有変動を抽出すると共に、当該指定された疾患に関連付けた前記随伴変動型検査項目の検査項目名及びその随伴固有変動を抽出することに加え、当該疾患に関連付けた前記否定用検査項目の検査項目名及びその固定固有変動を抽出し、
前記検査配列表示手段は、前記検査配列表示部としての検査配列表の左側に、前記固有変動抽出手段が抽出した全ての前記検査項目名を上から下へと順に列挙表示すると共に、前記検査配列表の右側に、前記検査配列表に列挙表示した前記検査項目名の各々に対応して前記固定固有変動及び前記随伴固有変動を上から下へと列挙表示する一方、前記指定された疾患について抽出した前記肯定用検査の固定固有変動を集合化して表示し、かつ、前記指定された疾患について抽出した前記随伴固有変動を集合化して表示すると共に、前記指定した疾患について抽出した前記否定用検査を集合化して表示し、
前記検査配列表表示手段は、更に、当該検査配列表において前記肯定用検査の検査項目名には当該肯定用検査であることを示す肯定検査用種別記号を、前記否定用検査には当該否定用検査であることを示す否定検査用種別記号をそれぞれ付して表示することを特徴とする請求項１記載の臨床診断支援システム。
【請求項５】
前記固有変動抽出手段は、指定した疾患が除外診断法により診断されるものである場合は、当該疾患の鑑別疾患の各々に関連付けた前記否定用検査項目とその固定固有変動とを抽出し、
前記検査配列表表示手段は、前記固有変動抽出手段が抽出した前記否定用検査項目を前記検査配列表に列挙して表示することを特徴とする請求項４記載の臨床診断支援システム。
【請求項６】
更に、
症候を格納する症候格納手段と、
前記症候格納手段に格納した症候ごとに、その症候が発症したときに発病が疑われる疾患である候補疾患を当該症候に関連付けて格納する疾患群格納手段と、
前記疾患群格納手段に格納した症候のうちの特定の症候を指定する症候指定手段と、
前記症候指定手段により特定の症候が指定されたときに、当該指定された症候に関連付けた前記候補疾患を前記疾患群格納手段から抽出する候補疾患抽出手段とを備え、
前記臨床データ格納手段は、更に、前記検査項目として、現存する全ての検査項目の項目名と当該検査項目を一意に識別する項目ＩＤとを関連付けて格納すると共に、前記検査項目のうち、生化学検査からなる汎用検査項目を特定の前記項目ＩＤと関連付けて格納する一方、前記汎用検査項目の特定の項目ＩＤを当該汎用検査項目により検出可能な特定の疾患の疾患名と関連付けて格納し、
更に、
前記症候指定手段により特定の症候を指定することにより、当該指定された症候と関連付けた全ての疾患を抽出した後、当該抽出した疾患のうち、前記汎用検査項目の特定の項目ＩＤと関連付けられた前記特定の疾患以外の疾患のみを抽出して当該疾患を前記検査配列表に列挙表示する見逃疾患抽出表示手段を備えることを特徴とする請求項４または５記載の臨床診断支援システム。
【手続補正２】
【補正対象書類名】明細書
【補正対象項目名】全文
【補正方法】変更
【補正の内容】
【発明の詳細な説明】
【技術分野】
【０００１】
本発明は、医療情報や医学書情報としての疾患情報、症候情報、臨床検査情報を、臨床医師に対して確定診断に必要かつ十分な情報量として体系的に提供する確定診断用の臨床診断支援システムに関する。
【背景技術】
【０００２】
１）診療業務
医療現場における診療業務は、臨床診断業務と治療業務からなる。臨床診断業務では、医師は、疾患を特定するために問診・医療面接、身体診察、臨床検査等を利用して、最終的な疾患を確定診断する。また、治療業務では、医師は、確定診断により特定した疾患に対応して最適な治療方針を設定し、設定した治療方針に沿った治療行為を開始する。したがって、臨床診断で的確な診断を行うことが最適な治療方針選択のために必須である。
【０００３】
２）臨床診断業務
確定診断で的確な診断を行うためには、一般に、患者の症候（主訴、所見）から予想される病名（候補疾患名）を列挙し、候補疾患に対応する生化学検査や画像検査等の複数の臨床検査を組み立てて実行し、それらの検査結果を解読して候補疾患群の中から疾患を特定することが必要となる。即ち、一般的な臨床診断は、（１）病名列挙、（２）検査組立、及び、（３）検査結果の解読という３つの手順からなる。特に、検査結果の解読では、検査結果の変動内容（以下、単に「検査変動」ということがある。）を候補疾患の各々が発病時に呈する固有の検査変動と照合して、検査陰性となった疾患は除外すると共に、検査陽性となった疾患の中から特定の疾患を選出する。したがって、臨床診断では、病名列挙で列挙した候補疾患の全てについて、確定診断に必要となる検査を漏らすことなく把握して検査を組立て、実施した各検査の検査変動を各候補疾患の固有の検査変動と漏れなく照合することが的確な診断につながり、ひいては、最適な治療法選択につながる。
ここで、臨床医師は、臨床診断において、自己が有する医学知識や経験に基づき上記３つの手順を実行するが、一人の医師が多岐にわたる医療分野ごとの知識を全て具有することは困難であるため、必要に応じて、医学書の該当事項を参照し、また、医学書だけで判明しない事項については、医学書の記載等を手がかりに医学専門書等のその他の医学情報源を参照することが必要になる。しかし、医師が、臨床診断業務中の短時間で、医学書から医学専門書等にわたって末広がりとなる情報を的確に取得することは事実上困難である。一方、このような診断業務を自動的に行う自動診断システムが各種提案されているが、いずれも、いまだ実用的なレベルには達していない。
【０００４】
３）従来の臨床診断支援システム
上記診断業務を支援するためのシステムとして、例えば、以下のものが提案されている。
【特許文献１】特開２００１−３３１５８１号公報
【特許文献２】特開２０００−１２３０９６号公報
【０００５】
特許文献１には、専門外の分野であっても高度な診断・治療を実現することができる自動診断システムが開示されている。この自動診断システムは、コンピュータ（クライアントサーバーシステム）を用いて患者の疾患を診断するものであり、患者に発現する複数の症候と、この症候に基づいて可能性があると考えられる複数の疾患とを対応づけて記憶した症候−疾患データベースと、症候−疾患データベースの疾患に対応づけられ、疾患に関連する臨床検査項目が格納された臨床検査データベースとを格納したデータ記憶部を有し、ユーザーから提供された症候を症候−疾患データベースから読み出し、当該読み出された症候に対応づけられた疾患に基づいて、当該疾患に関連する臨床検査項目を読み出し、診断手段による診断結果を表示する。
【０００６】
特許文献２には、「一連の医療行為を構成する検診、検査、診断及び治療を最新の医療技術の成果を取り入れたプロセスに従って誤りなく行われるよう補助支援」する医療診断システムの提供、及び、「データ入力等の操作が簡単且つ容易で、医療現場においてリアルタイムに利用可能なキ−ワード解析に基づく検診支援システム、診断支援システム、診療支援システム」の提供を課題とし（同文献の段落００１３）、「病名と症候との関連データを記憶する第１の記憶手段と、疾患の部位、性別、年齢、病歴等の情報を記憶する第２の記憶手段と、前記病名と対応して病名に関して検査すべき項目、確認すべき所見等の関連データを記憶する第３の記憶手段と、病名と該病名に対する治療方法との関連データを記憶する第４の記憶手段と、１若しくは２以上の症候及び当該症候に関する種々のデータをキーワード入力するための入力手段と、前記入力手段によって入力された入力データに基づいて、前記第１の記憶手段と前記第２の記憶手段にアクセスし、該当する１若しくは２以上の病名を検索すると共に、前記第３の記憶手段にアクセスして当該病気に対する治療方法を検索する検索手段と、前記検索手段によって検索された病名を可能性の高い順に列記し、必要に応じて、検索された各病気に関して検査すべき項目、確認すべき所見等の関連情報を表示すると共に、当該病気に対する前記治療方法を表示する表示手段と、を具備する」システムが記載されている（同段落００１４）。
【０００７】
また、引用文献２には、発明の実施の形態として、「１若しくは複数の症候データが入力手段によって入力されると、症候対応病名のリレーショナル・データベースの共通集合演算をとることにより、それら複数の症候を顕わす病名を検索出力する」点と（同段落００２７）、「病名と症候との関連データのみならず、疾患の部位、所見される事項、性別、年齢、病歴等の個別的入力情報と、病名と対応して病名に関して検査すべき項目、確認すべき所見等の関連データを関係データベースとしてシステム内に予め構築しておき、複数の症候に基づいて検索された病名を、前記個別的入力情報等に基づいて総合的に判断して、個々の患者の症候をベースにして考えられる病名を可能性の高い順に表示出力する」点と（同段落００３１）、「担当の医師が可能性のある病名の中から特定の疾患を最終的に診断するために行わなければならない最低限必要な検査項目、最終的に確認すべき検査試験成績その他の所見等の関連データを、掲げられた病名毎に列記するように構成し、これにより、診断の誤りを防止するとともに、迅速で最新の医療技術等の成果を反映させた検診及び診断行為の側面的支援を実現」する点と（同段落００３２）が記載されている。
【発明の開示】
【発明が解決しようとする課題】
【０００８】
４）従来の臨床診断支援システムの問題点（発症条件及び随伴固有変動の非考慮）
しかし、後述するように、いかなる検査法（いかなる検査変動）を使用しても全疾患の１割前後で確定診断することができないのが現状である。したがって、上記特許文献１及び２を含め、従来の臨床診断支援システムは、既存の全検査項目を網羅する構成であったとしても、やはり、確定診断に適用することは困難であり、特に、自動診断システムにより確定診断を行うことはできない。また、検査変動が固定固有変動と随伴固有変動とに区分可能で、かつ、それらが異なる観点から臨床診断に利用可能である点（固定固有変動は疾患選出・同定に、随伴固有変動は疾患選出・同定に加えて発症条件同定に使用可能である点）は本発明者の知見によるものであり、従来は特に認識されることなく検査が行われていた。特に、臨床検査は、疾患を同定するために固定固有変動型検査に相当する検査項目を利用して行われており、随伴固有変動型検査については、その疾患について固有併発症が発症した場合等、特定の発症条件を確認してから別個の検査として実施されている。したがって、特に随伴固有変動は、現在の医療現場で臨床診断に活用されていないのが現状であり、全固有変動のうち随伴固有変動に相当する８割前後の固有変動が臨床診断で有効に活用されていないことになる。当然、上記特許文献１及び２を含め、従来の臨床診断支援システムも、診断対象の疾患自体については考察しているものの、その発症条件や随伴固有変動については全く考慮しておらず、やはり、全固有変動のうち随伴固有変動に相当する８割前後の固有変動を利用していないことになる。
【０００９】
この点を詳細に説明すると、上記特許文献１及び２を含め、従来の臨床診断支援システムでは、各疾患に１以上の検査項目を対応付け、検査項目の検査結果（本発明の固有変動に対応）に応じて当該疾患の存在を判定するものの、各疾患に対応付けた検査項目の固有変動は、上記のような疾患ごとの発症条件までも考慮したものではない。即ち、特許文献１及び２を含め発明者が知っている過去の文献のいずれにも、臨床検査を特異的検査、非特異的検査及び中間的検査に区別して検査組立すると共に、臨床検査の検査変動を固定固有変動と随伴固有変動とに二分して解読作業を可能にする点については全く開示も示唆もしていない。特許文献１及び２を含めた従来の臨床診断システムが使用する検査項目の検査変動を本発明の固有変動に対応させて解釈した場合でも、従来の臨床診断支援システムでは、本発明者が知見した固有変動中、上記固定固有変動に相当する検査結果のみを疾患に関連付けて自動診断等を行っている可能性が高い。例えば、特許文献２の技術では、複数の症候の各々に重複して関連付けられた病名を抽出し、当該病名を個別的入力情報（疾患部位、所見、性別、年齢、病歴等）に基づき総合的に判断して可能性の高い順に表示出力し、必要に応じて、表示された病名の中から特定の疾患を最終的に診断するために行わなければならない最低限必要な検査項目や最終的に確認すべき検査試験成績その他の所見等の関連データを、表示された病名ごとに列記するシステムを開示しているものの、その開示内容を詳細に見ても、各疾患に関連付けた検査項目の検査結果は、あくまで上記固定固有変動に相当する検査結果に過ぎず、疾患についての発症条件までも考慮した検査結果（上記随伴固有変動に相当するもの）についての示唆は全くない。したがって、特許文献２の技術は、検診（健康診断）のような簡易的な診断に適用する場合はともかく、確定診断で最終的に一つの原因疾患を特定する必要がある臨床診断に適用できる構成、即ち、臨床診断に必要な十分かつ詳細な医療情報を効率的かつ体系的に提供するための構成については、当業者（医療業界及びＩＴ業界の技術者）が発明を特定できる程度に開示または示唆しておらず、実際の臨床診断に適用できるものではない。
【００１０】
そこで、本発明は、特に急激進行疾患や重篤疾患の見逃し防止等のため、臨床診断の確定診断に必要となる全ての症候、全ての疾患、全ての検査項目に関する医療情報を網羅し、臨床診断で症候に応じた候補疾患の情報を網羅的に提供できると共に、候補疾患から原因疾患への絞込んで確定診断を行うために必要となる検査項目の情報を網羅的に提供することできる一方で、検査項目の固有変動情報を候補疾患と関連付けて複数項目比較検討が可能な態様で体系的に提供することにより、専門医以外の医師であっても実際の臨床診断で要求される短時間での検査組立及び検査結果の解読作業を可能にし、実用的な確定診断用の臨床診断支援システムを提供することを課題とする。
【課題を解決するための手段】
【００１１】
請求項１に係る臨床診断支援システムは、固定変動表及び検査配列表示手段を備える。前記固定変動表は、各疾患に対して、その疾患が発病したときには必ず同一の検査結果となることを利用してその疾患自体の発病を確認するために使用可能な検査項目である固定固有変動型検査の検査項目名と、その疾患が発病したときの当該固定固有変動型検査の検査結果の変動内容を示す表現である固定固有変動とを当該疾患に関連付けて格納すると共に、その疾患が発病したときに必ずしも同一の検査結果とはならない一方でその疾患に固有の発症条件が発症したときには必ず同一の検査結果となることを利用してその疾患に固有の発症条件を確認するために使用可能な検査項目である随伴固有変動型検査の検査項目名と、その疾患に固有の発症条件が発症したときの当該随伴固有変動型検査の検査結果の変動内容を示す表現である随伴固有変動とを当該疾患に関連付けて格納する。また、固有変動表は、前記固定固有変動及び前記随伴固有変動として、いずれも、対応する検査項目の検査結果の変動内容を最小単位となるよう細分化して表現したものを格納すると共に、前記固定固有変動に対応する疾患の疾患名を当該固定固有変動に関連付けて格納し、かつ、前記随伴固有変動に対応する疾患の疾患名と対応する発症条件の発症条件名とを結合した結合疾患名を当該随伴固有変動に関連付けて格納する。一方、前記検査配列表示手段は、各疾患について、前記固有変動表から、その疾患に関連付けた全ての前記固定固有変動型検査の検査項目名とその固定固有変動、並びに、その疾患に関連付けた全ての前記随伴固有変動型検査の検査項目名とその随伴固有変動とを抽出し、各疾患について当該疾患に関連付けた全ての固定固有変動型検査の検査項目名及び全ての随伴固有変動型検査の検査項目名を、当該疾患と対応付けて検査配列表示部に順に列挙表示すると共に、各固定固有変動型検査の検査項目名にはその固定固有変動を対応付けて前記検査配列表示部に表示し、かつ、各随伴固有変動型検査の検査項目名にはその随伴固有変動を対応付けて前記検査配列表示部に表示すると共に、前記固定固有変動には、当該固定固有変動が関連付けられた疾患名のみを対応付けて表示し、かつ、前記随伴固有変動には、当該随伴固有変動が関連付けられた（疾患の疾患名に対して当該随伴固有変動が該当する疾患に固有の発症条件を結合して表す）結合疾患名を対応付けて表示する。検査配列表示手段は、更に、一の疾患について少なくとも２以上の前記固定固有変動を前記固有変動表から抽出して前記検査配列表示部に列挙表示することで、当該一の疾患について前記２以上の固定固有変動を相互に比較検討して診断する複数項目比較検討を可能とする。
【００１２】
なお、本臨床診断支援システムは、病名（疾患名）、対応する検査項目及びその固有変動については、漏れのないよう、あらゆる病名、対応する検査項目及びその固有変動を網羅して格納する（即ち、全ての疾患についての全ての対応する検査項目とその全ての対応する固有変動とを格納する）が、特定分野に限定した病名及び対応する検査項目とその固有変動のみを格納し、特定分野用途とすることは可能である。また、各病名について診断時に使用される可能性のある全ての検査項目の項目名が当該病名に関連付けられて格納されるが、検査項目については、病名との関係で漏れをなくすよう、各病名について頻用でないものや特殊なものでも除外することなく格納する。
【００１３】
また、検査配列表示部は、実施例では、モニタ画面のユーザーインタフェース（ＧＵＩ）上にグラフィック表示され、一の疾患に対して関連する項目名と動向とを対応表示する表形式の検査配列表として具体化されているが、表形式以外の形式として具体化することも可能である。
【００１４】
また、検査配列表示部における固定固有変動型検査の検査項目及び対応する固定固有変動の表示は、好ましくは、複数項目比較検討しやすい順にそれらが表示されるよう構成される。即ち、例えば、各疾患に関連付けた固定固有変動型検査には、それぞれ、複数項目比較検討業務において関連度の高い順番（複数項目比較検討しやすい順番）である表示順位を表す順位ＩＤを関連付け、当該順位ＩＤを参照して、検査配列表に、一の疾患について、固定固有変動型検査を上から表示順位の高い順番で表示することができる。
【００１５】
請求項２に係る臨床診断支援システムは、請求項１の構成において、更に、症候を格納する症候格納手段と、前記症候格納手段に格納した症候ごとに、その症候が発症したときに発病が疑われる疾患である候補疾患を当該症候に関連付けて格納する疾患群格納手段と、前記疾患群格納手段に格納した症候のうちの特定の症候を指定する症候指定手段と、前記症候指定手段により特定の症候が指定されたときに、当該指定された症候に関連付けた前記候補疾患を前記疾患群格納手段から抽出する候補疾患抽出手段と、前記症候指定手段により特定の症候が指定されたときに、前記候補疾患抽出手段が抽出した候補疾患の各々に関連付けた前記固定変動型検査項目の検査項目名及びその固定固有変動と、当該候補疾患の各々に関連付けた前記随伴固有変動型検査の検査項目名及びその随伴固有変動とを、それぞれ、前記固有変動表から抽出する固有変動抽出手段とを備える。そして、前記検査配列表示手段は、前記固有変動抽出手段を含み、前記症候指定手段により特定の症候が指定されたとき、前記固有変動抽出手段は、前記候補疾患抽出手段が抽出した前記候補疾患の各々について、前記候補疾患の各々に関連付けた前記固定変動型検査項目の検査項目名及びその固定固有変動を少なくとも２以上抽出すると共に、前記候補疾患の各々に関連付けた前記随伴変動型検査項目の検査項目名及びその随伴固有変動を抽出し、前記検査配列表示手段は、前記検査配列表示部としての検査配列表の左側（実施の形態における検査項目欄）に、前記固有変動抽出手段が抽出した全ての前記検査項目名を上から下へと順に列挙表示すると共に、前記検査配列表の右側（実施の形態における検査動向欄）に、前記検査配列表に列挙表示した前記検査項目名の各々に対応して前記固定固有変動及び前記随伴固有変動を上から下へと列挙表示し、前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する（当該疾患の疾患名に当該随伴固有変動の発症条件を結合して表す）前記結合疾患名を対応付けて表示する。
【００１６】
請求項３に係る臨床診断支援システムは、請求項１の構成において、更に、前記固有変動表に格納した疾患ごとに、当該疾患と鑑別関係にある疾患であり、かつ、前記固有変動表に格納した疾患でもある鑑別疾患を、当該疾患に関連付けて格納する鑑別疾患格納手段と、前記固有変動表に格納した疾患のうちの特定の疾患を指定する疾患指定手段と、前記疾患指定手段により特定の疾患が指定されたときに、当該指定された疾患に関連付けた前記鑑別疾患を前記鑑別疾患格納手段から抽出する鑑別疾患抽出手段と、前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記固有変動表から抽出することに加え、前記鑑別疾患抽出手段が抽出した鑑別疾患の各々に関連付けた前記固定変動型検査項目の検査項目名及びその固定固有変動と、当該鑑別疾患の各々に関連付けた前記随伴固有変動型検査の検査項目名及びその随伴固有変動とを、それぞれ、前記固有変動表から抽出する固有変動抽出手段とを備える。そして、前記検査配列表示手段は、前記固有変動抽出手段を含み、前記疾患指定手段により特定の疾患が指定されたとき、前記固有変動抽出手段は、前記指定された疾患について、当該疾患に関連付けた少なくとも２以上の前記固定変動型検査項目の検査項目名及びその固定固有変動を抽出すると共に、当該指定された疾患に関連付けた前記随伴変動型検査項目の検査項目名及びその随伴固有変動を抽出することに加え、前記鑑別疾患抽出手段が抽出した前記鑑別疾患の各々について、前記鑑別疾患の各々に関連付けた前記固定変動型検査項目の検査項目名及びその固定固有変動を（１以上）抽出し（このとき、好ましくは、前記鑑別疾患の各々に関連付けた前記随伴変動型検査項目の検査項目名及びその随伴固有変動は抽出しない）、前記検査配列表示手段は、前記検査配列表示部としての検査配列表の左側（実施の形態の検査項目欄）に、前記固有変動抽出手段が抽出した全ての前記検査項目名を集合化して（実施の形態では上から下へと）順に列挙表示すると共に、前記検査配列表の右側（実施の形態の検査動向欄）に、前記検査配列表に列挙表示した前記検査項目名の各々に対応して前記固定固有変動及び前記随伴固有変動を集合化して（実施の形態では上から下へと）列挙表示する一方、前記指定された疾患について抽出した前記固定固有変動（通常は、そのうちの代表的なもの、即ち、定型検査乃至初動検査に関する固定固有変動のうちの特に肯定用検査）を集合化して（好ましくは最上段に）列挙表示し、かつ、前記指定された疾患について抽出した前記随伴固有変動（好ましくは、上記同様、代表的なもの）を（好ましくは前記固定固有変動の次段に）集合化して列挙表示すると共に、前記鑑別疾患について抽出した前記固定固有変動（実施の形態の否定用検査）を（好ましくは前記指定された疾患について表示した随伴固有変動の次段に）集合化して表示する。前記検査配列表示手段は、更に、前記検査配列表に列挙表示した前記固定固有変動に対して当該固定固有変動が該当する疾患の疾患名のみを対応付けて表示すると共に、前記検査配列表に列挙表示した前記随伴固有変動に対して当該随伴固有変動が該当する（当該疾患の疾患名に当該随伴固有変動の発症条件を結合して表す）前記結合疾患名を対応付けて表示する。
【００１７】
請求項４に係る臨床診断支援システムは、請求項１の構成において、更に、前記固有変動表に格納した疾患ごとに、前記固定固有変動型検査の検査項目名及びその固定固有変動、並びに、前記随伴固有変動型検査の検査項目名及びその随伴固有変動をそれぞれ関連付けて格納する臨床データ格納手段と、前記臨床データ格納手段に格納した疾患のうちの特定の疾患を指定する疾患指定手段と、前記疾患指定手段により特定の疾患が指定されたときに、当該指定された疾患に関連付けた前記固定変動型検査項目の検査項目名及びその固定固有変動と、当該指定された疾患に関連付けた前記随伴固有変動型検査の検査項目名及びその随伴固有変動とを、それぞれ、前記臨床データ格納手段から抽出する固有変動抽出手段とを備える。そして前記臨床データ格納手段は、前記固有変動表において疾患ごとに関連付けられた前記固定固有変動型検査の検査項目名を、その疾患自体の発病を確認するための肯定用検査の検査項目名として当該疾患に関連付けて格納することに加え、前記固有変動表においてその疾患の鑑別疾患となる疾患に関連付けられた前記固定固有変動型検査の検査項目名をも、当該鑑別疾患の発病を確認することで当該疾患自体の発病を否定するための否定用検査として当該疾患に関連付けて格納する。前記臨床データ格納手段は、更に、前記固有変動表において疾患ごとに関連付けられた前記固定固有変動型検査の固定固有変動であって前記肯定用検査となる検査の固定固有変動を、その疾患の疾患名及び当該肯定用検査の検査項目名にそれぞれ関連付けて格納することに加え、前記固有変動表においてその疾患の鑑別疾患となる疾患に関連付けられた前記固定固有変動型検査の固定固有変動であって前記否定用検査となる検査の固定固有変動をも、その疾患の疾患名及び当該否定用検査の検査項目名及び当該鑑別疾患の疾患名にそれぞれ関連付けて格納する。前記疾患指定手段により特定の疾患が指定されたとき、前記固有変動抽出手段は、前期指定された疾患について、当該疾患に関連付けた少なくとも２以上の前記肯定用検査項目の検査項目名及びその固定固有変動を抽出すると共に、当該指定された疾患に関連付けた前記随伴変動型検査項目の検査項目名及びその随伴固有変動を抽出することに加え、当該疾患に関連付けた前記否定用検査項目（通常はこれらに加えて全身用検査項目）の検査項目名及びその固定固有変動を抽出し、前記検査配列表示手段は、前記検査配列表示部としての検査配列表の左側（実施の形態の検査項目欄）に、前記固有変動抽出手段が抽出した全ての前記検査項目名を上から下へと順に列挙表示すると共に、前記検査配列表の右側（実施の形態の検査動向欄）に、前記検査配列表に列挙表示した前記検査項目名の各々に対応して前記固定固有変動及び前記随伴固有変動を上から下へと列挙表示する一方、前記指定された疾患について抽出した前記肯定用検査の固定固有変動（通常は、そのうちの代表的なもの、即ち、定型検査乃至初動検査に関する固定固有変動のうちの特に肯定用検査）を（好ましくは最上段に）集合化して表示し、かつ、前記指定された疾患について抽出した前記随伴固有変動（好ましくは、上記同様、代表的なもの）を（好ましくは前記最上段の固定固有変動の次段に）集合化して表示すると共に、前記指定した疾患について抽出した前記否定用検査を（好ましくは前記指定された疾患について表示した随伴固有変動の次段に）集合化して表示する。前記検査配列表表示手段は、更に、当該検査配列表において前記肯定用検査の検査項目名には当該肯定用検査であることを示す肯定検査用種別記号を、前記否定用検査には当該否定用検査であることを示す否定検査用種別記号をそれぞれ付して表示する。
【００１８】
好ましくは、臨床データ格納手段は、格納する検査として、指定疾患に関連付けた当該指定疾患自体の発病を確認するための固定固有変動型検査からなる肯定用検査、指定疾患の鑑別疾患に関連付けた当該鑑別疾患自体の固定固有変動型検査からなる否定用検査に加え、当該肯定用検査及び否定用検査項目以外の検査項目を全身用検査項目として格納している。即ち、全身用検査の検査項目名を対応する疾患に関連付けて格納し、また、その固有変動を当該検査項目及び当該疾患にそれぞれ関連付けて格納している。また、前記臨床データ格納手段は、更に、前記固有変動表において疾患ごとに関連付けられた前記固定固有変動型検査の固定固有変動であって前記肯定用検査となる検査の固定固有変動に関連付けた当該疾患の疾患名を、その疾患の疾患名及び当該肯定用検査の検査項目名にそれぞれ関連付けて格納することに加え、前記固有変動表においてその疾患の鑑別疾患となる疾患に関連付けられた前記固定固有変動型検査の固定固有変動であって前記否定用検査となる検査の固定固有変動をも、その疾患の疾患名及び当該否定用検査の検査項目名にそれぞれ関連付けて格納している。そして、検査配列表示手段が、臨床データ格納手段から、指定疾患に関連付けた検査項目及び固有変動を抽出し、そのまま検査配列表に表示する。
【００１９】
請求項５に係る臨床診断支援システムは、請求項４の構成において、前記固有変動抽出手段は、指定した疾患が除外診断法により診断されるものである場合は、当該疾患の鑑別疾患の各々に関連付けた前記否定用検査項目とその固定固有変動（通常は、これに加えて全身用検査項目とその固有変動）とを抽出し、前記検査配列表表示手段は、前記固有変動抽出手段が抽出した前記否定用検査項目を前記検査配列表に列挙して表示する。即ち、この場合、好ましくは、前記固有変動抽出手段は、指定した疾患が除外診断法により診断されるものである場合は、当該疾患の鑑別疾患の各々に関連付けた前記否定用検査項目及び全身用検査項目とそれらの各々の固定固有変動のみを抽出し、前記検査配列表表示手段は、前記固有変動抽出手段が抽出した検査項目のみを前記検査配列表に列挙して表示する。即ち、疾患について肯定用検査項目がない場合は、除外診断法によりその疾患を診断するが、このとき、前記肯定用検査項目以外の検査項目である否定用検査項目及び／または全身用検査項目を使用する。なお、このときの検査項目としては、否定用検査項目としての生化学検査を多用してできるだけ全疾患の否定を網羅できるようにすることが好ましいが、生化学検査だけで全疾患の否定を網羅することは困難であるため、不足分については全身用検査で補うようにする。ここで、ユーザーは、否定用検査項目及び／または全身用検査項目の全てが陰性となり、当該否定用検査項目及び／または全身用検査項目が陽性となった場合に診断される疾患（候補疾患の鑑別疾患）を全て否定することで、残った唯一の疾患の存在を推定する（除外診断法）。
【００２０】
請求項６に係る臨床診断支援システムでは、請求項４または５の構成において、更に、症候を格納する症候格納手段と、前記症候格納手段に格納した症候ごとに、その症候が発症したときに発病が疑われる疾患である候補疾患を当該症候に関連付けて格納する疾患群格納手段と、前記疾患群格納手段に格納した症候のうちの特定の症候を指定する症候指定手段と、前記症候指定手段により特定の症候が指定されたときに、当該指定された症候に関連付けた前記候補疾患を前記疾患群格納手段から抽出する候補疾患抽出手段とを備える。そして、前記臨床データ格納手段は、更に、前記検査項目として、現存する全ての検査項目の項目名と当該検査項目を一意に識別する項目ＩＤとを関連付けて格納すると共に、前記検査項目のうち、生化学検査からなる（特定の生化学検査を主要構成検査とする）汎用検査項目を特定の前記項目ＩＤと関連付けて格納する一方、前記汎用検査項目の特定の項目ＩＤを当該汎用検査項目により検出可能な特定の疾患の疾患名と関連付けて格納する。更に、前記症候指定手段により特定の症候を指定することにより、当該指定された症候と関連付けた全ての疾患を抽出した後、当該抽出した疾患のうち、前記汎用検査項目の特定の項目ＩＤと関連付けられた前記特定の疾患以外の疾患のみを抽出して当該疾患を前記検査配列表に列挙表示する見逃疾患抽出表示手段が設けられる。即ち、前記臨床データ格納手段は、更に、現存する全ての検査項目の項目名と当該検査項目を一意に識別する項目ＩＤとを関連付けて格納すると共に、前記検査項目の一部を構成する特定の生化学検査を中心とする汎用検査項目を特定の前記項目ＩＤと関連付けて格納する一方、前記汎用検査項目の特定の項目ＩＤを当該汎用検査項目により検出可能な特定の疾患と関連付けて格納する。更に、見逃疾患抽出表示手段は、特定の症候を指定することにより、当該症候と関連付けた全ての疾患を抽出すると共に、当該抽出した疾患のうち前記汎用検査項目の特定の項目ＩＤと関連付けられた疾患以外の疾患を抽出して列挙表示する。なお、汎用検査項目とは、特有疾患だけで陽性化する（異常値となる）特異的検査以外の検査であって、主に、安価で頻用される生化学検査からなる全身状態把握用の検査のことをいう。そして、臨床診断支援システムは、症候を指定することにより、見逃疾患抽出手段により、当該症候と関連付けた全ての候補疾患（当該症候が発生したときに存在が推定される全ての疾患）を抽出すると共に、当該抽出した疾患のうち前記汎用検査項目と関連付けられた疾患以外の疾患を抽出して列挙して出力する。
【００２１】
ここで、検査配列表示部としての検査配列表では、疾患と共に発症条件を表現する結合疾患名を使用して、疾患ごと及びその発症条件ごとの検査変動を表現する検査動向が、疾患ごとの各検査項目に関連付けて表示される。このとき、好ましくは、発症条件に関する詳細情報を提供して利用者の理解を補完するために、疾患概要表示手段が、検査配列表に表示する疾患の固有併発症や当該疾患に固有の罹患臓器の種類や発症時点から末期までの経緯等の発症条件の具体的記載（医学書や専門書に記載された程度の記載）を、検査配列表の表示のために指定した症候（症候検査）や疾患（一般検査）ごとに、その症候ＩＤや疾患ＩＤを参照して図示しない疾患テーブル（疾患ごと及び症候ごとに、その疾患概要説明文を関連付けて格納するテーブル）から抽出し、検査配列表の近傍（上方位置等）に疾患概要として表示する。
【００２２】
なお、本発明は、上記各格納手段として、病名マスタファイル、臨床マスタファイル、疾患群マスタファイル等のマスタファイルを備え、これらは、後述する実施の形態の（リレーショナルデータベースにおける）病名マスタテーブル、臨床マスタテーブル、疾患群マスタテーブ等に対応するものではあるが、リレーショナルデータベースに限定することなく、階層データベース、ネットワークデータベース等の他の形式のデータベースに具体化することも無論可能である。
【発明の効果】
【００２３】
請求項１に係る臨床診断支援システムは、疾患自体の確認用としては従来は使用されていない（疾患に関連した合併症や罹患臓器の確認等に使用されている）随伴固有変動型検査を、その検査変動である随伴固有変動と共に疾患に関連付けて抽出・表示することができる。その結果、固定固有変動型検査及び随伴固有変動型検査の固定固有変動により疾患名を確定診断することができることに加え、随伴固有変動型検査の随伴固有変動を確認することにより当該疾患の発症条件を確認することができ、確認した発症条件に基づいて当該疾患についての有効な治療法を選択することができる。特に、上記１−３）の構成により、検査項目・疾患名・発症条件の３要素からなる三次元構造のデータを、疾患名及び発症条件の２要素を一次元化することで二次元構造（表形式）のデータとして固有変動表に格納し、かつ、検査配列表に表示することができる。また、検査項目ごとに、各疾患の固定固有変動のみならず随伴固有変動まで関連付けて格納し、指定された症候に属する候補疾患群の全ての疾患についてそれらの固定固有変動及び随伴固有変動を候補疾患に関連付けて列挙表示するため、特に急激進行疾患や重篤疾患の見逃し防止等のため、臨床診断の確定診断に必要となる全ての症候、全ての疾患、全ての検査項目に関する医療情報を詳細な単位で網羅し、臨床診断で症候に応じた候補疾患の情報を詳細な単位で網羅的に提供できる。また、候補疾患から原因疾患へ絞込んで確定診断を行うために必要となる検査項目の情報を網羅的に提供することできる一方で、検査項目の固有変動情報を候補疾患と関連付けて複数項目比較検討が可能な態様で体系的に提供することができ、専門医以外の医師であっても実際の臨床診断で要求される短時間での検査組立及び検査結果の解読作業を可能にし、実用的な確定診断用の臨床診断支援システムとなる。即ち、厳格かつ緻密な思考判断過程を要する臨床診断の手順において、患者の生命にかかわる急激進行疾患や重篤疾患の可能性が考えられる場合等においてその見逃しを防止するために、一般医でも、各症候について考えうる全ての候補疾患を可能性の低いものも含めて漏らすことなく全て想定することができ、かつ、それら全ての候補疾患の各々の当否を判断するために使用可能な検査項目を使用頻度の低いものも含めて漏らすことなく全て想定することができるよう、臨床診断における医師の確定診断用の医療情報となる症候情報や疾患情報や検査項目情報を、理解容易な態様で効率的かつ体系的に提供することができる。
【００２４】
ここで、本発明の中心的特徴の一つである随伴固有変動の活用に関する理解を補充するため、発症条件について追加的に説明する。
【００２５】
まず、発症条件について、同じ一つの疾患でありながら、障害を受ける主臓器が患者ごとに異なり、病気の時期によって検査結果が変化し、患者の年齢によって発病してくる主症状自体も変動する、等々、発症条件によって必要な検査項目が大きく異なると共に、検査結果も異なった動向となる。一疾患の一検査項目だけでも複数の発症条件が存在することが多い。結果的に、極めて多数の発症条件が存在することになってこのままではシステムが複雑化し、疾患名と検査名とをＩＤとして使用しただけでは、必要な情報を取得するシステムを構築することが困難である。しかし、疾患ごとの最小単位の発症条件と疾患名とを結合した結合疾患名を基本単位（最大限細分化した表現単位）として各検査変動を作成・表現して固有変動表に格納したため、随伴固有変動を含めると膨大な数となる疾患ごとの検査変動を、容易に固有変動表から抽出して加工・表示等の電算操作を行うことができる。
【００２６】
また、発症条件について、疾患の発症条件としては、その疾患が併発しやすい臓器を表す発症臓器名（固有併発症）が過半を占める。発症臓器名については、疾患ごとに併発しやすい臓器名が医学書に明記されており、これに基づき、疾患と発症臓器名との関係を調査して漏らすことなく網羅することができる。また、臓器ごとに必要な検査項目も臨床で既定されている。したがって、これら疾患ごとの発症臓器名（固有併発症）とその発症臓器名が発症したことを検査するための検査項目（随伴固有変動型検査）との関係も、医学書や専門書等を調査して漏らすことなく網羅することができる。同様に、他の発症条件についても、当該発症条件自体を医学書や専門書等で調査して漏らすことなく網羅することができる。ただし、それらの検査項目が当該疾患の検査項目として使用可能である点は従来の知見ではなく、発明者独自の知見であり、当該発症条件と疾患名から結合疾患名を作成し、当該結合疾患名により当該発症条件が発症したときの当該疾患の検査結果の変動内容である随伴固有変動を当該疾患に関連付けて、当該疾患の発症条件の特定に使用することも、従来の知見ではなく、発明者独自の知見である。即ち、従来の医療界には、結合疾患名ごとに検査変動（随伴固有変動）を関連付けるという発想乃至知見は全くなく、よって、固有変動表に格納されて検査配列表に表示可能な固有変動の数は、そのうちの主要割合を占めることになる随伴固有変動の追加により、従来の医学書及び専門書等の従来の医学情報源には見られない桁違いの数となっている。
【００２７】
また、発症条件について、例えば、関節リウマチの場合、関節（関節痛）、筋（こわばり）、肺（呼吸困難）、心（胸部苦悶）、腎（慢性腎炎）、頚椎（項部痛）、皮膚（潰瘍）、皮下（腫瘤）、脊椎（直腸膀胱麻痺）、その他種々の臓器で発病する。また、それぞれが全て出現するのではなく、単独でも発症するため、同一疾患でも症例によって検査動向が多様な結果となる。更に、特に併発しやすい固有併発症でも検査動向が容易に変化するなど、種々の発症条件で疾患ごとの検査動向は容易に変動する。このように、同一疾患でも、症例によって種々の病状として発症するのが臨床医療の一般的な病像であるため、従来のように、疾患名を単位として（疾患名のみに基づき）必要な検査項目を選定し、その検査結果を確認しただけでは、診断名の特定はできるものの、その疾患の発症条件についてはまったく特定することができず、治療に必要となる発症条件ごとの治療方針の決定を行うことができない。従来は、固有併発症等の発症条件が発症したとき、例えば、固有の臓器に固有併発症が発症したときに、初めて、その固有併発症（その病名）にもとづいてその発症条件を確認するための検査項目を選定している。これに対し、本発明は、各疾患についてそれ自体の発病を確認する（診断名を特定する）ための固定固有変動が関連付けられることに加え、その疾患の発症条件を確認する（固有併発症等も特定できる）ための随伴固有変動が関連付けられて、同一の検査配列中に表示されるため、その検査配列表から診断名及び発症条件を一度に確認できる検査を組み立てることが可能となり、一度の検査で、診断名と発症条件とを特定して有効な治療方針の決定を行うことができる。
【００２８】
また、発症条件について、同じ一疾患でも、病期で変動（例：検査値が初期で上昇、進行期で下降等）、特異的な固有併発症の発病で変動（例：心炎・肝炎・腎炎・溶血等）、多臓器に発症し、臓器ごとに変動（例：肺結核・結核性胸膜炎・腎結核・腸結核等）、病因によって変動（例：菌の種類により種々の肺炎等）、病型（亜型）によって変動（例：欠損酵素の種類によって種々の先天性酵素欠損症）、経由してきた原疾患の種類で変動（例：過粘稠度症候群等、２段、３段の疾患を発病することで発症する疾患）等、一つの疾患でも、発症条件によって固有変動が容易に変動する。しかも、単なる臓器等の特定だけでは不十分で、多くの場合、更なる細分化が必要となる。例えば、同じ心臓の炎症でも、心臓外面の膜、内面の膜、筋肉、それらの複数等、炎症部位の差だけで検査法も治療法も全く異なるため、心外膜炎・心内膜炎・心筋炎・心炎等、一の疾患を発症条件ごとに作成した結合疾患名で最小単位まで細分化して特定し、固有変動表に格納している。
【００２９】
また、発症条件を疾患名と結合してなる結合疾患名について、本発明では、発症条件・疾患名・検査項目の３種類のデータ項目を常に関連付けながら検査動向を表現するため、発症条件と疾患名とを結合した前記結合疾患名を使用して全体のシステム構成を簡略化している。そして、固有変動表に格納し、また、検査配列表に表示する「検査動向」の表現としては、「"結合疾患名"が"＊＊の固有変動"」といった表現を使用している。即ち、「"結合疾患名"が"＊＊の固有変動"」といった文章表現を１つのデータ（１つのフィールド）として、固有変動表の「検査動向」の欄（データ項目）に対応する疾患名及び検査項目とそれぞれ関連付けて格納している。この場合、疾患名＋検査項目名＋検査動向が１レコードとなる。そして、検査動向を、そのままの形で、検査配列表の検査動向欄に表示するようにしている。しかし、検査動向の"結合疾患名"と"＊＊の固有変動"とを分割したデータとしてもよい。即ち、"結合疾患名"部分を１つのデータ（１つのフィールド）とすると共に、"＊＊の固有変動"（検査変動乃至固有変動）部分を1つのデータ（1つのフィールド）とし、それぞれに一意の識別子（結合疾患名ＩＤ及び固有変動ＩＤ）を付与して、対応する疾患名及び検査項目にそれぞれ関連付けて格納することもできる。
【００３０】
また、結合疾患名について、結合疾患名の表現は、例えば、疾患名を「＊＊」とすると、発症条件がない（無条件の）場合は単なる「＊＊」とし、固有併発症を介する（発症条件のある）疾患の場合は、＊＊心炎、＊＊腎不全、＊＊胆道炎等、病名「＊＊」の後に固有併発症を併記し、多臓器に発症する結核等の疾患の場合は、「肺結核」、「結核性胸膜炎」、「腎結核」等、病名「＊＊」の前後に臓器名を付記し、病因によって検査変動が異なる肺炎等の疾患の場合は、「肺炎球菌性肺炎」、「黄色ブドウ球菌性肺炎」等のように起炎菌名と病名「＊＊」とを「性」という語で連結して表現し、病型によって検査変動が異なる先天性酵素欠損症等の疾患の場合は、「糖原病（全型）」、「糖原病（筋型）」、「糖原病（肝、全身型）」等、病名「＊＊」の後に病型を連結して型別に分けて表現し、経由原疾患が複数段にわたる過粘稠度症候群等の疾患の場合は、「クリオグロブリン血症（肝炎ウイルス・伝染性単核球症肝炎・肝炎ウイルス性急速進行性腎炎・肺腎梗塞併発感染性心内膜炎性）」等、病名「＊＊」の後に括弧書き「（・・・性）」を介して経由疾患の病名を連結して表現する。この経由原疾患が複数段にわたる疾患の場合、「（・・・性）」の後の病名が２段となる場合もあり、この場合は３段の疾患を介して発症していることを表す。
【００３１】
請求項２に係る臨床診断支援システムは、請求項１の効果に加え、各疾患が２以上の検査項目に関連付けて表示されるため、各疾患に関連付けた固有変動も対応する２以上の検査項目に関連付けて表示されることになり、結果として、各疾患とその固有変動とが、２以上の検査項目に関連付けて表示されることになる。したがって、表示された２以上の検査項目について各疾患の固有変動を確認することができ、各疾患について複数項目比較検討を容易に行うことができる。詳細には、請求項２の構成により、候補疾患の各々について、その疾患に関連付けた固定変動型検査項目の検査項目名及びその固定固有変動が少なくとも２以上抽出されて、当該２以上の固定変動型検査項目の検査項目名及びその固定固有変動が検査配列表に表示されることになる。また、このとき、各固定固有変動に対して当該候補疾患の疾患名が対応付けて表示される。したがって、同一の候補疾患の疾患名が、検査配列表の固定固有変動の表示部分において、少なくとも２箇所以上で当該固定固有変動に対応付けて表示されることになる。加えて、候補疾患の各々について、その疾患に関連付けた随伴変動型検査項目の検査項目名及びその固定固有変動も抽出されて、当該随伴固有変動型検査項目の検査項目名及びその随伴固有変動も検査配列表に表示されることになる。また、このとき、当該候補疾患の疾患名と当該随伴固有変動の発症条件とを結合した結合疾患名が各随伴固有変動に対応付けて表示される。したがって、同一の候補疾患の疾患名が、検査配列表の随伴固有変動の表示部分においても当該随伴固有変動に対応付けて表示されることになる。したがって、検査配列表の２箇所以上で、同一の疾患について、当該疾患の固定固有変動に対応付けて表示した疾患名を確認することができ、複数項目比較検討を確実に行うことができること加え、同一の疾患について、一般に固定固有変動より多数となる随伴固有変動に対応付けて表示した結合疾患名中の疾患名部分を確認することができ、当該疾患の見逃しを確実に防止することができる。
【００３２】
請求項３に係る臨床診断支援システムは、請求項１または２の効果に加え、上記検査配列表表示手段により表示された固有変動を参照して指定症候についての候補疾患を絞り込んだ後に、更に、発病の可能性が高いと判断した特定の疾患を指定することにより、その間別疾患が抽出して表示されると共に、指定疾患及びその鑑別疾患の各々についても、検査項目ごとに、固定固有変動及び随伴固有変動が、前記指定疾患と鑑別疾患とを対比する表示態様で表示される。したがって、指定疾患の固有変動と鑑別疾患の固有変動との対比が容易となり、症候から絞り込んだ複数の疾患から最終的に原疾患を確定診断することが容易となる。詳細には、請求項３の構成により、指定疾患について、その疾患に関連付けた固定変動型検査項目の検査項目名及びその固定固有変動が少なくとも２以上抽出されて、当該２以上の固定変動型検査項目の検査項目名及びその固定固有変動が検査配列表に表示されることになる。また、このとき、各固定固有変動に対して当該疾患の疾患名が対応付けて表示される。したがって、指定疾患の疾患名が、検査配列表の固定固有変動の表示部分において、少なくとも２箇所以上で当該固定固有変動に対応付けて表示されることになる。加えて、指定疾患について、その疾患に関連付けた随伴変動型検査項目の検査項目名及びその固定固有変動も抽出されて、当該随伴固有変動型検査項目の検査項目名及びその随伴固有変動も検査配列表に表示されることになる。また、このとき、当該疾患の疾患名と当該随伴固有変動の発症条件とを結合した結合疾患名が各随伴固有変動に対応付けて表示される。したがって、同一の指定疾患の疾患名が、検査配列表の随伴固有変動の表示部分においても当該随伴固有変動に対応付けて表示されることになる。したがって、検査配列表の２箇所以上で、同一の疾患について、当該疾患の固定固有変動に対応付けて表示した疾患名を確認することができ、複数項目比較検討を確実に行うことができること加え、同一の疾患について、一般に固定固有変動より多数となる随伴固有変動に対応付けて表示した結合疾患名中の疾患名部分を確認することができ、当該疾患の見逃しを確実に防止することができる。更に、検査配列表には、指定疾患の鑑別疾患についての固定固有変動が表示されるため、指定疾患の固定固有変動についての検査結果が陰性となった場合に当該指定疾患を診断名とすることができない場合でも、各鑑別疾患の固定固有変動についての検査結果を確認することで、検査結果が陽性となった鑑別疾患を診断名として即座に診断を是正することができる。
【００３３】
なお、前記指定された疾患について抽出した前記固定固有変動（通常は、そのうちの代表的なもの、即ち、定型検査乃至初動検査に関する固定固有変動のうちの特に肯定用検査）を最上段に表示し、かつ、前記指定された疾患について抽出した前記随伴固有変動（上記同様、代表的なもの）を前記最上段の固定固有変動の次段に表示すると共に、前記鑑別疾患について抽出した前記固定固有変動（否定用検査）を前記指定された疾患について表示した随伴固有変動の次段に表示することが視覚的・体系的な把握を容易にする等の観点から好ましい。
【００３４】
請求項４に係る臨床診断支援システムは、請求項３の効果に加え、確認したい疾患について肯定用検査項目がある場合は、その肯定用検査項目の固有変動を確認することで、当該疾患の存在を容易に確認することができる。また、確認したい疾患について、否定用検査項目がある場合は、否定用検査項目の固有変動により他の疾患の存在を肯定することで、当該疾患の存在を否定することができる。更に、これらの確認に加え、性作用検査項目の固有変動をも確認することで、更に確度の高い診断を行うことができる。
【００３５】
請求項５に係る臨床診断支援システムは、請求項４の効果に加え、表示する検査項目ごとの固有変動情報を、除外診断法による診断に適した臨床診断情報として体系的に列挙表示することができる。
【００３６】
請求項６に係る臨床診断支援システムは、請求項４または５の効果に加え、安価な汎用検査では見逃す可能性のある疾患を列挙表示して、確度の高い診断を行うことができる。
【発明を実施するための最良の形態】
【００３７】
以下、本発明を実施するための最良の形態（以下、実施の形態という）を説明する。なお、各実施の形態を通じ、同一の部材、要素または部分には同一の符号を付して、その説明を省略する。
【００３８】
１．臨床診断に関する発明者の独自の知見
本発明者は、臨床診断について鋭意研究を重ねた結果、以下の知見を獲得し、この知見に基づいて本発明の臨床診断支援システムを完成した。
１）検査変動の把握・細分化・活用
本発明者は、上記診断業務における３つの手順（病名列挙、検査組立、検査結果解読）を臨床診断における短時間で医師が円滑かつ的確に進めることができるよう、医学書に記載の医学情報を網羅的かつ体系的に臨床現場の医師に提供できる電算システム（即ち、臨床診断支援システム）を開発すべく、疾患と症候との関係や疾患と検査項目との関係等について鋭意調査研究した。特に、上記のとおり、臨床診断において各検査の検査変動を各候補疾患の固有の検査変動と照合することが的確な診断につながることから、本発明者は、かかる検査変動の重要性に着目し、現在の臨床医学で知られている疾患ごとの全検査項目について、それぞれ、疾患ごとに検査項目の検査結果がどのように変動するか（どのような検査変動を呈するか）を網羅的かつ個別的に調査・検証し、疾患ごと及び検査項目ごとに検査変動がどのような動向を有するか（以下、この検査変動の動向を単に「検査動向」ということがある。）を特定することにより、診断・疾患の特定を向上させることを可能にした。
【００３９】
この検証過程で、本発明者は、医学書に記載の臨床検査の内容を電算処理できるようにするためには、分担執筆のために大半で抽象的表現からなっている現在の医学書の記載表現（例えば、腎障害・心不全・肝機能異常等の用語）を、重複なくかつ漏れもない最小単位の検査項目ごとに検査変動を特定し、疾患ごとの検査動向として表現しなおす必要があることに想到した。また、この検証過程で、本発明者は、検査変動として２種類の検査変動が存在することを発見した。即ち、検査変動には、ある疾患に対して使用可能な検査項目について、当該疾患が発病した場合は必ず同一かつ固有の変動内容となる検査変動（以下、単に「固定固有変動」ということがある。）が存在する一方、当該疾患が発病した場合に常には同一かつ固有の変動内容とはならず、当該疾患の固有併発症の発症や病期等の当該疾患の発病に付随する条件（以下、単に「発症条件」ということがある。）に応じて同一かつ固有の変動内容となる検査変動（以下、単に「随伴固有変動」ということがある。）が存在する点に着目した。そして、本発明者は、これらの知見に基づき、既存の全ての疾患（病名）の検査変動を固定固有変動と随伴固有変動とに区分し、更に、随伴固有変動を疾患の発症条件ごとに最小単位となるよう細分化して特定した。その結果、本発明者は、発病時の検査変動は、約１７０００種類以上も存在することが判明した。これら最小単位の検査変動を格納したものが後述する固有変動表である。
【００４０】
したがって、検査変動を実際の臨床診断の現場で活用することが重要であるが、本発明者の知見によれば、これら膨大な数の検査変動を全て利用したとしても、全く確定診断のできない疾患が全体の疾患数の約１割前後もあるため、かかる現状に鑑みれば、従来の自動診断システムのように自動診断で確定診断を行うことは実際上不可能である。
【００４１】
そこで、本発明者は、最初から自動診断を図るのではなく、上記膨大な数の検査変動を電算処理により有効に活用し、臨床現場の医師が列挙した候補疾患の各々についての検査変動に関する情報を、漏れがなくかつ重複がないよう、体系的かつ視覚的に医師に提示することができる臨床診断支援システムを開発した。こうして、最終判断は体系的かつ視覚的に提示した各種検査変動に基づいて医師が判断できるようにすることで、本件臨床診断支援システムによる診断率の格段の向上が期待でき、また、本件臨床診断支援システムを臨床診断業務の簡略化にも応用できる可能性がある。
【００４２】
２）固有変動の数及び種類
２−１）固有変動の数（最小単位の検査変動）
現在、全疾患について使用可能な臨床検査の検査項目数は約１０００項目あることが確認されている。また、各検査項目の検査結果の変動内容（検査変動）は、疾患ごとに固有の変動を呈する固有変動となるが、１個の検査項目の検査結果が複数の疾患で種々の変動を呈する（同様の変動内容を呈したり異なる変動内容を呈したりする）ため、全疾患に対する全検査項目の全固有変動数は、上記のとおり、合計で約１７０００個あることを本発明者は確認している。即ち、臨床診断で使用する検査項目の検査変動は、全体で約１７０００個の最小単位に区分することができる点を本発明者は想到した。
【００４３】
２−２）固有変動の種類
更に、検査項目の固有変動は、上記のとおり、「固定固有変動」と「随伴固有変動」とに二分することができることに本発明者は想到した。このうち、固定固有変動は、ある検査項目について、特定の疾患が発病したときにはその疾患の発症条件とは無関係に常に固有の（同一の）変動内容となる固有変動であり、その疾患自体によってその変動内容を解釈することができるものである。一方、随伴固有変動は、ある検査項目について、特定の疾患が発病しても固有の（同一の）変動内容となることなく、その疾患について固有のある発症条件が発生したときにはじめて（その発症条件に随伴して）固有の（同一の）変動内容となる固有変動である。したがって、固定固有変動は、対応する疾患が発病したときは常に同一の変動内容となることから、検査結果が変動したことを確認することで直ちに当該疾患の同定に使用することができる。一方、随伴固有変動は、対応する疾患が発病したときに常に同一の変動内容となることがない（発症条件が発現して初めて同一の変動内容となる）ものの、変動することに変わりはことから、やはり、検査結果の変動したことを確認することで対応する疾患の同定に使用することができる。
【００４４】
なお、疾患の発症条件は、ある疾患についての病期、固有併発症、発症臓器、発症部位、病因、病型、経由原疾患、絶食、医薬の内服中断、低免疫能等からなる。例えば、ある疾患について、病期が初期又は進行期の場合にのみある検査項目について随伴固有変動が発現したり、固有併発症が発生した場合にのみある検査項目について随伴固有変動が発現したり、発症臓器が特定の臓器である場合にのみある検査項目について随伴固有変動が発現したり、発症部位が特定の部位である場合にのみある検査項目について随伴固有変動が発現したり、疾患の原因菌（病因）ごとに異なる変動内容の随伴固有変動が発現したり、病型がある亜型の場合にのみある検査項目について随伴固有変動が発現したり、特定の原疾患を経由してきた場合にのみある検査項目について随伴固有変動が発現したり、患者が絶食している場合にのみある検査項目について随伴固有変動が発現したり、患者が医薬を内服中断している場合にのみある検査項目について随伴固有変動が発現したり、患者が低免疫能の場合にのみある検査項目について随伴固有変動が発現したりすることが確認されている。
【００４５】
２−３）固定固有変動と随伴固有変動の割合
また、本発明者が全検査項目の全固有変動について上記固定固有変動と随伴固有変動のいずれに該当するかを確認したところ、全検査項目の全固有変動中、随伴固有変動が約３／４〜４／５（全固有変動数の約７７％）を占めることを確認している。
【００４６】
３）臨床診断における全ての固有変動の活用
３−１）発症条件の考察
臨床診断の特徴として、確定診断で診断名を１疾患名（正式病名）に絞るだけでは有効な治療法を選択することができないことが多い。即ち、同じ１疾患でも、発症条件により治療法が異なる。例えば、ある原因疾患について、症例により腎炎・肝炎・心不全・肺炎・髄膜炎・貧血等、その原因疾患に特有で異なった種々の臓器障害のいずれかを主症状として発症してくるのが一般的な発病経過となる。また、そのうち、どの臓器疾患を主症状として発症するかは症例ごとの発症条件によって異なる。しかも、複数の障害臓器が合併して発症する例が多いのみならず、１臓器といっても、例えば血液では赤血球・白血球・血小板・蛋白成分等、障害臓器が更に部位ごとに細分化される。このように、これら疾患に固有の臓器障害や固有併発症等、上記した発症条件は、疾患ごとに異なるが、障害を受ける臓器や部位等によって治療法が大きく異なるため、疾患名よりも臓器障害名や固有併発症等の発症条件の方が治療法選択のためには重要な場合が多い。したがって、実際は、診断名と各種発症条件の双方を同時に確定しない限り十分な臨床診断になりえない。加えて、通常は、１つの原因疾患に対して複数の鑑別疾患が存在し、これら鑑別疾患群の中から原因疾患以外の疾患を除外し、最終的に１つの原因疾患に絞り込むのが確定診断であるが、これら鑑別疾患も、疾患ごとに原因疾患と似た複数の臓器障害や固有併発症等の発症条件を呈してくるのが一般的である。したがって、臨床診断では、鑑別疾患自体の考察も不可避であるのに加え、鑑別疾患の発症条件についての考察も不可避となる。
【００４７】
３−２）随伴固有変動の活用
このように、臨床診断では疾患ごとに各種発症条件を考慮した考察が必須となるため、検査組立においても、固定固有変動のみならず随伴固有変動も含めた検査組立を行うことが必須となる。即ち、検査組立において、病名列挙した候補疾患の各々について、その固定固有変動のみならず随伴固有変動も確認できる検査項目を選定する必要がある。また、検査結果解読においても、選定した検査項目の固定固有変動と随伴固有変動とを、明確に区別した形で体系的・視覚的に情報提供する必要がある。前記固有変動表に格納した固定固有変動及び随伴固有変動に基づき、かかる体系的・視覚的な情報提供を行うのが後述する検査配列表である。
【００４８】
４）複数項目比較検討
臨床診断においては、単一の検査結果の変動内容を確認するだけで目的の疾患を確定診断できることは少なく、一つの疾患の発病を確認するためには複数の検査項目についての検査変動を比較検討すること（以下、この複数の検査変動の比較検討を単に「複数項目比較検討」ということがある。）が有用であり、それら複数の検査結果がそれぞれ特有の変動内容となったときにその疾患が発病したと判断することができる。現在の医療現場でも、かかる複数項目比較検討が漠然と使用されてはいるが、意図して使用されることはなく、また、「複数項目比較検討」という用語すらない。即ち、現在の医療現場では、複数項目比較検討について体系的に複数項目比較検討できる体制は整っておらず、確実性の点で満足できる仕組みが提供されていない。そこで、本発明者は、本件臨床診断支援システムに複数項目比較検討を意図的に導入し、固有変動表の固定固有変動を電算処理して前記検査配列表に複数項目比較検討可能な態様で表示できるような構成としている（詳細は後述）。
【００４９】
５）臨床検査の種類
後に詳述するように、前記固有変動表には正式病名（疾患名）、検査項目及び検査動向を互いに関連付けて格納するが、このうち、検査項目（臨床検査）は、一定数の検査で陽性化する高価な特異的検査と、多数の検査で陽性化する安価な非特異的検査（生化学検査が大半）と、それら特異的検査及び非特異的検査のどちらとも決めがたい中間型検査の３種類に三大分類することができる。
【００５０】
５−１）特異的検査
特異的検査は、一定数の検査変動が臨床所見と合致すれば確定診断することができる有用な検査である。即ち、特異的検査は、一定数の検査項目で診断名の特定（確定診断）が可能となる有用な検査である。一方、特異的検査は、高価なため、予想した疾患が間違っていた場合に高額な費用が無駄になることが多いため、検査組立の際には厳選して使用する必要がある。また、本発明者の知見によれば、特異的検査のある疾患の割合は全体の約２０％程度であり、特に、成人では有用性のある検査項目が半減する（疾患全体の約１０％程度となる）ため、殆どの場合、特異的検査だけを使用した検査組立は困難である。なお、特異的検査は、対応する疾患について常に固有の（同一の）検査変動（即ち、固定固有変動）を呈する固定固有変動型の特異的検査と、対応する疾患について特定の発症条件が発現したときにのみ固有の（同一の）検査変動を呈する随伴固有変動型の特異的検査とに二分することができる。
【００５１】
５−２）非特異的検査
非特異的検査は、短時間で結果が判明する安価な生化学検査が大半を占めることから、初回の検査組立で多くの数を使用することができる。一方、非特異的検査（特に生化学検査）は、多数の疾患で陽性化する検査が多いことから、非特異的検査は、該当疾患を漏らすことなく拾い上げるのには有用である。また、非特異的検査の場合、多数の疾患で陽性化する検査が多いため、複数の検査項目の検査変動を比較検討すること（固定固有変動の複数項目比較検討）により、拾い上げた多数の疾患数から少数の候補疾患へと絞り込むことが必須となる。即ち、非特異的検査は、特定の疾患について特異的な検査変動を呈するものではないため、複数項目比較検討を使用しない限り、疾患の特定には限界がある。更に、非特異的検査が呈する検査変動は、特異的検査と同様、対応する疾患について常に固有の（同一の）検査変動（即ち、固定固有変動）を呈する固定固有変動型の特異的検査と、対応する疾患について特定の発症条件が発現したときにのみ固有の（同一の）検査変動を呈する随伴固有変動型の特異的検査とに二分することができるが、前記固定固有変動型の非特異的検査よりも、前記随伴固有変動型の非特異的検査の方が遥かに数が多い。このうち、随伴固有変動型の非特異的検査は、対応する疾患の発症条件が多種多様となるため、複数項目比較検討には適さない。したがって、特異的検査を併用せずに非特異的検査だけで実用性のある検査組立を行うことは不可能に近い。
【００５２】
ここで、特異的検査及び非特異的検査のいずれも、随伴固有変動型の非特異的検査は、固有併発症や罹患臓器等の発症条件の同定に使用されるが、更に、固定固有変動の非特異的検査と同様、対応する疾患名の同定や選出にも使用される。特に、患者は、固定固有変動が変化する比較的早期では受診せず、随伴固有変動が変化する進行期で初めて受診する例が多いため、実際に随伴固有変動型の検査が変化して初めて疾患名が同定されることが少なくない。なお、随伴固有変動型の非特異的検査は、上記のとおり、対応する疾患の発症条件が多種多様となるため、複数項目比較検討による疾患名の同定には適さない。
【００５３】
５−３）中間的検査
中間的検査は、患者の全身状態や特定の臓器の状態について所見を得るのに有用な検査である。肺炎、尿路感染症、糖尿病、腎炎等、中間的検査だけで確定診断できる疾患もある。これらの中間的検査は、対応する疾患についての特異的検査ということができる。また、中間的検査は、特異的検査や非特異的検査と同様、対応する疾患について常に固有の（同一の）検査変動（即ち、固定固有変動）を呈する固定固有変動型の中間的検査と、対応する疾患について特定の発症条件が発現したときにのみ固有の（同一の）検査変動を呈する随伴固有変動型の中間的検査とに二分することができる。中間的検査の例としては、画像診断（レントゲン、ＣＴ等）、赤沈（血沈とも呼び、単に赤血球が沈みこむ速度のことをいう。慢性の重症炎症性疾患で亢進するが、疾患特異性は皆無に近い）、検尿（尿のテープ検査や顕微鏡検査）、心電図等が代表的なものである。
特異的検査のない疾患の同定については、固定固有変動型の非特異的検査の複数項目比
較検討や中間的検査の複数項目比較検討による診断が必要となる。
【００５４】
５−４）随伴固有変動の割合
前記特異的検査の固有変動、中間的検査のいずれも固定固有変動型の検査と随伴固有変動型の検査とに二分することができるが、随伴固有変動型の検査が大半を占めている。
【００５５】
５−５）随伴固有変動の割合
現状では、前記特異的検査により検査可能な疾患の数は全疾患中の約２０％程度であり、多くの疾患では単一の特異的検査による確定診断をすることができない。
【００５６】
６）臨床検査の検査組立
上記のとおり、特異的検査は、一定数の疾患でのみ陽性化するため、少数の特異的検査を使用するだけで特定の疾患の確定診断が可能となる。したがって、全ての疾患について特異的検査が存在すれば、少数の特異的検査の各検査変動から検査結果を解読することにより診断名の特定が可能となる。しかし、現状では、特異的検査が網羅する疾患は、全疾患中の約２０％程度であり、全疾患について特異的検査のみで検査組立を行うことはできない。即ち、現状では、非特異的検査を活用しない限り臨床診断を行うことができない。一方、非特異的検査の多くは、多数の疾患で陽性化するため、疾患の特定のためには、ある程度の数の固定固有変動型の非特異的検査の検査変動を相互に比較して検討すること（複数項目比較検討）が必要となる。例えば、検査項目をＡ，Ｂ，Ｃとし、診断名を甲、乙、丙とすると、「Ａ低下・Ｂ正常・Ｃ増加なら甲」、「Ａ陽性・Ｂ増加・Ｃ低下なら乙」、「Ａ低下・Ｂ増加・Ｃ正常なら丙」というように複数の検査項目の検査変動を相互に比較して検討し、検査結果を解読して疾患を特定する必要がある。この場合、有用な検査結果を得るためには、疾患に応じた十分な数（通常、２０個以上）の非特異的検査を使用する必要がある。同時に、有用な検査結果を得るためには、疾患に応じて必要な数の中間的検査も使用する必要がある。即ち、特異的検査の数が十分でない現状の臨床診断では、有用な検査結果を得るためには、できる限り少数の特異的検査、十分な数の非特異的検査及び中間的検査を使用して検査を組み立てる必要がある。
【００５７】
７）臨床診断法
臨床診断法としては、臨床所見から診断名の見当をつけた上で、当該疾患と当該疾患の類似疾患（鑑別疾患）について確認する検査を行い、その検査結果から鑑別疾患を除外していく「鑑別検査」による診断法と、一定の症候（症状・徴候）を呈する疾患群を網羅する検査を一括して行い、その検査結果から該当疾患を探し出す「症候検査」による診断法とがある。鑑別検査は、心筋梗塞や肺炎等の急速発症する疾患で頻用されることが多く、症候検査は、緩徐発症する一般疾患で頻用されることが多いが、双方を併用することも少なくない。即ち、鑑別検査による診断法及び症候検査による診断法の双方とも、臨床診断の正確性を高め、疾患の見逃しを予防するために不可欠の臨床診断法である。
【００５８】
８）臨床診断法における検査組立
８−１）生化学検査
上記のように、前記特異的検査は、１個または数個の検査項目のみで診断名の特定が可能な有用な検査であるが、前記非特異的検査としての生化学検査は、非常に多くの疾患で陽性化することもあって、鑑別診断の一部を除き、特異的検査と同様にして少数の検査項目で疾患を特定することは困難である。しかしながら、生化学検査は、多数の検査項目の固有変動を複数項目比較検討することにより、疾患の鑑別や絞込みが可能となる有用な検査である（固定固有変動型の場合）。また、生化学検査は、安価で患者への侵襲度（患者に苦痛を与える程度）が低いため、鑑別検査及び症候検査のいずれの検査組立でも、安価な生化学検査が日常検査の７０％以上を占めるほど頻用される。よって、生化学検査は、非特異的検査として、考えうる疾患名の選出（同定）に有用であると共に、複数項目比較検討による疾患の絞込みにも好適な検査となる。
【００５９】
８−２）生化学検査による疾患の絞り込み・鑑別
一方、生化学検査による複数項目比較検討により検査結果を解読する場合、生化学検査の検査結果の固定固有変動を複数項目比較検討して疾患の鑑別や絞込みをすることになる。即ち、この場合、複数の生化学検査の検査結果がある疾患に特有の固定固有変動を呈する場合（例えば、上記説明の検査変動「Ａ低下・Ｂ正常・Ｃ増加」の場合）、その固定固有変動を呈する疾患（上記説明の疾患「甲」）の存在を推定できる。このように、固定固有変動確認用の生化学検査の検査結果を複数項目比較検討することにより疾患の鑑別・絞込みを行うことができる。そして、絞り込んだ各疾患の発症条件の発現を確認するために随伴固有変動確認用の検査項目（主に生化学検査）の検査結果を解読することにより各疾患についての固有併発症や臓器障害等を確認することができる。ここで、上記のように、生化学検査の固有変動は、前記随伴固有変動が約７０％を占め、やはり、固定固有変動の割合が少ないことが確認されている。しかし、生化学検査自体の数が非常に多く、また、生化学検査は各々が数十個以上の疾患で陽性化する検査であるため、その固定固有変動数も相当なものとなり、複数項目比較検討による疾患の鑑別・絞込みに十分な数の固定固有変動が存在する。その一方、生化学検査を含む非特異的検査の随伴固有変動を使用して複数項目比較検討して疾患を絞り込んだり鑑別したりすることは、一部の非特異的検査の場合は可能であるが、上記のとおり、大部分の非特異的検査の場合は逆に煩雑な解読作業となる。したがって、非特異的検査の複数項目比較検討は、主に、その固定固有変動によって（即ち、非特異的検査のうちの固定固有変動型検査によって）疾患自体の発病を確認するため（疾患名を選出または同定するため）に使用し、疾患の発症条件の確認は、特異的検査や非特異的検査や中間的検査のそれぞれの随伴固有変動を個別に確認して（即ち、随伴固有変動型の特異的検査、非特異的検査及び必要な中間的検査によって）行うことが必要となる。
【００６０】
８−３）検査組立
このことから、鑑別検査及び症候検査のいずれの検査組立においても、数個の特異的検査と一定数の非特異的検査と必要な中間的検査とを組み合わせて、できる限り目的疾患の全体を選出した上で、それらのうちの固定固有変動型検査の固定固有変動を複数項目比較検討することにより、それぞれの疾患を鑑別することが有用である。
【００６１】
具体的には、症候検査（症候に基づく臨床診断）の場合、特異的検査及び非特異的検査を使用して、病名列挙では、１つの症侯に対し一般的に１０〜３０前後の疾患を候補疾患として列挙する。次に、検査組立では、列挙した全ての候補疾患の各々について、その存在の有無を判断できる検査項目を選択する。次に、検査結果の解読では、各検査項目の検査結果の変動（検査変動）を複数項目比較検討によって解読し、候補疾患を数疾患に絞り込む。通常は、この初回の検査組立及び検査結果解読により、候補疾患を数疾患まで絞り込むことができ、臨書所見の差だけで診断確定できることが多い。
【００６２】
一方、鑑別検査（鑑別に基づく臨床診断）の場合、病名列挙では５個前後の疾患を候補疾患として列挙する（予想した疾患の病名（診断名）及びその鑑別疾患の病名（鑑別病名）を列挙）。次に、検査組立では、列挙した全ての候補疾患の各々について、その存在の有無を判断できる検査項目を選択する。次に、検査結果の解読では、各検査項目の検査変動を複数項目比較検討によって解読し、予想した診断名が正しい場合はその診断名で診断確定し、予想した診断名が間違っている場合（予想した疾患の検査変動が陰性となった場合）でも、いずれかの鑑別疾患についての検査変動が必ず陽性となることから当該疾患が目的疾患であるとしてその場で是正することができる。即ち、鑑別検査では、１回の検査組立及び検査結果解読で確定診断または診断名の是正が可能となる。
【００６３】
本発明のシステムにおいて、症候検査では、症候ごとの疾患数によっても異なるが、多くの場合、５個以上の特異的検査を含むよう検査が組み立てられる。これにより、一回の症候検査で少なくとも数個の疾患数まで疾患を絞り込むことができる。一方、鑑別検査では、やはり疾患ごとの疾患数によって異なるが、多くの場合、数個の特異的検査を含むよう検査が組み立てられる。これにより、上記のとおり、一回の鑑別検査で予想した疾患名（診断名）の確定診断または診断名の是正が可能となる。
【００６４】
２．発明の特徴
上記の知見に基づき、本発明者は以下の構成Ａ〜Ｄを備える臨床診断支援システムを発明した。
Ａ：固有変動格納手段（固有変動表）
Ａａ：固定固有変動・随伴固有変動・結合疾患名
Ａａ−１）固有変動の区分格納
固有変動格納手段（固有変動表）は、正式病名からなる疾患名と、臨床検査の検査項目と、検査項目の検査結果の変動内容を示す検査変動とを、それぞれ、互いに関連付けて格納する。また、固有変動格納手段は、全検査項目の各々について、対応する１以上の疾患が発病した場合にその検査項目が呈する１以上の検査変動を、固定固有変動と随伴固有変動とに区分してその検査項目に関連付けて格納する。
【００６５】
Ａａ−２）固定固有変動
検査項目の固定固有変動は、当該検査項目について、特定の疾患が発病したときにはその疾患の発症条件とは無関係に常に同一の変動内容となる固有変動である。
したがって、当該検査項目は、対応する疾患自体の発病を確認するための検査、即ち、固定固有変動を呈する検査（固定固有変動型検査）として使用される。
【００６６】
Ａａ−３）随伴固有変動
検査項目の随伴固有変動は、当該検査項目について、特定の疾患が発病しても固有の変動内容となることなく、当該疾患について特有の発症条件が１つまたは複数発生したときにはじめて固有の変動内容となる固有変動、即ち、当該疾患について特有の発症条件が１つまたは複数発生するまでは変動内容が一定とならない固有変動である。
検査項目が随伴固有変動を呈する疾患の発症条件としては、疾患の病期、疾患の合併症（固有併発症）、疾患の発症臓器（罹患臓器）、疾患の発症部位、疾患の病因、疾患の病型、疾患の経由原疾患、絶食、内服中断、低免疫能等がある。
したがって、当該検査項目は、対応する疾患の発症条件を確認するための検査、即ち、随伴固有変動を呈する検査（随伴固有変動型検査）として使用される。
【００６７】
Ａａ−４）随伴固有変動による発症条件を考慮した臨床診断の実現
前記随伴固有変動型検査は、その疾患自体の発病を確認する検査項目ではないため、従来、臨床診断において当該疾患用の検査として使用されるものではなく、本発明者の上記の知見に基づきその疾患に関連付けられた検査である。
【００６８】
したがって、本発明では、１疾患に対し、当該疾患用の検査項目である固定固有変動を呈する検査（固定固有変動型検査）に加えて、別個の疾患用の検査項目であるが当該疾患の発症条件に対応して使用すべき検査項目である随伴固有変動を呈する検査（随伴固有変動型検査）が関連付けられて固有変動表に格納され、必要時に後述する検査配列表に表示されることになる。
【００６９】
その結果、臨床診断時の短時間であっても、臨床医師は、固定固有変動型検査により該当疾患の発病を判断することができることに加え、随伴固有変動型検査により発病した疾患の発症条件までも判断することができ、その場で有効な治療法を選択することが可能となる。
【００７０】
Ａａ−５）結合疾患名による三次元データ構造の二次元化
固有変動表では、一つの疾患に対して、前記固定固有変動型検査の検査項目名とその固定固有変動とがそれぞれ関連付けて格納されることに加え、前記随伴固有変動型検査の検査項目名とその随伴固有変動とがそれぞれ関連付けて格納される。
【００７１】
この随伴固有変動は、対応する疾患名とその１以上の発症条件とを表す造語である結合疾患名を、その発症条件が発現したときにその検査項目が呈する固有の検査変動の内容に関連付けたものである（即ち、結合疾患名＋検査変動内容からなる説明文形式となっている）。また、結合疾患名は、疾患名及び発症条件の２つの要素（データ項目）を１つの要素（データ項目）として一体化したものである。
【００７２】
ここで、随伴固有変動型検査の随伴固有変動は、検査項目（検査項目名）、疾患名及び発症条件の３種類の要素（データ項目）からなる三次元構造のデータであるが、随伴固有変動に結合疾患名を使用することで、疾患名（病名）及び発症条件の２種類の要素（データ項目）からなる二次元構造のデータを一次元化することにより（即ち、病名と発症条件とを一体化・結合して結合疾患名とすることにより）、上記三次元データ構造の随伴固有変動を二次元構造（表形式）のデータとして固有変動表に格納し、かつ、検査配列表に表形式で表示することができる。
【００７３】
更に、発症条件を別の観点から考察すると、病期、食事の有無（食事歴）、誘発疾患、年齢、運動の有無（運動歴）、罹患臓器名、起炎菌名等、相互に関連性の低い諸条件から発症条件がなっている。しかも、複数の発症条件をａｎｄ表現またはｏｒ表現で結合して一つの発症条件として表現することが多く、疾患名や検査項目名と異なり、発症条件は系統的分類が困難であり、特定の識別子によりデータベース化して系統的に抽出する構成とすることは不可能に近い。即ち、発症条件は、経時的変動（病期等の時間軸での変動）やその他の諸条件でも変動するため、疾患名、検査項目名及び発症条件の３項目を単純な三次元構造として電算処理することはできず、電算処理のためには種々の条件式の追加・導入が必要となる。しかし、発症条件の多様性から、必要な全ての条件を事前に選択して条件式を事前に設定することは困難であり、条件式を設定したとしても、発症条件の抽出漏れを生じ易くなる。一方、本発明のように結合疾患名を使用して発症条件を予め疾患名と結合しておくことで、疾患名、検査項目名及び発症条件の３項目を画一的に二次元化して処理することができ、条件式設定の場合のような発症条件の抽出漏れを防止することができる。また、検査配列表では、特定の検査項目から対応する疾患の検査変動を任意に抽出することができることに加え、結合疾患名が疾患名（正式病名）を含む構成のため、疾患名からも当該疾患の検査変動を任意に抽出することができる。即ち、検査配列表では、臨床診断に必要となる疾患名または検査項目名のいずれからも、漏れなく目的項目（臨床診断用で使用した任意の検査変動）を抽出することができる。
【００７４】
即ち、疾患名と発症条件を結合した結合疾患名を使って、３次元構造の内容を保ったまま、２次元処理の出来るようになったのが、本件の固有変動表の特徴である。これにより、（Ａ）三次元データ構造である、疾患名ＩＤ（ａ１・ａ２・）・疾患名＋発症条件ＩＤ（ｂ１・ｂ２・）・発症条件＋検査項目ＩＤ（ｃ１・ｃ２・）・検査項目名を、（Ｂ）二次元データ構造である、疾患名ＩＤ（ａ１・ａ２・）・結合疾患名＋検査項目ＩＤ（ｂ１・ｂ２・）・検査項目名に変更できた。疾患名が結合疾患名に変っただけで、ａ，ｂ，ｃの３つのＩＤを要していた（Ａ）のデータ構造（三次元データ構造）から、ａ，ｂの２つのＩＤのみを必要とする（Ｂ）のデータ構造（二次元データ構造）として、同じ３次元業務を行うことが可能となった。３次元データ形式のままでは必要な発症条件ごとに抽出操作を更に追加する必要があるが、発症条件のデータベース化が困難のため、漏れの少ない抽出操作が困難であった。これで各段の簡略化が図れるようになった。なお、この場合、結合疾患名（発症条件がないものは単なる疾患名のみ）には一意の疾患名ＩＤ（病名ＩＤ）が識別子として関連付けられるが、（発症条件がある場合は）発症条件は結合疾患名に含まれるため、検査項目ごとの疾患の発症条件である当該疾患の固有変動（検査変動）は、病名ＩＤと対応する検査項目の項目ＩＤとの複合ＩＤにより一意に識別可能である。
【００７５】
Ａａ−６）二次元データ構造の固定固有変動
固定固有変動型検査について、固定固有変動は、対応する疾患名のみ（発症条件のない疾患名）を、当該疾患が発病したときにその検査項目が常に呈する固有の検査変動の内容に関連付けたものである（即ち、疾患名＋検査変動内容からなる表現（説明文形式）となっている）。
【００７６】
Ａｂ：随伴固有変動と結合疾患名
Ａｂ−１）臨床診断における疾患の発症条件情報の取得困難性
上述したように、臨床診断では、疾患名を確定する必要に加え、確定した疾患の発症条件を確認しないと、有効な治療法を選択することができないという特有の事情がある。即ち、１疾患に特異的な固有病状だけで全経過を経緯する疾患は少なく、同一疾患でありながら、発症する主臓器が症例ごとに異なったり、その疾患に頻発する特有な種々の合併症（固有併発症）も症例ごとに異なることが多い。従って、１疾患でありながら、症例ごとに状況に応じて多彩な病像となるため、必要検査や検査動向も大きく変動してくる。この点は、発症条件および随伴固有変動に関して説明したとおりである。
【００７７】
一方、臨床診断の根拠となる知識を提供するものとして、一般に医学書が使用される。この医学書では、疾患に特異的な固有病状や検査結果が詳細に記載されている。即ち、医学書には、疾患自体の発現を確認するための検査とその検査変動（上記固定固有変動に相当する検査変動）のみが記載されている。しかし、症例ごとに異なる臓器名や固有併発症については、そのまま臓器名や固有併発症名を使って記載され、検査動向も"腎障害"や"肝機能異常"などの抽象的表現で表現されることが多い。即ち、ある疾患の罹患臓器名や固有併発症等の発症条件に関して、臨床診断で必要となる検査項目や検査動向を具体的に知るには、それらが記載されている専門書を探し、其々専門の記載分野に幾段も戻って調べ直す孫引き操作が必要となり、これらの情報を体系的に取得することは非常に困難であった。特に、臨床診断は非常に短時間で各種の業務を遂行する必要があるため、臨床医師が該当疾患を特定したとしても、その発症条件に関して臨床に必要な情報を短時間で取得することは事実上不可能であった。
【００７８】
Ａｂ−２）結合疾患名を利用した固有変動表・検査配列表
ここで、疾患ごとの固有併発症や臓器名の種類は、その疾患の既定の病態であり、関与する検査項目や検査動向も、孫引き操作が必要であるものの既定項目として医学的に既に決定されている。
【００７９】
そこで、本発明は、疾患ごとの病態のうち、疾患の本来の病態を確認するための検査項目（即ち、発症条件に左右されることなくその疾患が発病したときには常に同一の検査変動を呈する検査項目）、及び、当該疾患が発病したときのその検査項目の検査変動については、当該疾患の固定固有変動として、その検査項目名と共に当該疾患に関連付けて固有変動表に格納する。即ち、一つの疾患名に対して、全ての固有変動型検査の検査項目名と固定固有変動とが関連付けて格納される。
【００８０】
加えて、本発明は、疾患の固有併発症や臓器名等の発症条件を最小単位まで細分化して特定すると共に、当該疾患について各発症条件が発現したときに固有の（常に同一の）検査変動を呈する検査項目を全て特定する一方、その検査変動を随伴固有変動として検査項目名に関連付ける。このとき、随伴固有変動は、発症条件を疾患名と結合して作成した結合疾患名を当該検査項目が呈する検査変動と関連付けた説明文として作成される。そして、各疾患に対して、全ての随伴固有変動をその検査項目名と共に関連付けて固有変動表に格納する。即ち、一つの疾患に対して、その結合疾患名の数と同一数の検査項目名と随伴固有変動とが関連付けて格納される。
【００８１】
このように、本発明は、各疾患の病態説明または病像説明を、疾患自体の確認用の固定固有変動及び発症条件確認用の随意固有変動からなる２種類の固有変動として、同一の固有変動表に格納している。
【００８２】
Ａｂ−３）最小単位の検査変動の格納
固定変動表に格納する検査項目名は、全科的に共通して使用でき、重複することなく、しかもそれ以上細分化する必要のない最小単位の項目からなっている。医学書で多く見られる専門的特殊用語を避け、基礎医学用語などを使って全科的に応用可能な用語で統一されるよう配慮され、若しくは、統一性に疑問がある場合は注釈が挿入されている。
【００８３】
また、各疾患に関連付けた検査項目名は医学的に決定されて変動しない（常に同一の検査項目名である）が、その検査変動は、疾患ごと及び疾患の発症条件ごと（結合疾患名ごと）に異なった内容からなる。即ち、各検査項目の検査変動は、ある疾患では固定固有変動となり、別の疾患では当該疾患のある発症条件（ある結合疾患名）に対応した随伴固有変動となり、更に、当該疾患についても発症条件が異なる場合はその発症条件（別の結合疾患名）に対応した随伴固有変動となる。
【００８４】
更に、随伴固有変動型検査の随伴固有変動において、各疾患の発症条件は最小単位に細分化したものが使用され、かかる最小単位の１以上の発症条件が疾患名と結合されて結合疾患名を構成している。即ち、疾患の発症条件は１つのみならず複数が相伴って発現することもあるため、結合疾患名は１つの発症条件を結合したもの（疾患名＋発症条件）、２つの発症条件を結合したもの（疾患名＋発症条件＋発症条件）、３つの発症条件を結合したもの（疾患名＋発症条件＋発症条件＋発症条件）という構成となる。このとき、結合疾患名は、単に疾患名と発症条件を順に結合したものではなく、発症条件に応じて最適な形態となるよう作成されている。
【００８５】
即ち、固有変動表では、同一の検査項目が複数の疾患の固定固有変動型検査として格納されることに加え、結合疾患名に対応する数の随伴固有変動型検査として格納されている。即ち、検査項目名が同一であっても、その検査変動は、固定固有変動と随伴固有変動とに区分されて別個格納されると共に、疾患の最小単位の発症条件（結合疾患名）に対応して細分化されて格納される。その結果、検査配列表では一つの検査項目に対応して複数の検査変動が表示されることになり、また、固有変動表でも一つの検査項目に対応して複数の検査変動が格納されることになる。なお、検査配列表では、発症条件の有無やその数にかかわらず、１疾患に対応して１つの検査項目が表示される。例えば、検査変動中の結合疾患名の表現について、「コクサッキー心炎，肝炎で上昇」（コクサッキー感染症で心炎や肝炎を併発するときに検査値が上昇することを表す表現）中の「コクサッキー心炎，肝炎」、「熱中症，ＭＯＦで↑」（熱中症だけでも検査値が上昇することを表す表現）中の「熱中症，ＭＯＦ」、「熱中症ＭＯＦで上昇」（熱中症だけでは検査値が上昇しないが、ＭＯＦを合併すると検査値が上昇することを表す表現）中の「熱中症ＭＯＦ」、「ＴＳＨ欠乏シモンズで上昇」（ＴＳＨホルモン不足によるシモンズ病で検査値が上昇することを表す表現）中の「ＴＳＦ欠乏シモンズ」、「心不全（心炎・心筋梗塞）で上昇」（心炎や心筋梗塞による心不全で上昇することを表す表現）中の「心不全（心炎・心筋梗塞）」等、種々の型で結合疾患名が作成され、全ての発症条件で結合疾患名が作成されている。また、複数段の発症条件では、「ＰＨＴｒＰ産生異所性ホルモン産生腫瘍性Ｃａ血症膵炎で上昇」（ＰＨＴｒＰを産生する異所性ホルモン産生腫瘍で、高Ｃａ血症による膵炎を発症すると上昇することを表す表現）中の「ＰＨＴｒＰ産生異所性ホルモン産生腫瘍性Ｃａ血症膵炎」のように発症条件が表現される場合もある。
【００８６】
結合疾患名の具体例としては、コクサッキー心炎，肝炎で上昇（上向き矢印のマーク）（コクサッキー感染症で心炎や肝炎を併発すると上昇、の意味）、熱中症，ＭＯＦで上昇（上向き矢印のマーク）（熱中症だけでも上昇するが、ＭＯＦを合併すると更に上昇する、の意味）、熱中症ＭＯＦで上昇（上向き矢印のマーク）（熱中症だけでは上昇しないが、ＭＯＦを合併すると上昇する、の意味）、（このように、「，」の有無で内容が全く異なる）、ＴＳＨ欠乏シモンズで上昇（上向き矢印のマーク）（ＴＳＨホルモン不足によるシモンズ病で上昇、の意味）、心不全（心炎・心筋梗塞性）で上昇（上向き矢印のマーク）（心炎や心筋梗塞による心不全で上昇、の意味）等、諸発症条件を３６０度可変のジョイントのように使って色々な形式で簡略に連結する。複数段の発症条件となる例も多く、ＰＴＨｒＰ産生異所性ホルモン産生腫瘍性高Ｃａ血症膵炎で上昇（上向き矢印のマーク）（ＰＴＨｒＰを産生する異所性ホルモン産生腫瘍で、高Ｃａ血症による膵炎を発症すると上昇，の意味）等もある。
【００８７】
Ａｂ−４）固定固有変動内の疾患名
固有変動表では、各疾患の固定固有変動型検査については、一つの疾患に対して、固定固有変動型検査の検査項目名とその固定固有変動とがそれぞれ関連付けて格納されるが、この固定固有変動は、対応する疾患名のみ（発症条件のない疾患名）を、当該疾患が発病したときにその検査項目が常に呈する固有の検査変動の内容に関連付けたものである（即ち、疾患名＋検査変動内容からなる説明文形式となっている）。即ち、固定固有変動型検査の場合も、その検査変動で使用する疾患名は、発症条件をゼロとした結合疾患名と考えることができる。
【００８８】
Ａｂ−５）あらゆる固有変動の格納
上記のように、固有変動表では、随意の１疾患の病態・病像説明に関して、固有併発症など発現率の低い随伴固有変動も固定固有変動と同格の因子として格納されている。即ち、固有変動表は、ありうる全ての最小単位の検査項目を格納すると共に、其々の具体的な検査動向（検査変動）も（発症条件のない）疾患名及び結合疾患名に対応して格納している。結果的に、医学書でみられる総ての固有変動が、極めて稀な事項まで固有変動表に含まれている。
【００８９】
１疾患に特異的に陽性化する特殊検査（陽性ならその疾患であると診断可能）が全疾患の２割にも満たず、検査項目を全て使っても確診法のない疾患が１割前後存在する現状（本件では特殊な除外診断法で診断可能）では、あらゆる随伴固有変動も活用できる機構が臨床診断で不可欠である。本件では如何なる些細な随意固有変動でも、全て同格の固有変動として活用できる機構になっている。
【００９０】
固有変動表は各疾患で関与しうる全ての検査項目を含むが、全科に共通する検査項目名と用語で表現されていること以外に、結合疾患名を導入したことで、複雑な発症条件を考慮することなく種々の抽出や集約などの電算操作が可能となった。即ち、複数の疾患であっても、一回の操作であらゆる検査項目名や検査動向を比較検討することが可能となった。１疾患で関与しうる全ての検査動向を具体的に表現している医学書すら存在しない現状で、複数疾患について抽出・集約などの電算操作が簡単に出来ることは、極めて画期的な業績である（鑑別疾患マスターファイルを使った鑑別検査や、症候群マスターファイルを使った症候検査など）。なお、検査動向が３次元構造からなるため、結合疾患名に相当する機構を導入しないまま２次元的操作で随意固有変動を比較検討することは不可能である。発症条件を使って３次元操作で追加抽出するのも困難であることを前述した。
【００９１】
Ａｂ−６）一元的データ処理
随伴固有変動は、固有変動表中の全固有変動の７７％を占めることを発明者は確認している。即ち、随伴固有変動型検査が固有変動表中の検査の７７％を占めている。したがって、上記の通り、随伴固有変動を活用しない限り効果的な臨床診断を行うことができない。
【００９２】
一方、随伴固有変動は、検査項目・疾患名・発症条件の３因子で変動する（いずれかの因子が異なれば別個の変動となる）三次元データ構造を有している。したがって、三次元データ構造のままで随伴固有変動を電算表示しようとすれば、三次元構造の表示形態が必要となる。
【００９３】
また、固定固有変動は、検査項目・疾患名の２因子で変動する（いずれかの因子が異なれば別個の変動となる）二次元データ構造を有しているが、随伴固有変動とあわせた全固有変動を一元的に固有変動表に格納し、かつ、検査配列表に表示するには、固定固有変動も上記のように発症条件なしとして同じ３次元構造で扱うことが必要となる。即ち、随伴固有変動の「特定の検査項目・特定の疾患名・特定の発症条件」という三次元データ構造と同様、固定固有変動も「検査項目・特定の疾患名・発症条件なし」という三次元データ構造として処理する必要がある。
【００９４】
そこで、固有変動表では、検査動向に格納する検査変動に疾患名と発症条件を結合した結合疾患名を導入することで、３次元データ構造の内容を保ったまま、２次元的データ処理が出来るようにしている。
【００９５】
これにより、随伴固有変動に関しては疾患名を（発症条件を結合して）結合疾患名に変更するだけで、検査項目ＩＤ、（疾患名のみに対応する）疾患名ＩＤ、発症条件ＩＤの３個のＩＤを要する三次元データ構造から、検査項目ＩＤ及び（発症条件付疾患名である結合疾患名に対応する）疾患名ＩＤの２個のＩＤを要する二次元データ構造へとデータ構造を変更して、三次元データ構造の場合と同様のデータ処理を行うことが可能となる。
【００９６】
なお、固定固有変動に関しても、検査項目ＩＤ及び（発症条件なしとした疾患名に対応する）疾患名ＩＤの２個のＩＤを要する二次元データ構造として一元的なデータ処理を行うことが可能となる。
【００９７】
Ａｂ−７）発症条件に基づくデータ抽出処理の困難性
ここで、発症条件は分類法によっても大きく異なるが、種類が少なくとも数百を超えて、疾患数や検査項目数よりはるかに多い。しかも病期・誘発疾患名・罹患臓器名・食事摂取時間など、検査項目と違って、無数に近い無関係な異種要素からなり、また、相互に重複することも多いため、電算化用にデータベース化するのが極めて困難な因子である。即ち、単に発症条件を画一的に格納しても有効な検索を行うことができず、また、有効な検索を行うための識別子（ＩＤ）等を付与しようとしても、数百以上の識別子が必要となり現実的なデータベースを構成することができない。
【００９８】
また、上記のように、随伴固有変動に関しては、検査項目・疾患名・発症条件の３因子で変動する三次元データ構造を有しているため、かかる三次元データ構造のままで二次元配列の検査配列表に疾患名と検査項目名と検査変動とを関連付けてデータ表示するには、必要な発症条件ごとのデータ抽出処理を追加し、抽出した発症条件を疾患名と関連付けて表示する必要がある。
【００９９】
しかし、上記のように発症条件のデータベース化が困難であるため、漏れの少ない抽出操作は困難である。
【０１００】
なお、全疾患・全検査項目に通用する結合疾患名の作成は、臓器名や固有併発症ごとの詳細な検査変動などに精通した医師が行わない限り不可能であり、人工知能等によって電算的に作成することは非常に困難である。
【０１０１】
本発明では、かかる特質を有する発症条件については、医師が予め疾患ごとの発症条件を把握して結合疾患名を作成し、その結合疾患名を固有変動表に格納している。
【０１０２】
Ａｂ−８）結合疾患名による発症条件抽出処理の省略
これに対して、本発明は、上記のように本来は三次元構造であるデータを、結合疾患名を導入することで二次元データ構造として固有変動表に予め格納するようにしたため、三次元データ構造の場合のような発症条件に応じた抽出処理を行う必要がなく、必要な疾患ごとの検査項目と検査変動を１回の抽出処理で固有変動表から抽出して検査配列表に表示することができ、疾患ごとに目的とする検査項目の全てを漏らすことなく抽出することが可能である。
【０１０３】
これにより、検査項目・疾患名・発症条件からなる三次元データ構造のままで疾患ごとの必要な検査項目及び検査変動を抽出する場合と比較して、システム構成を各段に簡略化することができると共に、後述するように、従来にない極めて有用な効果を種々発揮することができる。
【０１０４】
Ａｃ：鑑別検査用の検査種別（肯定用検査・否定用検査・全身用検査）
固有変動表には、疾患ごとの各検査項目に対して、その検査が当該疾患を肯定できる肯定用検査であることを示す識別子（例えば、「肯定」または「１」等）と、その検査が当該疾患の鑑別疾患を肯定することにより当該疾患を否定できる否定用検査であることを示す識別子（例えば、「否定」または「３」等）と、その検査が肯定用検査でも否定用検査でもない（主に当該疾患の発症条件に応じた随伴固有変動を確認するための検査である）ことを示す識別子（例えば、「全身」または「２」等）とが関連付けて格納されている。
【０１０５】
ここで、肯定用検査は、その検査動向に対応する疾患（例えば、疾患Ａ）の固定固有変動が格納されており、その固定固有変動を確認することにより疾患Ａの存在を肯定できる検査である。
【０１０６】
一方、否定用検査は、その検査動向に対応する疾患の鑑別疾患（例えば、疾患Ａの鑑別疾患Ｂ）の固定固有変動が格納されており、その固定固有変動を確認することにより鑑別疾患Ｂの存在を肯定することで、疾患Ａの存在を否定できる検査である。
【０１０７】
また、全身用検査は、肯定用検査にも否定用検査にも分類できない検査で、その検査動向に格納されるのは、疾患の随伴固有変動が大半であり、その随伴固有変動を確認することにより疾患の発症条件を特定して治療法の選択に寄与することができる検査である。なお、全身用検査の検査動向には固定固有変動も格納されることがあるが、全身用検査は主に随伴固有変動型検査からなる。また、実施の問題の多い遺伝子検査、侵襲性の高い検査、その検査を実施しなくても他の検査で確定診断できる検査等を、通常時の実施を避ける目的で全身用検査として格納している。したがって、全身用検査は、他の検査で確定診断できないときに限り使用することになる検査である。
【０１０８】
即ち、本発明の固有変動表では、各疾患に対して、これらの肯定用検査、全身用検査及び否定用検査が関連付けて格納されている。
【０１０９】
これらの肯定用検査、全身用検査及び否定用検査からなる検査種別は、後述する鑑別検査処理で検査項目に関連付けて抽出され、検査配列表に表示される。
【０１１０】
一方、後述する症候検査処理では、検査種別は必要ないため、抽出されない。
【０１１１】
Ａｄ：固有変動表（固有変動マスタファイル）の代表例
上記で説明した固有変動表の代表例を図１に示す。固定変動表中、「疾患」の項目欄（データ列）には、全ての疾患（正式病名）が格納され、各疾患に対応する全ての検査項目が「検査項目」の項目欄（データ列）に関連付けて格納され、各行の疾患及び検査項目の対に対応する検査動向が「検査動向」の項目欄（データ列）に関連付けて格納されている。下記の固定変動表は、説明の便宜上、そのうちの一部（疾患Ａ及び疾患Ｂに相当する部分）のみを表示している。また、説明の便宜上、疾患Ａの後に疾患Ａの鑑別疾患である疾患Ｂを表示しているが、固有変動表はリレーショナルデータベースのテーブルとして実現可能であるため、通常のリレーショナルデータベースにおけるテーブル（表）と同様、疾患の並び順は任意である。また、「種別」の項目欄（データ列）には、前記鑑別検査で検査配列表に指定した疾患（想定した診断名）に対応して表示する検査項目を前記肯定用検査、否定用検査及び全身用検査のいずれかに区別及び整列すると共に、肯定用検査、否定用検査及び全身用検査のそれぞれを表す記号を付して表示するためのデータ（以下、「検査種類データ」ということがある。）が、疾患と検査項目との各対に対応して格納されている。また、「検査動向」の項目欄（データ列）には、疾患と検査項目との各対に対応する検査変動の内容が説明文形式で格納されている。なお、下記固有変動表の例では、説明の便宜上、括弧書き部分（「本疾患」、「（疾患Ａの固定固有変動の説明文）」等の注記）を記載しているが、実際の固有変動表ではこれらの注記はなく、また、疾患Ｂの検査動向中の「（疾患Ａの鑑別疾患）」）といった注記も、疾患Ｂが疾患Ａの鑑別疾患であることを説明するために記載したものであり、実際の固有変動表ではこれらの注記はない。各疾患についての鑑別疾患については後記鑑別疾患マスタファイルを使用して一連の鑑別疾患群を抽出・整列できるため、このような注記は必要ない。
【０１１２】
なお、同一の検査項目（下記固有変動表中の検査１、検査７）が複数の疾患（疾患Ａ、疾患Ｂ）の検査として使用されるが、例えば、診断名として疾患Ａを想定して鑑別検査をする場合、検査１〜３の肯定用検査の検査結果を複数項目比較検討し、それらが陽性となれば当初の診断名（疾患Ａ）を肯定することになり、それらの検査結果が陰性となれば当初の診断名（疾患Ａ）を否定することになる。この場合、検査７が陽性となれば疾患Ｂが目的疾患、検査８が陽性となれば疾患Ｃが目的疾患、検査９が陽性となれば疾患Ｄが目的疾患であるとして診断名を是正することができる。（ｃより修正後移動）
【０１１３】
また、各疾患の否定用検査の検査動向には、鑑別疾患の固定固有変動の説明文が格納されることに加え、「本疾患及び他の鑑別疾患では特異的変動なし」のように、当該疾患及び他の鑑別疾患で特異的に変動しないことを説明する説明文が格納される。これにより、その否定用検査の検査動向を確認して、該当する鑑別疾患を肯定すると共に、本疾患及び他の鑑別疾患の存在を明確に否定することができる。（ｃより移動）
【０１１４】
更に、固有変動表には、各疾患の全検査項目中で初回から実施することが望ましい検査項目（以下、「初動検査」ということがある。）に対して、初動検査であることを表すデータを関連付けて格納し、それらの検査項目については初動検査であることを示す記号を付して検査配列表に表示するようにしてもよい（例えば、「初動検査」の項目欄（データ列）を追加して「１（初動検査）」、「０（初動検査以外）」といったデータを格納することができる）。
【０１１５】
Ａｅ：定型検査
症候検査では、後述する症候群マスタファイルを使用して症候ごとにその症候を呈する全ての疾患（疾患群）を収集すると共に、収集した疾患ごとに対応する検査項目を固有変動表から収集し、これらの検査項目を定型検査として使用する。なお、症候検査では、鑑別検査のように、検査項目を肯定用検査等に区分して抽出することはない。また、固有変動表から収集した疾患ごとの検査項目についての検査動向は、そのままでは１症候について相当の数となり、検査配列表にそのまま表示すると逆に確認が煩雑となるため、後述する臨床マスタファイルにおいて検査項目ごとに集約して表現し直した後、対応する疾患に関連付けて格納している。
【０１１６】
更に、症候検査では、症候ごとに収集した疾患群（ある症候を呈する疾患群）について、上述した少数の特異的検査、十分な数の非特異的検査、及び中間的検査を予め特定し、初回から実施することが望ましい検査（初動検査）として選別しておき、検査配列表では初動検査であることを表す記号を付して表示する。初動検査は、生化学検査を中心とする安価で侵襲性の低い検査項目が主体となる。したがって、症候検査時の検査配列表では、指定した症候に属する疾患を診断するための全検査項目のうち、初動検査となる検査項目に対応する記号が付して表示され、それらの検査を実施しておけば、初回検査で１〜数疾患に絞り込むことが安価にできるようになっている。また、検査配列表には初動検査以外の検査項目も全て表示されるが、これらの検査は、再確認したり１疾患に絞り込む場合等、必要性に応じて２回目以降の検査で使用する検査項目に相当し、高価な検査項目や侵襲性の高い検査項目が主体となっている。
【０１１７】
なお、鑑別検査においても、症候検査と同様、鑑別疾患群（診断名及びその鑑別疾患）ごとに、少数の特異的検査、十分な数の非特異的検査、及び中間的検査を予め特定し、初回から実施することが望ましい検査（初動検査）として選別しておき、検査配列表では初動検査であることを表す記号を付して表示する。したがって、鑑別検査時の検査配列表でも、指定した症候に属する疾患を診断するための全検査項目のうち、初動検査となる検査項目に対応する記号が付して表示されるようになっている。
【０１１８】
Ｂ：症候対応疾患群格納手段（症候群マスタファイルに相当）
Ｂ−１）症候ごとの疾患群の格納
症候対応疾患群格納手段は、ある症候が発症したときに発病が想定される全ての疾患を当該症候対応の疾患群として当該症候に関連付けて格納する。
【０１１９】
症候群マスタファイルは、症候ごとにその症候を呈する全ての疾患を関連付けて格納するが、症候ごとに、更に、「疾患概要」として当該症候に属する疾患ごとの発症条件を中心とした説明文（従来の医学書において当該症候及び疾患群について記載されているものと同様の説明文）が関連付けて明記して格納される。また、症候検査において指定した症候の全疾患の検査項目及び検査変動を検査配列表に表示するときに、検査配列表の近傍に、当該症候の疾患概要を表示する疾患概要表示欄が合わせて表示される。同時に、検査配列表の検査動向の欄にも、各検査項目ごとの検査変動が結合疾患名を使用して表示されるため、利用者である医師等が、検査配列表の検査変動の説明文と疾患概要表示欄の疾患概要の説明文とを合せて確認することで、診断時の理解を助けるようになっている。
【０１２０】
即ち、本発明では、症候群マスタファイルの各症候に関連付けて当該症候の疾患概要を格納するようになっている。（例えば、症候群マスタファイルに「疾患概要」の項目欄（データ列）を設ける。）
【０１２１】
Ｂ−２）症候対応疾患群格納手段の例
症候対応疾患群格納手段としての症候群マスタファイルの代表例を図２に示す。なお、上記のとおり、本発明では、通常は１疾患が複数の症候に属する構成としているため、下記症候群マスタファイルのように、例えば、疾患Ａ及び疾患Ｂが症候イ及び症候ロに関連付けて格納されることになる。
【０１２２】
Ｃ：鑑別疾患格納手段（鑑別疾患マスタファイルに相当）
Ｃ−１）疾患ごとの鑑別疾患の格納
鑑別疾患格納手段は、各疾患についての鑑別疾患を当該疾患対応の鑑別疾患群として当該疾患に関連付けて格納する。
【０１２３】
Ｃ−２）鑑別疾患格納手段の例
鑑別疾患格納手段としての鑑別疾患マスタファイルの代表例を図３に示す。
【０１２４】
Ｄ：臨床マスタファイル
Ｄ−１）検査変動の整理・統合
本発明では、上記のように、症候検査及び鑑別検査のいずれでも、固有変動表の検査動向データをそのまま抽出して検査配列表に表示するのではなく、固有変動表の検査動向データを整理統合して臨床マスタファイルに格納している。即ち、症候検査において、各症候には同一の検査項目であっても疾患ごとに異なる検査変動（「検査動向」欄の説明文）が関連付けて格納されているため、このまま固有変動から症候に関連付けられる検査変動を抽出すると、上記のとおり、１症候について相当数の検査変動が検査配列表に表示されて逆に煩雑となるため、１検査項目に属する全ての検査変動を当該検査項目に関連付けて臨床マスタテーブルの「検査動向」の項目欄（データ列）に当該症候と関連付けて１データとして格納している。また、鑑別検査においても、肺炎のような複合疾患（複数の原疾患が発症する疾患）は、同一の検査項目であっても原疾患ごとに異なる検査変動が関連付けて格納されているため、このまま固有変動から症候に関連付けられる検査変動を抽出すると、上記のとおり、１症候について相当数の検査変動が検査配列表に表示されて逆に煩雑となるため、やはり、１検査項目に属する全ての検査変動を当該検査項目に関連付けて臨床マスタテーブルの「検査動向」の項目欄（データ列）に当該疾患（複合疾患）と関連付けて１データとして格納している。そして、症候検査で指定した症候の疾患群または鑑別検査で指定した疾患の鑑別疾患群に関するデータ（検査項目名、検査動向等）を臨床マスタファイルから抽出して、それらを検査配列表に列挙表示するようにしている。
【０１２５】
これにより、検査配列表に表示した１検査項目の検査動向欄中に複数の検査変動が一連に表示されることになり、それらの検査変動を比較検討（複数項目比較検討）することが容易となる。
【０１２６】
Ｄ−２）臨床マスタファイルの代表例
臨床マスタファイルの代表例を図４に示す。なお、下記の臨床マスタファイル中、「疾患（症候）」の項目欄（データ列）には、全ての疾患（正式病名）または症候（症候名）が格納され、各疾患に対応する全ての検査項目または各症候に属する全ての検査項目が「検査項目」の項目欄（データ列）に関連付けて格納され、各行の疾患（症候）及び検査項目の対に対応する検査動向が「検査動向」の項目欄（データ列）に関連付けて格納されている。下記の固定変動表は、説明の便宜上、そのうちの一部（疾患Ａ、疾患（複合疾患）Ｘ、症候イに相当する部分）のみを表示している。また、説明の便宜上、疾患Ａの後に疾患（複合疾患）Ｘ、症候イを表示しているが、上記のとおり、疾患や症候の並び順は任意である。また、鑑別検査用の検査項目には、「種別」の項目欄（データ列）に、前記肯定用検査、否定用検査及び全身用検査のいずれかの検査種類データが、疾患と検査項目との各対に対応して格納されている。なお、症候検査また、「検査動向」の項目欄（データ列）には、疾患または症候と検査項目との各対に対応する検査変動の内容が説明文形式で格納されているが、この検査変動の内容は、上記のとおり、症候については１検査項目に属する複数の検査変動を整理統合した説明文形式であり、複合疾患についても１検査項目に属する複数の検査変動を整理統合した説明文形式である。なお、下記固有変動表の例では、説明の便宜上、括弧書き部分（「（原疾患）」、「（疾患Ａの固定固有変動の説明文）」等の注記）を記載しているが、実際の固有変動表ではこれらの注記はない。
【０１２７】
Ｅ：検査項目別固有変動抽出表示手段（検査配列表に相当）
Ｅａ：表形式による病態説明
医学書で最も主要な部分に当る疾患の病態説明を、医学書が一般的な説明文形式で表現するのに対して、本発明は、固有変動表を利用して、下記の検査配列表による検査変動（検査動向）の一覧表として表現する。
【０１２８】
検査配列表は、抽出した疾患用の検査項目について、その検査項目名を表示する「項目名」の表示欄と、その検査変動を表示する「検査動向」の表示欄とを備えている。
【０１２９】
なお、上記のとおり、随伴固有変動が固定固有変動の数倍の数（約３倍以上）存在し、実際に検査配列表にもその割合で表示されている。したがって、随伴固有変動は本システムで非常に重要な役割を担い、特に、入院検査や重症疾患の臨床業務では、詳細な鑑別検査や確認検査が主目的のため、実際に随伴固有変動を活用することが多い。しかし、以下の説明における鑑別検査や症候検査では、単なる診断を目的としているので、固定固有変動の比較検討で間に合う場合が多い。したがって、定型検査では主に固定固有変動だけで説明されている。
【０１３０】
Ｅｂ：症候検査と鑑別検査
Ｅｂ１）症候検査の場合
Ｅｂ１−１）検査変動（固定固有変動及び随伴固有変動）の抽出
検査項目別固有変動抽出表示手段は、前記症候対応疾患群格納手段に格納した症候のいずれかが指定されたときは、前記症候対応疾患群格納手段から当該指定に係る症候に関連付けた前記症候関連の疾患群（全ての病名）を抽出する。また、抽出した疾患群の各疾患名に基づき、前記固有変動格納手段から、当該疾患群の各疾患に関連付けた検査項目（全ての検査項目名）を抽出し、かつ、抽出した検査項目の各々に関連付けた検査変動としての固定固有変動及び随伴固有変動（各固有変動の説明文）を抽出する。
【０１３１】
Ｅｂ１−２）検査項目に対応付けた検査変動（固定固有変動・随伴固有変動）の一括表示  そして、検査項目別固有変動抽出表示手段は、抽出した検査項目を列挙表示すると共に、列挙表示した各検査項目に対応付けて、当該各検査項目について抽出した全ての前記固定固有変動及び前記随伴固有変動を一括表示する。
【０１３２】
このとき、各検査項目について抽出した１以上の固定固有変動は、それぞれ、当該検査項目が各固定固有変動を発現したときに発病が推定される１つの疾患名（前記疾患群中の疾患名）と対応付けて当該疾患名と共に「検査動向」欄に表示される。
【０１３３】
これに加え、各検査項目について抽出した各随伴固有変動が、当該検査項目が各随伴固有変動を発現したときに発生が推定される１つの疾患名の１つ以上の発症条件（前記疾患群中の疾患の発症条件）と対応付けて当該疾患名及び当該発症条件と共に「検査動向」欄に表示される。
【０１３４】
これにより、列挙表示した各検査項目の固定固有変動を確認することにより、指定した症候に係る疾患群から発病が想定される疾患名を特定することができることに加え、列挙表示した各検査項目の随伴固有変動を確認することにより、発病が想定された疾患名についての発症条件をも同時に特定することができ、発症条件に応じた治療法の選択が可能となる。
【０１３５】
Ｅｂ１−３）同一疾患名の複数の検査項目での表示
更に、症候検査で一つの症候を指定すると当該症候に関連付けた全ての疾患が抽出される一方、抽出した疾患の各々について、当該疾患に関連付けた２個以上の定型検査としての固定固有変動型検査が抽出され、これら２個以上の定型検査としての固定固有変動型検査が検査配列表に一覧表示される。即ち、指定した症候に属する疾患の各々について、当該疾患に関連付けた検査項目名と検査変動とが検査配列表に列挙表示される（検査項目名が「項目名」欄に、検査変動が「検査動向」欄にそれぞれ表示される）。
【０１３６】
このとき、各疾患について２個以上の検査項目が抽出されることになるため、検査配列表では、２個以上の検査項目の検査変動中に同一の疾患名がその検査変動（固定固有変動）と共に表示されることになる。
【０１３７】
これにより、症候検査で定型検査のみを検査実施した場合であっても、指定した症候に属する疾患の各々について、複数の固定固有変動型検査の検査変動（固定固有変動）を確認して当該疾患の発病を判断することができ、検査変動により発見すべき疾患の見落としを効果的に防止することができる。また、同一疾患について複数の検査項目（固定固有変動型検査）の検査変動を比較検討することができ、疾患によってはその場でその疾患であるかどうか確定診断することも可能となる。
【０１３８】
Ｅｂ１−４）同一検査項目での複数疾患（鑑別疾患）の異なる検査変動の表示
また、症候検査で一つの症候を指定すると当該症候に関連付けた全ての疾患が抽出される一方、抽出した疾患において、同一の検査項目によって鑑別可能な全ての疾患（鑑別疾患群）とその検査変動とが当該検査項目に関連付けて表示される（検査項目名が「項目名」欄に、検査変動が「検査動向」欄にそれぞれ表示される）。即ち、検査配列表の一つの検査項目の「検査動向」欄中に、当該検査によって相互に鑑別可能な複数の疾患の検査変動が表示される。
【０１３９】
換言すれば、一つの検査項目において、特定の検査変動を呈する一つ以上の疾患の疾患名が当該検査変動に関連付けて「検査動向」欄に表示される一方、当該特定の検査変動と異なる検査変動を呈する他の疾患の疾患名が当該異なる検査変動と関連付けて「検査動向」欄に表示される。
【０１４０】
これにより、前記特定の検査変動に関連付けて表示される疾患と、前記異なる検査変動と関連付けて表示される疾患とは、その検査項目の検査結果を「検査動向」欄の検査変動と比較することによって鑑別可能となる。
【０１４１】
例えば、同一検査項目で、１以上の疾患（第１の疾患または第１の疾患群）が第１の検査変動（検査値上昇等）を呈する一方、他の１以上の疾患（第２の疾患または第２の疾患群）が第１の検査変動と異なる第２の検査変動（検査値下降等）を呈する場合、それら２種類の検査変動が同一検査項目の検査変動として表示される。例えば、「疾患Ａは＊＊＊の検査変動（検査値上昇等）、疾患Ｂ，Ｃは＊＊＊の検査変動（検査値下降等）」との表示が検査動向の欄になされる。この場合、その検査項目の検査結果が第１の検査変動となるか第２の検査変動となるかを確認することにより、該当疾患が第１の疾患（第１の疾患群）に属するか第２の疾患（第２の疾患群）に属するかを鑑別することができる。
【０１４２】
したがって、同一検査項目の検査変動を確認することで、似て間違いやすい複数の疾患をそれぞれの検査変動により鑑別して絞込むことができる。また、同一疾患名が複数の検査項目の検査変動中に表示されることとあいまって、複数の検査項目にわたって似て間違いやすい複数の疾患間での鑑別作業を行うことができ、鑑別の精度を高めることができる。
【０１４３】
また、このとき、複数の疾患が同一の検査変動を呈するときは、これら複数の疾患については、同一の検査変動が関連付けて表示される。例えば、「疾患Ａ，Ｂ，Ｃは＊＊＊の検査変動（検査値上昇等）」との表示が検査動向の欄になされる。
【０１４４】
更に、このとき、同一検査項目で、１以上の疾患（第１の疾患または第１の疾患群）が第１の検査変動（検査値上昇等）を呈する一方、他の１以上の疾患（第２の疾患または第２の疾患群）が特有の検査変動を呈しない場合（即ち、特異的な検査変動がない場合）、前記第１の検査変動に加えて、他の疾患が特異的な検査変動を呈しない点も表示される。例えば、「疾患Ａ，Ｂ，Ｃは＊＊＊の検査変動（検査値上昇等）、疾患Ｄ，Ｅ，Ｆには特異的変動なし。」、または、「疾患Ａ，Ｂ，Ｃは＊＊＊の検査変動（検査値上昇等）、その他の疾患（疾患Ａ，Ｂ，Ｃ以外の全ての疾患）には特異的変動なし。」との表示が検査動向の欄になされる。
【０１４５】
このように、第１の疾患または第１の疾患群については特異的な第１の検査変動を呈するとの表示をする一方で、第２の疾患または第２の疾患群（或いは、その他の全ての疾患）については特異的な変動がないことを表示することで、前記第１の疾患または第１の疾患群が発病に係る疾患であることを即座に特定することができる。
【０１４６】
Ｅｂ１−５）検査変動（固有変動）の種別に応じた表示配置
症候検査では、検査配列表に表示される症候対応の検査項目は、その検査変動の種別に応じて、検査配列表の上から下へと、固定固有変動型検査及び随伴固有変動型検査の順に並ぶように表示される。
【０１４７】
Ｅｂ１−５−１）固定固有変動型検査
まず、検査配列表の一番上から下へと、抽出疾患の固定固有変動を確認してその発病を判断するための一連の固定固有変動型検査が表示される。この最初に表示される一連の固定固有変動型検査は、抽出した各疾患についての固定固有変動を複数項目比較検討できるよう表示される。即ち、抽出した疾患の一つ（例えば、疾患Ａ）についての一連の検査項目名とその固定固有変動とが、検査配列表の上から下へと連続的に列挙表示される。
【０１４８】
したがって、集合化して列挙表示された一連の検査項目の検査変動（固定固有変動）を複数項目比較検討して、疾患Ａについて診断を行うことができる。
【０１４９】
また、このとき、上記のように、一つの検査項目について複数の疾患が同一の検査変動を呈するときは、当該検査項目については、当該複数の疾患が同一の検査変動を呈するものとして検査動向欄に表示される（例えば、「疾患Ａ，Ｂ，Ｃは検査値上昇」との表示がされる）。
【０１５０】
更に、このとき、同一の検査項目について複数の疾患が異なる検査変動を呈するときは、当該検査項目については、当該複数の疾患が異なる検査変動を呈するものとして検査動向欄に表示される（例えば、「疾患Ａ，Ｂ，Ｃは検査値上昇、疾患Ｄ，Ｅ，Ｆは検査値下降」との表示がされる）。
【０１５１】
更にまた、このとき、同一の検査項目について第１の疾患が特異的な検査変動を呈する一方で、その他の疾患が特異的な検査変動を呈しないときは、その他の疾患が特異的な変動を呈しないとの表示がされる（例えば、「疾患Ａ，Ｂ，Ｃは検査値上昇、その他の疾患では特異的な変動なし」との表示がされる）。
【０１５２】
したがって、集合化して列挙表示された一連の検査項目の検査変動を複数項目比較検討して、各疾患について判断することができる。
【０１５３】
Ｅｂ１−５−２）随伴固有変動型検査
また、一連の固定固有変動型検査に続いて、抽出疾患の随伴固有変動を確認してその発症条件を判断するための一連の随伴固有変動型検査が上から下へと表示される。この随伴固有変動型用検査については、抽出疾患についての一連の検査項目名とその随伴固有変動とが、検査配列表の上から下へと連続的に列挙表示される。
【０１５４】
したがって、集合化して列挙表示された一連の検査項目の検査変動（抽出疾患の随伴固有変動）を確認して、抽出疾患の発症条件（罹患臓器、固有併発症等）について判断を行うことができる。
【０１５５】
Ｅｂ１−６）検査配列表の例
上記で説明した症候検査で表示する検査配列表の代表例を図５に示す。
なお、該当疾患が固定固有変動型検査、随伴固有変動型検査のいずれであるかを示す識別子（「固定」、「随伴」または「１」、「２」等）を設けて「種別」の欄に表示してもよいが、実際のシステムでは係る識別子は設けていない（検査配列表への表示もされない）。これは、随伴固有変動は発症条件を付した結合疾患名として表示されるため、固定固有変動と簡単に区別することができ、あえて固定固有変動と随伴固有変動を区別して格納する必要がないためである。ただし、固定固有変動と随伴固有変動を識別してデータ抽出する等の必要性が生じれば、それらに識別子を付して区別して格納することも可能である。
【０１５６】
Ｅｂ２）鑑別検査の場合
Ｅｂ２−１）検査変動（固定固有変動及び随伴固有変動）の抽出
一方、検査項目別固有変動抽出手段は、前記固有変動格納手段に格納した疾患のいずれかが指定されたときは、前記鑑別疾患格納手段から当該指定に係る疾患に関連付けた当該疾患関連の鑑別疾患群を抽出すると共に、前記固有変動格納手段から、前記指定に係る疾患に関連付けた検査項目を抽出し、かつ、抽出した検査項目の各々に関連付けた検査変動としての固定固有変動及び随伴固有変動を抽出する一方で、前記鑑別疾患群の各疾患に関連付けた検査項目を抽出し、かつ、抽出した検査項目の各々に関連付けた検査変動としての固定固有変動及び随伴固有変動を抽出する。
【０１５７】
Ｅｂ２−２）検査項目に対応付けた検査変動の一括表示
そして、検査項目別固有変動抽出手段は、抽出した検査項目を列挙表示すると共に、列挙表示した各検査項目に対応付けて、当該各検査項目について抽出した全ての前記固定固有変動及び前記随伴固有変動を一括表示する。
【０１５８】
このとき、抽出した検査項目のうち、前記指定に係る疾患名に関連付けた各検査項目の固定固有変動は、当該検査項目がその固定固有変動を発現したときに当該指定に係る疾患の発病が推定されるとして、当該指定に係る疾患名と対応付けて当該疾患名と共に表示される。また、前記指定に係る疾患名に関連付けた各検査項目の随伴固有変動は、当該検査項目が各随伴固有変動を発現したときに当該指定に係る疾患について対応する発症条件の発生が推定されるとして、当該指定に係る疾患名の当該発症条件と対応付けて当該疾患名及び当該発症条件と共に表示される。
【０１５９】
これにより、列挙表示した各検査項目の固定固有変動のうち前記指定に係る疾患の固定固有変動を確認することにより、指定に係る疾患が発病したか否かを特定することができ、また、列挙表示した各検査項目の随伴固有変動のうち前記指定に係る疾患の随伴固有変動を確認することにより、発病が想定された前記指定に係る疾患名についての発症条件を特定することができ、発症条件に応じた治療法の選択が可能となる。
【０１６０】
また、抽出した検査項目のうち、前記鑑別疾患群の各疾患（指定疾患の鑑別疾患）に関連付けた検査項目の各固定固有変動は、当該検査項目がその固定固有変動を発現したときに当該疾患の発病が推定されるとして、当該鑑別疾患名と対応付けて当該鑑別疾患名と共に表示される。一方、前記鑑別疾患群の各疾患（指定疾患の鑑別疾患）に関連付けた検査項目の各随伴固有変動は、当該検査項目が各随伴固有変動を発現したときに当該疾患について対応する発症条件の発生が推定されるとして、当該鑑別疾患名の当該発症条件と対応付けて当該鑑別疾患名及び当該発症条件と共に表示される。
【０１６１】
そして、列挙表示した各検査項目に対応付けて表示する検査変動には、前記指定に係る疾患名の検査変動とその鑑別疾患の検査変動とを並列表示する。これにより、同一検査項目の検査変動を確認することで、指定した疾患とその鑑別疾患とをそれぞれの検査変動により鑑別して、鑑別診断を除外していくことにより指定した疾患の発病を最終的に確認して確定診断まで進むことが可能となる。
【０１６２】
一方、検査変動の確認により指定した疾患が除外される場合は、その鑑別疾患群の各鑑別疾患の検査変動を確認していくことで、特定の鑑別疾患の発病を最終的に確認してその場で正しい診断名に是正することができる。
【０１６３】
Ｅｂ２−３）同一疾患名の複数の検査項目での表示
更に、鑑別検査で一つの疾患を指定すると当該疾患が抽出されると共に当該疾患に関連付けた全ての鑑別疾患が抽出される一方、抽出した疾患（指定疾患及びその鑑別疾患）の各々について、当該疾患に関連付けた２個以上の定型検査としての固定固有変動型検査が抽出され、これら２個以上の定型検査としての固定固有変動型検査が検査配列表に集合化して表示される（この固定固有変動型検査として、平均すると数個程度の特異的検査と、それより多くの非特異的検査が表示される）。即ち、指定した疾患とその鑑別疾患の各々について、当該疾患に関連付けた検査項目名と検査変動とが検査配列表に列挙表示される（検査項目名が「項目名」欄に、検査変動が「検査動向」欄にそれぞれ表示される）。
【０１６４】
このとき、各疾患について２個以上の検査項目が抽出されることになるため、検査配列表では、２個以上の検査項目の検査変動中に同一の疾患名（指定疾患及びその鑑別疾患）がその検査変動（固定固有変動）と共に表示されることになる。
【０１６５】
これにより、鑑別検査では、指定した疾患について、複数の固定固有変動型検査の検査変動（固定固有変動）を複数項目比較検討により確認して当該疾患の発病を判断することができ、検査変動により発見すべき疾患の見落としを効果的に防止することができる。即ち、指定疾患（診断名）について複数の検査項目（固定固有変動型検査）の検査変動を比較検討することができ、指定疾患が正しいかどうかその場で確定診断することができ、また、指定疾患が間違っている場合は、上記のように、その場で正しい診断名に是正できる。
【０１６６】
Ｅｂ２−４）同一検査項目での鑑別疾患名・検査変動の表示
また、鑑別検査で一つの疾患を指定すると当該疾患が抽出されると共に当該疾患に関連付けた全ての鑑別疾患が抽出される一方、抽出した指定疾患及びその鑑別疾患において、同一の検査項目によって鑑別可能な全ての疾患（鑑別疾患群）とその検査変動とが当該検査項目に関連付けてその検査変動中に表示される（検査項目名が「項目名」欄に、検査変動が「検査動向」欄にそれぞれ表示される）。即ち、検査配列表の一つの検査項目の「検査動向」欄中に、指定疾患と共に当該検査によって鑑別可能な鑑別疾患の検査変動が表示される。
【０１６７】
換言すれば、一つの検査項目において、指定疾患と同一の検査変動を呈する一つ以上の鑑別疾患の疾患名が指定疾患の疾患名と共に当該検査変動に関連付けて「検査動向」欄に表示される一方、当該検査変動と異なる検査変動を呈する他の鑑別疾患の疾患名が当該異なる検査変動と関連付けて「検査動向」欄に表示される。
【０１６８】
これにより、指定疾患とその鑑別疾患とは、その検査項目の検査結果を「検査動向」欄の検査変動と比較することによって鑑別可能となる。
【０１６９】
例えば、同一検査項目で、指定疾患が第１の検査変動（検査値上昇等）を呈する一方、他の１以上の疾患が第１の検査変動と異なる第２の検査変動（検査値下降等）を呈する場合、それら２種類の検査変動が同一検査項目の検査変動として表示される。例えば、「本疾患Ａは＊＊＊の検査変動（検査値上昇等）、疾患Ｂ，Ｃは＊＊＊の検査変動（検査値下降等）」との表示が検査動向の欄になされる。この場合、その検査項目の検査結果が第１の検査変動となるか第２の検査変動となるかを確認することにより、該当疾患が指定疾患であるか鑑別疾患であるかを判断することができる。
【０１７０】
したがって、同一検査項目の検査変動を確認することで、指定疾患と似て間違いやすい鑑別疾患とをそれぞれの検査変動により鑑別することができる。また、指定疾患及びその鑑別疾患の疾患名が、それぞれ、複数の検査項目の検査変動中に表示されることとあいまって、複数の検査項目にわたって指定疾患と似て間違いやすい鑑別疾患との間での鑑別作業を行うことができ、鑑別の精度を高めることができる。
【０１７１】
また、このとき、指定疾患と鑑別疾患とが同一の検査変動を呈するときは、これらの疾患については、同一の検査変動が関連付けて表示される。例えば、「本疾患Ａと疾患Ｂ，Ｃとは＊＊＊の検査変動（検査値上昇等）」との表示が検査動向の欄になされる。
【０１７２】
更に、このとき、同一検査項目で、指定疾患を含む１以上の疾患（第１の疾患または第１の疾患群）が第１の検査変動（検査値上昇等）を呈する一方、他の１以上の疾患（第２の疾患または第２の疾患群）が特有の検査変動を呈しない場合（即ち、特異的な検査変動がない場合）、前記第１の検査変動に加えて、他の疾患が特異的な検査変動を呈しない点も表示される。例えば、「本疾患Ａ及び疾患Ｂ，Ｃは＊＊＊の検査変動（検査値上昇等）、疾患Ｄ，Ｅ，Ｆには特異的変動なし。」、または、「本疾患Ａ及び疾患Ｂ，Ｃは＊＊＊の検査変動（検査値上昇等）、その他の疾患（疾患Ａ，Ｂ，Ｃ以外の全ての疾患）には特異的変動なし。」との表示が検査動向の欄になされる。
【０１７３】
このように、指定疾患を含む第１の疾患または第１の疾患群については特異的な第１の検査変動を呈するとの表示をする一方で、指定疾患を含まない第２の疾患または第２の疾患群（或いは、その他の全ての疾患）については特異的な変動がないことを表示することで、指定疾患を含む第１の疾患または第１の疾患群が発病に係る疾患であることを即座に特定することができる。
【０１７４】
逆に、同一検査項目で、本指定疾患を含まない１以上の疾患（第１の疾患または第１の疾患群）が第１の検査変動（検査値上昇等）を呈する一方、本疾患を含む他の１以上の疾患（第２の疾患または第２の疾患群）が特有の検査変動を呈しない場合（即ち、特異的な検査変動がない場合）、前記第１の検査変動に加えて、他の疾患が特異的な検査変動を呈しない点も表示される。例えば、「疾患Ｄ，Ｅ，Ｆは＊＊＊の検査変動（検査値上昇等）、本疾患Ａ及び疾患Ｂ．Ｃには特異的変動なし。」、または、「疾患Ｄ，Ｅ，Ｆは＊＊＊の検査変動（検査値上昇等）、本疾患Ａ及びその他の疾患（疾患Ｅ，Ｄ，Ｒ以外の全ての鑑別疾患）には特異的変動なし。」との表示が検査動向の欄になされる。
【０１７５】
このように、指定疾患を含まない第１の疾患または第１の疾患群については特異的な第１の検査変動を呈するとの表示をする一方で、指定疾患を含む第２の疾患または第２の疾患群（或いは、その他の全ての疾患）については特異的な変動がないことを表示することで、指定疾患が該当疾患でない（診断が間違っており他の疾患が該当疾患である）と推定することができる。
【０１７６】
Ｅｂ２−５）検査変動（固有変動）の種別に応じた表示配置
鑑別検査では、検査配列表に表示される検査項目は、その検査変動の種別に応じて、検査配列表の上から下へと、肯定用検査、全身用検査及び否定用検査の順に並ぶように表示される。
【０１７７】
Ｅｂ２−５−１）肯定用検査（指定疾患の固定固有変動型検査）
まず、検査配列表の一番上から下へと、指定疾患の固定固有変動を確認してその発病を判断するための一連の肯定用検査が表示される。この最初に表示される一連の肯定用検査は固定固有変動型検査からなり、抽出した指定疾患についての固定固有変動を複数項目比較検討できるよう表示される。即ち、指定した疾患についての一連の検査項目名とその固定固有変動とが、検査配列表の上から下へと連続的に列挙表示される。
【０１７８】
したがって、集合化して列挙表示された一連の検査項目の検査変動（指定疾患の固定固有変動）を複数項目比較検討して、指定疾患について確定診断を行うことができる。
【０１７９】
このとき、一つの検査項目について指定疾患の鑑別疾患が同一の検査変動（固定固有変動）を呈するときは、当該検査項目については、当該鑑別疾患が同一の検査変動を呈するものとして検査動向欄に表示される（例えば、「本疾患Ａ及び疾患Ｂ，Ｃは検査値上昇」との表示がされる）。
【０１８０】
また、このとき、同一の検査項目について指定疾患と鑑別疾患とが異なる検査変動（固定固有変動）を呈するときは、当該検査項目については、指定疾患と鑑別疾患とが異なる検査変動を呈するものとして検査動向欄に表示される（例えば、「本疾患Ａは検査値上昇、疾患Ｂ，Ｃ，Ｄ，Ｅは検査値下降」との表示がされる）。
【０１８１】
更に、このとき、同一の検査項目について指定疾患が特異的な検査変動（固定固有変動）を呈する一方で、鑑別疾患が特異的な検査変動（固定固有変動）を呈しないときは、鑑別疾患が特異的な変動を呈しないとの表示がされる（例えば、「本疾患Ａは検査値上昇、その他の疾患では特異的な変動なし」との表示がされる）。
【０１８２】
したがって、集合化して列挙表示された一連の検査項目の検査変動を複数項目比較検討して、本疾患と鑑別疾患とについての鑑別を行うことができる。
【０１８３】
Ｅｂ２−５−２）全身用検査（指定疾患の随伴固有変動型検査）
また、一連の肯定用検査に続いて、指定疾患の随伴固有変動を確認してその発症条件を判断するための一連の全身用検査が上から下へと表示される。この全身用検査は随伴固有変動型検査からなり、指定した疾患についての一連の検査項目名とその随伴固有変動とが、検査配列表の上から下へと連続的に列挙表示される。なお、上記のように、全身用検査には一部固定固有変動型検査もある。
【０１８４】
したがって、集合化して列挙表示された一連の検査項目の検査変動（指定疾患の随伴固有変動）を確認して、指定疾患の発症条件（罹患臓器、固有併発症等）について判断を行うことができる。
【０１８５】
ただし、全身用検査は、上記のように、遺伝子検査や侵襲性の高い検査等が主体となるため、必要性ある場合のみ使用することになる。
【０１８６】
Ｅｂ２−５−３）否定用検査（鑑別疾患の固定固有変動型検査）
更に、一連の全身用検査に続いて、鑑別疾患の固定固有変動を確認してその発病を判断することにより、指定疾患の非発病を判断するための一連の否定用検査が表示される。この一連の否定用検査は固定固有変動型検査からなる。即ち、各鑑別疾患についての検査項目名とその固定固有変動とが、検査配列表の上から下へと連続的に列挙表示される。
【０１８７】
したがって、列挙表示された一連の検査項目の検査変動（鑑別疾患の固定固有変動）を検討して、各鑑別疾患について発病しているか否かを即座に判断することができる（発病している場合は、診断名を是正）。
【０１８８】
このとき、一つの検査項目について複数の鑑別疾患が同一の検査変動（固定固有変動）を呈するときは、当該検査項目については、当該複数の鑑別疾患が同一の検査変動を呈するものとして検査動向欄に表示される（例えば、「疾患Ｂ，Ｃは検査値上昇」との表示がされる）。
【０１８９】
また、このとき、同一の検査項目について複数の鑑別疾患が異なる検査変動（固定固有変動）を呈するときは、当該検査項目については、複数の鑑別疾患が異なる検査変動を呈するものとして検査動向欄に表示される（例えば、「疾患Ｂは検査値上昇、疾患Ｃ，Ｄ，Ｅは検査値下降」との表示がされる）。
【０１９０】
更に、このとき、同一の検査項目について特定の鑑別疾患が特異的な検査変動（固定固有変動）を呈する一方で、指定疾患及び他の鑑別疾患が特異的な検査変動（固定固有変動）を呈しないときは、指定疾患及び他の鑑別疾患が特異的な変動を呈しないとの表示がされる（例えば、「疾患Ｂは検査値上昇、本疾患Ａ及びその他の疾患では特異的な変動なし」との表示がされる）。
【０１９１】
Ｅｂ２−６）検査配列表の例
上記で説明した鑑別検査で表示する検査配列表の代表例を図６に示す。
【０１９２】
なお、上記固有変動表を「検査項目」と「疾患名」と「発症条件」との対比付けで説明すると、図７に示すように、各検査項目について対応する疾患名ごと及び各疾患の発症条件ごとに、それぞれ、特有の固有変動がデータとして存在する三次元構造の表になる。なお、発症条件は、疾患ごとに無数に存在するわけではなく、疾患に応じた種類の（各疾患に固有の）発症条件が存在し、固有の疾患に特異的に近いほど発症しやすい（固有の疾患に特異的に近いほど発症条件の症状が出現しやすい）という性質がある。このように、本固有変動格納手段では、各検査動向について常に疾患ごとの発症条件を考慮して操作するために、「固有変動」を「固定固有変動」と「随伴固有変動」とに区分（二分）して、各検査動向に対応する疾患ごとに関連付けて表現して格納している。即ち、「固定固有変動」とは、原疾患（一疾患名）で特異的に変動する（常に変動する）固有変動のことをいう。「随伴固有変動」とは、原疾患の発症条件に応じて、即ち、発症条件が発生してはじめて変動する固有変動のことをいう。このように、本システムは、固有変動表を応用することで、各種症候検査・鑑別検査として関連しうる全ての検査動向の表示（立方体のデータ構造）が可能となり、従来の医学書等を参照した孫引き操作が不要となり、また、複数項目比較検討項目の表示も可能となる（関与する固定固有変動にチェックを入れて検査配列表の先頭に表示する）。更に、定型検査の組立、統括表を使った７種検索（全疾患・全検査項目に関する固定固有変動の検索）等の電算処理が可能となる。
【０１９３】
３．発明の要旨
１）発明の特徴及び特有の作用効果
上記のように、本件発明に係る臨床診断支援システムは、従来の臨床診断支援システムでは疾患ごとの診断が主目的であるのに対して、随伴固有変動、発症条件、結合疾患名、固有変動表、検査配列表、複数項目比較検討、症候検査、鑑別検査、定型検査、症候群マスタファイル、臨床マスタファイル等、過去の臨床診断支援システムに使用されたことのない数々の新規な構成を採用している。要するに、本発明に係る臨床診断支援システムは、その要旨として、下記の特徴Ａ〜Ｄを備え、これにより、特有の効果Ｅを発揮する。
【０１９４】
Ａ：固有変動表
固有変動表は、各疾患に対して、その疾患自体の発病を確認するための検査項目である固定固有変動型検査の検査項目名とその検査変動（検査結果の変動内容）である固定固有変動を関連付けて格納することに加え、その疾患の発症条件を確認するための検査項目である（従来はその疾患自体の同定用には使用されていない）随伴固有変動型検査の検査項目名とその検査変動である随伴固有変動をも当該疾患に関連付けて格納する。なお、固定固有変動及び随伴固有変動は、いずれも、対応する検査項目の検査結果の変動内容を最小単位となるよう細分化して表現したものである。
【０１９５】
Ｂ：検査配列表
検査配列表は、各疾患について当該疾患に関連付けた全ての固定固有変動型検査の検査項目名及び全ての随伴固有変動型検査の検査項目名を当該疾患と対応付けて順に表示すると共に、各固定固有変動型検査の検査項目名にその固定固有変動を関連付けて表示し、かつ、各随伴固有変動型検査の検査項目名にその随伴固有変動を関連付けて表示する。なお、検査配列表は、当該疾患に関連付けた固有変動表の固有変動をそのまま抽出して表示するのではなく、当該疾患に関連付けた固有変動表の固有変動を集約して表現した一連の固有変動（集約化固有変動）を格納する臨床マスタから当該疾患の集約化固有変動を抽出して表示する。
【０１９６】
Ｃ：結合疾患名による検査・疾患・発症条件の三次元データ構造の二次元化
このとき、検査配列表は、随伴固有変動には該当する疾患名とその発症条件とを表す結合疾患名を関連付けて表示し、固定固有変動には該当する疾患名のみ（発症条件のない結合疾患名）を関連付けて表示する。
【０１９７】
Ｄ：複数項目比較検討
また、このとき、検査配列表は、一疾患について少なくとも２以上の固定固有変動を抽出して表示することで、一疾患について２以上の固定固有変動を相互に比較検討して診断すること（複数項目比較検討）を可能とする。
【０１９８】
Ｅ：特有の効果
上記Ａ〜Ｄの構成により、疾患自体の確認用としては従来は使用されていない（疾患に関連した合併症や罹患臓器の確認等に使用されている）随伴固有変動型検査を、その検査変動である随伴固有変動と共に疾患に関連付けて抽出・表示することができる。その結果、固定固有変動型検査及び随伴固有変動型検査の固定固有変動により疾患名を確定診断することができることに加え、随伴固有変動型検査の随伴固有変動を確認することにより当該疾患の発症条件を確認することができ、確認した発症条件に基づいて当該疾患についての有効な治療法を選択することができる。
特に、上記Ｃの構成により、検査項目・疾患名・発症条件の３要素からなる三次元構造のデータを、疾患名及び発症条件の２要素を一次元化することで二次元構造（表形式）のデータとして固有変動表に格納し、かつ、検査配列表に表示することができる。
【０１９９】
２）特徴のまとめ
従来の臨床検査システムの大半が当初から自動診断を目的としてきたのに対し、本発明では、種々の変動因子をそれ以上分類できない単位まで細分化・単一化したまま、それを再び臨床に合うよう再構築して、医学業務に基本的な電算化応用を導入したものである（保険業務などを含まない）。細分化した変動因子（ＩＤ項目）は、主単位である疾患名（病名ＩＤで一意に識別される）、検査項目（項目ＩＤで一意に識別される）、検査動向乃至固有変動（疾患ごとに異なる変動内容であって、病名ＩＤと項目ＩＤの複合ＩＤで識別される）の３種である。病状変化や検査変化が発症条件ごとに異なるため、発症条件を単位として再分化しており、前記固有変動表による立方体のデータ構造に基づいている。他に、臨床医学で症候検査や鑑別検査など、避けられない診断手法が種々ある症候マスタファイルに症候ＩＤと、後述する統括表の検索用に上下ＩＤ（異常値ＩＤ）を追加している。これら発症条件や固有変動の表現としては、現医療界の記述をそのまま使っているため、本発明は即座に臨床応用可能であるとともに、電算化が望まれる臨床医学の大半が本発明により実現可能となった。電算機械が計算してくるデータの多さと発症条件の細分化・精度などについて誰も経験しておらず、本発明で１０個を超える業務（一般検査、症候検査、見逃検索等）がすべて新規と言っても過言ではない。なお、疾患名が決まることで、望ましい検査組立を診察前から元来決められるため、複数疾患からなる鑑別検査、症候検査でも定型検査の設定が事前に可能であり、本件で初めて定型検査を組むことが出来た。結果的に、臨床業務の極めて広い分野で即座の本件応用が可能であり、予想されなかった価値高い新業務も沢山生まれて、其々が数秒で完了できるなど、医療電算化に広く応用できる新技術に該当する。
【０２００】
なお、本発明では、後述する統括表の「一般検査ボタン」で扱うのが鑑別検査、「症候検査ボタン」で扱うのが症候検査となっているが、症候検査、鑑別検査ともに、本発明に特異的な定型検査の使用を勧めている。ここで、定型検査とは、其々の検査配列表で「チェック」マークが表示されてくる検査項目に相当する。定型検査だけを実施しておけば、鑑別検査の初回検査でほぼ診断確定、若しくは診断名が修正されて確定する。また、症候検査の定型検査をしておけば、数十疾患もの膨大な候補疾患の中から大半で数疾患に絞ってきて、臨床所見も参考にすれば、診断近い例も少なくない。
【０２０１】
また、検査配列表は、随意の疾患・症候に関して、総ての検査項目・該当疾患・発症条件・検査動向が、結合疾患名を使って３次元の内容を保ったまま表現されており、非常に多くの業務を担っている。検査配列表は、図７の立方体（三次元）データ構造の内容をそのまま表化しているため、これまで専門分野の記載に移っては臨床医学に関する追加調査・勉学を行ってきた扇型かつ無限に近い孫引き操作の対象項目が全てこの中に含まれている。従って、孫引き操作が不要となり、代ってひとつの検査配列表内を種々用語で電算検索するだけで直ちに孫引き操作を解決出来ることが可能となった。極めて大きな時間の節約に繋がる。更に、デフォルトで各項目の先頭にチェックマークが表示されている定型検査を行っておけば、一般医・専門医にかかわらず専門医に近い精度で検査がなされ（現医療界を考えると避けられない重要な事項）、５日前後で揃ってくる検査結果の異常値検査動向をみるだけで、その検査動向の欄に診断名と罹患臓器や合併併発症など発症条件まで表示されてくる。即ち、自動診断に近い、若しくはそれ以上の機能を発揮する。また、検査配列表では、肯定検査、否定検査、全身検査の分類が明記され、「肯定」検査が先頭に並んで表示されるので、一般的に「肯定」検査を使って行う複数項目比較検討が容易に可能となり、著名な診断精度や診断速度の向上が期待される。なお、検査変動に「肯定」検査のリストすらないのが医学界の現状である。そして、複数項目比較検討こそ、除外診断も活用することで、現在の非常に少ない特異的検査数に拘わらず全疾患を診断可能にしている根源となっている。なお、診断名の決定だけなら上記肯定検査だけで可能だが、検査配列表内の診断名を検索するだけで、該当疾患のみならず鑑別疾患も含めて固有併発症や罹患臓器名など臨床診断に必要な各種発症条件も同時に判断出来る。以上、検査配列表は過去に全く見られなかった有用な業務の集合からなっている。
【０２０２】
更に、本発明は、統括表による３項目検索、症候検索（見逃検索）、症候検索（複合検索）等の特徴も備えている。即ち、３項目検索では、固定固有変動のうち頻用する検査項目だけでＩＤ（上下ＩＤ）を使って該当疾患の抽出を行う。固定固有変動だけを扱うため、発症条件で出現するような疾患を含まず、曖昧検出としての診断名検出がないのを特徴とする。臨床で渇望される検索であるとともに、固定固有変動を使って初めて可能となる機構のため、類比をみない厳密な機構になっている。なお、単疾患、関連疾患、限定疾患は、それぞれ３条件のうち、１、２、３条件を満たす疾患を対象とする。また、統括表による症候検索（見逃検索、統括表の上段欄のみ使用）では、本発明で使う症候のうち、生化学検査だけでは検出できず、結果的に簡単な検査だけでは見落とし易くなる疾患を検出する（当初から種々条件を考え十分な内容で開始すべき検査）。更に、統括表による症候検索（実施検索、統括表の上段欄・下段欄使用）では、本発明で使う症候のうち、上記３項目検索で使った上下ＩＤが異常値をとる疾患を検出する（主症状の主な異常検査値から診断名を予想するのは臨床で渇望されるが、それを可能とする検索）。以上、統括表の表示は、本件で二次的に新しく発生した極めて有用な業務。本件の電算化の利点を活用できる業務であり、後記する実施例の説明で詳述する。
【０２０３】
４．具体的構成
次に、上記の特徴を有する本システムの具体的構成について説明する。
［全体構成］
本臨床診断支援システムでは、上記のように、全ての固有変動を格納した固有変動表に基づき臨床マスタファイルを作成し、この臨床マスタファイルを基幹ファイルとして、更に、検査項目マスタファイル、症候マスタファイル、病名マスタファイル、疾患群マスタファイル、鑑別疾患マスタファイルを使用し、後述するコンピュータによる処理手順により、最終的に、臨床診断に必要かつ十分な医療情報としての固有変動情報を体型的に表示する検査配列表を加工して画面表示する。かかる臨床診断支援システムの概略的な全体構成を、図4及び図５に基づいて説明する。図４は本臨床診断支援システムによる症候検査処理用の各機能実現手段の全体構成を示し、図５は本臨床診断支援システムによる一般検査処理用の各機能実現手段の全体構成を示す。なお、下記各手段（機能実現手段）は、パーソナルコンピュータ（ＰＣ）等のコンピュータ装置のハードウエア（ＣＰＵ，ＲＯＭ，ＲＡＭ，ＨＤＤ等）を使用してその機能を実現し、各種処理（手順）をコンピュータに実行させる。
【０２０４】
図８及び図９に示すように、臨床診断支援システムは、医療情報管理手段１０を備えている。医療情報管理手段１０は、前記固有変動表に対応する固有変動マスタファイル１１、前記臨床マスタファイルに対応する臨床マスタファイル１２、前記検査項目マスタファイルに対応する検査項目マスタファイル１３、前記症候マスタファイルに対応する症候マスタファイル１４、前記病名マスタファイルに対応する病名マスタファイル１５、前記疾患群マスタファイルに対応する疾患群マスタファイル１６、前記鑑別疾患マスタファイルに対応する鑑別疾患マスタファイル１７を備えている。固有変動マスタファイル１１及び／または臨床マスタファイル１２は本発明の固有変動格納手段を構成し、検査項目マスタファイル１３は本発明の検査項目格納手段を構成し、症候マスタファイル１４は本発明の症候格納手段を構成し、病名マスタファイル１５は本発明の病名格納手段を構成し、疾患群マスタファイル１６はホン発明の疾患群格納手段を構成し、鑑別疾患マスタファイル１７は本発明の鑑別疾患格納手段を構成する。臨床診断支援システムは、更に、固有変動マスタファイル１１に各検査項目について疾患ごと及びその発症条件ごとに固有変動を登録・編集・削除するための機能を実現する固有変動登録・編集手段２１を備えている。固有変動マスタファイル１１に対して、特定の検査項目について追加・削除・修正すべき固定固有変動や随伴固有変動がある場合、固有変動登録・編集手段２１により、対応する検査項目の固有変動データを追加登録・削除・修正することができる。また、臨床診断支援システムは、更に、医療情報登録・編集手段２２を備えている。前記検査項目マスタファイル１３、症候マスタファイル１４、病名マスタファイル１５、疾患群マスタファイル１６及び鑑別疾患マスタファイル１７の各々について、追加・削除・修正すべきデータ（検査項目、症候、病名等）がある場合、医療情報登録・編集手段２２により、対応するデータを追加登録・削除・修正することができる。ここで、臨床マスタファイル１２の各データは、固有変動マスタファイル１１の対応するデータを参照して抽出・格納されるが、このとき、検査項目や病名に追加・削除・修正があった場合、検査項目マスタファイル１３や病名マスタファイル１５を参照して、対応する検査項目や病名を自動的に追加・削除・修正するプログラムを追加してもよい。こうすると、各マスタファイル間でのデータの整合性をとることができる。
【０２０５】
更に、臨床診断支援システムは、症候検査用の症候対応候補疾患抽出手段３１、症候検査用の症候概要説明抽出手段３２、症候検査及び一般検査用の検査動向抽出手段３３を備えている。症候対応候補疾患抽出手段３１は、操作画面に表示した図示しない症候指定手段により、ある症候が指定されたときに、疾患群マスタファイル１６を参照し、指定された症候に関連付けた全ての候補疾患を前記疾患群マスタファイル１６（または病名マスタファイル１５）から抽出して取得し、候補疾患ファイル３１ａに格納する。このとき、症候概要説明抽出手段３２が、症候マスタファイル１４（または疾患群マスタファイル１６）を参照し、指定された症候に関連付けた症候概要説明を症候マスタファイル１４（または疾患群マスタファイル１６）から抽出して取得し、疾患概要説明ファイル３２ａに格納する。また、このとき、検査動向抽出手段３３が、臨床マスタファイル１２を参照し、候補疾患の各々が関連付けられた全ての検査項目の検査動向（固定固有変動及び随伴固有変動）を臨床マスタファイル１２から抽出して取得し、検査動向ファイル３３ａに格納する。なお、このとき、検査動向抽出手段３３が、固有変動マスタファイル１１を参照し、候補疾患の各々が関連付けられた全ての検査項目の検査動向（固定固有変動及び随伴固有変動）を固有変動マスタファイル１１から抽出して取得し、検査動向ファイル３３ａに格納するようにすることも可能である。なお、このとき、指定された症候の症候ＩＤ及び候補疾患の病名ＩＤに基づき、抽出した候補疾患と症候概要説明と検査動向との間で照合処理を行ない、エラーチェックを行うこともできる。
【０２０６】
また、臨床診断支援システムは、検査格納手段としての検査保管表４１及び病名格納手段としての病名保管表４２を備えている。操作画面に表示した図示しない保管検査指定手段により、前記検査動向ファイル３３ａに格納した検査項目のうち、保管対象として１以上の検査項目が指定されたときに、検査動向抽出手段３３が指定された検査項目を検査保管表４１に出力して格納する。また、操作画面に表示した図示しない保管病名指定手段により、前記候補疾患ファイル３１ａに格納した候補疾患のうち、保管対象として１以上の病名が指定されたときに、症候対応候補疾患抽出手段３１が指定された病名を病名保管表４２に出力して格納する。
【０２０７】
また、臨床診断支援システムは、医療情報画面加工表示手段５０を備えている。医療情報画面加工表示手段５０は、症候検査用に、候補疾患リスト加工表示手段５１、症候概要説明加工表示手段５２、検査配列表加工表示手段５３を備えている。候補疾患リスト加工表示手段５１は、ある症候が指定されたときに、前記候補疾患ファイル３１ａに格納された候補疾患を全て取得し、リスト表示形式に加工して、その候補疾患リストをモニタ画面６０の所定領域に候補疾患リスト６１として表示する。また、症候概要説明加工表示手段５２は、ある症候が指定されたときに、前記疾患概要説明ファイル３２ａに格納された疾患概要説明を取得し、モニタ画面６０の所定領域に疾患概要説明６２として表示する。検査配列表加工表示手段５３は、ある症候が指定されたときに、前記検査動向ファイル３３ａに格納された検査項目と対応する疾患及び発症条件ごとの固有変動とを取得し、モニタ画面６０の所定領域に症候検査用の検査配列表６３として表示する。
【０２０８】
また、臨床診断支援システムは、前記検査動向抽出手段３３に加え、一般検査用の疾患対応鑑別疾患抽出手段３４、一般検査用の疾患概要説明抽出手段３５を備えている。疾患対応鑑別疾患抽出手段３４は、操作画面に表示した図示しない疾患指定手段により、ある疾患が指定されたときに、鑑別疾患マスタファイル１７を参照し、指定された疾患に関連付けた全ての鑑別疾患を前記鑑別疾患マスタファイル１７から抽出して取得し、鑑別疾患ファイル３４ａに格納する。このとき、疾患概要説明抽出手段３２が、病名マスタファイル１５を参照し、指定された疾患に関連付けた疾患概要説明を病名マスタファイル１５から抽出して取得し、疾患概要説明ファイル３５ａに格納する。また、このとき、検査動向抽出手段３３が、臨床マスタファイル１２を参照し、指定した疾患及び抽出した鑑別疾患の各々（鑑別疾患群の各疾患）が関連付けられた全ての検査項目の検査動向（固定固有変動及び随伴固有変動）を臨床マスタファイル１２から抽出して取得し、検査動向ファイル３３ａに格納する。なお、上記症候検査の場合と同様、固有変動マスタファイル１１を参照してデータを取得し、検査動向ファイル３３ａに格納するようにすることも可能である。なお、このとき、指定された疾患の病名ＩＤ及び鑑別疾患の病名ＩＤに基づき、指定疾患及び抽出した鑑別疾患と疾患概要説明と検査動向との間で照合処理を行ない、エラーチェックを行うこともできる。また、このとき、上記症候検査の場合と同様、指定された検査項目を検査保管表４１に出力して格納したり指定された病名を病名保管表４２に出力して格納することもできる。
【０２０９】
また、医療情報画面加工表示手段５０は、一般検査用に、前記検査配列表加工表示手段５３に加え、鑑別疾患リスト加工表示手段５４及び疾患概要説明加工表示手段５５を備えている。鑑別疾患リスト加工表示手段５４は、ある疾患が指定されたときに、前記鑑別疾患ファイル３４ａに格納された鑑別疾患を全て取得し、指定疾患と対比する形式でリスト表示形式に加工して、その鑑別疾患リストをモニタ画面６０の所定領域に鑑別疾患リスト６４として表示する。また、疾患概要説明加工表示手段５５は、ある疾患が指定されたときに、前記疾患概要説明ファイル３２ａに格納された疾患概要説明を取得し、モニタ画面６０の所定領域に疾患概要説明６５として表示する。検査配列表加工表示手段５３は、ある疾患が指定されたときに、前記検査動向ファイル３３ａに格納された検査項目と対応する疾患（指定疾患及び鑑別疾患）及び発症条件ごとの固有変動とを取得し、モニタ画面６０の所定領域に一般検査用の検査配列表６３として表示する。
【０２１０】
［症候検査］
症候検査の場合、上記のように、固有変動マスタファイル１１または臨床マスタファイル１２から、指定された症候に関連付けた全ての候補疾患ごとに、関連付けた各検査項目の固定固有変動及び随伴固有変動を全て抽出するが、このとき、当該一群の候補疾患群のについての固有変動表が（上記したとおり図７に示すような立方体のデータ構造で）作成され、検査動向ファイル３３ａに格納されることになる。そして、この検査動向ファイル３３ａに基づき作成した検査配列表６３は、検査動向抽出手段３３が臨床マスタファイル１２から固有変動データを取得する場合は、図５に示すようなものとなる。
【０２１１】
［一般検査］
一般検査の場合、上記のように、固有変動マスタファイル１１または臨床マスタファイル１２から、指定された疾患及び同疾患に関連付けた全ての鑑別疾患ごとに、関連付けた各検査項目の固定固有変動及び随伴固有変動を全て抽出するが、このとき、当該一群の鑑別疾患群についての固有変動表が作成され、検査動向ファイル３３ａに格納されることになる。そして、この検査動向ファイル３３ａに基づき作成した検査配列表６３は、検査動向抽出手段３３が臨床マスタファイル１２から固有変動データを取得する場合は、図６に示すようなものとなる。ここで、この検査配列表６３に表示されるデータ項目「種類」（「肯定用」、「否定用」、「全身用」）は、固有変動マスタファイル１１及び臨床マスタファイル１２に追加のデータ項目として各検査項目に関連付けて格納することにより、検査配列表６３に各検査に対応付けて表示することができる。なお、「肯定用」とは、当該検査項目の固有変動が確認できれば当該固有変動に対応する疾患や発症条件の存在が肯定できるものをいい、「否定用」とは、当該検査項目の固有変動が確認できれば当該固有変動に対応する疾患の存在が否定できるものをいう。また、「全身用」とは、前記肯定用検査項目及び否定用検査項目以外の検査項目であり、患者の全身状態を観察（チェック）するための検査項目である。また、該当する全ての疾患の動向を表示する建前から、「本症に特異的事項なし」や「その他の鑑別疾患に特異的事項なし」等の内容が原則的に全ての項目に記載されている。なお、「特異的事項なし」とは、検査結果がほぼ変動しないことをいう。
【０２１２】
上記のように、検査配列表６３によれば、一般検査の場合には、指定疾患とその鑑別疾患群についての固有変動を、指定疾患を中心として、検査項目及び同じタイプ（発症条件等）の固有変動ごとにまとめて体系的に一覧表示する。特に、一般検査の場合、指定疾患と鑑別疾患とが、検査項目ごとに、互いの固有変動（固定固有変動及び随伴固有変動）を対比する表示態様で、検査配列表６３に表示される。
【０２１３】
［検索手段］
本臨床診断支援システムは、更に、図示しない検索手段を備えている。上記症候検査及び一般検査のいずれでも、検索手段によって所望の疾患名を指定することにより、検査配列表６３内の所望の疾患及びその固有変動を検索して抽出・表示することができる。これにより、複数項目比較検討を行う際に、検索手段により検査配列表６３中の特定の疾患名を指定して検索することで、関連する全ての疾患名や検査項目の内容（固有変動等）を短時間で確認したり、指定した疾患に関連する複数の固有変動を一覧表示等によりまとめて確認することができ、特定の疾患を診断するための検査配列表６３を利用した複数項目比較検討を簡単に行うことができる。
【０２１４】
［検査配列表と症候・疾患概要説明］
また、検査配列表６３は、検査項目ごとに発症条件別の結合疾患名や其の固有変動を表示して、複数項目比較検討等による確定診断に必要な情報を表示するが、ユーザーが確認したい疾患情報について、ユーザーに対してより詳細で理解容易な情報を提供すべく、固有併発症、固有の罹患臓器の種類、発症時点から末期までの経緯等の情報を、疾患や症候ごとに検査配列表６３の近傍（上方位置等）に疾患概要説明６５または症候概要説明６２として表示する。これにより、ユーザーが、確認したい疾患について、検査配列表６３による検査項目の種類や検査動向（疾患の固有変動）と共に、同疾患概要説明６５または症候概要説明６２による追加情報を合わせて確認することができ、当該疾患についての医療情報の全容を容易に想定することができる。
【実施例】
【０２１５】
次に、上記構成を備える臨床診断支援システムをより具体的に構成して実施する場合の一実施例について説明する。
１．ユーザーインターフェース（ＧＵＩ）を参照した処理の説明
図１０乃至図１３は、本発明の一実施例に係る臨床診断支援システムのユーザインタフェースを使用して、各種検査及び各種検索を行った場合の画面構成を示す。図１０〜図１３に示すように、本実施例の臨床診断支援システムとしての医療情報データベース装置（以下、単に「医療情報ＤＢ」と表記することがある。）は、ユーザーが、グラフィカルユーザインタフェース（ＧＵＩ）を使用して、必要な項目を段階的に選択するだけで、コンピュータに所望の医療情報の提供処理を実行させるようになっている。ここで、本医療情報ＤＢは、図示はしないが、通常のコンピュータ用アプリケーションシステムやデータベースシステムと同様、パーソナルコンピュータ等のコンピュータ装置のハードウエア（ＣＰＵ，ＲＯＭ，ＲＡＭ，ＨＤＤ等）を各種機能実現手段（ウインドウ内のイベント駆動ボタン等に対応するロジック事項手段等）として各種機能を実現させ、後述する各種処理（処理）をコンピュータに実行させる。即ち、医療情報ＤＢは、通常は、後述する処理用のソフトウエアプログラム（アプリケーションプログラム）を実装したデータベースシステムとして、コンピュータ装置のハードディスク（ＨＤＤ）等の外部記憶装置に格納され、使用時に外部記憶装置から呼出すことにより、ＣＰＵ，ＲＡＭ等のハードウエアを利用して各種機能実現手段により対応する各種機能を実現する。無論、本医療情報ＤＢの機能の一部を、ソフトウエアプログラムとしてではなくハードウエアロジックにより実現することも可能である。
【０２１６】
１）統括表
詳細には、本医療情報ＤＢを起動した操作画面では、まず、図１０に示す各種ウインドウのうち、統括表ウインドウ１１０のみが最初に画面表示される。統括表ウインドウ１１０は、一般検査ボタン１１１、症候検査ボタン１１２、上下３段に配置されたプルダウンメニューからなる第１乃至第３の異常値選択ボックス１１３〜１１５、単疾患ボタン１１６、関連疾患ボタン１１７、限定疾患ボタン１１８、プルダウンメニューからなる症候選択ボックス１１９、プルダウンメニューからなる異常値選択ボックス１２０、実施ボタン１２１、見逃ボタン１２２、用語入力ボックス１２３、実施ボタン１２４、病名入力ボックス１２５、検索ボタン１２６、消去ボタン１２７及び中止ボタン１２８を上から順に配置している。統括表ウインドウ１１０は、以下に述べるように、病名分類や症候分類からの病名や検査項目の検査、異常値（＝異常検査値）や症侯からの病名や検査項目の検索等、種々の検査や検索に使用され、常時画面表示されている。
【０２１７】
２）一般検査処理時ウインドウ（画面構成）
図１０は本実施例の医療情報ＤＢによる一般検査処理時の画面構成を示す。なお、以降で述べる各処理の詳細については、フローチャート及びデータ構造と共に後述する。まず、図１０に示すように、統括表ウインドウ１１０の一般検査ボタン１１１をクリック等して選択実行することにより、一般検査処理（上記鑑別検査の処理）が実行される。なお、図１０は、一般検査ボタン１１１をクリックした状態を示す。一般検査処理では、まず、病名分類情報提供処理が実行され、病名分類ウインドウ１３０が画面表示される。病名分類ウインドウ１３０は、病名分類の全てを（固有変動表、臨床マスタファイル等の対応マスタファイルから）データ抽出して病名分類表１３１内に列挙してリスト表示するものである。病名分類とは、病名の大まかな分類をいい、例えば、呼吸器、循環器、血液疾患等の分類がある。次に、病名分類ウインドウ１３０の病名分類表１３１内の各行はクリック等により選択実行自在となっており、選択実行自在であることを示すために特定の異色（例えば黄色）で塗りつぶし表示されている（図中では斜線表示）。そして、病名分類ウインドウ１３０の病名分類表１３１内のいずれかの行（いずれかの病名分類）をクリック等して選択実行することにより、病名目次情報提供処理が実行され、病名目次ウインドウ１４０が画面表示される。なお、図１０では、病名分類表１３１の特定の病名分類である「全身」をクリックした状態を示す。病名目次ウインドウ１４０は、病名分類表１３１で選択した病名分類に属する全ての病名を（固有変動表、臨床マスタファイル等の対応マスタファイルから）データ抽出して病名目次としての病名一覧表１４１内に列挙してリスト表示するものである。図１０は、病名分類表１３１で「全身」を選択した場合に、病名一覧表１４１に対応する病名（「糖原病」等）がリスト表示された状態を示す。
【０２１８】
次に、病名目次ウインドウ１４０の病名一覧表１４１内の各行はクリック等により選択実行自在となっており、選択実行自在であることを示すために特定の異色（例えば黄色）で塗りつぶし表示されている（図中では斜線表示）。そして、病名目次ウインドウ１４０の病名一覧表１４１内のいずれかの行（いずれかの病名）をクリック等して選択実行することにより、検査項目情報の提供処理（検査目次情報の提供処理及び検査概要情報の提供処理）、疾患概要情報の提供処理及び鑑別疾患情報の提供処理（鑑別病名目次情報の提供処理及び鑑別疾患概要情報の提供処理）が実行される。即ち、図１０に示すように、病名目次ウインドウ１４０の病名一覧表１４１内のいずれかの病名を選択実行することにより、検査配列表ウインドウ１５０、疾患概要ウインドウ１６０及び鑑別疾患目次ウインドウ１７０が同時に画面表示される。検査配列表ウインドウ１５０は、検査項目欄１５１、検査動向表示欄１５２及びチェック欄１５３を表形式で表示するものである。検査項目欄１５１は、病名一覧表１４１で選択した病名に対応する（当該病名の疾患について使用される全ての）検査項目を（固有変動表、臨床マスタファイル等の対応マスタファイルから）データ抽出して列挙してリスト表示する。また、検査動向表示欄１５２は、左欄の検査項目欄１５１の検査項目に対応して、その検査動向の説明文をそれぞれ（固有変動表、臨床マスタファイル等の対応マスタファイルから）データ抽出して列挙してリスト表示する。即ち、検査配列表ウインドウ１５０は、１疾患ごとに有意義な検査の種類とその検査動向を、検査項目ごとの表にしたものである。そして、検査配列表ウインドウ１５０は、基本的に、疾患を鑑別疾患（≒相似疾患）と対比しながら記載しており、後述する対応データ構造とともに、本医療情報ＤＢにおける基幹的構成要素である。なお、図１０では、病名一覧表１４１の特定の病名である「糖原病」をクリックした状態を示す。チェック欄１５４には、それぞれ、チェックボックスが配置され、チェックボックスにチェックを入れたり外したりすることにより、右欄の検査項目欄１５１の対応する検査項目について後述する保存処理の対象とするか否かを選択できるようになっている。なお、初期設定（デフォルト）では、検査項目欄１５１には、病名ウインドウ１４０から選択した病名ごとに、固有の複数の検査項目がリスト表示され、当該検査項目のうち後述する初動検査項目（前述の定型検査に相当）となる検査項目について、チェック欄１５３のチェックボックスに予めチェックが入れられている。また、ユーザーは、チェック欄１５３のチェックボックスのチェックを、初動検査項目のチェックを含めて自由に入れたり外したりすることができるようになっている。図１０は、病名一覧表１４１で「糖原病」を選択した場合に、検査項目欄１５１に、当該「糖原病」の検査で使用可能な全ての検査項目（「＊ＣＢＣ」等）をリスト表示し、検査動向表示欄１５２には、それらの検査動向の説明文をそれぞれ表示した状態を示す。このとき、初動検査項目（＊ＣＢＣ」等）に対応するチェック欄１５３のチェックボックスは予めチェックされている。
【０２１９】
ここで、検査配列表ウインドウ１５０の検査項目欄１５１には、前記検査項目のほか、当該検査項目の先頭（左側）に、検査種別を示す３種類の種別記号のいずれかが付加して表示される。即ち、本医療情報ＤＢは、検査項目を、肯定用検査項目、否定用検査項目及び精査用検査項目（前述の全身用検査に相当）の３種類の検査項目に分類して格納している。肯定用検査項目は、当該検査項目が陽性となったときに、対応する疾患（病名目次ウインドウ１４０で選択した病名の疾患）の存在が肯定される検査項目である。一方、否定用検査項目は、当該検査項目が陽性となったときに、当該検査項目により肯定される疾患の存在が推定され、その結果、検査前の候補疾患（病名目次ウインドウ１４０で選択した病名の疾患）の存在が否定される検査項目である。なお、精査用検査項目は、前記肯定用検査項目及び否定用検査項目以外の検査項目であり、患者の全身状態を観察（チェック）するための検査項目である。この精査用検査は、全ての検査項目の中でも非常に重要な検査項目を含んでいる。即ち、精査用検査項目には、候補疾患を主に各鑑別疾患と区別するために汎用されて、高額かつ検査価値の高い検査が多く含まれている。例えば、前記特異的検査としての特異的血液検査以外に、画像検査、生理学的検査、病理学的検査、細菌検査、内視鏡検査、アイソトープ検査等が精査用検査に相当する。また、同一疾患でも、亜型や状況によって検査値が種々に変動するため、病状に応じての必要検査も精査用検査に含まれている。そして、本医療情報ＤＢは、検査項目の種別記号として、図１０に示すように、肯定用検査項目には「＊（花丸印状の記号）」を、否定用検査項目には「−（太字のマイナス記号）」を付加すると共に、精査用検査項目には空白（スペース）記号を付加している（即ち、表示上は何も付加しない）。なお、検査配列表ウインドウ１５０の検査項目欄１５１等の上端には、当該マークの説明文（・・・「＊」は肯定用、「−」は否定用、「  」は本疾患による精査用・・・）を表示する表示欄が配置されている。
【０２２０】
検査配列表ウインドウ１５０の下端部には、チェック解除ボタン１５４及び保存ボタン１５５が配置されている。チェック解除ボタン１５４をクリック等して選択実行することにより、チェック欄１５３内のチェックボックスのチェックが全て解除される（外される）ようになっている。また、チェック欄１５３の各チェックボックスのマウス等により選択して個別にチェックを入れたり外したりすることもできるようになっている。
【０２２１】
疾患概要ウインドウ１６０は、前記疾患概要情報の提供処理が実行されたときに、病名目次ウインドウ１４０の近傍の側方（右側等）に画面表示され、病名表示欄１６１及び疾患概要表示欄１６２を上下に配置して表示するものである。このとき、病名表示欄１６１は、選択された病名を（固有変動表、臨床マスタファイル、病名マスタファイル（図示略）等の対応マスタファイルから）データ抽出して表示する。また、疾患概要表示欄１６２は、病名表示欄１６１に表示した病名の疾患概要を（病名マスタファイル（図示略）等、疾患にその疾患固有の医学書記載事項（疾患概要）を関連付けて格納した対応マスタファイルから）データ抽出して表示するようになっている。疾患概要は、疾患の病状を説明したもので、一般の医学書に記載される疾患概要に相当する。図１０は、病名一覧表１４１で「糖原病」を選択した場合に、病名表示欄１６１に同病名が、疾患概要表示欄１６２にその疾患概要の説明文が表示された状態を示す。更に、疾患概要ウインドウ１６０の上端部には、病名メモボタン１６３が配置されている。鑑別疾患目次ウインドウ１７０は、前記病名目次ウインドウ１５０の病名一覧表１５１で任意の病名を選択したときに、前記鑑別疾患情報の提供処理が実行されて、病名目次ウインドウ１４０の近傍下方に画面表示されるものである。このとき、鑑別疾患目次ウインドウ１７０は、病名一覧表１４１で選択した病名に関連する（同一鑑別疾患群に属する）全ての鑑別病名を（鑑別マスタファイル等の対応マスタファイルから）データ抽出して鑑別病名一覧表１７１内に列挙してリスト表示する。即ち、鑑別疾患目次ウインドウ１７０は、病名目次ウインドウ１４０で１疾患を選択するたびに、似て間違いやすい疾患を一覧表として表示する。図１０は、病名一覧表１４１で「糖原病」を選択した場合に、鑑別病名一覧表１７１内に当該疾患の鑑別疾患（「インスリン産生腫瘍」等）が表示された状態を示す。
【０２２２】
次に、検査配列表ウインドウ１５０の検査項目欄１５１内の各行はクリック等により選択実行自在となっており、選択実行自在であることを示すために特定の異色（例えば黄色）で塗りつぶし表示されている（図中では斜線表示）。そして、図１０に示すように、検査配列表ウインドウ１５０の検査項目欄１５１のいずれかの行（いずれかの検査項目）をクリック等して選択実行することにより、前記検査概要情報の提供処理が実行されて、検査配列表ウインドウ１５０の近傍（例えば右側）に検査概要ウインドウ１８０が画面表示される。検査概要ウインドウ１８０は、検査項目表示欄１８１及び検査概要表示欄１８２を上下に配置して表示するものである。このとき、検査項目表示欄１８１は、（検査マスタファイル（図示略）等、検査項目にその検査項目固有の医学書記載事項（検査概要）を関連付けて格納した対応マスタファイルから、）検査項目欄１５１で選択された検査項目名をデータ抽出して表示すると共に、検査概要表示欄１８２は、当該検査項目表示欄１８１の検査項目名の検査内容の概要（説明文）をデータ抽出して表示するようになっている。即ち、検査概要ウインドウ１８０は、検査配列表ウインドウ１５０のいずれかの検査項目（検査名）をクリック等すると、その検査の目的や対象疾患、検査値の動向等を説明文として表示するものであり、主に、血液検査が対象となる。図１０は、検査項目欄１５１で「Ｃａ」をクリックした状態を示し、検査項目表示欄１８１内に当該検査項目名が、検査概要表示欄１８２にその検査概要の説明文が表示されている。
【０２２３】
また、鑑別疾患目次ウインドウ１７０の鑑別病名一覧表１７１内の各行はクリック等により選択実行自在となっており、選択実行自在であることを示すために特定の異色（例えば黄色）で塗りつぶし表示されている（図中では斜線表示）。そして、図１０に示すように、鑑別疾患目次ウインドウ１７０の鑑別病名一覧表１７１内のいずれかの行（いずれかの鑑別病名）をクリック等して選択実行することにより、鑑別疾患概要ウインドウ１９０が画面表示される。鑑別疾患概要ウインドウ１９０は、前記鑑別疾患概要情報提供処理が実行されたときに、鑑別病名表示欄１９１及び鑑別疾患概要表示欄１９２を上下に配置して表示するものである。このとき、鑑別病名表示欄１９１は、（病名マスタファイル（図示略）等、疾患にその疾患固有の医学書記載事項（疾患概要）を関連付けて格納した対応マスタファイルから、）当該選択に係る鑑別病名（即ち、マスタファイル中の病名）をデータ抽出して表示すると共に、鑑別疾患概要表示欄１９２は、当該鑑別病名表示欄１９１の鑑別病名の鑑別疾患概要（即ち、マスタファイル中の対応する疾患概要）をデータ抽出して表示するようになっている。図１０は、鑑別病名一覧表１９１で「インスリン産生腫瘍」を選択した場合に、鑑別病名表示欄１９１に同病名が、鑑別疾患概要表示欄１９２にその疾患概要の説明文が表示された状態を示す。更に、鑑別疾患概要ウインドウ１９０の上端部には、病名メモボタン１９３が配置されている。このように、鑑別疾患概要ウインドウ１９０は疾患概要ウインドウ１６０と同様の構成である。
【０２２４】
次に、上記のように、前記検査配列表ウインドウ１５０のチェック欄１５３のいずれか１以上のチェックボックスにチェックを入れた図１０の状態で、前記保存ボタン１５５をクリック等して選択実行することにより、検査項目の一時保管処理（検査項目保管処理）が実行され、チェックした検査項目が一時的に対応メモリにデータ保存されると共に、検査保管表ウインドウ２００が画面表示される。このとき、検査保管表ウインドウ２００は、保存された全ての検査項目を対応メモリからデータ抽出し、保管検査項目一覧表２０１に列挙してリスト表示する。また、検査保管表ウインドウ２００は、下端部に消去ボタン２０２を配置している。消去ボタン２０２をクリック等して選択実行することにより、保存検査項目が全てデータ消去されると共に、検査保管表ウインドウ２００が閉じられる。図１０は、「糖原病」についての検査項目のうち、チェック欄５３にチェックが付いている検査項目（通常は初動検査項目）を一時保管し、保管検査項目一覧表２０１に一覧表示した状態を示す。
【０２２５】
一方、図１０に示すように、前記疾患概要ウインドウ１６０の病名メモボタン１６３をクリック等して選択実行することにより、病名の一時保管処理（病名保管処理）が実行され、当該病名が対応メモリにデータ保存されると共に、病名保管表ウインドウ２１０が画面表示される。このとき、病名保管表ウインドウ２１０は、保存された全ての病名を対応メモリからデータ抽出し、保管病名一覧表２１１に列挙してリスト表示する。また、病名保管表ウインドウ２１０は、下端部に消去ウインドウ２１２を配置している。消去ウインドウ２１２をクリック等して選択実行することにより、保存病名が全てデータ消去されると共に、病名保管表ウインドウ２１０が閉じられる。図１０は、疾患概要ウインドウ１６０の「糖原病」及び鑑別疾患概要ウインドウ１９０の「インスリン産生腫瘍」を一時保管し、保管病名一覧表２１１に一覧表示した状態を示す。更に、病名保管表ウインドウ２１０の保管病名一覧表２１１内の各行はクリック等により選択実行自在となっており、選択実行自在であることを示すために特定の異色（例えば黄色）で塗りつぶし表示されている（図中では斜線表示）。そして、病名保管表ウインドウ２１０の保管病名一覧表２１１内のいずれかの行（いずれかの病名）をクリック等して選択実行することにより、前記病名分類ウインドウ１３０、病名目次ウインドウ１４０、検査配列表ウインドウ１５０、疾患概要ウインドウ１６０、鑑別疾患目次ウインドウ１７０、検査概要ウインドウ１８０及び鑑別疾患概要ウインドウ１９０が全て閉じられてそれらの内容がデータ消去され、保管病名一覧表２１１内で選択された病名に対応して、新たに、前記検査項目情報の提供処理、疾患概要情報の提供処理及び鑑別疾患情報の提供処理が実行され、新たに選択した病名に対応した検査配列表ウインドウ１５０、疾患概要ウインドウ１６０及び鑑別疾患目次ウインドウ１７０が同時に画面表示される。
【０２２６】
なお、図１０は、上記各ウインドウを全て画面に表示しているが、上記のとおり、初期画面では統括表１１０のみが表示され、その他のウインドウは上記操作（処理）に応じてその都度表示される。
【０２２７】
一方、図１０の状態から、病名分類表１３０の別の病名分類をクリック等して選択実行すると、それまで表示されていた病名目次ウインドウ１４０以降の全てのウインドウが閉じられる。例えば、図１０の場合、病名分類「全身」について表示された病名目次ウインドウ１４０、検査配列表ウインドウ１５０、疾患概要ウインドウ１６０、鑑別疾患目次ウインドウ１７０、検査概要ウインドウ１８０及び鑑別疾患概要ウインドウ１９０が全て閉じられる。なお、検査保管表ウインドウ２００及び病名保管表ウインドウ２１０は閉じられず、表示継続される。そして、新たに選択した病名分類について、上記と同様の処理により、新たな病名目次ウインドウ１４０が画面表示される。病名分類として新たに「内分泌」をクリックした場合、病名目次ウインドウ１４０には、病名分類「内分泌」に属する全ての病名が一覧表示される。また、病名目次ウインドウ１４０の任意の病名をクリック等して選択実行すると、上記と同様の処理により、選択した病名について、検査配列表ウインドウ１５０、疾患概要ウインドウ１６０及び鑑別疾患目次ウインドウ１７０が同時に画面表示される。例えば、病名目次ウインドウ１４０で病名「成長ホルモン分泌不全症」をクリックした場合、各ウインドウ１５０，１６０，１７０にはその病名に固有の内容が表示される。次に、疾患概要ウインドウ１６０の病名メモボタン１６３を押すと、病名保管表ウインドウ２１０に、新たに、その病名が追加される。
【０２２８】
次に、病名保管表ウインドウ２１０の任意の病名をクリック等して選択実行すると、上記病名目次ウインドウ１４０の病名をクリックしたときと同様の処理により、検査配列表ウインドウ１５０、疾患概要ウインドウ１６０及び鑑別疾患目次ウインドウ１７０が同時に画面表示される。例えば、病名保管表ウインドウ２１０で病名「インスリン産生腫瘍」をクリックした場合、各ウインドウ１５０，１６０，１７０にはその病名に固有の内容が表示される。更に、検査配列表１５０の保存ボタン１５５を押すと、検査保管表ウインドウ２００には、その状態で検査配列表１５０に表示された全検査項目が追加される。更に、検査保管表ウインドウ２００の消去ボタン２０２を押すと、それまでの検査保管表ウインドウ２００の保管内容（保管検査項目）が全て消去され、検査保管表ウインドウ２００も閉じられる。同様に、病名保管表ウインドウ２１０の消去ボタン２１２を押すと、それまでの病名保管表ウインドウ２１０の保管内容（保管病名）が全て消去され、病名保管表ウインドウ２１０も閉じられる。
【０２２９】
３）症候検査処理時ウインドウ（画面構成）
図１１は本実施例の医療情報ＤＢによる症候検査処理時の画面構成を示す。図１１に示すように、統括表ウインドウ１１０の症候検査ボタン１１２をクリック等して選択実行することにより、症候検査処理が実行される。この症候検査処理は、画面に統括表ウインドウ１１０のみが表示される初期状態、前記一般検査処理の各種ウインドウが表示された状態等、任意のタイミングで実行可能である。例えば、図１１に示すように、統括表ウインドウ１１０の症候検査ボタン１１２を選択実行すると、症候検査処理において、まず、症候分類情報提供処理が実行され、統括表ウインドウ１１０を除いて、それまでに表示されていた全てのウインドウ（病名目次ウインドウ１４０、検査保管表ウインドウ１５０等）が閉じられ、図１１に示すように、新たに症候分類ウインドウ２３０が画面表示される。なお、検査保管表ウインドウ２００または病名保管表ウインドウ２１０が表示されている場合は、当該検査保管表ウインドウ２００及び病名保管表ウインドウ２１０は、閉じられることなく表示継続される。症候分類ウインドウ２３０は、症候分類の全てを（症候マスタファイル等の対応マスタファイルから）データ抽出して症候分類表２３１内に列挙して階層的にリスト表示するものである。症候分類は、症候の大まかな分類であり、例えば、意識障害、肝機能異常、貧血等である。また、症候分類ウインドウ２３０は、症候分類として、通常の症候以外に、異常値（特定の検査項目の異常値であって、検査値が上下（上昇または下降）した場合に陽性となるもの）も、対応マスタファイルから抽出して、症候の一つとして列挙して症候分類表２３１にリスト表示する。即ち、本医療情報ＤＢは、異常値も重要な症侯の一つとして、症侯と同様に検査できるようしている。
【０２３０】
次に、症候分類ウインドウ２３０の症候分類表２３１内の各行はクリック等により選択実行自在となっており、選択実行自在であることを示すために特定の異色（例えば黄色）で塗りつぶし表示されている（図中では斜線表示）。そして、図１１に示すように、症候分類ウインドウ２３０の症候分類表２３１内のいずれかの行（いずれかの分類項目）をクリック等して選択実行することにより、症候目次ウインドウ２４０が画面表示される。症候目次ウインドウ２４０は、症候分類一覧表２３１で選択した症候分類の症候が該当する全ての疾患（病名）を（症候群マスタファイル等の対応マスタファイルから）データ抽出して症候病名一覧表２４１内に列挙してリスト表示するものである。ここで、症候病名一覧表２４１は、選択された症候が該当する全ての病名を病名目次としてリスト表示すると共に、それらの病名群の上側（最上行）に当該病名群が属する症候を「［基］症候」として表示する。同様に、症候病名一覧表２４１は、異常値（異常に係る検査項目）についても、選択された異常値が該当する全ての病名を病名目次としてリスト表示すると共に、それらの病名群の上側（最上行）に当該病名群が属する異常値を「［基］異常値」として表示する。即ち、病名一覧表２４１では、１症侯または１異常値を来す病名が一覧表となっており、１症候について平均で数十疾患程度がリスト表示され、１異常値についてはこれよりも多い疾患数がリスト表示される場合も多い。なお、図１１は、症候分類表２３１で「眩暈」を選択した場合に、症候病名一覧表２４１に、選択された症候（［基］症候としての「［基］眩暈」）と当該症候に属する病名群、及び、選択された症候（「眩暈」）の下位の症候（［基］症候としての「［基］低血糖」、「［基］貧血」等）と当該症候に属する病名群とがリスト表示された状態を示す。
【０２３１】
次に、症候目次ウインドウ２４０の症候病名一覧表２４１内の各行はクリック等により選択実行自在となっており、選択実行自在であることを示すために特定の異色（例えば黄色）で塗りつぶし表示されている（図中では斜線表示）。そして、症候目次ウインドウ２４０の症候病名一覧表２４１内のいずれかの行（［基］症候または病名）をクリック等して選択実行することにより、前記病名目次ウインドウ１４０の場合と同様の検査項目情報の提供処理、症候・疾患概要情報の提供処理及び（病名目次ウインドウ１４０の場合と若干異なる）鑑別疾患情報の提供処理が実行され、図１１に示すように、前記検査配列表ウインドウ１５０、疾患概要ウインドウ１６０及び鑑別疾患目次ウインドウ１７０が同時に画面表示される。ここで、症候・疾患概要情報の提供処理は、上記一般検査処理の疾患概要情報の提供処理に対応する処理であり（詳細は後述）、疾患概要ウインドウ１６０を症候目次ウインドウ２４０の近傍の側方（右側等）に画面表示するものである。このとき、症候目次ウインドウ２４０の症候病名一覧表２４１において先頭に［基］の付いた項目である症候または異常値（最上位位置）をクリック等すると、疾患概要ウインドウ１６０の疾患概要表示欄１６２には、当該症候または異常値に関する全疾患（当該症候または異常値の下位に列挙した病名の疾患）の概要や検査注意事項が、（病名マスタファイル、症候マスタファイル等、症候にその症候やその症候に属する疾患群固有の医学書記載事項（疾患概要）を関連付けて格納した対応マスタファイルからデータ抽出して）表示される。また、このとき同時に、疾患概要ウインドウ１６０の下方には、検査配列表ウインドウ１５０が表示されるが、この検査配列表ウインドウ１５０の検査項目欄１５１等には、当該全疾患を考慮した検査項目等が、（臨床マスタファイル等の対応マスタファイルから抽出して）列挙してリスト表示される。また、症候目次ウインドウ２４０の症候病名一覧表２４１において（症候または異常値の下位に列挙した）いずれかの病名をクリックすると、一般検査処理の疾患概要情報の提供処理と同様にして、当該病名用の検査項目が検査配列表ウインドウ１５０に表示され、当該病名の疾患概要が疾患概要ウインドウ１６０に表示され、当該病名の鑑別疾患が鑑別疾患目次ウインドウ１７０に表示される。
【０２３２】
図１１は、症候病名一覧表２４１で「［基］眩暈」を選択した場合に、検査配列表ウインドウ１５０の検査項目欄１５１に対応する検査項目（「ＣＢＣ」等）がリスト表示され、検査動向表示欄１５２に対応する検査動向の説明文が表示された状態を示す。このとき、初動検査項目（「ＣＢＣ」等）に対応するチェック欄１５３のチェックボックスは予めチェックされている。また、図１１は、症候病名一覧表２４１で「［基］眩暈」を選択した場合に、疾患概要ウインドウ１６０の病名表示欄１６１に同症候名が、疾患概要表示欄１６２にその症候についての疾患概要説明が表示された状態を示す。なお、図１１に示すように、症候病名一覧表２４１で「［基］眩暈」等の症候を選択した場合、当該症候「［基］眩暈」の後に列挙される疾患が鑑別疾患に相当するため、鑑別疾患目次ウインドウ１７０には選択肢が表示されず、「上記疾患群」の表示がなされる。次に、上記一般検査処理の場合と同様、前記検査配列表ウインドウ１５０のチェック欄１５３のいずれか１以上のチェックボックスにチェックを入れた状態で、図１１に示すように、保存ボタン１５５をクリック等して選択実行することにより、検査項目の一時保管処理（検査項目保管処理）が実行され、チェックした検査項目が一時的にデータ保存されると共に、検査保管表ウインドウ２００が画面表示される。なお、この他の処理としては、上記一般検査処理の項で説明したように、検査概要ウインドウ１８０の表示処理、病名保管表ウインドウ２１０の表示処理等を実行自在である。
【０２３３】
一方、図１１の状態で、症候分類表２３０の別の症候分類をクリック等して選択実行すると、それまで表示されていた症候目次ウインドウ２４０以降の全てのウインドウが閉じられる。例えば、病名分類「眩暈」について表示された図１１の症候目次ウインドウ２４０、検査配列表ウインドウ１５０、疾患概要ウインドウ１６０及び鑑別疾患目次ウインドウ１７０が全て閉じられる。なお、このとき、検査保管表ウインドウ２００が表示されている場合は、一般検査処理の場合と同様、検査保管表ウインドウ２００は閉じられず、表示継続される。また、病名保管表ウインドウ２１０が表示されている場合も、病名保管表ウインドウ２１０は表示継続される。そして、新たに選択した症候分類について、上記と同様の処理により、新たな症候目次ウインドウ２４０が画面表示される。
【０２３４】
４）３項目検索処理の単疾患検索処理時ウインドウ（画面構成）
本実施例の医療情報ＤＢによる３項目検索処理について説明する。図１２に示すように、第１〜第３の異常値選択ボックス１１３〜１１５で所定の異常値項目をリスト表示（プルダウン表示）されたものからそれぞれ選択し、単疾患ボタン１１６、関連疾患ボタン１１７または限定疾患ボタン１１８のいずれかをクリック等して選択実行することにより、３項目検索処理の単疾患検索処理、関連疾患検索処理または限定疾患検索処理が実行される。この３項目検索処理は、画面に統括表ウインドウ１１０のみが表示される初期状態、前記一般検査処理、症候検査処理等の各種ウインドウが表示された状態であっても、任意のタイミングで実行可能である。なお、第１〜第３の異常値選択ボックス１１３〜１１５に表示される異常値は、所定の検査項目で正常値（または正常値範囲）を超える異常値（上向き矢印「↑」で示す）、正常値（または正常値範囲）未満の異常値（下向き矢印「↓」で示す）、または陽性（プラスマーク「＋」で示す）等の検査異常が確認された検査項目である。そして、３項目検索処理では、一般検査処理、症候検査処理等の各種ウインドウが表示された状態で単疾患ボタン１１６等を選択実行すると、統括表ウインドウ１１０、検査保管表ウインドウ２００及び病名保管表ウインドウ２１０を除き、それまで表示されていた病名目次ウインドウ１４０等が全て閉じられ、新たな病名目次ウインドウ１４０が画面表示される。この新たに表示された病名目次ウインドウ１４０は、選択した３項目の異常値（単疾患検索では３つの異常値のうちの１つ、関連疾患検索では２つ、限定疾患検索では３つ）が該当したときに存在が推定される全ての病名を（臨床マスタファイル等の対応マスタファイルから）データ抽出して病名一覧表１４１内に列挙してリスト表示するものである。図１２は、統括表ウインドウ１１０の第１〜第３の異常値選択ボックス１１３〜１１５で、それぞれ、「ＥＳＲ↑」、「ＴＰ↑」、「Ｃｒ↑」を選択して限定疾患ボタン１１６を押した場合に、これら３項目の全てが該当する場合に存在が推定される疾患（病名）が全て抽出され、病名目次ウインドウ１４０の病名一覧表１４１に、それらの疾患の病名がリスト表示された状態を示す。
【０２３５】
次に、３項目検索処理による病名目次ウインドウ１４０の表示状態、例えば、単疾患検索処理、関連疾患検索処理または限定疾患検索処理の状態で、病名目次ウインドウ１４０の病名一覧表１４１内のいずれかの行（いずれかの病名）をクリック等して選択実行することにより、上記と同様にして、前記検査項目の情報提供処理、疾患概要情報の提供処理及び鑑別疾患情報の提供処理が実行される。例えば、限定疾患検索処理の状態で、病名目次ウインドウ１４０の任意の病名をクリックすると、当該病名に対応する固有内容の前記検査配列表ウインドウ１５０、疾患概要ウインドウ１６０及び鑑別疾患目次ウインドウ１７０が同時に画面表示される。図１２は、限定疾患検索処理の状態で、病名目次ウインドウ１４０の病名一覧表１４１で「多発性骨髄腫（ＭＭ）」を選択した場合に、検査配列表ウインドウ１５０の検査項目欄１５１に対応する検査項目（「＊ＣＢＣ」等）がリスト表示され、検査動向表示欄１５２に対応する検査動向の説明文が表示され、チェック欄１５３に初動検査項目用のチェックが入れられた状態を示す。同様に、図１２は、病名一覧表１４１で「多発性骨髄腫（ＭＭ）」を選択した場合に、疾患概要ウインドウ１６０の病名表示欄１６１に同病名が、疾患概要表示欄１６２にその疾患概要説明が表示された状態を示す。同様に、図１２は、病名一覧表１４１で「多発性骨髄腫（ＭＭ）」を選択した場合に、鑑別疾患目次ウインドウ１７０の鑑別病名一覧表１７１内に当該疾患の鑑別疾患（「悪性腫瘍性高Ｃａ血症」等）が表示された状態を示す。
【０２３６】
なお、上記の例のように、通常、第１〜第３の異常値選択ボックス１１３〜１１５の３項目の異常値を選択し、各ボタン１１６〜１１８を押して３項目検索処理（単疾患検索処理、関連疾患検索処理、限定疾患検索処理）のそれぞれの処理を実行することが好ましいが、１異常値のみ選択して処理を実行してもよく（この場合、単疾患検索処理が可能）、２異常値のみ選択して処理を実行してもよい（この場合、単疾患検索処理及び関連疾患検索処理が可能）。また、第１〜第３の異常値選択ボックス１１３〜１１５の選択肢（異常値）は、全て同一のものである。
【０２３７】
５）用語検索処理時ウインドウ（画面構成）
図１２に示すように、統括表ウインドウ１１０の用語入力ボックス１２３に任意の用語（医学用語）を入力し、実施ボタン１２４をクリック等して選択実行することにより、用語検索処理が実行される。用語検索処理では、用語検索票ウインドウ２５０が新たに画面表示される。用語検索票ウインドウ２５０は、入力した用語を含む疾患概要とその疾患概要を有する病名との組を対応するマスタファイル（病名マスタファイル等）からデータ抽出し、用語欄２５１にその病名を、用語説明欄２５２にその疾患概要を表示するものである。入力した用語を含む疾患概要とその病名との組（レコード）が複数ある場合、全ての組の疾患概要及び病名がデータ抽出される。即ち、用語検索票ウインドウ２５０は、下端部に改ページ部２５３を配置し、改ページ部２５３の次へボタン、戻るボタン、最終ページボタン、トップページボタンのいずれかをクリックすることにより、次ページや前ページを開いたり、最終ページやトップページにジャンプしたりできるようになっている。このように、用語検索処理は、診断業務中に、内容の分らない医学用語の説明を検索する処理である。また、用語検索処理は、上記各処理の途中にかかわらず、任意のタイミングで実行可能な処理である。また、用語検索処理では、用語入力ボックス１２３に入力した用語を含む全疾患の「疾患概要」が用語検索票ウインドウ２５０に表示されるので、同用語検索ウインドウ２５０に対する用語検索を行うことで、当該用語の記載部分を簡単に検索可能である。例えば、図１２の状態では、候補疾患として「多発性骨髄腫（ＭＭ）」を疾患概要ウインドウ１６０に表示して内容を確認しているが、この場合において、使用者が、当該疾患に関連する用語として、「Ｔ細胞」の内容を確認したい場合、統括表ウインドウ１１０の用語入力ボックスに「Ｔ細胞」と入力して実施ボタン１２４を押す。これにより、「Ｔ細胞」という用語を文章中に含む全ての疾患概要とその病名がデータ抽出され、改ページ部２５３を操作することで用語検索票ウインドウ２５０に順次表示される。
【０２３８】
６）症候検索処理の複合検索処理時ウインドウ（画面構成）
本実施例の医療情報ＤＢによる症候検索処理の複合検索処理について説明する。図１３に示すように、統括表ウインドウ１１０の症候選択ボックス１１９で所定の症候（症候分類２３０と同一項目がリスト表示される）を選択すると共に異常値選択ボックス１２０で異常検査項目（３項目検索の異常値と同一項目がリスト表示される）を選択し、実施ボタン１２１をクリック等して選択実行することにより、症候検索処理のうちの一つである複合検索処理が実行される。この複合検索処理は、画面に統括表ウインドウ１１０のみが表示される初期状態、前記一般検査処理、症候検査処理、３項目検索処理等の各種ウインドウが表示された状態であっても、任意のタイミングで実行可能である。そして、複合検索処理では、一般検査処理、症候検査処理、３項目検索処理等の各種ウインドウが表示された状態で実施ボタン１２１を選択実行すると、統括表ウインドウ１１０、検査保管表ウインドウ２００及び病名保管表ウインドウ２１０を除き、それまで表示されていた病名目次ウインドウ１４０等が全て閉じられる。例えば、図１２の状態から、症候選択ボックス１１９で所定の症候を選択すると共に異常値選択ボックス１２０で異常検査項目を選択して実施ボタン１２１を選択実行すると、図１３に示すように、それまで表示されていた病名目次ウインドウ１４０等が全て閉じられ、新たな病名目次ウインドウ１４０が画面表示される。この新たに表示された病名目次ウインドウ１４０は、選択した症候及び異常値の両者（両条件）が該当したときに存在が推定される全ての病名を（臨床マスタファイル等の対応マスタファイルから）データ抽出して病名一覧表１４１内に列挙してリスト表示するものである。図１３は、統括表ウインドウ１１０の症候選択ボックス１１９及び異常値選択ボックス１２０で、それぞれ、「口渇感」及び「Ｋ↓」を選択して実施ボタン１２１を押した場合に、両条件が該当したときに存在が推定される疾患（病名）が全て抽出され、病名目次ウインドウ１４０の病名一覧表１４１に、それらの疾患の病名（「尿細管アシドーシス（ＲＴＡ）」等）がリスト表示された状態を示す。
【０２３９】
次に、複合検索処理による病名目次ウインドウ１４０の表示状態、例えば、図１３の状態で、病名目次ウインドウ１４０の病名一覧表１４１内のいずれかの行（いずれかの病名）をクリック等して選択実行することにより、前記検査項目情報の提供処理、疾患概要情報の提供処理及び鑑別疾患情報の提供処理が実行される。例えば、図１３に示すように、病名目次ウインドウ１４０の任意の病名をクリックすると、当該病名に対応する固有内容の前記検査配列表ウインドウ１５０、疾患概要ウインドウ１６０及び鑑別疾患目次ウインドウ１７０が同時に画面表示される。図１３は、病名目次ウインドウ１４０の病名一覧表１４１で「Ｂａｒｔｔｅｒ症候群」を選択した場合に、検査配列表ウインドウ１５０の検査項目欄１５１に対応する検査項目（「＊Ｎａ・Ｋ」等）がリスト表示され、検査動向表示欄１５２に対応する検査動向の説明文が表示され、チェック欄１５３に初動検査項目用のチェックが入れられた状態を示す。同様に、図１３は、病名一覧表１４１で「Ｂａｒｔｔｅｒ症候群」を選択した場合に、疾患概要ウインドウ１６０の病名表示欄１６１に同病名が、疾患概要表示欄１６２にその疾患概要説明が表示された状態を示す。同様に、図１３は、病名一覧表１４１で「Ｂａｒｔｔｅｒ症候群」を選択した場合に、鑑別疾患目次ウインドウ１７０の鑑別病名一覧表１７１内に当該疾患の鑑別疾患（「原発性アルドステロン症」等）が表示された状態を示す。
【０２４０】
７）症候検索処理の見逃検査処理時ウインドウ（画面構成）
本実施例の医療情報ＤＢによる症候検索処理の見逃検索処理について説明する。統括表ウインドウ１１０の症候選択ボックス１１９で所定の症候を選択し、見逃ボタン１２２をクリック等して選択実行することにより、症候検索処理のうちの一つである見逃検査処理が実行される。なお、見逃検査処理では、異常値選択ボックス１２０での選択は不要である。この見逃検索処理は、画面に統括表ウインドウ１１０のみが表示される初期状態、前記一般検査処理、症候検査処理、３項目検索処理等の各種ウインドウが表示された状態であっても、任意のタイミングで実行可能である。そして、見逃検索処理では、一般検査処理、症候検査処理、３項目検索処理等の各種ウインドウが表示された状態で実施ボタン１２１を選択実行すると、統括表ウインドウ１１０、検査保管表ウインドウ２００及び病名保管表ウインドウ２１０を除き、それまで表示されていた病名目次ウインドウ１４０等が全て閉じられる。例えば、図１３の状態から、症候選択ボックス１１９で所定の症候を選択して見逃ボタン１２２を選択実行すると、それまで表示されていた病名目次ウインドウ１４０等が全て閉じられ、新たな病名目次ウインドウ１４０が画面表示される。この新たに表示された病名目次ウインドウ１４０は、選択した症候が該当した場合において生化学検査に異常を認めないときに「異常なし」と判断されやすい（見逃されやすい）全ての疾患（病名）を（臨床マスタファイル等の対応マスタファイルから）データ抽出して病名一覧表１４１内に列挙してリスト表示するものである。例えば、統括表ウインドウ１１０の症候選択ボックス１１９で「口渇感」を選択して見逃ボタン１２１を押した場合に、当該症候に該当し、かつ、当該症候に関して汎用される検査（本書類中では「汎用検査」と称するが、詳細は見逃検索処理の項で詳述）で異常値が出ない場合に存在が推測される（見逃す可能性がある）疾患（病名）が全て抽出され、病名目次ウインドウ１４０の病名一覧表１４１に、それらの疾患の病名（「唾液腺腫大疾患」等）がリスト表示される。
【０２４１】
次に、この状態から、病名目次ウインドウ１４０の病名一覧表１４１内のいずれかの行（いずれかの病名）をクリック等して選択実行することにより、前記検査項目情報の提供処理、疾患概要情報の提供処理及び鑑別疾患情報の提供処理が実行され、複合検索処理の場合と同様にして、前記検査配列表ウインドウ１５０、疾患概要ウインドウ１６０及び鑑別疾患目次ウインドウ１７０が同時に画面表示される。例えば、病名目次ウインドウ１４０の病名一覧表１４１で「尿崩症」を選択した場合に、検査配列表ウインドウ１５０の検査項目欄１５１に対応する検査項目（「＊Ｎａ・Ｋ」等）がリスト表示され、検査動向表示欄１５２に対応する検査動向の説明文が表示され、チェック欄１５３に初動検査項目用のチェックが入れられる。同様に、例えば、病名一覧表１４１で「尿崩症」を選択した場合に、疾患概要ウインドウ１６０の病名表示欄１６１に同病名が、疾患概要表示欄１６２にその疾患概要説明が表示される。同様に、例えば、病名一覧表１４１で「尿崩症」を選択した場合に、鑑別疾患目次ウインドウ１７０の鑑別病名一覧表１７１内に当該疾患の鑑別疾患（「尿細管間質性腎炎（ＴＩＮ）」等）が表示される。
【０２４２】
前記一般検査処理、症候検査処理、３項目検索処理の各処理（単疾患検索処理、関連疾患検索処理、限定疾患検索処理）、症候検索処理の各処理（複合検索処理、見逃検索処理）は、いずれも、上記のように、任意のタイミングで実行可能な処理であり、当該処理用のボタンを押すことにより、それ以前の表示ウインドウが閉じられ、当該処理固有のウインドウが新たに表示される。なお、用語検索処理も、上記のように、任意のタイミングで実行可能な処理であるが、この場合、それ以前の表示ウインドウは閉じられることなく、用語検索票ウインドウ２５０が追加表示される。
【０２４３】
次に、上記のように、統括表ウインドウ１１０の第１乃至第３の異常値選択ボックス１１３〜１１５、症候選択ボックス１１９、異常値選択ボックス１２０、用語入力ボックス１２３、病名入力ボックス１２５のいずれか１以上に、対応するデータを選択または入力して表示した場合において（例えば、図１２及び図１３参照）、統括表ウインドウ１１０の消去ボタン１２７をクリック等して選択実行することにより、当該選択内容及び入力内容の全消去処理が実行される。
【０２４４】
ここで、本医療情報ＤＢでは、検査保管表ウインドウ２００の消去ボタン２０２を押す（選択実行する）までは、一般検査処理に引き続いて症候検査処理や３項目検索処理等を実行することにより、以前の検査配列表ウインドウ１５０等を閉じたとしても、検査保管表ウインドウ２００は表示継続され、その保管内容（保存検査項目）は格納保持されて、消去されることはない。一方、前記統括表ウインドウ１１０の中止ボタン１２８を押したり、本医療情報ＤＢを終了したりすることにより、検査保管表ウインドウ２００の保管内容（保存検査項目）は消去される。よって、検査保管表ウインドウ２００の消去ボタン２０２を押すか、統括表ウインドウ１１０の中止ボタン１２８を押すか、或いは、本医療情報ＤＢを終了するまでは、検査配列表ウインドウ１５０の保存ボタン１５５を押すことにより、検査項目を随時自由に追加して累積的に格納することができる。同様に、本医療情報ＤＢでは、病名保管表ウインドウ２１０の消去ボタン２１２を押す（選択実行する）までは、一般検査処理に引き続いて症候検査処理や単疾患検索処理等を実行することにより、以前の疾患概要ウインドウ１６０等を閉じたとしても、病名保管表ウインドウ２１０は表示継続され、その保管内容（保存病名）は格納保持されて、消去されることはない。一方、前記統括表ウインドウ１１０の中止ボタン１２８を押したり、本医療情報ＤＢを終了したりすることにより、病名保管表ウインドウ２１０の保管内容（保存病名）は消去される。よって、検査保管表ウインドウ２００の消去ボタン２０２を押すか、統括表ウインドウ１１０の中止ボタン１２８を押すか、或いは、本医療情報ＤＥＢを終了するまでは、疾患概要ウインドウ１６０の病名メモボタン１６３を押すことにより、病名を随時自由に追加して累積的に格納することができる。
２．本医療情報ＤＢのデータ構造・動作・処理
以下、本実施例の医療情報ＤＢの動作（各処理）について、図１４〜図２１のフローチャート、及び、図２２〜図２５のテーブルを参照しながら説明する。まず、本実施例の医療情報ＤＢのデータ構造（テーブル構造）について説明する。
【０２４５】
１）医療情報ＤＢのデータ構造
本実施例の医療情報ＤＢは、マスタテーブル（マスタファイル）として、前記検査マスタファイルとしての検査マスタテーブル（検査ＭＴ）（図示略）、前記病名マスタファイルとしての病名マスタテーブル（病名ＭＴ）（図示略）、前記症候マスタファイルとしての図２２の症候マスタテーブル（症候ＭＴ）、前記疾患群マスタファイルとしての疾患群マスタテーブル（疾患群ＭＴ）、前記臨床マスタファイルとしての臨床マスタテーブル（臨床ＭＴ）、前記鑑別マスタファイルとしての鑑別マスタテーブル（鑑別ＭＴ）及び図２３の異常値マスタテーブル（異常値ＭＴ）を備えている。
【０２４６】
１−１）検査マスター
検査マスタテーブルは、マスタデータとして、前記検査配列表ウインドウ１５０の検査項目欄５１や検査概要ウインドウ１８０に表示する検査項目関連データ（レコード）を定義して格納する。検査マスタテーブルは、データ項目（カラム）として、「大分類」、「項目名」、「項目ＩＤ」、「検査概要」、「表示順序」等を有し、これらのデータ項目に対応する個々のデータ要素（フィールド）を関連付けて（テーブルの各行に一レコードとして）格納する。このうち、「項目名」は、診断で使用される全ての検査項目名を格納し、「項目ＩＤ」は、検査項目を一意に識別する検査項目ＩＤを検査項目名に関連付けて格納する。また、「検査概要」は、各検査項目の検査時の使用目的、注意事項、動向等を説明するための参考文を、各検査項目ＩＤや各検査項目名に関連付けて格納する。そして、前記検査配列表ウインドウ１５０の検査項目欄１５１の特定の検査項目をクリックしたときに、当該検査項目について関連付けした「検査概要」の参考文が検査マスタテーブルから抽出され、検査概要ウインドウ１８０の検査概要表示欄１８２に表示される。更に、「表示順序」は、検査配列表ウインドウ１５０における検査項目の表示順序を定義する英数字を検査項目名や項目ＩＤに関連付けて格納し、抽出した検査項目が、この順番にしたがって昇順（降順でも可能）に並べられ、検査配列表ウインドウ１５０にリスト表示される。検査マスタテーブルには、存在する全ての検査項目についての情報が格納されている。
【０２４７】
１−２）病名マスター
病名マスタテーブルは、マスタデータとして、前記病名分類ウインドウ１３０の病名分類表１３１に表示する病名分類、病名目次ウインドウ１４０の病名一覧表１４１や疾患概要ウインドウ１６０の病名表示欄１６１に表示する病名、同疾患概要ウインドウ１６０の疾患概要表示欄１６２に表示する疾患概要等の病名関連データ（レコード）を定義して格納する。病名マスタテーブルは、データ項目（カラム）として、「分類ＩＤ」、「分類（分類名）」、「疾患順」、「病名ＩＤ」、「病名」、「疾患概要」等を有し、これらのデータ項目に対応する個々のデータ要素（フィールド）を関連付けて（テーブルの各行に一レコードとして）格納する。そして、統括表ウインドウ１１０の一般検査ボタン１１１をクリックしたときに、この分類ＩＤの順序にしたがって病名分類が昇順（降順でも可能）に並べられ、病名分類ウインドウ１３０の病名分類表１３１に全て表示される。更に、「病名」は、診断で使用される全病名を格納し、これらの病名のいずれか１以上が、病名目次ウインドウ１４０の病名一覧表１４１等に選択的に表示される。「病名ＩＤ」は、病名を一意に識別する英数字であり、病名ＩＤに関連付けて格納される。ここで、「病名」には、病名以外に、前記症候目次ウインドウ２４０に表示される［基］で始まる症候名、例えば、「［基］貧血」等も格納されている。同様に、「病名」には、病名以外に、前記症候目次ウインドウ２４０に表示される［基］で始まる異常値、例えば、「［基］ＷＢＣ↓」等も格納されている。この場合、「病名」に格納する症候名（［基］貧血」等）または異常値（「［基］ＷＢＣ↓」等）には、症候及び異常値用に特に用意した病名ＩＤが関連付けて格納される。即ち、症候及び異常値用の病名ＩＤは、病名用の病名ＩＤと明確に区別した番号（英数字）から開始するよう付番することが好ましい。具体的には、病名の病名ＩＤは、病名数に応じて例えば「１〜３０００」の番台とし、［基］症候及び［基］異常値の病名ＩＤは、「６０００〜」の番台とする。また、「疾患概要」は、病名の概略を説明する概略文（症候の場合は当該症候と当該症候に属する疾患の概要説目文）を病名ＩＤや病名に関連付けて格納する。そして、前記病名目次ウインドウ１４０で特定の病名をクリックしたときに、当該病名について関連付けした概略文が病名マスタテーブルから抽出され、前記疾患概要ウインドウ１６０の疾患概要表示欄１６２に表示される。同様に、前記鑑別疾患目次ウインドウ１７０で特定の鑑別病名をクリックしたときにも、当該鑑別病名（即ち、病名）について関連付けした概略文が病名マスタテーブルから抽出され、前記鑑別疾患概要ウインドウ１９０の鑑別疾患概要表示欄１９２に表示される。「疾患順」は、「病名」から病名を抽出して病名目次ウインドウ１４０に表示する際に、その表示順序を定義する英数字であり、この疾患順にしたがって病名が病名目次ウインドウ１４０に昇順（降順でも可能）に並べてリスト表示される。病名マスタテーブルには、存在する全ての病名についての情報が格納されている。
【０２４８】
１−３）症候マスター
図２２の症候マスタテーブルは、マスタデータとして、前記症候分類ウインドウ２３０の症候分類表２３１等に表示する症候関連データ（レコード）を定義して格納するものである。症候マスタテーブルは、データ項目（カラム）として、「症候ＩＤ」、「症候」、「順」を有し、これらのデータ項目に対応する個々のデータ要素（フィールド）を関連付けて（テーブルの各行に一レコードとして）格納する。このうち、「症候」は、診断で使用する全ての症候についての分類であり、「症候」は、上記のように、症候以外に異常値も症候と同様にして検索処理に活用すべく格納する。この症候及び異常値が、症候分類ウインドウ２３０の症候分類表２３１に表示される。また、「症候ＩＤ」は、症候（症候や異常値）を一意に識別する英数字であり、症候及び異常値に関連付けて格納される。更に、「順」は、前記症候分類ウインドウ２３０における症候及び異常値の表示順序を定義する英数字を症候及び異常値や症候ＩＤに関連付けて格納する。そして、統括表ウインドウ１１０の症候検査ボタン１１２をクリックしたときに、症候マスタテーブルの「順」の表示順序にしたがって「症候」の症候及び異常値が昇順（降順でも可能）に並べられ、前記症候分類ウインドウ２３０の症候分類表１３１に全て表示される。症候マスタテーブルには、使用する全ての症候についての情報が格納され、また、異常値については、代表的な検査項目（主に生化学検査）に係る異常値が格納されている。
【０２４９】
１−４）疾患群マスター
疾患群マスタテーブルは、マスタデータとして、病名マスタテーブルの病名と図２２の症候マスタテーブルの症候または異常値とを互いに関連付けて格納するものであり、病名マスタテーブルの病名関連データと症候マスタテーブルの症候関連データとの関係を定義する。疾患群マスタテーブルは、データ項目（カラム）として、「症候ＩＤ」、「症候」、「内順」、「病名ＩＤ」及び「病名」を有し、これらのデータ項目に対応する個々のデータ要素（フィールド）を関連付けて（テーブルの各行に一レコードとして）格納する。このうち、「症候ＩＤ」及び「症候」は、症候マスタテーブルの「症候ＩＤ」及び「症候」に対応し、疾患群マスタテーブルは、症候マスタテーブルの全ての症候及び異常値を症候ＩＤと共に格納する。また、「病名ＩＤ」及び「病名」は、病名マスタテーブルの「病名ＩＤ」及び「病名」に対応し、疾患群マスタテーブルは、病名マスタテーブルの全ての病名を病名ＩＤと共に格納する。ここで、病名マスタテーブルの項で説明したように、「病名」には、病名以外に、症候及び異常値（前記症候目次ウインドウ２４０に表示される［基］症候や［基］異常値、例えば、［基］「貧血」や［基］Ｆｅ↓等）も格納され、当該症候及び異常値に関連付けて症候及び異常値用の病名ＩＤが格納される。このように、疾患群マスタテーブルは、各症候及び各異常値について、当該症候または異常値が該当したとき、即ち、当該症候や異常値が発生したときに存在が推定される全ての病名関連データ（病名ＩＤ、病名）を、当該症候または異常値に関連付けて格納する。そして、前記症候分類ウインドウ２３０で特定の症候または異常値をクリックしたときに、当該症候または異常値について関連付けて格納した一連の病名（当該症候及び異常値を含む）が、疾患群マスタテーブルの「病名」から抽出され、当該症候（［基］症候）または異常値（［基］異常値）を先頭として、症候目次ウインドウ２４０の症候病名一覧表２４１にリスト表示される。また、「内順」は、同一症候ＩＤを有する症候または異常値の中での病名の表示順序を定義する英数字であり、この内順にしたがって、同一症候または同一異常値について複数の病名（［基］症候・［基］異常値及び病名）が症候目次ウインドウ２４０に昇順（降順でも可能）に並べてリスト表示される。疾患群マスタテーブルには、前記病名マスタテーブルの全病名（［基]疾患・［基］異常値を含む）と前記症候マスタテーブルの全ての症候及び異常値との間で考えうる全ての組合せについての情報が格納されている。
【０２５０】
１−５）臨床マスター
臨床マスタテーブルは、マスタデータとして、検査マスタテーブルの検査項目関連データと病名マスタテーブルの病名関連データとを互いに関連付けて格納するものであり、検査マスタテーブルの検査項目関連データと病名マスタテーブルの病名関連データとの関係を定義する。臨床マスタテーブルは、データ項目（カラム）として、「病名ＩＤ」、「病名」、「級」、「要」、「項目ＩＤ」、「項目名」、「検査動向」、「異常値ＩＤ」を有し、これらのデータ項目に対応する個々のデータ要素（フィールド）を関連付けて（テーブルの各行に一レコードとして）格納する。このうち、「病名ＩＤ」及び「病名」は、病名マスタテーブルの「病名ＩＤ」及び「病名」に対応し、臨床マスタテーブルは、病名マスタテーブルの全病名を病名ＩＤと共に格納する。ここで、病名マスタテーブルの項で説明したように、「病名」には、病名以外に、症候及び異常値も格納され、当該症候または異常値に関連付けて症候用の病名ＩＤが格納される。また、「項目ＩＤ」及び「項目名」は、検査マスタテーブルの「項目ＩＤ」及び「項目名」に対応し、臨床マスタテーブルは、検査マスタテーブルの全検査項目の項目名について、各病名に該当する項目名を全て関連付けて、即ち、各病名の病名ＩＤに該当する項目名の項目ＩＤを全て関連付けて格納する。即ち、臨床マスタテーブルは、各病名について、当該病名に該当する（当該病名の疾患の診断について使用される）全ての項目名や項目ＩＤを、当該病名や病名ＩＤに関連付けて格納する。
【０２５１】
また、「級」は、検査配列表ウインドウ１５０の検査項目欄１５１において検査項目の左側に付加する種別記号に対応する英数字を、検査項目の項目名や項目ＩＤに関連付けて格納している。即ち、前記肯定検査項目の種別記号（花丸印状の記号「＊」）には英数字の「１」を、否定検査項目の種別記号（太字マイナス記号「−」）には英数字の「３」を、精査用検査項目の種別記号（スペース記号「  」）には英数字の「２」を、それぞれ割り当てて格納している。また、「要」は、検査配列表ウインドウ１５０のチェック欄１５３のチェックボックスに基本設定状態でチェックを入れるか否か（即ち、対応する検査項目を初動検査項目として設定するか否か）を定義するフラグとしての英数字からなるチェック有無情報を、検査項目の項目名や項目ＩＤに関連付けて格納している。即ち、チェック欄１５３のチェックボックスにチェックを入れる場合（対応する検査項目のチェックをＯＮする場合）は、英数字の「−１」（ＴＲＵＥ）を、チェック欄１５３のチェックボックスにチェックを入れない場合（対応する検査項目のチェックをＯＦＦとする場合）は、英数字の「０」（ＦＡＬＳＥ）を、それぞれ割り当てて格納している。また、「検査動向」は、検査配列表ウインドウ１５０の検査動向表示欄１５２に表示される検査動向説明文（結合疾患名を使用した固定固有変動または随伴固有変動の説明文）を、病名・病名ＩＤ及び検査項目名・項目ＩＤに関連付けて格納している。そして、病名目次ウインドウ１４０の病名や症候目次ウインドウ２４０の症候または病名がクリックされたときに、当該病名または症候について関連付けて格納した一連の検査項目名が、臨床マスタテーブルの「項目名」から抽出され、前記検査配列表ウインドウ１５０の検査項目欄１５１に表示される。このとき、当該検査項目に関連付けした「級」の定義（「１」、「２」、「３」）に応じて、検査配列表ウインドウ１５０の検査項目欄１５１の検査項目名の先頭に、対応する種別記号（花丸印状の記号、スペース（空白）、マイナス記号）が付加して表示される。また、このとき、当該検査項目に関連付けした検査動向説明文が、臨床マスタテーブルの「検査動向」から抽出され、検査配列表ウインドウ１５０の検査動向表示欄１５２に表示される。更に、このとき、当該検査項目のうち「要」の定義（フラグ）が「０」の検査項目（初動検査項目）については、検査配列表ウインドウ１５０のチェックボックス１５３のチェックボックスにチェックマークが表示される。
【０２５２】
また、臨床マスタテーブルの「異常値ＩＤ」は、後述する異常値マスタテーブルの「異常値ＩＤ」に対応し、臨床マスタテーブルは、異常値マスタテーブルの異常値ＩＤを検査項目の項目名や項目ＩＤに関連付けて格納する。そして、上記３項目検索処理や症候検索処理で説明したように、前記統括表ウインドウ１１０のボタン１１６〜１１８，１２１，１２２のいずれかが押されたときに、異常値選択ボックス１１３〜１１５，１２０で選択した異常値（異常に係る検査項目）に対応して、臨床マスタテーブルにおいて当該選択した異常値の異常値ＩＤを有する検査項目を介して、当該検査項目と関連付けた病名が抽出され、当該抽出された病名が病名目次ウインドウ１４０にリスト表示される。臨床マスタテーブルには、前記病名マスタテーブルの全病名（［基]疾患及び［基］異常値を含む）と前記検査マスタテーブルの全検査項目との間で考えうる全ての組合せについての情報が格納されている。
【０２５３】
１−６）鑑別マスター
鑑別マスタテーブルは、マスタデータとして、病名マスタテーブルの病名と当該病名と同一鑑別疾患群に属する鑑別病名（鑑別疾患名）とを互いに関連付けて格納するものである。鑑別マスタテーブルは、データ項目（カラム）として、「病名ＩＤ」、「病名」、「鑑別ＩＤ」、「鑑別病名」を有し、これらのデータ項目に対応する個々のデータ要素（フィールド）を互いに関連付けて（テーブルの各行に一レコードとして）格納する。このうち、「病名ＩＤ」及び「病名」は、病名マスタテーブルの「病名ＩＤ」及び「病名」に対応し、鑑別マスタテーブルは、病名マスタテーブルの全病名を病名ＩＤと共に格納する。ここで、病名マスタテーブルの項で説明したように、「病名」には、病名以外に、症候及び異常値も格納され、「病名」の症候または異常値に関連付けて当該症候用の病名ＩＤが格納される。「鑑別病名」は、各病名について同一鑑別疾患群に属する全ての病名（鑑別病名）を格納する。また、「鑑別ＩＤ」は、鑑別病名を一意に識別する鑑別ＩＤを鑑別病名に関連付けて格納する。鑑別マスタテーブルは、各病名について、当該病名と同一鑑別疾患群に属する全ての鑑別病名を、当該病名に関連付けて格納する。即ち、鑑別マスタテーブルでは、各病名について、当該病名も含む全ての病名が、鑑別病名として関連付けされている。そして、前記病名目次ウインドウ１４０で特定の病名をクリックしたときに、当該病名と同一の鑑別疾患群に属する鑑別病名の全て（当該病名を除く）が、鑑別疾患目次ウインドウ１７０の鑑別病名一覧表１７１に表示される。鑑別マスタテーブルには、前記病名マスタテーブルの全病名（［基]疾患及び［基］異常値を含む）について存在する全ての鑑別病名との組合せについての情報が格納されている。
【０２５４】
１−７）異常値マスター
図２３の異常値マスタテーブルは、検査マスタテーブルの検査項目名のうち、統括表ウインドウ１１０の異常値選択ボックス１１３〜１１５及び異常値選択ボックス１２０に表示する異常値（異常に係る検査項目）のみを選択的に格納する。異常値マスタテーブルは、データ項目（カラム）として、「順」、「異常値ＩＤ」、「異常値」を有し、これらのデータ項目に対応する個々のデータ要素（フィールド）を互いに関連付けて（テーブルの各行に一レコードとして）格納する。このうち、「異常値」は、検査マスタテーブルに格納した検査項目のうち、異常値選択ボックス１１３〜１１５及び異常値選択ボックス１２０に表示する検査項目を異常値として格納する。また、「異常値ＩＤ」は、異常値を一意に識別する英数字であり、各異常値に関連付けて格納される。更に、「順」は、異常値選択ボックス１１３〜１１５及び異常値選択ボックス１２０における異常値の表示順序を定義する英数字を異常値や異常値ＩＤに関連付けて格納する。そして、異常値が「順」の表示順序どおりに昇順（降順も可能）で並べられ、各異常値選択ボックス１１３〜１１５や異常値選択ボックス１２０にリスト表示される。異常値マスタテーブルには、検査マスタテーブルに格納する検査項目のうちの主なもの（即ち、検査価値が高く臨床で頻用される検査項目）だけが、異常検査項目情報（異常値）として格納されている。なお、前記臨床マスタテーブルに格納する異常値ＩＤは、異常値マスタテーブルに格納する異常値ＩＤに対応しており、臨床マスタテーブルの項目ＩＤに関連付けされている。即ち、関連付けした異常値ＩＤの異常値の検査項目名と項目ＩＤの項目名（検査項目名）は同一となる。
【０２５５】
２）本医療情報ＤＢの動作・処理
本実施例の医療情報ＤＢは、上記のようなデータ構造（検査マスタテーブル、病名マスタテーブル、症候マスタテーブル、疾患群マスタテーブル、臨床マスタテーブル、鑑別マスタテーブル及び異常値マスタテーブル）を使用して、図１４〜図２１に示すような各種処理処理を実行することにより、各種医療情報の提供機能を実現する。詳細には、まず、本医療情報システムでは、コンピュータの電源をオンして、医療情報ＤＢを起動すると、コンピュータの起動画面に統括表ウインドウ１１０が表示される。この状態から、ユーザーは、ＳＴＥＰ１０１以降の一般検査処理、ＳＴＥＰ２０１以降の症候検査処理、３項目検索処理（フローチャートは図示略）、症候検索処理（複合検索処理、フローチャートは図示略）、ＳＴＥＰ４２１以降の症候検索処理（見逃検索処理）、のいずれかを選択して実行可能である。ユーザーがいずれかの処理を選択して実行すると、各処理に対応して各種ウインドウ（病名分類ウインドウ１３０等）がそれぞれ画面表示されて医療情報が提供される。そして、一般検査処理、症候検査処理、３項目検索処理、症候検索処理（複合検索処理または見逃検索処理）の各処理で必要な医療情報を得たら、通常は、ユーザーは、次のＳＴＥＰ３０で統括表ウインドウ１１０の中止ボタン１２８をクリックする（押す）ことなく、本医療システムを終了することになる。一方、これらの処理で必要な医療情報を得ることができずに再度各処理を最初から実行した場合等、何らかの理由により処理を中止したい場合、ユーザーは、ＳＴＥＰ３０で統括表ウインドウ１１０の中止ボタン１２８を押すと、統括表ウインドウ１１０以外の画面展開している全てのウインドウが閉じられる。同時に、検査保管表ウインドウ２００や病名保管表ウインドウ２１０の保存内容が全消去されると共に、検査保管表ウインドウ２００及び病名保管表ウインドウ２１０も閉じられる。また、統括表ウインドウ１１０の入力内容等は全て消去される。この場合、ユーザーは、再度、一般検査処理等を実行することができる。
【０２５６】
２−１）一般検査処理
コンピュータの起動画面において一般検査処理を選択した場合について、図１４にしたがって説明する。図１４に示すように、一般検査処理では、まず、ＳＴＥＰ１０１で統括表ウインドウ１１０の一般検査ボタン１１１がクリックされると、ＳＴＥＰ１０２で、病名マスタテーブルから全ての病名分類情報（分類ＩＤ、分類）が抽出されてグループ化され、ＳＴＥＰ１０３で、全ての分類（＝病名分類）が病名分類ウインドウ１３０にリスト表示される。そして、ＳＴＥＰ１０３で、抽出された分類名が、分類ＩＤの順番で、病名分類ウインドウ１３０の病名分類表１３１にリスト表示される（分類ＩＤは非表示）。次に、ＳＴＥＰ１０４で、病名分類ウインドウ１３０に表示された病名分類のいずれかをクリックして選択すると、ＳＴＥＰ１０５で、選択された分類に対応する全病名情報（病名ＩＤ、病名、疾患順）が病名マスタテーブルから抽出され、ＳＴＥＰ１０６で、病名目次ウインドウ１４０にリスト表示される。そして、ＳＴＥＰ１０６で、抽出された病名が、所定の順序（疾患順の順番）で、病名目次ウインドウ１４０の病名一覧表１４１にリスト表示される。なお、このとき、病名マスタテーブルの「病名」において当該分類ＩＤに関連付けられた症候（［基］症候）及び異常値（［基］異常値）は、抽出対象から除外される。即ち、病名マスタテーブルにおいて、症候及び異常値は、病名の病名ＩＤと明確に区分した病名ＩＤを有し、例えば、６０００番台から病名ＩＤが開始するため、ＳＴＥＰ１０５では、かかる６０００番未満の病名ＩＤの病名のみを抽出している。
【０２５７】
次に、ＳＴＥＰ１０７で、病名目次ウインドウ１４０に表示された病名のいずれかをクリックして選択すると、ＳＴＥＰ１０８で、選択した病名に対応する検査項目情報として、当該病名の検査で使用可能な全ての検査項目の項目ＩＤ、項目名、表示順序、検査動向等が、検査マスタテーブル及び臨床マスタテーブルから抽出され、当該病名の病名ＩＤ及び病名と共に、図示しない作業テーブル（一時記憶領域）としての共通テーブル（共通Ｔ）に保存される。その後、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。このとき、まず初めに、疾患概要ウインドウ１６０の表示処理（ＳＴＥＰ１１０の最初の処理）、鑑別疾患目次ウインドウ１７０の表示処理（ＳＴＥＰ１３０の最初の処理）、検査配列表ウインドウ１５０の表示処理（ＳＴＥＰ１５０の最初の処理）が同時に実行される。以下、疾患概要情報の提供処理（ＳＴＥＰ１１０）、鑑別疾患情報の提供処理（ＳＴＥＰ１３０）、検査項目情報の提供処理（ＳＴＥＰ１５０）の各処理の詳細についてそれぞれ説明する。
【０２５８】
２−１−１）疾患概要情報の提供処理（一般検査処理用）
図１４の疾患概要情報の提供処理（ＳＴＥＰ１１０）について、図１５にしたがって説明する。図１５に示すように、疾患概要情報の提供処理（その１）では、図１４のＳＴＥＰ１０７で選択された病名の病名ＩＤに基づき、ＳＴＥＰ１１１において、その病名の疾患概要が病名マスタテーブルの「疾患概要」から抽出される。次に、ＳＴＥＰ１１２で、抽出した病名の疾患概要が疾患概要ウインドウ１６０に表示される。次に、ＳＴＥＰ１１３で、疾患概要ウインドウ１６０に表示した病名を一時保存する場合（ＹＥＳの場合）、ユーザーは、ＳＴＥＰ１１４で疾患概要ウインドウ１６０の病名メモボタン１６３をクリックする。すると、ＳＴＥＰ１１５で、疾患概要ウインドウ１６０の病名ＩＤ及び病名が、病名用一時格納領域としての病名保管テーブル（病名保管Ｔ）に保存され、ＳＴＥＰ１１６で、当該病名用一時格納領域に保存した病名を病名保管表ウインドウ２１０に表示する。なお、疾患概要ウインドウ１６０に表示した病名をＳＴＥＰ１１３で保存しない場合（ＮＯの場合）、ＳＴＥＰ３０の中止・終了処理に移行する。次に、ＳＴＥＰ１１７で、病名目次ウインドウ１４０において選択した前記病名以外に疾患概要を確認したい病名（次候補）がある場合、ユーザーは、ＳＴＥＰ１１８で病名目次ウインドウ１４０の別の病名をクリックする。すると、処理はＳＴＥＰ１１１へ復帰し、ＳＴＥＰ１１２で次候補の病名の疾患概要を新たな疾患概要ウインドウ１６０に表示し、当該次候補の病名を前記病名保管表ウインドウ２１０に更に追加表示することが可能となる（ＳＴＥＰ１１３〜ＳＴＥＰ１１６）。よって、ユーザーは、必要な数の病名を病名目次ウインドウ１４０から選択して、各々の病名の疾患概要を疾患概要ウインドウ１６０で逐次確認し、必要な病名を病名保管表ウインドウ２１０に逐次追加して表示することができる。次に、ＳＴＥＰ１１９で、病名保管表ウインドウ２１０に保管して表示した別の病名について、疾患概要ウインドウ１６０、鑑別疾患目次ウインドウ１７０及び検査配列表ウインドウ１５０を表示して内容を再確認したい場合（ＳＴＥＰ１１９でＹＥＳの場合）、ＳＴＥＰ１２０で、病名保管表ウインドウ２１０から所望の病名をクリックして選択する。すると、処理は、ＳＴＥＰ１１１（疾患概要情報提供処理の最初の処理）、ＳＴＥＰ１２１（鑑別疾患情報提供処理の最初の処理）、ＳＴＥＰ１３１（検査項目情報提供処理の最初の処理）に同時に移行する（図１５のＢ点から同図１５のＢ点、図１６のＢ点、図１７のＢ点へと移行）。一方、ユーザーが、必要な全ての病名を確認及び保存して次候補となる病名がないと判断した場合（ＳＴＥＰ１１９でＮＯの場合）、ＳＴＥＰ３０の中止・終了処理に移行する。
【０２５９】
２−１−２）鑑別疾患情報の提供処理
図１４の鑑別疾患情報の提供処理について、図１６にしたがって説明する。図１６に示すように、鑑別疾患情報の提供処理では、図１４のＳＴＥＰ１０７で選択された病名の病名ＩＤに基づき、ＳＴＥＰ１３１において、その病名と同一疾患群に属する全ての鑑別病名やその鑑別ＩＤ等（鑑別疾患情報）が、鑑別マスタテーブルから抽出される。なお、このとき、選択した病名（「鉄欠乏性貧血（ＩＤＡ）」）自体も鑑別疾患群に属するため、この選択した病名が抽出されないよう、選択した病名の病名ＩＤ（「１」）と同一の鑑別ＩＤ（「１」）を有する鑑別病名は、抽出対象外とされる。即ち、鑑別マスタテーブルに格納した鑑別病名は、病名マスタテーブルに格納した病名と１対１で対応し、同一の鑑別疾患群に属するものが病名マスタテーブルの各病名に関連付けて鑑別マスタテーブルに格納されている。よって、鑑別ＩＤは、鑑別病名が病名と同一の場合、その病名の病名ＩＤと同一の番号となる。
【０２６０】
次に、ＳＴＥＰ１３１で抽出した全ての鑑別病名が、ＳＴＥＰ１３２で、鑑別ＩＤの順で鑑別疾患目次ウインドウ１７０にリスト表示される。次に、ＳＴＥＰ１３３で、鑑別疾患目次ウインドウ１７０のいずれかの鑑別病名がクリックして選択されると、ＳＴＥＰ１３４で、選択された鑑別病名の鑑別ＩＤに基づいて、当該鑑別ＩＤと同一の病名ＩＤを有する病名の疾患概要が病名マスタテーブルの「概略」から抽出される。そして、ＳＴＥＰ１３５で、抽出した鑑別病名の疾患概要が鑑別疾患概要ウインドウ１９０に表示される。即ち、鑑別疾患概要ウインドウ１９０に表示する鑑別病名の疾患概要は、疾患概要ウインドウ１６０に表示する病名の疾患概要と同一内容である。次に、ＳＴＥＰ１３６で、鑑別疾患概要ウインドウ１９０に表示した鑑別病名を一時保存する場合（ＹＥＳの場合）、ユーザーは、ＳＴＥＰ１３７で鑑別疾患概要ウインドウ１９０の病名メモボタン１９３をクリックする。すると、ＳＴＥＰ１３８で、鑑別疾患概要ウインドウ１９０に表示した鑑別病名の鑑別ＩＤ（＝病名ＩＤ）及び鑑別病名（＝病名）が、前記病名用一時格納領域としての病名保管テーブルに保存され、ＳＴＥＰ１３９で、当該病名用一時格納領域に保存した病名を病名保管表ウインドウ２１０に表示する。なお、ＳＴＥＰ１３３〜ＳＴＥＰ１３５の鑑別疾患概要情報の表示処理は、鑑別疾患目次ウインドウ１７０に表示した全ての鑑別病名について逐次実行可能であり、同一鑑別病名についても何回でも実行可能である。また、ＳＴＥＰ１３３〜ＳＴＥＰ１３５の鑑別疾患概要情報の表示処理は、必須の処理ではなく、ユーザーが任意に実行する処理であるため、省略することもできる。更に、ＳＴＥＰ１３６〜ＳＴＥＰ１３９の鑑別病名保存処理は、各回の鑑別疾患概要情報の表示処理（ＳＴＥＰ１３３〜ＳＴＥＰ１３５）ごとに実行可能である。なお、ＳＴＥＰ１３６で鑑別疾患概要ウインドウ１９０に表示した鑑別病名を保存しない場合（ＮＯの場合）、ＳＴＥＰ３０の中止・終了処理に移行する。
【０２６１】
２−１−３）検査項目情報の提供処理
図１４の検査項目情報の提供処理について、図１７にしたがって説明する。図１７に示すように、検査項目情報の提供処理では、図１４のＳＴＥＰ１０８で共通テーブルに保存した全ての検査項目情報が、ＳＴＥＰ１５１において抽出され、ＳＴＥＰ１５２において全ての検査項目情報が、検査配列表ウインドウ１５０に一覧表示される。選択した病名の病名ＩＤに基づき、ＳＴＥＰ１５１において、選択した病名と対応する全ての検査項目情報が、前記共通テーブルから抽出される。即ち、まず、選択した病名の病名ＩＤをキーとして、共通テーブルに保存している検査項目情報（「級」の検査項目の種別記号、「要」のチェック有無情報、「項目名」の検査項目名、「表示順序」の順番、「検査動向」の検査動向説明文等）が、全ての行（レコード）について抽出される。次に、抽出された各行の検査項目情報は、ＳＴＥＰ１５２において、検査配列表ウインドウ１５０の表示に供される。即ち、「項目名」の検査項目名は、その項目ＩＤに対応する「表示順序」の順番（昇順）で検査項目欄１５１に上から順に表示される。また、「級」の検査項目の種別記号（「＊」、「−」、「  」）は、検査項目欄５１に表示した対応する検査項目名の先頭に付加して表示される。また、「要」のチェック有無情報（「０」、「−１」）にしたがって、検査項目欄１５１に表示した検査項目名に対応するチェック欄１５３のチェックマークが表示される（「０」の場合はチェックＯＦＦで「−１」の場合はチェックＯＮ）。また、「検査動向」の検査動向説明文は、検査項目欄１５１に表示した検査項目名に対応して検査動向表示欄１５２に表示される。
【０２６２】
次に、ＳＴＥＰ１５３で、検査配列表ウインドウ１５０の検査項目欄１５１に表示したいずれかの検査項目名がクリックして選択されると、ＳＴＥＰ１５４で、選択された検査項目名の項目ＩＤに基づいて、当該項目ＩＤを有する検査項目の検査概要が検査マスタテーブルの「参考」から抽出される。そして、ＳＴＥＰ１５５で、抽出した検査項目の検査概要が検査概要ウインドウ１８０に表示される。ＳＴＥＰ１５３〜ＳＴＥＰ１５５の検査概要情報の表示処理は、必須の処理ではなく、ユーザーが任意に実行する処理であるため、省略することもできる。一方、ＳＴＥＰ１５６で、検査配列表ウインドウ１８０に表示した検査項目のうち、チェック欄１５３のチェックが入れられた検査項目を一時保存する場合（ＹＥＳの場合）、ユーザーは、ＳＴＥＰ１５７で検査概要ウインドウ１８０の保存ボタン１５５をクリックする。この場合、ＳＴＥＰ１５８で、検査配列表ウインドウ１５０においてチェックの入った検査項目の項目ＩＤ及び項目名が、検査用一時格納領域としての検査保管テーブル（検査保管Ｔ）に保存され、ＳＴＥＰ１５９で、当該検査用一時格納領域に保存した検査項目を検査保管表ウインドウ２００に表示する。なお、ＳＴＥＰ１５６で検査配列表ウインドウ１５０に表示したいずれの検査項目も保存しない場合（ＮＯの場合）、ＳＴＥＰ３０の中止・終了処理に移行する。
【０２６３】
２−２）症候検査処理
コンピュータの起動画面において症候検査処理を選択した場合について、図１８にしたがって説明する。図１８に示すように、症候検査処理では、まず、ＳＴＥＰ２０１で統括表ウインドウ２１０の症候検査ボタン１１２がクリックされると、ＳＴＥＰ２０２で、症候マスタテーブルから全ての症候情報（症候ＩＤ、症候及び異常値）が抽出され、ＳＴＥＰ２０３で、全ての症候が症候分類ウインドウ２３０にリスト表示される。そして、ＳＴＥＰ２０３で、抽出された症候及び異常値が、「順」の番号順で、症候分類ウインドウ２３０の症候分類表２３１にリスト表示される（症候ＩＤは非表示）。次に、ＳＴＥＰ２０４で、症候分類ウインドウ２３０に表示された症候または異常値のいずれかをクリックして選択すると、ＳＴＥＰ２０５で、選択された症候または異常値に対応する全症候・病名情報（症候ＩＤ、症候または異常値、病名ＩＤ、病名、疾患順）が病名マスタテーブル及び疾患群マスタテーブルから抽出され、ＳＴＥＰ２０６で、症候目次ウインドウ２４０にリスト表示される。なお、このときの抽出病名には、当該症候ＩＤの症候（［基］症候）または異常値（［基］異常値）が含まれる。そして、ＳＴＥＰ２０６で、抽出された全病名が、疾患群マスタテーブルの「内順」を参照して、所定の順序（内順の番号順）で、症候目次ウインドウ２４０の症候病名一覧表２４１にリスト表示される。
【０２６４】
次に、ＳＴＥＰ２０７で、症候目次ウインドウ２４０に表示された［基］症候または［基］異常値のいずれかをクリックして選択すると、ＳＴＥＰ２０８で、選択した［基］症候または［基］異常値に対応する検査項目情報として、当該［基］症候または［基］異常値が該当する病名グループ（一連の病名）の検査で使用可能な検査項目のうち、当該［基］症候または［基］異常値用として予め関連付けられた所定の代表的な検査項目の項目ＩＤ、項目名、検査動向等が、検査マスタテーブル及び臨床マスタテーブルから抽出され、当該［基］症候または［基］異常値及びその病名ＩＤと共に、前記共通テーブルに保存される。同様に、症候目次ウインドウ２４０に表示された病名のいずれかをクリックして選択すると、ＳＴＥＰ２０８で、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名及びその病名ＩＤと共に、前記共通テーブルに保存される。
【０２６５】
その後、選択した病名にしたがって、（［基］症候、［基］異常値または病名用の）疾患概要情報の提供処理（ＳＴＥＰ２１０）、前記鑑別疾患情報の提供処理（ＳＴＥＰ１３０）、前記検査項目情報の提供処理（ＳＴＥＰ１５０）が実行される。このとき、まず初めに、疾患概要ウインドウ１６０の表示処理（ＳＴＥＰ２１０の最初の処理）、鑑別疾患目次ウインドウ１７０の表示処理（ＳＴＥＰ１３０の最初の処理）、検査配列表ウインドウ１５０の表示処理（ＳＴＥＰ１５０の最初の処理）が同時に実行される。以下、疾患概要情報の提供処理（ＳＴＥＰ２１０）の詳細について説明する。なお、鑑別疾患情報の提供処理（ＳＴＥＰ１３０）及び検査項目情報の提供処理（ＳＴＥＰ１５０）の各処理は、一般検査処理の場合と同様である。しかし、鑑別疾患情報の提供処理（ＳＴＥＰ１３０）については、症候検査処理では、［基］症候または［基］異常値の全ての鑑別疾患が症候目次ウインドウ２４０に既に表示されているため、［基］症候または［基］異常値を症候目次ウインドウ２４０で選択した場合の当該［基］症候または［基］異常値の鑑別疾患は、鑑別疾患目次ウインドウ１７０に改めて表示されることはなく、例えば、鑑別疾患目次ウインドウ１７０には「上記疾患群」といった表示がなされる。
【０２６６】
２−２−１）疾患概要情報の提供処理その２（症候検査処理用）
図１８の疾患概要情報の提供処理（ＳＴＥＰ２１０）について、図１９にしたがって説明する。図１９に示すように、疾患概要情報の提供処理（その２）では、ＳＴＥＰ２０７で［基］症候が選択された場合を示し、この場合、ＳＴＥＰ２１１からＳＴＥＰ２１２に進み、選択された［基］症候の病名ＩＤに基づき、その［基］症候の疾患概要が病名マスタテーブルの「疾患概要」から抽出される。次に、ＳＴＥＰ２１３で、抽出した［基］症候の疾患概要が疾患概要ウインドウ１６０に表示される。次に、ＳＴＥＰ２１４で、疾患概要ウインドウ１６０に表示した［基］症候を一時保存する場合（ＹＥＳの場合）、ユーザーは、ＳＴＥＰ２１５で疾患概要ウインドウ１６０の病名メモボタン１６３をクリックする。すると、ＳＴＥＰ２１６で、疾患概要ウインドウ１６０の病名ＩＤ及び［基］症候が、病名用一時格納領域としての病名保管テーブル（病名保管Ｔ）に保存され、ＳＴＥＰ２１７で、当該病名用一時格納領域に保存した［基］症候を病名保管表ウインドウ２１０に表示する。即ち、症候検査処理においては、［基］症候が、一般検査処理における病名の場合と同様にして病名用一時格納領域に保存され、病名保管表ウインドウ２１０に表示される。なお、疾患概要ウインドウ１６０に表示した［基］症候をＳＴＥＰ２１４で保存しない場合（ＮＯの場合）、ＳＴＥＰ３０の中止・終了処理に移行する。
【０２６７】
次に、ＳＴＥＰ２１８で、症候目次ウインドウ２４０において選択した前記［基］症候以外に疾患概要を確認したい［基］症候（次候補）がある場合、ユーザーは、ＳＴＥＰ２１９で症候目次ウインドウ２４０の別の［基］症候をクリックする。すると、処理はＳＴＥＰ２１２へ復帰し、ＳＴＥＰ２１３で次候補の［基］症候の疾患概要を新たな疾患概要ウインドウ１６０に表示し、当該次候補の［基］症候を前記病名保管表ウインドウ２１０に更に追加表示することが可能となる（ＳＴＥＰ２１４〜ＳＴＥＰ２１７）。よって、ユーザーは、必要な数の［基］症候を症候目次ウインドウ２４０から選択して、各々の［基］症候の疾患概要を疾患概要ウインドウ１６０で逐次確認し、必要な［基］症候を病名保管表ウインドウ２１０に逐次追加して表示することができる。次に、ＳＴＥＰ２２０で、病名保管表ウインドウ２１０に保管して表示した別の［基］症候について、疾患概要ウインドウ１６０及び検査配列表ウインドウ１５０を表示して内容を再確認したい場合（ＳＴＥＰ２２０でＹＥＳの場合）、ＳＴＥＰ２２１で、病名保管表ウインドウ２１０から所望の［基］症候をクリックして選択する。すると、処理は、ＳＴＥＰ２１２（疾患概要情報提供処理の最初の処理）、ＳＴＥＰ１３１（鑑別疾患情報提供処理の最初の処理）、ＳＴＥＰ１５１（検査項目情報提供処理の最初の処理）に同時に移行する（図１９の下側のＥ点から同図１９の上側のＥ点、図１６のＥ点、図１７のＥ点へと移行）。なお、上記のように、鑑別疾患情報の提供処理（ＳＴＥＰ１３０）においては、［基］症候については鑑別疾患目次ウインドウ１７０には「上記疾患群」といった表示がなされる。よって、鑑別マスタテーブルにおいて、各病名についての「鑑別病名」の欄には当該病名の鑑別病名（当該病名含む）が格納されているが、各［基］症候についての「鑑別病名」の欄には「上記疾患群」といった文章が格納されている。一方、ユーザーが、必要な全ての［基］症候を確認及び保存して次候補となる［基］症候がないと判断した場合（ＳＴＥＰ２２０でＮＯの場合）、ＳＴＥＰ３０の中止・終了処理に移行する。
【０２６８】
一方、図１９のＳＴＥＰ２１１において病名が選択された場合、図１９のＢ点から、図１５のＢ点、図１６のＢ点及び図１７のＢ点を経て、一般検査処理の疾患概要情報の提供処理ＳＴＥＰ１１０と、鑑別疾患情報の提供処理ＳＴＥＰ１３０と、検査項目情報の提供処理ＳＴＥＰ１５０とが実行される。そして、一般検査処理の場合と同様にして、選択した病名について、検査配列表ウインドウ１５０への検査項目情報の表示処理、疾患概要ウインドウ１６０への疾患概要の表示処理、鑑別病名目次ウインドウ１７０への鑑別病名の表示処理が実行され、更に、検査概要ウインドウ１８０への検査概要の表示処理及び鑑別疾患概要ウインドウ１９０への鑑別疾患概要の表示処理が実行可能となると共に、検査保管表ウインドウ２００への検査項目の保管処理及び病名保管ウインドウ２１０への病名の保管処理が実行可能となる。
【０２６９】
疾患概要情報の提供処理では、ＳＴＥＰ２０７で［基］異常値が選択された場合、ＳＴＥＰ２１１から図１９のＤ点及び図２０のＤ点を経てＳＴＥＰ２３１に進み、選択された［基］異常値の病名ＩＤに基づき、その［基］異常値の疾患概要が病名マスタテーブルの「疾患概要」から抽出される。次に、ＳＴＥＰ２３２で、抽出した［基］異常値の疾患概要が疾患概要ウインドウ１６０に表示される。次に、ＳＴＥＰ２３３で、疾患概要ウインドウ１６０に表示した［基］異常値を一時保存する場合（ＹＥＳの場合）、ユーザーは、上述の［基］症候の場合と同様にして、ＳＴＥＰ２３４で疾患概要ウインドウ１６０の病名メモボタン１６３をクリックする。すると、ＳＴＥＰ２３５で、疾患概要ウインドウ１６０の病名ＩＤ及び［基］異常値が、前記病名保管テーブルに保存され、ＳＴＥＰ２３６で、当該病名保管テーブルに保存した［基］異常値を病名保管表ウインドウ２１０に表示する。なお、疾患概要ウインドウ１６０に表示した［基］異常値をＳＴＥＰ２３３で保存しない場合（ＮＯの場合）、ＳＴＥＰ３０の中止・終了処理に移行する。次に、ＳＴＥＰ２３７で、症候目次ウインドウ２４０において選択した前記［基］異常値以外に疾患概要を確認したい［基］異常値（次候補）がある場合、ユーザーは、ＳＴＥＰ２３８で症候目次ウインドウ２４０の別の［基］異常値をクリックする。すると、処理はＳＴＥＰ２３１へ復帰し、ＳＴＥＰ２３２で次候補の［基］異常値の疾患概要を新たな疾患概要ウインドウ１６０に表示し、当該次候補の［基］異常値を前記病名保管表ウインドウ２１０に更に追加表示することが可能となる（ＳＴＥＰ２３３〜ＳＴＥＰ２３６）。よって、ユーザーは、必要な数の［基］異常値を症候目次ウインドウ２４０から選択して、各々の［基］異常値の疾患概要を疾患概要ウインドウ１６０で逐次確認し、必要な［基］異常値を病名保管表ウインドウ２１０に逐次追加して表示することができる。次に、ＳＴＥＰ２３９で、病名保管表ウインドウ２１０に保管して表示した別の［基］異常値について、疾患概要ウインドウ１６０及び検査配列表ウインドウ１５０を表示して内容を再確認したい場合（ＳＴＥＰ２３９でＹＥＳの場合）、ＳＴＥＰ２４０で、病名保管表ウインドウ２１０から所望の［基］異常値をクリックして選択する。すると、処理は、ＳＴＥＰ２３１（疾患概要情報提供処理の最初の処理）、ＳＴＥＰ１３１（鑑別疾患情報提供処理の最初の処理）、ＳＴＥＰ１５１（検査項目情報提供処理の最初の処理）に同時に移行する（図２０の下側のＦ点から同図２０の上側のＦ点、図１６のＦ点、図１７のＦ点へと移行）。なお、上述の［基］症候の場合と同様、鑑別疾患情報の提供処理（ＳＴＥＰ１３０）においては、［基］異常値については鑑別疾患目次ウインドウ１７０には「上記疾患群」といった表示がなされる。一方、ユーザーが、必要な全ての［基］異常値を確認及び保存して次候補となる［基］異常値がないと判断した場合（ＳＴＥＰ２３９でＮＯの場合）、ＳＴＥＰ３０の中止・終了処理に移行する。
【０２７０】
２−３）３項目検索処理
統括表ウインドウ１１０の異常値選択ボックス１１３〜１１５で特定の異常値を選択した状態で、統括表ウインドウ１１０の単疾患ボタン１１６、関連疾患ボタン１１７または限定疾患ボタン１１８のいずれかを押すと、選択した異常値の異常値ＩＤに基づき、選択した異常値が該当する背景疾患の病名ＩＤと病名（単疾患検索の場合は１個の異常値が該当する全ての病名、関連疾患検索の場合は２個の異常値が該当する全ての病名、限定疾患検索の場合は３個の異常値が該当する全ての病名）が、臨床マスタテーブルから全て抽出され、作業テーブル（一時記憶領域）、即ち、３項目検索用格納領域としての３項目検索用病名テーブル（３項目検索用病名Ｔ）に保存される。
【０２７１】
そして、３項目検索用病名テーブルに格納された病名のうち、選択した異常値の１、２または３つが該当する病名、即ち、同一病名が１個、２個または３個格納されたものが、病名目次ウインドウ１４０にリスト表示される。次に、病名目次ウインドウ１４０に表示された病名のいずれかをクリックして選択すると、一般検査処理ＳＴＥＰ１００のＳＴＥＰ１０７以降の処理と同様にして、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名の病名ＩＤ及び病名と共に、前記共通テーブルに保存される。その後、一般検査処理ＳＴＥＰ１００の場合と同様にして、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。
【０２７２】
２−４）複合検索処理
複合検索処理について説明する。統括表ウインドウ１１０の症候選択ボックス１１９の症候を選択すると共に、異常値選択ボックス１２０の異常値を選択した状態で、統括表ウインドウ１１０の実施ボタン１２１を押す。すると、選択した症候の症候ＩＤに基づき、選択した症候が該当する疾患の病名ＩＤと病名の組が、疾患群マスタテーブルから全て抽出されると共に（第１の処理）、選択した異常値の異常値ＩＤに基づき、選択した異常値が該当する疾患の病名ＩＤ、病名、項目ＩＤ及び項目名の組が、臨床マスタテーブルから全て抽出される（第２の処理）。そして、次のＳＴＥＰ４１３で、第１の処理で抽出した病名ＩＤと病名の組と、第２の処理で抽出した病名ＩＤと病名の組とがＡＮＤ条件で比較されて、そのうちの同一の病名ＩＤを有する病名のみが抽出され、選択した症候及び異常値の両者が該当した場合に予想される疾患（候補疾患）として、作業テーブル（一時記憶領域）、即ち、複合検索用格納領域としての複合検索用病名テーブル（複合検索用病名Ｔ）に保存される。
【０２７３】
そして、抽出されて複合検索用病名テーブルに保存された全ての病名が、候補疾患として、病名目次ウインドウ１４０の病名一覧表１４１に所定の順序でリスト表示される（病名ＩＤは非表示）。病名目次ウインドウ１４０に表示された病名のいずれかをクリックして選択すると、一般検査処理ＳＴＥＰ１００のＳＴＥＰ１０７以降の処理と同様にして、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名の病名ＩＤ及び病名と共に、前記共通テーブルに保存される。その後、一般検査処理ＳＴＥＰ１００の場合と同様にして、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。
【０２７４】
２−５）見逃検索処理
見逃検索処理（ＳＴＥＰ４２０）について、図２１のフローチャート、並びに、図２４及び図２５のテーブルにしたがって説明する。図２１に示すように、統括表ウインドウ１１０の症候選択ボックス１１９の症候を選択した状態で、ＳＴＥＰ４２１において、統括表ウインドウ１１０の見逃ボタン１２２を押す。すると、ＳＴＥＰ４２２で、選択した症候の症候ＩＤに基づき、選択した症候が該当する疾患の病名ＩＤと病名の組が、疾患群マスタテーブルから全て抽出される。次に、ＳＴＥＰ４２３において、抽出した病名ＩＤに基づいて、臨床マスタテーブルにおいて当該抽出した病名ＩＤ及び病名の組を参照し、それらの病名（疾患）のうち、特定の安価な生化学検査を中心とする検査（本書類中では「汎用検査」と称している）で診断されるものを選択して抽出する。詳細には、検査マスタテーブルは、検査項目として、血清関連の検査（「血清関連」）、生化学検査Ｉ（生化Ｉ）、生化学検査ＩＩ（生化ＩＩ）、生化学検査ＩＩＩ（生化ＩＩＩ）等、現存する全ての検査項目を格納している。（なお、本明細書中で使用する「生化Ｉ」や「生化ＩＩ」は、保険で扱う生化Ｉや生化ＩＩとは内容が異なる。）しかし、これらは、大きく分けて安価な生化学検査と高価な特異的検査に２分することができる。このうち、生化学検査は、安価であるため、初回から検査範囲に含むことが多い検査項目である。一方、特異的検査は、初回から検査に使われる場合も勿論あるが、高額なこともあって、一般的には主に生化学検査の結果を受けて二次検査に多用される性格の検査である。そして、初回の検査には、前記安価な生化学検査を中心とする汎用検査のみが使用される場合も考えられる。
【０２７５】
そこで、本医療情報ＤＢでは、かかる安価な生化学検査を中心とする汎用検査を予め特定し、それらを見逃検索処理用の特定検査項目として設定している。具体的には、検査マスタテーブルにおいて、あらかじめ特定した項目ＩＤの生化学検査（「ＣＢＣ」、「網赤血球」、「血液像」、「Ｎａ・Ｋ」、「Ｃｌ」、「Ｃａ」、「Ｍｇ」、「Ｆｅ」、「Ｃｕ」、項目ＩＤが「１０６２」の「ＴＰ」、項目ＩＤが「１０６３」の「Ａｌｂ」、「Ｃｒ」、「ＵＡ」、「ＡＳＴ」、「ＡＬＴ」、「ＡＬＰ」、項目ＩＤが「１０６４」の「Ｔ−Ｂｉｌ」、項目ＩＤが「１０６５」の「Ｄ−Ｂｉｌ」、「ＣｈＥ」、「γ−ＧＴＰ」、「ＬＤＨ」、「ＣＰＫ」、「ＡＭＹ」、「Ｔ−Ｃｈｏｌ」、「ＴＧ」、「ＢＳ」、「乳酸」、「ＮＨ３」等を汎用検査として扱っている。
【０２７６】
よって、前記ＳＴＥＰ４２３では、まず、上記特定の項目ＩＤの汎用検査で診断可能な全ての病名（疾患）を選択すべく、ＳＴＥＰ４２２で抽出した病名の病名ＩＤをキーとして、臨床マスタテーブルの病名を参照し、当該病名のうち、上記特定の生化学検査の項目ＩＤを有する病名（及び病名ＩＤ）を抽出する。この抽出結果は、症候選択ボックス１１９で「口渇感（症候ＩＤ＝１９）」を選択した場合、図２４に示す一時記憶領域としての見逃検索削除用テーブルに示すとおりのデータとなる。なお、図２４の見逃検索削除用テーブルは、ＳＴＥＰ４０１で選択した症候ＩＤ及び症候と、ＳＴＥＰ４２３で臨床マスタテーブルから抽出した病名ＩＤ及び病名と、臨床マスタテーブルにおいて当該抽出した病名ＩＤに関連付けられた項目及び項目ＩＤとを、それぞれ、「症候ＩＤ」、「症候」、「病名ＩＤ」、「病名」、「項目名」、「項目ＩＤ」の各カラムに格納するものである。また、この見逃検索削除用テーブルは、更に、「異常値ＩＤ」のカラムを有し、臨床マスタテーブルにおいて前記抽出した病名ＩＤに関連付けられた異常値ＩＤをも格納する。この「異常値ＩＤ」は、本見逃検索処理におけるデータ抽出に利用される。即ち、見逃検索処理では、ＳＴＥＰ４２３の処理に先立ち、異常値ＩＤがゼロ以上（異常値ＩＤ＞０）のレコードが全て臨床マスタテーブルから抽出され、この抽出レコードについて、上記ＳＴＥＰ４２３の処理が実行される。
【０２７７】
そして、本医療情報ＤＢは、次のＳＴＥＰ４２４において、ＳＴＥＰ４２２で疾患群マスタテーブルから抽出した病名について、当該病名の病名ＩＤを参照して、前記見逃検索削除用テーブルに保存した病名と同一の病名を削除し、残りの病名（及び病名ＩＤ）を、図２５に示す見逃検索用格納領域としての見逃検索用病名テーブル（一時記憶領域）に格納する。即ち、ＳＴＥＰ４２４で抽出した病名は、上記特定の生化学検査による診断が不可能であるため、上記特定の生化学検査だけでは見逃す可能性が高いものであり、これらの病名を見逃し検索用病名テーブルに格納して、次のＳＴＥＰ４２５で病名目次ウインドウ１４０に見逃す可能性のある病名一覧として表示する。なお、図２５の見逃検索用病名テーブルは、カラムとして、「病名ＩＤ」、「病名」、「分類ＩＤ」、「疾患順」を有し、「病名ＩＤ」及び「病名」に、ＳＴＥＰ４２４で削除されずに残った病名ＩＤ及び病名を格納している。具体的には、症候選択ボックス１１９で「口渇感（症候ＩＤ＝１９）」を選択した場合、ＳＴＥＰ４２２で抽出する病名ＩＤ及び病名は、疾患群マスタテーブルの症候ＩＤ「１９」部分に示すとおり（病名ＩＤ「１１」の「成人Ｔ細胞白血病（ＡＴＬ）」、病名ＩＤ「１２」の「多発性骨髄腫（ＭＭ）」等）となる。そして、ここから、図２４の見逃検索削除用テーブルに示す病名ＩＤと同一の病名ＩＤ（「１１」、「１２」等）を有する病名（「成人Ｔ細胞白血病（ＡＴＬ）」、「多発性骨髄腫（ＭＭ）」等）を削除すると、図２５に示すように、病名ＩＤが「９０４」の「唾液腺腫大疾患」、病名ＩＤが「１５１」の「シモンズ症候群」、病名ＩＤが「１５４」の「尿崩症」、病名ＩＤが「３００３」の「口腔乾燥症」、病名ＩＤが「３００６」の「口腔カンジダ症」、病名ＩＤが「３００７」の「貧血性舌炎」、病名ＩＤが「３００８」の「ベーチェット性舌炎」、病名ＩＤが「３０１０」の「薬剤性口渇感」、病名ＩＤが「３０１２」の「消化器諸疾患性口渇」、病名ＩＤが「３０１１」の「心因性多飲症」が残る。よって、これらの病名ＩＤ及び病名が、図２５の見逃検索用病名テーブルに格納される。
【０２７８】
次に、ＳＴＥＰ４２６で、病名目次ウインドウ１４０に表示された病名のいずれかをクリックして選択すると、ＳＴＥＰ４２７において、一般検査処理ＳＴＥＰ１００のＳＴＥＰ１０７以降の処理と同様にして、選択した病名に対応する検査項目情報として、当該病名の検査で使用可能な全ての検査項目の項目ＩＤ、項目名、検査動向等が、検査マスタテーブル及び臨床マスタテーブルから抽出され、当該病名の病名ＩＤ及び病名と共に、前記共通テーブルに保存される。その後、一般検査処理ＳＴＥＰ１００の場合と同様にして、選択した病名にしたがって、疾患概要情報の提供処理（ＳＴＥＰ１１０）、鑑別疾患情報の提供処理（ＳＴＥＰ１３０）、検査項目情報の提供処理（ＳＴＥＰ１５０）が実行される。
【０２７９】
３．固有変動表の作成処理
上記臨床診断支援システムにおける固有変動表の作成処理の一例について、以下に実際の具体的なデータを使用して説明する。
１）関節リウマチ
図２６は疾患として「関節リウマチ」の発症条件「臓器：心臓」を例にとって固有変動マスタファイルの該当データ部分を作成する場合を示すテーブル図である。図２７は疾患として「関節リウマチ」を例にとって全ての固有変動を追加した場合の固有変動マスタファイルの対応部分を示すテーブル図である。
【０２８０】
関節リウマチの場合、常時検査結果が変動する検査項目として、ＲＦ及びＲＡＰＡ（いずれも、関節リウマチ等の慢性炎症性疾患で陽性化する血液検査）、骨ＸＰ（レントゲン）、ＡＬＰ（骨代謝に関する生化学検査）、ＥＳＲ（いわゆる血沈のことで、慢性の炎症性疾患で上昇）、ＣＲＰ（炎症の程度を表す生化学検査）、Ｆｅ（血中鉄濃度）が医学書に記載の一般的な検査項目であり、これらが前記固定固有変動に相当するため、これらを前記固有変動登録・編集手段２１により、関節リウマチに関連付けて固有変動マスタファイル１１に登録して格納する。一方、固定固有変動以外の固有変動については医学書には一般的に記載がないため、関節リウマチに関して個々の臓器に関する検査結果の変動である随伴固有変動については、個々の臓器ごとの固有変動を取得する。例えば、関節リウマチの場合でも、「心臓」等の発症条件については医学書にも具体的な記載がないため、関節リウマチの随伴固有変動型検査の検査項目が固有変動表から格納漏れすることを防止するため、関節リウマチに関して医学的な決定事項である「腎臓」、「ヘモグロビン血症」、「出欠傾向」等の発症条件に関する検査項目の項目名を調査して、固有変動表の検査項目名のデータ項目に格納しておき、当該検査項目名について発症条件ごとに調査した検査結果を当該発症条件の随伴固有変動として、固有変動表の対応する検査動向のデータ項目に格納する。例えば、臓器「心（胸部苦悶）」の場合、心臓に関する基本的検査とされる、胸画像（胸部レントゲンやＣＴ）、ＢＮＰ（心不全の程度を測定する血液検査）、心ＵＳ（新造の超音波検査）、 血ガス（血中の酸素濃度、ｐＨ等）、ＥＣＧ（心電図）の５項目の固有変動（検査動向）を、前記固有変動登録・編集手段２１により、関節リウマチの発症条件「心（胸部苦悶）」に関連付けて固有変動マスタファイル１１に登録して格納する。図２６はこのようにして格納された固有変動データを示す。これにより、これら５つの検査項目についての固有変動が、関節リウマチの随伴固有変動として固有変動マスタファイル１１に追加される。このようにして関節リウマチの各発症条件についての随伴固有変動を格納した状態を図１１に示す（紙面の制約上、一部のみ図示）。なお、図２６及び図２７では、疾患名と発症条件とを結合することにより、随伴固有変動を上記結合疾患名として表現している。
【０２８１】
上記のように、各疾患について、随伴固有変動を呈する検査項目の方が固定固有変動を呈する検査項目より多数となるが、特に、疾患に特異的とされる特異的検査についても、随伴固有変動を呈する検査項目の方が固定固有変動を呈する検査項目より多数となる。例えば、関節リウマチに特異的とされる検査でも、ＲＡＰＡのようにその疾患のみで陽性化する完全に特異的な検査は少なく、全疾患のうちの比較的多数の疾患で陽性化するものが多いため、これらの検査は特異的といっても比較的特異であるに過ぎない。また、関節リウマチに関し、他の血液学的な検査についての固定固有変動は、全疾患のうちの数十から１００前後の疾患で変動するため、これらの検査項目を単独で使用したとしても、関節リウマチと診断する特異性はほとんどない。ただし、これらの検査項目の固定固有変動がいずれも陰性の場合は、少なくとも関節リウマチではないと判断できるため、複数の固有変動がある疾患の検査動向に一致して変動することを、複数項目比較検討により診断することで、これらの検査項目に変動がないとき（陰性のとき）は、関節リウマチを否定する情報として活用することができる。
【０２８２】
固有変動表の作成は、他の疾患についても、上記の関節リウマチの例で示すように、発症条件に関する検査項目を前もって集成した上、固有変動表に追加格納する。即ち、随伴固有変動を全て同じ手法で固有変動表に（対応する結合疾患名及び検査項目名と関連付けて）追加格納して、検査項目の見逃しを予防する。
【０２８３】
２）症候（高血糖）
図２８は症候「高血糖」に関する固有変動を検査項目「ＣＢＣ」について固有変動マスタファイルに格納する場合の処理を説明するテーブル図である。固有変動マスタファイル１１では、上記のように、同一の検査項目であっても疾患ごとに異なる複数の固有変動が格納され、１つの検査項目について複数行の（疾患ごとに異なる）レコードが存在するため、このまま各行のレコードのデータ内容を抽出して検査配列表６３に表示すると、表示行が膨大となってその全容の把握が逆に困難になる可能性がある。したがって、本臨床診断支援システムでは、固有変動マスタファイル１１に基づき、ある症候に属する疾患ごとに同一の検査項目について複数行にわたる固有変動のデータ（同一の検査項目について、当該症候に属する疾患ごとに異なる複数の検査変動の説明）を１つのデータ（当該検査項目について当該症候に属する疾患ごとの検査変動をまとめた説明）として臨床マスタファイル１２に格納し手いる。即ち、同一の症候について、固有変動表では複数行にわたる１つの検査項目に関する複数の固有変動データを１つのデータに結合して単一のデータとして表現し、当該症候が指定されたときは、同一の検査項目についてはこの単一のデータを臨床マスタファイル１２から抽出して検査配列表６３に表示するようにしている。なお、このデータ集約処理は、上記で説明したように、前記検査配列表加工表示手段５３により、複数行にわたる１つの検査項目のデータを１行に結合して複数の固有変動を単一のデータとして表現し、検査配列表６３に表示することができる。
【０２８４】
例えば、疾患群マスタファイルを参照して症候「高血糖」についての全疾患（全病名）を抽出すると共に、抽出した全病名について、固有変動マスタファイルを参照して、当該病名に関連付けられた検査項目「ＣＢＣ」とその固有変動とを抽出すると（これら両ファイルの当該抽出データ部分を結合すると）、図２８に示すように、症候「高血糖」に属する疾患群についての検査項目「ＣＢＣ」に関しては、固有変動マスタファイルには、当該症候「高血糖」に属する疾患群（「褐色細胞種」等）について（合計８個の）個別の固有変動が格納されていることがわかる（図２８の下側のテーブル参照）。したがって、本臨床診断支援システムでは、これらの固有変動データを集約して（当該疾患群についての）単一データの固有変動（検査動向）として臨床マスタファイルの「固有変動（検査動向）」のデータ項目の対応レコード部分に格納し（図２８の上側のテーブル参照）、症候「高血糖」を指定したときの当該疾患群の当該検査項目「ＣＢＣ」に関する固有変動としては、この集約した単一データの固有変動を検査配列表６３の検査動向欄に表示する。したがって、検査配列表６３で単一項目として表示される（本来は８個の固有変動からなる）固有変動データを見るだけで、複数項目比較検討が可能になり、複数行にわたるデータを見て複数項目比較検討をする場合と比較して、作業性が向上する。また、固有変動マスタファイル１１の固有変動の内容をそのまま集約して臨床マスタファイル１２の固有変動の内容とするため、疾患名や固有変動データの漏れがなくなり、また、正確かつ専門的な構文として表示することが可能となる。
【０２８５】
３）肺炎
図２９は肺炎に関する固有変動を検査項目「ＡＳＴ」について固有変動マスタファイルに格納する場合の処理を説明するテーブル図である。
肺炎は、肺に親和性を持つ起炎菌により発症するが、本臨床診断支援システムでは、まず、（別症候とする特殊なウイルス性肺炎は除いて）肺炎の起炎菌として１８種類の起炎菌を使用して、鑑別マスタファイル１７の鑑別病名として格納している。そして、例えば、鑑別マスタファイルを参照して病名「肺炎」についての全鑑別疾患（全鑑別病名）を抽出すると共に、抽出した全病名について、固有変動マスタファイルを参照して、当該病名に関連付けられた検査項目「ＡＳＴ」とその固有変動とを抽出すると（これら両ファイルの当該抽出データ部分を結合すると）、図２９に示すように、病名「肺炎」に属する鑑別病名群についての検査項目「ＡＳＴ」に関しては、固有変動マスタファイルには、当該病名「肺炎」に属する鑑別病名群（「マイコプラズマ症」等）について（合計１４個の）個別の固有変動が格納されていることがわかる（図２９の下側のテーブル参照）。したがって、本臨床診断支援システムでは、これらの固有変動データを集約して（当該鑑別病名群についての）単一データの固有変動（検査動向）として臨床マスタファイルの「固有変動（検査動向）」のデータ項目の対応レコード部分に格納し（図２９の上側のテーブル参照）、病名「肺炎」を指定したときの当該鑑別病名群の当該検査項目「ＡＳＴ」に関する固有変動としては、この集約した単一データの固有変動を検査配列表６３の検査動向欄に表示する。したがって、検査配列表６３で単一項目として表示される（本来は１４個の固有変動からなる）固有変動データを見るだけで、鑑別病名の固有変動の比較検討が可能になり、複数行にわたるデータを見てそれらを比較検討をする場合と比較して、作業性が向上する。また、固有変動マスタファイル１１の固有変動の内容をそのまま集約して臨床マスタファイル１２の固有変動の内容とするため、疾患名や固有変動データの漏れがなくなり、また、正確かつ専門的な構文として表示することが可能となる。
【０２８６】
このように、従来の診断法によれば、至適抗生剤選定用の細菌培養検査を行い、その結果がでるまで通常４〜５日を要するが、病初は起炎菌が不明のため、適当な抗生剤で治療が開始されるのに対し、本臨床診断支援システムによれば、一般検査で肺炎を指定すると、（３０分程度で測定できる）安価な生化学検査だけでも、その検査結果を検査配列表６３の対応する検査項目の固有変動で確認することにより、肺炎を発症する１８起炎菌中の１６起炎菌を区別して検出することができる。また、重症化して緊急性を帯びるほど随伴固有変動が陽性化することから、結果的に、重症肺炎となるほど治療開始前に起炎菌を同定でき、至適な薬剤を選定することができることになり、救命率の向上を期待することができる。更に、生化学検査以外にも、短時間で結果が判明する特異的検査や、画像検査の特徴等も、それぞれの固有変動として検査配列表６３に合わせて表示されるため、初回の簡単な検査を複数項目比較検討するだけで、全疾患を区別して検出することができる。
【図面の簡単な説明】
【０２８７】
【図１】図１は本発明の一実施の形態に係る臨床診断支援システムで使用する固有変動表の一例を概念的に説明するための表である。
【図２】図２は本発明の一実施の形態に係る臨床診断支援システムで使用する疾患群マスタファイルの一例を概念的に説明するための表である。
【図３】図３は本発明の一実施の形態に係る臨床診断支援システムで使用する鑑別疾患マスタファイルの一例を概念的に説明するための表である。
【図４】図４は本発明の一実施の形態に係る臨床診断支援システムで使用する臨床マスタファイルの一例を概念的に説明するための表である。
【図５】図５は本発明の一実施の形態に係る臨床診断支援システムで使用する症候検査時の検査配列表の一例を概念的に説明するための表である。
【図６】図６は本発明の一実施の形態に係る臨床診断支援システムで使用する鑑別検査時の検査配列表の一例を概念的に説明するための表である。
【図７】図７は本発明の一実施の形態に係る臨床診断支援システムで使用する固有変動表の立方体のデータ構造を概念的に説明するための別の説明図である。
【図８】図８は本発明の一実施の形態に係る臨床診断支援システムの全体構成を、症候検査用の機能実現手段として概略的に説明するためのブロック図である。
【図９】図９は本発明の一実施の形態に係る臨床診断支援システムの全体構成を、一般検査用の機能実現手段として概略的に説明するためのブロック図である。
【図１０】図１０は本発明の一実施例に係る臨床診断支援システムにおける一般検査（鑑別検査）処理時の画面構成を示す説明図である。
【図１１】図１１は本発明の一実施例に係る臨床診断支援システムにおける症候検査処理時の画面構成を示す説明図である。
【図１２】図１２は本発明の一実施例に係る臨床診断支援システムにおける３項目検索処理時の画面構成を示す説明図である。
【図１３】図１３は本発明の一実施例に係る臨床診断支援システムにおける複合検索処理時の画面構成を示す説明図である。
【図１４】図１４は本発明の一実施例に係る臨床診断支援システムの一般検査処理を示すフローチャートである。
【図１５】図１５は本発明の一実施例に係る臨床診断支援システムの一般検査処理における疾患概要情報提供処理を示すフローチャートである。
【図１６】図１６は本発明の一実施例に係る臨床診断支援システムの鑑別疾患情報提供処理を示すフローチャートである。
【図１７】図１７は本発明の一実施例に係る臨床診断支援システムの検査項目情報提供処理を示すフローチャートである。
【図１８】図１８は本発明の一実施例に係る臨床診断支援システムの症候検査処理を示すフローチャートである。
【図１９】図１９は本発明の一実施例に係る臨床診断支援システムの症候検査処理における症候概要情報提供処理を示すフローチャートである。
【図２０】図２０は図２１の続きの処理を示すフローチャートである。
【図２１】図２１は本発明の一実施例に係る臨床診断支援システムの症候検索処理における見逃検査処理を示すフローチャートである。
【図２２】図２２は本発明の一実施例に係る臨床診断支援システムの症候マスタファイルとしての症候マスタテーブルを示す。
【図２３】図２３は本発明の一実施例に係る臨床診断支援システムの異常値マスタファイルとしての異常値マスタテーブルを示す。
【図２４】図２４は本発明の一実施例に係る臨床診断支援システムの一時記憶領域としての見逃検索削除用テーブルを示す。
【図２５】図２５は本発明の一実施例に係る臨床診断支援システムの一時記憶領域としての見逃検索用病名テーブルを示す。
【図２６】図２６は疾患として「関節リウマチ」の発症条件「臓器：心臓」を例にとって固有変動マスタファイルの該当データ部分を作成する場合を示すテーブル図である。
【図２７】図２７は疾患として「関節リウマチ」を例にとって全ての固有変動を追加した場合の固有変動マスタファイルの対応部分を示すテーブル図である。
【図２８】図２８は症候「高血糖」に関する固有変動を検査項目「ＣＢＣ」について固有変動マスタファイルに格納する場合の処理を説明するテーブル図である。
【図２９】図２９は肺炎に関する固有変動を検査項目「ＡＳＴ」について固有変動マスタファイルに格納する場合の処理を説明するテーブル図である。
【符号の説明】
【０２８８】
１１０：統括表ウインドウ、１３０：病名分類ウインドウ
１４０：病名目次ウインドウ
１５０：検査配列票ウインドウ、１６０：疾患概要ウインドウ
１７０：鑑別疾患目次ウインドウ、１８０：検査概要ウインドウ
１９０：鑑別疾患概要ウインドウ、２００：検査保管票ウインドウ
２１０：病名保管票ウインドウ、２３０：症候分類ウインドウ
２４０：症候目次ウインドウ、２５０：用語検索票ウインドウ